(57)【特許請求の範囲】
【請求項１】
無線デバイスのための方法であって、
前記無線デバイス（４０６）が、前記無線デバイスがセルの帯域幅部分ごとに第１の数のチャネル状態情報（ＣＳＩ）処理をサポートすることを示す機能メッセージを伝送することと、
前記無線デバイスが帯域幅部分ごとに前記第１の数のＣＳＩ処理をサポートすることに基づいて、第１の帯域幅部分に対する第２の数のＣＳＩ処理を示すＣＳＩ構成パラメータを受信することと、
前記第２の数のＣＳＩ処理に対するＣＳＩレポートを伝送することと
を含む、方法。
【請求項２】
前記方法は、前記セルの複数の帯域幅部分の構成パラメータを受信することをさらに含み、前記複数の帯域幅部分は、前記第１の帯域幅部分を含む、請求項１に記載の方法。
【請求項３】
前記方法は、前記セルのアクティブな帯域幅部分として、前記セルの第２の帯域幅部分から前記第１の帯域幅部分への切り替えを示すダウンリンク制御情報を受信することをさらに含む、請求項１〜２のいずれかに記載の方法。
【請求項４】
前記ＣＳＩレポートを伝送することは、前記第１の帯域幅部分が前記セルの前記アクティブな帯域幅部分であることに基づく、請求項３に記載の方法。
【請求項５】
１つ以上のプロセッサと命令を記憶したメモリとを含む無線デバイス（４０６）であって、前記命令は、前記１つ以上のプロセッサによって実行されると、
前記無線デバイスがセルの帯域幅部分ごとに第１の数のチャネル状態情報（ＣＳＩ）処理をサポートすることを示す機能メッセージを伝送することと、
前記無線デバイスが帯域幅部分ごとに前記第１の数のＣＳＩ処理をサポートすることに基づいて、第１の帯域幅部分に対する第２の数のＣＳＩ処理を示すＣＳＩ構成パラメータを受信することと、
前記第２の数のＣＳＩ処理に対するＣＳＩレポートを伝送することと
を前記無線デバイスに行わせる、無線デバイス（４０６）。
【請求項６】
前記命令は、前記セルの複数の帯域幅部分の構成パラメータを受信することを前記無線デバイスにさらに行わせ、前記複数の帯域幅部分は、前記第１の帯域幅部分を含む、請求項５に記載の無線デバイス。
【請求項７】
前記命令は、前記セルのアクティブな帯域幅部分として、前記セルの第２の帯域幅部分から前記第１の帯域幅部分への切り替えを示すダウンリンク制御情報を受信することを前記無線デバイスにさらに行わせる、請求項５〜６のいずれかに記載の無線デバイス。
【請求項８】
前記ＣＳＩレポートを伝送することは、前記第１の帯域幅部分が前記セルの前記アクティブな帯域幅部分であることに基づく、請求項７に記載の無線デバイス。
【請求項９】
基地局のための方法であって、
前記基地局（４０１）において、無線デバイス（４０６）がセルの帯域幅部分ごとに第１の数のチャネル状態情報（ＣＳＩ）処理をサポートすることを示す機能メッセージを受信することと、
前記無線デバイスが帯域幅部分ごとに前記第１の数のＣＳＩ処理をサポートすることに基づいて、第１の帯域幅部分に対する第２の数のＣＳＩ処理を示すＣＳＩ構成パラメータを伝送することと、
前記無線デバイスから、前記第２の数のＣＳＩ処理に対するＣＳＩレポートを受信することと
を含む、方法。
【請求項１０】
前記方法は、前記セルの複数の帯域幅部分の構成パラメータを伝送することをさらに含み、前記複数の帯域幅部分は、前記第１の帯域幅部分を含む、請求項９に記載の方法。
【請求項１１】
前記方法は、前記セルのアクティブな帯域幅部分として、前記セルの第２の帯域幅部分から前記第１の帯域幅部分への切り替えを示すダウンリンク制御情報を伝送することをさらに含む、請求項９〜１０のいずれかに記載の方法。
【請求項１２】
前記ＣＳＩレポートを受信することは、前記第１の帯域幅部分が前記セルの前記アクティブな帯域幅部分であることに基づく、請求項１１に記載の方法。
【請求項１３】
１つ以上のプロセッサと命令を記憶したメモリとを含む基地局（４０１）であって、前記命令は、前記１つ以上のプロセッサによって実行されると、
無線デバイス（４０６）がセルの帯域幅部分ごとに第１の数のチャネル状態情報（ＣＳＩ）処理をサポートすることを示す機能メッセージを受信することと、
前記無線デバイスが帯域幅部分ごとに前記第１の数のＣＳＩ処理をサポートすることに基づいて、第１の帯域幅部分に対する第２の数のＣＳＩ処理を示すＣＳＩ構成パラメータを伝送することと、
前記無線デバイスから、前記第２の数のＣＳＩ処理に対するＣＳＩレポートを受信することと
を前記基地局に行わせる、基地局（４０１）。
【請求項１４】
前記命令は、前記セルの複数の帯域幅部分の構成パラメータを伝送することを前記基地局にさらに行わせ、前記複数の帯域幅部分は、前記第１の帯域幅部分を含む、請求項１３に記載の基地局。
【請求項１５】
前記命令は、前記セルのアクティブな帯域幅部分として、前記セルの第２の帯域幅部分から前記第１の帯域幅部分への切り替えを示すダウンリンク制御情報を伝送することを前記基地局にさらに行わせる、請求項１３〜１４のいずれかに記載の基地局。
【発明の詳細な説明】
【背景技術】
【０００１】
本出願は、２０１７年１１月９日に出願された米国仮特許出願第６２／５８３，６５４号および２０１７年１１月１４日に出願された米国仮特許出願第６２／５８５，８０１号の利益を主張し、これらは参照によりその全体が本明細書に組み込まれる。
【発明の概要】
【課題を解決するための手段】
【０００２】
本発明の例示的な実施形態は、キャリアアグリゲーションの動作を可能にする。ここに開示する技術の複数の実施形態を、マルチキャリア通信システムの技術分野において用いることが可能である。より具体的には、本明細書で開示される技術の実施形態は、マルチキャリア通信システムにおける無線デバイス機能およびランダムアクセスに関し得る。
本発明は、例えば、以下を提供する。
（項目１）
方法であって、
無線デバイスによって基地局に、前記無線デバイスがセルの帯域幅部分ごとに第１の数のチャネル状態情報プロセスをサポートすることを示す１つ以上の機能メッセージを伝送することと、
１つ以上の第２のメッセージを受信することであって、
第１のセルの第１の複数の帯域幅部分の第１の構成パラメータであって、前記第１の複数の帯域幅部分が第１の帯域幅部分を含む、第１の構成パラメータと、
複数のチャネル状態情報基準信号リソースを示す第２の構成パラメータと、
前記第１の帯域幅部分に対する第２の数のチャネル状態情報プロセスの第３の構成パラメータであって、前記第２の数が前記第１の数以下である、第３の構成パラメータと、を含む、１つ以上の第２のメッセージを受信することと、
前記複数のチャネル状態情報基準信号リソースを介して受信された第１の基準信号を測定することと、
前記測定に基づいて、前記第２の数のチャネル状態情報プロセスに対するチャネル状態情報を伝送することと、を含む方法。
（項目２）
チャネル状態情報プロセスの前記第１の数が、チャネル状態情報プロセスの最大数である、項目１に記載の方法。
（項目３）
機能照会メッセージを受信することをさらに含み、前記１つ以上の機能メッセージが、前記機能照会メッセージを前記受信することに応答して伝送される、項目１または２に記載の方法。
（項目４）
前記チャネル状態情報が、周期的なチャネル状態情報である、項目１〜３のいずれかに記載の方法。
（項目５）
前記チャネル状態情報が、非周期的なチャネル状態情報である、項目１〜３のいずれかに記載の方法。
（項目６）
前記チャネル状態情報が、半永続的なチャネル状態情報である、項目１〜３のいずれかに記載の方法。
（項目７）
前記１つ以上の第２のメッセージが、アップリンク制御チャネルのアップリンクリソースを示し、
前記チャネル状態情報が、前記アップリンク制御チャネルを介して伝送される、項目１〜６のいずれかに記載の方法。
（項目８）
前記アップリンクリソースが、プライマリセル上で構成される、項目７に記載の方法。
（項目９）
前記アップリンクリソースが、セカンダリセル上で構成される、項目７に記載の方法。
（項目１０）
前記第１の帯域幅部分のアクティブ化を示すダウンリンク制御情報を受信することをさらに含む、項目１〜９のいずれかに記載の方法。
（項目１１）
無線デバイスであって、
１つ以上のプロセッサと、
命令を記憶しているメモリと、を含み、前記命令が、前記１つ以上のプロセッサによって実行されると、前記無線デバイスに、
基地局に、前記無線デバイスがセルの帯域幅部分ごとに第１の数のチャネル状態情報プロセスをサポートすることを示す１つ以上の機能メッセージを伝送することと、
１つ以上の第２のメッセージを受信することであって、
第１のセルの第１の複数の帯域幅部分の第１の構成パラメータであって、前記第１の複数の帯域幅部分が第１の帯域幅部分を含む、第１の構成パラメータと、
複数のチャネル状態情報基準信号リソースを示す第２の構成パラメータと、
前記第１の帯域幅部分に対する第２の数のチャネル状態情報プロセスの第３の構成パラメータであって、前記第２の数が前記第１の数以下である、第３の構成パラメータと、を含む１つ以上の第２のメッセージを受信することと、
前記複数のチャネル状態情報基準信号リソースを介して受信された第１の基準信号を測定することと、
前記測定に基づいて、前記第２の数のチャネル状態情報プロセスに対するチャネル状態情報を伝送することと、を行わせる、無線デバイス。
（項目１２）
チャネル状態情報プロセスの前記第１の数が、チャネル状態情報プロセスの最大数である、項目１１に記載の無線デバイス。
（項目１３）
前記命令が、実行されると、前記無線デバイスに、機能照会メッセージを受信することをさらに行わせ、前記１つ以上の機能メッセージが、前記機能照会メッセージの前記受信に応答して伝送される、項目１１または１２に記載の無線デバイス。
（項目１４）
前記チャネル状態情報が、周期的なチャネル状態情報である、項目１１〜１３のいずれかに記載の無線デバイス。
（項目１５）
前記チャネル状態情報が、非周期的なチャネル状態情報である、項目１１〜１３のいずれかに記載の無線デバイス。
（項目１６）
前記チャネル状態情報が、半永続的なチャネル状態情報である、項目１１〜１３のいずれかに記載の無線デバイス。
（項目１７）
前記１つ以上の第２のメッセージが、アップリンク制御チャネルのアップリンクリソースを示し、
前記チャネル状態情報が、前記アップリンク制御チャネルを介して伝送される、項目１１〜１６のいずれか一項に記載の無線デバイス。
（項目１８）
前記アップリンクリソースが、プライマリセル上で構成される、項目１７に記載の無線デバイス。
（項目１９）
前記アップリンクリソースが、セカンダリセル上で構成される、項目１７に記載の無線デバイス。
（項目２０）
前記命令が、実行されると、前記無線デバイスに、前記第１の帯域幅部分のアクティブ化を示すダウンリンク制御情報を受信することをさらに行わせる、項目１１〜１９のいずれかに記載の無線デバイス。
（項目２１）
方法であって、
無線デバイスによって、前記無線デバイスがセルの帯域幅部分ごとに第１の数のチャネル状態情報（ＣＳＩ）プロセスをサポートすることを示す１つ以上の機能メッセージを伝送することと、
前記無線デバイスが帯域幅部分ごとに対する前記第１の数のＣＳＩプロセスをサポートすることに基づいて、第１の帯域幅部分に対する第２の数のＣＳＩプロセスを示すＣＳＩ構成パラメータを受信することであって、前記第２の数が前記第１の数以下である、受信することと、
前記第２の数のＣＳＩプロセスに対するＣＳＩレポートを伝送することと、を含む方法。
（項目２２）
前記第１の帯域幅部分の構成パラメータを受信することをさらに含む、項目２１に記載の方法。
（項目２３）
前記ＣＳＩ構成パラメータが、複数のＣＳＩ基準信号リソースをさらに示す、項目２１または２２に記載の方法。
（項目２４）
前記複数のＣＳＩ基準信号リソースを介して受信された第１の基準信号を測定することをさらに含む、項目２３に記載の方法。
（項目２５）
前記第２の数のＣＳＩプロセスに対する前記ＣＳＩを前記伝送することが、前記構成パラメータおよび前記測定に基づく、項目２４に記載の方法。
（項目２６）
無線デバイスであって、
１つ以上のプロセッサと、
命令を記憶しているメモリと、を含み、前記命令が、前記１つ以上のプロセッサによって実行されると、前記無線デバイスに、
前記無線デバイスがセルの帯域幅部分ごとに第１の数のチャネル状態情報（ＣＳＩ）プロセスをサポートすることを示す１つ以上の機能メッセージを伝送することと、
前記無線デバイスが帯域幅部分ごとに対する前記第１の数のＣＳＩプロセスをサポートすることに基づいて、第１の帯域幅部分に対する第２の数のＣＳＩプロセスを示すＣＳＩ構成パラメータを受信することであって、前記第２の数が前記第１の数以下である、受信することと、
前記第２の数のＣＳＩプロセスに対するＣＳＩレポートを伝送することと、を行わせる、無線デバイス。
（項目２７）
前記命令が、実行されると、前記無線デバイスに、前記第１の帯域幅部分の構成パラメータを受信することをさらに行わせる、項目２６に記載の無線デバイス。
（項目２８）
前記ＣＳＩ構成パラメータが、複数のＣＳＩ基準信号リソースをさらに示す項目２６または２７に記載の無線デバイス。
（項目２９）
前記命令が、実行されると、前記無線デバイスに、前記複数のＣＳＩ基準信号リソースを介して受信された第１の基準信号を測定することをさらに行わせる、項目２８に記載の無線デバイス。
（項目３０）
前記第２の数のＣＳＩプロセスに対する前記ＣＳＩを前記伝送することが、前記構成パラメータおよび前記測定に基づく、項目２９に記載の無線デバイス。
（項目３１）
方法であって、
基地局によって無線デバイスから、前記無線デバイスがセルの帯域幅部分ごとに第１の数のチャネル状態情報（ＣＳＩ）プロセスをサポートすることを示す１つ以上の機能メッセージを受信することと、
前記無線デバイスが帯域幅部分ごとに前記第１の数のＣＳＩプロセスをサポートすることに基づいて、第１の帯域幅部分に対する第２の数のＣＳＩプロセスを示すＣＳＩ構成パラメータを伝送することであって、前記第２の数が前記第１の数以下である、伝送することと、
前記第２の数のＣＳＩプロセスに対するＣＳＩレポートを受信することと、を含む方法。
（項目３２）
前記第１の帯域幅部分の構成パラメータを伝送することをさらに含む、項目３１に記載の方法。
（項目３３）
ＣＳＩプロセスの前記第１の数が、ＣＳＩプロセスの最大数である、項目３１または３２に記載の方法。
（項目３４）
機能照会メッセージを伝送することをさらに含み、前記１つ以上の機能メッセージが、前記機能照会メッセージの前記伝送に応答して受信される、項目３１〜３３のいずれかに記載の方法。
（項目３５）
前記ＣＳＩが、周期的なＣＳＩである、項目３１〜３４のいずれかに記載の方法。
（項目３６）
前記ＣＳＩが、非周期的なＣＳＩである、項目３１〜３４のいずれかに記載の方法。
（項目３７）
前記ＣＳＩが、半永続的なＣＳＩである、項目３１〜３４のいずれかに記載の方法。
（項目３８）
前記ＣＳＩ構成パラメータが、アップリンク制御チャネルのアップリンクリソースを示し、
前記ＣＳＩレポートが、前記アップリンク制御チャネルを介して受信される、項目３１〜３７のいずれかに記載の方法。
（項目３９）
前記アップリンクリソースが、プライマリセル上で構成される、項目３８に記載の方法。
（項目４０）
前記アップリンクリソースが、セカンダリセル上で構成される、項目３８に記載の方法。
（項目４１）
前記第１の帯域幅部分のアクティブ化を示すダウンリンク制御情報を伝送することをさらに含む、項目３１〜４０のいずれかに記載の方法。
（項目４２）
基地局であって、
１つ以上のプロセッサと、
命令を記憶しているメモリと、を含み、前記命令が、前記１つ以上のプロセッサによって実行されると、前記基地局に、
無線デバイスから、前記無線デバイスがセルの帯域幅部分ごとに第１の数のチャネル状態情報（ＣＳＩ）をサポートすることを示す１つ以上の機能メッセージを受信することと、
前記無線デバイスが前記第１の数のＣＳＩプロセスをサポートすることに基づいて、第１の帯域幅部分に対する第２の数のＣＳＩプロセスを示すＣＳＩ構成パラメータを伝送することであって、前記第２の数が前記第１の数以下である、伝送することと、
前記第２の数のＣＳＩプロセスに対するＣＳＩレポートを受信することと、を行わせる、基地局。
（項目４３）
前記命令が、実行されると、前記基地局に、前記第１の帯域幅の部分の構成パラメータを伝送することをさらに行わせる、項目４２に記載の基地局。
（項目４４）
ＣＳＩプロセスの前記第１の数が、ＣＳＩプロセスの最大数である、項目４２または４３に記載の基地局。
（項目４５）
前記命令が、実行されると、前記基地局に、機能照会メッセージを伝送することをさらに行わせ、前記１つ以上の機能メッセージが、前記機能照会メッセージの前記伝送に応答して受信される、項目４２〜４４のいずれかに記載の基地局。
（項目４６）
前記ＣＳＩが、周期的なＣＳＩである、項目４２〜４５のいずれかに記載の基地局。
（項目４７）
前記ＣＳＩが、非周期的なＣＳＩである、項目４２〜４５のいずれかに記載の基地局。
（項目４８）
前記ＣＳＩが、半永続的なＣＳＩである、項目４２〜４５のいずれかに記載の基地局。
（項目４９）
前記ＣＳＩ構成パラメータが、アップリンク制御チャネルのアップリンクリソースを示し、
前記ＣＳＩレポートが、前記アップリンク制御チャネルを介して受信される、項目４２〜４８のいずれかに記載の基地局。
（項目５０）
前記アップリンクリソースが、プライマリセル上で構成される、項目４９に記載の基地局。
（項目５１）
前記アップリンクリソースが、セカンダリセル上で構成される、項目４９に記載の基地局。
（項目５２）
前記命令が、実行されると、前記基地局に、前記第１の帯域部分のアクティブ化を示すダウンリンク制御情報を伝送することをさらに行わせる、項目４２〜５１のいずれかに記載の基地局。
（項目５３）
方法であって、
無線デバイスによって基地局に、前記無線デバイスがアップリンクチャネルを介した半永続的なチャネル状態情報の報告をサポートすることを示す１つ以上の機能メッセージを伝送することと、
前記無線デバイスが半永続的なチャネル状態情報の前記報告をサポートすることに基づいて、半永続的なチャネル状態情報構成パラメータを含む１つ以上の第２のメッセージを受信することと、
前記アップリンクチャネルを介した半永続的なチャネル状態情報レポートのアクティブ化を示すアクティブ化コマンドを受信することと、
前記アップリンクチャネルを介して、前記アクティブ化に応答して、前記半永続的なチャネル状態情報の構成パラメータに基づいて、前記半永続的なチャネル状態情報レポートを伝送することと、を含む方法。
（項目５４）
前記アクティブ化コマンドが、ダウンリンク制御情報である、項目５３に記載の方法。
（項目５５）
前記アクティブ化コマンドが、前記半永続的なチャネル状態情報レポートの伝送のための１つ以上の伝送パラメータを示す、項目５３または５４に記載の方法。
（項目５６）
前記複数の半永続的なチャネル状態情報レポートの前記アクティブ化が、前記アクティブ化コマンド内の要求フィールドに基づく、項目５３〜５５のいずれかに記載の方法。
（項目５７）
前記アップリンクチャネルが、物理アップリンク共有チャネルである、項目５３〜５６のいずれかに記載の方法。
（項目５８）
前記アップリンクチャネルが、物理アップリンク制御チャネルである、項目５３〜５６のいずれかに記載の方法。
（項目５９）
前記アクティブ化コマンドが、前記半永続的なチャネル状態情報レポートの伝送のためのリソースを示す、項目５３〜５８のいずれかに記載の方法。
（項目６０）
前記半永続的なチャネル状態情報レポートが、スケジューリング決定を行うために前記基地局によって使用される、項目５３〜５９のいずれかに記載の方法。
（項目６１）
前記半永続的なチャネル状態情報の構成パラメータが、複数のチャネル状態情報基準信号リソースを示す、項目５３〜６０のいずれかに記載の方法。
（項目６２）
前記複数のチャネル状態情報基準信号リソースを介して受信された第１の基準信号を測定することをさらに含む、項目６１に記載の方法。
（項目６３）
前記半永続的なチャネル状態情報レポートを伝送することが、前記測定にさらに基づく、項目６２に記載の方法。
（項目６４）
前記無線デバイスによって前記基地局から、機能照会メッセージを受信することであって、前記１つ以上の機能メッセージが、前記機能照会メッセージの前記受信に応答して伝送される、受信することをさらに含む、項目５３〜６３のいずれかに記載の方法。
（項目６５）
無線デバイスであって、
１つ以上のプロセッサと、
命令を記憶しているメモリと、を含み、前記命令が、前記１つ以上のプロセッサによって実行されると、前記無線デバイスに、
基地局に、前記無線デバイスがアップリンクチャネルを介した半永続的なチャネル状態情報の報告をサポートすることを示す１つ以上の機能メッセージを伝送することと、
前記無線デバイスが半永続的なチャネル状態情報の前記報告をサポートすることに基づいて、半永続的なチャネル状態情報構成パラメータを含む１つ以上の第２のメッセージを受信することと、
前記アップリンクチャネルを介した半永続的なチャネル状態情報レポートのアクティブ化を示すアクティブ化コマンドを受信することと、
前記アップリンクチャネルを介して、前記アクティブ化に応答して、前記半永続的なチャネル状態情報の構成パラメータに基づいて、前記半永続的なチャネル状態情報レポートを伝送することと、を行わせる、無線デバイス。
（項目６６）
前記アクティブ化コマンドが、ダウンリンク制御情報である、項目６５に記載の無線デバイス。
（項目６７）
前記アクティブ化コマンドが、前記半永続的なチャネル状態情報レポートの伝送のための１つ以上の伝送パラメータを示す、項目６５または６６に記載の無線デバイス。
（項目６８）
前記複数の半永続的なチャネル状態情報レポートの前記アクティブ化が、前記アクティブ化コマンド内の要求フィールドに基づく、項目６５〜６７のいずれかに記載の無線デバイス。
（項目６９）
前記アップリンクチャネルが、物理アップリンク共有チャネルである、項目６５〜６８のいずれかに記載の無線デバイス。
（項目７０）
前記アップリンクチャネルが、物理アップリンク制御チャネルである、項目６５〜６８のいずれかに記載の無線デバイス。
（項目７１）
前記アクティブ化コマンドが、前記半永続的なチャネル状態情報レポートの伝送のためのリソースを示す、項目６５〜７０のいずれかに記載の無線デバイス。
（項目７２）
前記半永続的なチャネル状態情報レポートが、スケジューリング決定を行うために前記基地局によって使用される、項目６５〜７１のいずれかに記載の無線デバイス。
（項目７３）
前記半永続的なチャネル状態情報の構成パラメータが、複数のチャネル状態情報基準信号リソースを示す、項目６５〜７２のいずれかに記載の無線デバイス。
（項目７４）
前記命令が、実行されると、前記無線デバイスに、前記複数のチャネル状態情報基準信号リソースを介して受信された第１の基準信号を測定することをさらに行わせる、項目７３に記載の無線デバイス。
（項目７５）
前記半永続的なチャネル状態情報レポートの前記伝送が、前記測定にさらに基づく、項目７３に記載の無線デバイス。
（項目７６）
前記命令が、実行されると、前記無線デバイスに、前記基地局から、機能照会メッセージを受信することをさらに行わせ、前記１つ以上の機能メッセージが、前記機能照会メッセージの前記受信に応答して伝送される、項目６５〜７５に記載の無線デバイス。
（項目７７）
方法であって、
基地局によって無線デバイスから、前記無線デバイスがアップリンクチャネルを介した半永続的なチャネル状態情報の報告をサポートすることを示す１つ以上の機能メッセージを受信することと、
前記無線デバイスが半永続的チャネル状態情報の前記報告をサポートすることに基づいて、半永続的なチャネル状態情報の構成パラメータを含む１つ以上の第２のメッセージを伝送することと、                
前記アップリンクチャネルを介した半永続的なチャネル状態情報レポートのアクティブ化を示すアクティブ化コマンドを伝送することと、
前記アップリンクチャネルを介して、前記アクティブ化に応答して、前記半永続的なチャネル状態情報の構成パラメータに基づいて、前記半永続的なチャネル状態情報レポートを受信することと、を含む方法。
（項目７８）
前記アクティブ化コマンドが、ダウンリンク制御情報である、項目７７に記載の方法。
（項目７９）
前記アクティブ化コマンドが、前記半永続的なチャネル状態情報レポートの伝送のための１つ以上の伝送パラメータを示す、項目７７または７８に記載の方法。
（項目８０）
前記複数の半永続的なチャネル状態情報レポートの前記アクティブ化が、前記アクティブ化コマンド内の要求フィールドに基づく、項目７７〜７９のいずれかに記載の方法。
（項目８１）
前記アップリンクチャネルが、物理アップリンク共有チャネルである、項目７７〜８０のいずれかに記載の方法。
（項目８２）
前記アップリンクチャネルが、物理アップリンク制御チャネルである、項目７７〜８０のいずれかに記載の方法。
（項目８３）
前記アクティブ化コマンドが、前記半永続的なチャネル状態情報レポートの伝送のためのリソースを示す、項目７７〜８２のいずれかに記載の方法。
（項目８４）
前記半永続的なチャネル状態情報レポートが、スケジューリング決定を行うために前記基地局によって使用される、項目７７〜８３のいずれかに記載の方法。
（項目８５）
半永続的なチャネル状態情報の構成パラメータが、複数のチャネル状態情報基準信号リソースを示す、項目７７〜８４のいずれかに記載の方法。
（項目８６）
前記基地局によって前記無線デバイスに、機能照会メッセージを伝送することをさらに含み、前記１つ以上の機能のメッセージが機能照会メッセージの前記伝送に応答して受信される、項目７７〜８５のいずれかに記載の方法。
（項目８７）
基地局であって、
１つ以上のプロセッサと、
命令を記憶しているメモリと、を含み、前記命令が、前記１つ以上のプロセッサによって実行されると、前記基地局に、
無線デバイスから、前記無線デバイスがアップリンクチャネルを介した半永続的なチャネル状態情報の報告をサポートすることを示す１つ以上の機能メッセージを受信することと、
前記無線デバイスが半永続的なチャネル状態情報の前記報告をサポートすることに基づいて、半永続的なチャネル状態情報構成パラメータを含む１つ以上の第２のメッセージを伝送することと、
前記アップリンクチャネルを介した半永続的なチャネル状態情報レポートのアクティブ化を示すアクティブ化コマンドを伝送することと、
前記アップリンクチャネルを介して、前記アクティブ化に応答して、前記半永続的なチャネル状態情報の構成パラメータに基づいて、前記半永続的なチャネル状態情報レポートを受信することと、を行わせる、基地局。
（項目８８）
前記アクティブ化コマンドが、ダウンリンク制御情報である、項目８７に記載の基地局。
（項目８９）
前記アクティブ化コマンドが、前記半永続的なチャネル状態情報レポートの伝送のための１つ以上の伝送パラメータを示す、項目８７または８８に記載の基地局。
（項目９０）
前記複数の半永続的なチャネル状態情報レポートの前記アクティブ化が、前記アクティブ化コマンド内の要求フィールドに基づく、項目８７〜８９のいずれかに記載の基地局。
（項目９１）
前記アップリンクチャネルが、物理アップリンク共有チャネルである、項目８７〜９０のいずれかに記載の基地局。
（項目９２）
前記アップリンクチャネルが、物理アップリンク制御チャネルである、項目８７〜９０のいずれかに記載の基地局。
（項目９３）
前記アクティブ化コマンドが、前記半永続的なチャネル状態情報レポートの伝送のためのリソースを示す、項目８７〜９２のいずれかに記載の基地局。
（項目９４）
前記半永続的なチャネル状態情報レポートが、スケジューリング決定を行うために前記基地局によって使用される、項目８７〜９３のいずれかに記載の基地局。
（項目９５）
前記半永続的なチャネル状態情報構成パラメータが、複数のチャネル状態情報基準信号リソースを示す、項目８７〜９４のいずれかに記載の基地局。
（項目９６）
前記命令が、実行されると、前記基地局に、前記基地局によって前記無線デバイスに、機能照会メッセージを伝送することをさらに行わせ、前記１つ以上の機能メッセージが、前記機能照会メッセージの前記伝送に応答して受信される、項目８７〜９５に記載の基地局。
（項目９７）
方法であって、
無線デバイスによって、アップリンクチャネルを介した半永続的なチャネル状態情報（ＣＳＩ）の報告をサポートすることを示す１つ以上の機能メッセージを伝送することと、
前記無線デバイスが半永続的なＣＳＩの前記報告をサポートすることに基づいて、半永続的なＣＳＩ構成パラメータを受信することと、
前記アップリンクチャネルを介した半永続的なＣＳＩレポートのアクティブ化を示すアクティブ化コマンドに応答して、前記半永続的なＣＳＩレポートを伝送することと、を含む方法。
（項目９８）
無線デバイスであって、
１つ以上のプロセッサと、
命令を記憶しているメモリと、を含み、前記命令が、前記１つ以上のプロセッサによって実行されると、前記無線デバイスに、
前記無線デバイスがアップリンクチャネルを介した半永続的なチャネル状態情報（ＣＳＩ）の報告をサポートすることを示す１つ以上の機能メッセージを伝送することと、
前記無線デバイスが半永続的なＣＳＩの前記報告をサポートすることに基づいて、半永続的なＣＳＩ構成パラメータを受信することと、
前記アップリンクチャネルを介した半永続的なＣＳＩレポートのアクティブ化を示すアクティブ化コマンドに応答して、前記半永続的なＣＳＩレポートを伝送することと、を行わせる、無線デバイス。
（項目９９）
方法であって、
基地局によって、前記無線デバイスがアップリンクチャネルを介した半永続的なチャネル状態情報（ＣＳＩ）の報告をサポートすることを示す１つ以上の機能メッセージを受信することと、
前記無線デバイスが半永続的なＣＳＩの前記報告をサポートすることに基づいて、半永続的なＣＳＩ構成パラメータを伝送することと、
前記アップリンクチャネルを介した半永続的なＣＳＩレポートのアクティブ化を示すアクティブ化コマンドに応答して、前記半永続的なＣＳＩレポートを受信することと、を含む方法。
（項目１００）
基地局であって、
１つ以上のプロセッサと、
命令を記憶しているメモリであって、前記命令が、前記１つ以上のプロセッサによって実行されると、前記基地局に、
前記無線デバイスがアップリンクチャネルを介した半永続的なチャネル状態情報（ＣＳＩ）の報告をサポートすることを示す１つ以上の機能メッセージを受信することと、
前記無線デバイスが半永続的なＣＳＩの前記報告をサポートすることに基づいて、半永続的なＣＳＩ構成パラメータを伝送することと、
前記アップリンクチャネルを介した半永続的なＣＳＩレポートのアクティブ化を示すアクティブ化コマンドに応答して、前記半永続的なＣＳＩレポートを受信することと、を行わせる、基地局。
（項目１０１）
方法であって、
無線デバイスによって、前記無線デバイスがセル上の複数のアクティブな帯域幅部分をサポートすることを示す１つ以上の機能メッセージを伝送することと、
前記セルの複数の帯域幅部分の構成パラメータを含む１つ以上の第２のメッセージを受信することと、
前記無線デバイスが複数のアクティブな帯域幅部分をサポートすることに基づいて、第１の複数の帯域幅部分をアクティブ化することと、
前記第１の複数の帯域幅部分を介して複数のトランスポートブロックを伝送することと、を含む方法。
（項目１０２）
前記１つ以上の機能メッセージが、前記セルのアクティブな帯域幅部分の第１の数をさらに示す、項目１０１に記載の方法。
（項目１０３）
前記第１の複数の帯域幅部分の第２の数が、前記第１の数以下である、項目１０２に記載の方法。
（項目１０４）
第２の複数の帯域幅部分のアクティブ化を示す１つ以上のダウンリンク制御情報を受信することをさらに含み、前記第２の複数の帯域幅部分の第３の数が、前記第１の数より小さい、項目１０２に記載の方法。
（項目１０５）
前記第１の複数の帯域幅部分を介した前記複数のトランスポートブロックの伝送を示す１つ以上のダウンリンク制御情報を受信することをさらに含む、項目１０１〜１０４のいずれかに記載の方法。
（項目１０６）
前記複数のトランスポートブロックの前記伝送が、前記１つ以上のダウンリンク制御情報によって示される伝送パラメータに基づく、項目１０５に記載の方法。
（項目１０７）
前記１つ以上の機能メッセージが、前記無線デバイスが周波数領域において連続的であるセル上の複数のアクティブな帯域幅部分をサポートすることをさらに示す、項目１０１〜１０６のいずれかに記載の方法。
（項目１０８）
前記第１の複数の帯域幅部分が、周波数領域において連続的である、項目１０７に記載の方法。
（項目１０９）
前記１つ以上の機能メッセージが、前記無線デバイスが周波数領域において非連続的であるセル上の複数のアクティブな帯域幅部分をサポートすることをさらに示す、項目１０１〜１０６のいずれかに記載の方法。
（項目１１０）
前記第１の複数の帯域幅部分が、前記周波数領域において連続的または非連続的である、項目１０９に記載の方法。
（項目１１１）
前記アクティブ化が、制御要素を受信することに応答する、項目１０１〜１１０のいずれかに記載の方法。
（項目１１２）
前記アクティブ化が、ダウンリンク制御情報を受信することに応答する、項目１０１か〜１１０のいずれかに記載の方法。
（項目１１３）
前記アクティブ化が、無線リソース構成メッセージを受信することに応答する、項目１０１〜１１０のいずれかに記載の方法。
（項目１１４）
無線デバイスであって、
１つ以上のプロセッサと、
命令を記憶しているメモリと、を含み、前記命令が、前記１つ以上のプロセッサによって実行されると、前記無線デバイスに、
前記無線デバイスがセル上の複数のアクティブな帯域幅部分をサポートすることを示す１つ以上の機能メッセージを伝送することと、
前記セルの複数の帯域幅部分の構成パラメータを含む１つ以上の第２のメッセージを受信することと、
前記無線デバイスが複数のアクティブな帯域幅部分をサポートすることに基づいて、第１の複数の帯域幅部分をアクティブ化することと、
前記第１の複数の帯域幅部分を介して複数のトランスポートブロックを伝送することと、を行わせる、無線デバイス。
（項目１１５）
前記１つ以上の機能メッセージが、前記セルのアクティブな帯域幅部分の第１の数をさらに示す、項目１１４に記載の無線デバイス。
（項目１１６）
前記複数の初期アクティブな帯域幅部分の第２の数が、前記第１の数以下である、項目１１５に記載の無線デバイス。
（項目１１７）
前記命令が、実行されると、前記無線デバイスに、第２の複数の帯域幅部分のアクティブ化を示す１つ以上のダウンリンク制御情報を受信することをさらに行わせ、前記第２の複数の帯域幅部分の第３の数が、前記第１の数よりも小さい、項目１１５に記載の無線デバイス。
（項目１１８）
前記命令が、実行されると、前記無線デバイスに、前記第１の複数の帯域幅部分を介した前記複数のトランスポートブロックの伝送を示す１つ以上のダウンリンク制御情報を受信することをさらに行わせる、項目１１４〜１１７のいずれかに記載の無線デバイス。
（項目１１９）
前記複数のトランスポートブロックの前記伝送が、前記１つ以上のダウンリンク制御情報によって示される伝送パラメータに基づく、項目１１８に記載の無線デバイス。
（項目１２０）
前記１つ以上の機能メッセージが、前記無線デバイスが周波数領域において連続的であるセル上の複数のアクティブな帯域幅部分をサポートすることをさらに示す、項目１１４〜１１９のいずれかに記載の無線デバイス。
（項目１２１）
前記第１の複数の帯域幅部分が、前記周波数領域において連続的である、項目１２０に記載の無線デバイス。
（項目１２２）
前記１つ以上の機能メッセージが、前記無線デバイスが周波数領域において非連続的であるセル上の複数のアクティブな帯域幅部分をサポートすることをさらに示す、項目１１４〜１１９のいずれかに記載の無線デバイス。
（項目１２３）
前記第１の複数の帯域幅部分が、前記周波数領域において連続的または非連続的である、項目１２２に記載の無線デバイス。
（項目１２４）
前記アクティブ化が、制御要素の受信に応答する、項目１１４〜１２３のいずれかに記載の方法。
（項目１２５）
前記アクティブ化が、ダウンリンク制御情報を受信することに応答する、項目１１４〜１２３のいずれかに記載の方法。
（項目１２６）
前記アクティブ化が、無線リソース構成メッセージを受信することに応答する、項目１１４〜１２３のいずれかに記載の方法。
（項目１２７）
方法であって、
基地局によって無線デバイスから、前記無線デバイスがセル上の複数のアクティブな帯域幅部分をサポートすることを示す１つ以上の機能メッセージを受信することと、
前記セルの複数の帯域幅部分の構成パラメータを含む１つ以上の第２のメッセージを伝送することと、
第１の複数の帯域幅部分を介して複数のトランスポートブロックを受信することと、を含み、前記第１の複数の帯域幅部分が、前記デバイスが前記複数のアクティブな帯域幅部分をサポートすることに基づいてアクティブ化される、方法。
（項目１２８）
前記１つ以上の機能メッセージが、前記セルの第１の数のアクティブな帯域幅部分をさらに示す、項目１２１に記載の方法。
（項目１２９）
前記第１の複数の帯域幅部分の第２の数が、前記第１の数以下である、項目１２２に記載の方法。
（項目１３０）
第２の複数の帯域幅部分のアクティブ化を示す１つ以上のダウンリンク制御情報を伝送することをさらに含み、前記第２の複数の帯域幅部分の第３の数が、前記第１の数よりも小さい、項目１２２に記載の方法。
（項目１３１）
前記第１の複数の帯域幅部分を介した前記複数のトランスポートブロックの伝送を示す１つ以上のダウンリンク制御情報を伝送することをさらに含む、項目１２１〜１２４のいずれかに記載の方法。
（項目１３２）
前記複数のトランスポートブロックの前記受信が、前記１つ以上のダウンリンク制御情報によって示される伝送パラメータに基づく、項目１２５に記載の方法。
（項目１３３）
前記１つ以上の機能メッセージが、前記無線デバイスが周波数領域において連続的であるセル上の複数のアクティブな帯域幅部分をサポートすることをさらに示す、項目１２１〜１２６のいずれかに記載の方法。
（項目１３４）
前記第１の複数の帯域幅部分が、周波数領域において連続的である、項目１２７に記載の方法。
（項目１３５）
前記１つ以上の機能メッセージが、前記無線デバイスが周波数領域において非連続的であるセル上の複数のアクティブな帯域幅部分をサポートすることをさらに示す、項目１２１〜１２６のいずれかに記載の方法。
（項目１３６）
前記第１の複数の帯域幅部分が、前記周波数領域において連続的または非連続的である、項目１２９に記載の方法。
（項目１３７）
前記アクティブ化が、制御要素を受信することに応答する、項目１２８〜１３７のいずれかに記載の方法。
（項目１３８）
前記アクティブ化が、ダウンリンク制御情報を受信することに応答する、項目１２８〜１３７のいずれかに記載の方法。
（項目１３９）
前記アクティブ化が、無線リソース構成メッセージを受信することに応答する、項目１２８〜１３７のいずれかに記載の方法。
（項目１４０）
基地局であって、
１つ以上のプロセッサと、
命令を記憶しているメモリであって、前記命令が、前記１つ以上のプロセッサによって実行されると、前記基地局に、
無線デバイスから、前記無線デバイスがセル上の複数のアクティブな帯域幅部分をサポートすることを示す１つ以上の機能メッセージを受信することと、
前記セルの複数の帯域幅部分の構成パラメータを含む１つ以上の第２のメッセージを伝送することと、
第１の複数の帯域幅部分を介して複数のトランスポートブロックを受信することと、を行わせ、前記第１の複数の帯域幅部分が、前記無線デバイスが複数のアクティブな帯域幅部分をサポートすることに基づいてアクティブ化される、基地局。
（項目１４１）
前記１つ以上の機能メッセージが、前記セルのアクティブな帯域幅部分の第１の数をさらに示す、項目１３１に記載の基地局。
（項目１４２）
前記第１の複数の帯域幅部分の第２の数が、前記第１の数以下である、項目１３２に記載の基地局。
（項目１４３）
前記命令が、実行されると、前記基地局に、第２の複数の帯域幅部分のアクティブ化を示す１つ以上のダウンリンク制御情報を伝送することをさらに行わせ、前記第２の複数の帯域幅部分の第３の数が、前記第１の数よりも小さい、項目１３２に記載の基地局。
（項目１４４）
前記命令が、実行されると、前記基地局に、前記第１の複数の帯域幅部分を介した前記複数のトランスポートブロックの伝送を示す１つ以上のダウンリンク制御情報を伝送することをさらに行わせる、項目１３１〜１３４のいずれかに記載の基地局。
（項目１４５）
前記複数のトランスポートブロックの前記受信が、前記１つ以上のダウンリンク制御情報によって示される伝送パラメータに基づく、項目１３５に記載の基地局。
（項目１４６）
前記１つ以上の機能メッセージが、前記無線デバイスが周波数領域において連続的であるセル上の複数のアクティブな帯域幅部分をサポートすることをさらに示す、項目１３１〜１３６のいずれかに記載の基地局。
（項目１４７）
前記第１の複数の帯域幅部分が、前記周波数領域において連続的である、項目１３７に記載の基地局。
（項目１４８）
前記１つ以上の機能メッセージが、前記無線デバイスが周波数領域において非連続的であるセル上の複数のアクティブな帯域幅部分をサポートすることをさらに示す、項目１３１〜１３６のいずれかに記載の基地局。
（項目１４９）
前記第１の複数の帯域幅部分が、前記周波数領域において連続的または非連続的である、項目１３９に記載の基地局。
（項目１５０）
方法であって、
無線デバイスによって、
セル上の第１のアップリンク帯域幅部分の帯域幅部分構成パラメータと、
前記セル上の前記第１のアップリンク帯域幅部分のランダムアクセスチャネルリソースのランダムアクセスチャネルパラメータと、を含む１つ以上のメッセージを受信することと、
前記第１のアップリンク帯域幅部分で前記ランダムアクセスチャネルリソースを介してプリアンブルを伝送することと、
前記第１のアップリンク帯域幅部分の前記帯域幅部分構成パラメータと前記ランダムアクセスチャネルパラメータのうちの１つ以上とに基づいて、ランダムアクセス無線ネットワーク一時識別子（ＲＡ−ＲＮＴＩ）を決定することと、
前記決定に応答して、前記ＲＡ−ＲＮＴＩに対応するダウンリンク制御情報に対するダウンリンク制御チャネルを監視することと、
ランダムアクセス応答のダウンリンク無線リソースを示すダウンリンク制御情報を受信することと、
前記ダウンリンク無線リソースを介して前記ランダムアクセス応答を受信することと、を含む方法。
（項目１５１）
前記セルが、複数のセルのうちのプライマリセルである、項目１５１に記載の方法。
（項目１５２）
前記セルが、複数のセルのうちのセカンダリセルである、項目１５１〜１５２のいずれかに記載の方法。
（項目１５３）
前記帯域幅部分構成パラメータが、前記第１のアップリンク帯域幅部分の帯域幅部分インデックスを含む、項目１５１〜１５３のいずれかに記載の方法。
（項目１５４）
前記帯域幅部分構成パラメータが、前記第１のアップリンク帯域幅部分の帯域幅値を含む、項目１５１〜１５４のいずれかに記載の方法。
（項目１５５）
前記第１のアップリンク帯域幅部分でランダムアクセスプロシージャを開始することをさらに含む、項目１５１〜１５５のいずれかに記載の方法。
（項目１５６）
前記ランダムアクセスチャネルパラメータのうちの前記１つ以上が、時間リソースパラメータおよび周波数リソースパラメータを含む、項目１５１〜１５６のいずれかに記載の方法。
（項目１５７）
前記ランダムアクセスチャネルリソースの前記ランダムアクセスチャネルパラメータが、
プリアンブルのプリアンブルインデックスと、
プリアンブル形式と、
プリアンブル伝送ニューメロロジーと、
時間および無線リソースパラメータと、
周波数無線リソースパラメータと、
電力設定のパラメータと、のうちの少なくとも１つを含む、項目１５１〜１５７のいずれかに記載の方法。
（項目１５８）
前記プリアンブルの前記伝送が、
前記プリアンブルを識別するプリアンブルインデックスと、
前記ランダムアクセスチャネルリソースを識別するランダムアクセスチャネルリソースインデックスと、のうちの少なくとも一方を含む第１のダウンリンク制御情報を受信することに応答する、項目１５１〜１５８のいずれかに記載の方法。
（項目１５９）
前記無線デバイスが、前記セルのセル識別子にさらに基づいて、前記ＲＡ−ＲＡＮＴＩを決定する、項目１５１〜１５９のいずれかに記載の方法。
（項目１６０）
前記ランダムアクセス応答が、前記プリアンブルを識別するプリアンブルインデックスを含む、項目１５１〜１６０のいずれかに記載の方法。
（項目１６１）
前記ランダムアクセス応答が、前記第１のアップリンク帯域幅部分上でのアップリンク許可を含む、項目１５１〜１６１のいずれかに記載の方法。
（項目１６２）
前記セルが、前記第１のアップリンク帯域幅部分および第２のアップリンク帯域幅部分を含む複数のアップリンク帯域幅部分を含む、項目１５１〜１６２のいずれかに記載の方法。
（項目１６３）
前記複数の前記アップリンク帯域幅部分の前記第２のアップリンク帯域幅部分が、第１のランダムアクセスチャネルリソースの第１の帯域幅部分構成パラメータおよび第１のランダムアクセスチャネルパラメータを用いて構成される、項目１６３に記載の方法。
（項目１６４）
前記帯域幅部分構成パラメータが、前記第１のアップリンク帯域幅部分の周波数位置パラメータを含む、項目１５１〜１６３のいずれかに記載の方法。
（項目１６５）
前記周波数位置パラメータは、前記第１のアップリンク帯域幅部分のリソースブロック開始位置パラメータである項目１６５に記載の方法。
（項目１６６）
前記リソースブロック開始位置パラメータが、前記セルの周波数基準点と前記第１のアップリンク帯域幅部分の第１の使用可能なサブキャリアとの間の物理リソースブロックの数のオフセット値を含む、項目１６６に記載の方法。
（項目１６７）
前記プリアンブルの前記伝送が、競合ベースのランダムアクセスプロシージャを開始することに応答する、項目１５１〜１６３または項目１６５のいずれかに記載の方法。
（項目１６８）
前記複数のアップリンク帯域幅部分の前記第１のアップリンク帯域幅部分および前記第２のアップリンク帯域幅部分から前記第１のアップリンク帯域幅部分を選択することをさらに含む、項目１６８に記載の方法。
（項目１６９）
前記プリアンブルおよび前記ランダムアクセスチャネルリソースが、前記第１のアップリンク帯域幅部分に関連付けられる、項目１６９に記載の方法。
（項目１７０）
無線デバイスであって、
１つ以上のプロセッサと、
命令を記憶しているメモリと、を含み、前記命令が、前記１つ以上のプロセッサによって実行されると、前記無線デバイスに、
１つ以上のメッセージを受信することであって、
セル上の第１のアップリンク帯域幅部分の帯域幅部分構成パラメータと、
前記セル上の前記第１のアップリンク帯域幅部分のランダムアクセスチャネルリソースのランダムアクセスチャネルパラメータと、を含む１つ以上のメッセージを受信することと、
前記第１のアップリンク帯域幅部分で前記ランダムアクセスチャネルリソースを介してプリアンブルを伝送することと、
前記第１のアップリンク帯域幅部分の前記帯域幅部分構成パラメータと前記ランダムアクセスチャネルパラメータのうちの１つ以上とに基づいて、ランダムアクセス無線ネットワーク一時識別子（ＲＡ−ＲＮＴＩ）を決定することと、
前記決定に応答して、前記ＲＡ−ＲＮＴＩ宛てのダウンリンク制御情報に対するダウンリンク制御チャネルを監視することと、
ランダムアクセス応答のダウンリンク無線リソースを示す前記ダウンリンク制御情報を受信することと、
前記ダウンリンク無線リソースを介して前記ランダムアクセス応答を受信することと、を行わせる、無線デバイス。
（項目１７１）
方法であって、
基地局によって、
セル上の第１のアップリンク帯域幅部分の帯域幅部分構成パラメータと、
前記セル上の前記第１のアップリンク帯域幅部分のランダムアクセスチャネルリソースのランダムアクセスチャネルパラメータと、を含む１つ以上のメッセージを伝送することと、
前記第１のアップリンク帯域幅部分で前記ランダムアクセスチャネルリソースを介してプリアンブルを受信することと、
前記第１のアップリンク帯域幅部分の前記帯域幅部分構成パラメータと前記ランダムアクセスチャネルパラメータのうちの１つ以上とに基づいて、ランダムアクセス無線ネットワーク一時識別子（ＲＡ−ＲＮＴＩ）を決定することと、
前記決定することに応答して、前記ＲＡ−ＲＮＴＩ宛てのダウンリンク制御情報を伝送することと、
前記ダウンリンク制御情報に基づいて、ランダムアクセス応答を伝送することと、を含む方法。
（項目１７２）
前記セルが、複数のセルのうちのプライマリセルである、項目１７２に記載の方法。
（項目１７３）
前記セルが、複数のセルのうちのセカンダリセルである、項目１７２〜１７３のいずれかに記載の方法。
（項目１７４）
前記帯域幅部分構成パラメータが、前記第１のアップリンク帯域幅部分の帯域幅部分インデックスを含む、項目１７２〜１７４のいずれかに記載の方法。
（項目１７５）
前記帯域幅部分構成パラメータが、前記第１のアップリンク帯域幅部分の帯域幅値を含む、項目１７２〜１７５のいずれかに記載の方法。
（項目１７６）
前記第１のアップリンク帯域幅部分でランダムアクセスプロシージャを開始することをさらに含む、項目１７２〜１７６のいずれかに記載の方法。
（項目１７７）
前記ランダムアクセスチャネルパラメータのうちの前記１つ以上が、時間リソースパラメータおよび周波数リソースパラメータを含む、項目１７２〜１７７のいずれかに記載の方法。
（項目１７８）
前記ランダムアクセスチャネルリソースの前記ランダムアクセスチャネルパラメータが、
プリアンブルのプリアンブルインデックスと、
プリアンブル形式と、
プリアンブル伝送ニューメロロジーと、
時間および無線リソースパラメータと、
周波数無線リソースパラメータと、
電力設定のパラメータと、のうちの少なくとも１つを含む、項目１７２〜１７８のいずれかに記載の方法。
（項目１７９）
前記プリアンブルの前記受信が、
前記プリアンブルを識別するプリアンブルインデックスと、
前記ランダムアクセスチャネルリソースを識別するランダムアクセスチャネルリソースインデックスと、のうちの少なくとも一方を含む第１のダウンリンク制御情報を伝送することに応答する、項目１７２〜１７９のいずれかに記載の方法。
（項目１８０）
前記基地局が、前記セルのセル識別子にさらに基づいて、前記ＲＡ−ＲＡＮＴＩを決定する、項目１７２〜１８０のいずれかに記載の方法。
（項目１８１）
前記ランダムアクセス応答が、前記プリアンブルを識別するプリアンブルインデックスを含む、項目１７２〜１８１のいずれかに記載の方法。
（項目１８２）
前記ランダムアクセス応答が、前記第１のアップリンク帯域幅部分上でのアップリンク許可を含む、項目１７２〜１８２のいずれかに記載の方法。
（項目１８３）
前記セルが、前記第１のアップリンク帯域幅部分および第２のアップリンク帯域幅部分を含む複数のアップリンク帯域幅部分を含む、項目１７２〜１８３のいずれかに記載の方法。
（項目１８４）
前記複数の前記アップリンク帯域幅部分の前記第２のアップリンク帯域幅部分が、第１のランダムアクセスチャネルリソースの第１の帯域幅部分構成パラメータおよび第１のランダムアクセスチャネルパラメータを用いて構成される、項目１８４に記載の方法。
（項目１８５）
前記帯域幅部分構成パラメータが、前記第１のアップリンク帯域幅部分の周波数位置パラメータを含む、項目１７２〜１８４のいずれかに記載の方法。
（項目１８６）
前記周波数位置パラメータが、前記第１のアップリンク帯域幅部分のリソースブロック開始位置パラメータである項目１８６に記載の方法。
（項目１８７）
前記リソースブロック開始位置パラメータが、前記セルの周波数基準点と前記第１のアップリンク帯域幅部分の第１の使用可能なサブキャリアとの間の物理リソースブロックの数のオフセット値を含む、項目１８７に記載の方法。
（項目１８８）
前記プリアンブルの前記受信が、競合ベースのランダムアクセスプロシージャを開始することに応答する、項目１７２〜１８４または項目１８６のいずれかに記載の方法。
（項目１８９）
方法であって、
無線装置によって、セルのアップリンク帯域幅部分のランダムアクセスチャネルリソースを介してプリアンブルを伝送することと、
前記伝送に応答して、前記アップリンク帯域幅部分の少なくとも１つの帯域幅部分構成パラメータに基づいてランダムアクセス無線ネットワーク一時識別子を決定することと、
前記ランダムアクセス無線ネットワーク一時識別子によって識別されるランダムアクセス応答に対するダウンリンク制御チャネルを監視することと、
前記プリアンブルの前記伝送に対する前記ランダムアクセス応答を受信することと、を含む方法。
（項目１９０）
前記少なくとも１つの帯域幅部分構成パラメータが、前記アップリンク帯域幅部分の帯域幅部分インデックスを含む、項目１９０に記載の方法。
（項目１９１）
前記少なくとも１つの帯域幅部分構成パラメータが、前記アップリンク帯域幅部分の周波数位置パラメータを含む、項目１９０に記載の方法。
（項目１９２）
方法であって、
無線デバイスによって、セルのアップリンク帯域幅部分でランダムアクセスチャネルリソースを介してプリアンブルを伝送することと、
前記伝送することに応答して、
前記アップリンク帯域幅部分の周波数位置パラメータと、
前記ランダムアクセスチャネルリソースの時間リソース位置と、
前記ランダムアクセスチャネルリソースの周波数リソース位置と、に基づいて、ランダムアクセス無線ネットワーク一時識別子を決定することと、
前記ランダムアクセス無線ネットワーク一時識別子に対応するランダムアクセス応答に対するダウンリンク制御チャネルを監視することと、
前記プリアンブルの前記伝送に対する前記ランダムアクセス応答を受信することと、を含む方法。
（項目１９３）
方法であって、
無線デバイスによって、セルのアップリンク帯域幅部分でランダムアクセスチャネルリソースを介してプリアンブルを伝送することと、
前記伝送に応答して、
前記アップリンク帯域幅部分の帯域幅部分識別子と、
前記ランダムアクセスチャネルリソースの時間リソース位置と、
前記ランダムアクセスチャネルリソースの周波数リソース位置と、に基づいてランダムアクセス無線ネットワーク一時識別子を決定することと、
前記ランダムアクセス無線ネットワーク一時識別子に対応するランダムアクセス応答に対するダウンリンク制御チャネルを監視することと、
前記プリアンブルの伝送に対する前記ランダムアクセス応答を受信することと、を含む方法。
【図面の簡単な説明】
【０００３】
本発明の様々な実施形態のうちのいくつかの例が、図面を参照して本明細書に記載されている。
【０００４】
【図１】本開示の一実施形態の一局面によるＯＦＤＭサブキャリアの例示的なセットを示す図である。
【図２】本開示の一実施形態の一局面によるキャリアグループ内の２つのキャリアに関する例示的な送信時間および受信時間を示す図である。
【図３】本開示の一実施形態の一態様によるＯＦＤＭ無線リソースを描写する図である。
【図４】本開示の一実施形態の一態様による基地局および無線デバイスのブロック図である。
【図５Ａ】本開示の一実施形態の一局面によるアップリンクおよびダウンリンク信号伝送の例示的な図である。
【図５Ｂ】本開示の一実施形態の一局面によるアップリンクおよびダウンリンク信号伝送の例示的な図である。
【図５Ｃ】本開示の一実施形態の一局面によるアップリンクおよびダウンリンク信号伝送の例示的な図である。
【図５Ｄ】本開示の一実施形態の一局面によるアップリンクおよびダウンリンク信号伝送の例示的な図である。
【図６】本開示の一実施形態の一態様による、マルチ接続性を有するプロトコル構造の例示的な図である。
【図７】本開示の一実施形態の一局面によるＣＡおよびＤＣを用いたプロトコル構成の例示的な図である。
【図８】本開示の一実施形態の一局面による例示的なＴＡＧ構造を示している。
【図９】本開示の一実施形態の一局面による二次ＴＡＧにおけるランダムアクセスプロセスの例示的なメッセージフローである。
【図１０Ａ】本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１０Ｂ】本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１１Ａ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｂ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｃ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｄ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｅ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｆ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１２Ａ】本開示の一実施形態の一態様による、緊密なインターワーキングベアラの無線プロトコル構造の例示的な図である。
【図１２Ｂ】本開示の一実施形態の一態様による、緊密なインターワーキングベアラの無線プロトコル構造の例示的な図である。
【図１２Ｃ】本開示の一実施形態の一態様による、緊密なインターワーキングベアラの無線プロトコル構造の例示的な図である。
【図１３Ａ】本開示の一実施形態の一態様によるｇＮＢ展開シナリオの例示的な図である。
【図１３Ｂ】本開示の一実施形態の一態様によるｇＮＢ展開シナリオの例示的な図である。
【図１４】本開示の一実施形態の一態様による、集中型ｇＮＢ展開シナリオの機能分割オプション例に対する例示的な図である。
【図１５】本開示の一実施形態の一態様による、同期信号ブロック伝送に対する例示的な図である。
【図１６Ａ】本開示の一実施形態の一態様による、ランダムアクセスプロシージャの例示的な図である。
【図１６Ｂ】本開示の一実施形態の一態様による、ランダムアクセスプロシージャの例示的な図である。
【図１７】本開示の一実施形態の一態様による、ＲＡＲを含むＭＡＣ  ＰＤＵの例示的な図である。
【図１８Ａ】本開示の一実施形態の一態様によるＲＡＲ  ＭＡＣ  ＣＥの例示的な図である。
【図１８Ｂ】本開示の一実施形態の一態様によるＲＡＲ  ＭＡＣ  ＣＥの例示的な図である。
【図１８Ｃ】本開示の一実施形態の一態様によるＲＡＲ  ＭＡＣ  ＣＥの例示的な図である。
【図１９】本開示の一実施形態の一態様による、マルチビームを用いて構成されたときのランダムアクセスプロシージャの例示的な図である。
【図２０】本開示の一実施形態の一態様による、マルチビームを用いて構成されたときのチャネル状態情報基準信号伝送の例である。
【図２１】本開示の一実施形態の一態様による、マルチビームを用いて構成されたときのチャネル状態情報基準信号伝送の例である。
【図２２】本開示の一実施形態の一態様による、様々なビーム管理プロシージャの例である。
【図２３Ａ】本開示の一実施形態の一態様による伝送受信ポイント（ＴＲＰ）におけるダウンリンクビーム障害シナリオの例示的な図である。
【図２３Ｂ】本開示の一実施形態の一態様による複数のＴＲＰにおけるダウンリンクビーム障害シナリオの例示的な図である。
【図２４Ａ】本開示の一実施形態の一態様によるセカンダリアクティブ化／非アクティブ化媒体アクセス制御制御要素（ＭＡＣ  ＣＥ）の例示的な図である。
【図２４Ｂ】本開示の一実施形態の一態様によるセカンダリアクティブ化／非アクティブ化ＭＡＣ  ＣＥの例示的な図である。
【図２５Ａ】は、本開示の一実施形態の一態様によるセカンダリセルのアクティブ化時のＣＳＩ報告のタイミングの例示的な図である。
【図２５Ｂ】は、本開示の一実施形態の一態様によるセカンダリセルのアクティブ化時のＣＳＩ報告のタイミングの例示的な図である。
【図２６】本開示の一実施形態の一態様による、ダウンリンク制御情報（ＤＣＩ）フォーマットの例示的な図である。
【図２７】本開示の一実施形態の一態様による、バンド幅部分（ＢＷＰ）構成の例示的な図である。
【図２８】本開示の一実施形態の一態様による、セカンダリセルにおけるＢＷＰ動作の例示的な図である。
【図２９】本開示の一実施形態の一態様による、複数のＵＬ  ＢＷＰを用いて構成されたときのランダムアクセスプロシージャの例示的な図である。
【図３０】本開示の一実施形態の一態様による、複数のＵＬ  ＢＷＰを用いて構成されたときのランダムアクセスプロシージャの例示的な図である。
【図３１】本開示の一実施形態の一態様による、複数のＵＬ  ＢＷＰを用いて構成されたときのＲＡ−ＲＮＴＩ決定の例示的な図である。
【図３２】本開示の一実施形態の一態様による、複数のＵＬ  ＢＷＰを用いて構成されたときのＲＡ−ＲＮＴＩ決定の例示的な図である。
【図３３Ａ】本開示の一実施形態の一態様による、ＲＡ−ＲＮＴＩ値の例示的な図である。
【図３３Ｂ】本開示の一実施形態の一態様による、ＲＡ−ＲＮＴＩ値の例示的な図である。
【図３４】本開示の一実施形態の一態様による、例示的な無線デバイスおよび基地局メッセージ交換である。
【図３５】本開示の一実施形態の一態様による、例示的な無線デバイス機能情報伝送プロシージャである。
【図３６】本開示の一実施形態の一態様による、セルのバンド幅部分の例示的な構成である。
【図３７】本開示の一実施形態の一態様による、例示的な無線デバイス機能情報伝送プロシージャである。
【図３８】本開示の一実施形態の一態様による、例示的な無線デバイス機能情報伝送プロシージャである。
【図３９】本開示の一実施形態の一態様による、例示的な無線デバイス機能情報伝送プロシージャである。
【図４０】本開示の一実施形態の一態様の流れ図である。
【図４１】本開示の一実施形態の一態様の流れ図である。
【図４２】本開示の一実施形態の一態様の流れ図である。
【図４３】本開示の一実施形態の一態様の流れ図である。
【図４４】本開示の一実施形態の一態様の流れ図である。
【図４５】本開示の一実施形態の一態様の流れ図である。
【図４６】本開示の一実施形態の一態様の流れ図である。
【図４７】本開示の一実施形態の一態様の流れ図である。
【図４８】本開示の一実施形態の一態様の流れ図である。
【図４９】本開示の一実施形態の一態様の流れ図である。
【図５０】本開示の一実施形態の一態様の流れ図である。
【図５１】本開示の一実施形態の一態様の流れ図である。
【図５２】本開示の一実施形態の一態様の流れ図である。
【図５３】本開示の一実施形態の一態様の流れ図である。
【発明を実施するための形態】
【０００５】
本開示を通じ、以下の略称が使用される。
【表１−１】
0006910621.tif 000002
【表１−２】
0006910621.tif 000003
【表１−３】
0006910621.tif 000004
【０００６】
本発明の例示的な実施形態は、種々の物理レイヤ変調および伝送メカニズムを使用して具現化されてもよい。例示的伝送メカニズムとして、限定ではないが、ＣＤＭＡ、ＯＦＤＭ、ＴＤＭＡ、ウェーブレット技術、および／または同等物が挙げられる。ＴＤＭＡ／ＣＤＭＡおよびＯＦＤＭ／ＣＤＭＡ等のハイブリッド伝送メカニズムもまた、用いられ得る。様々な変調方式を、物理レイヤ内の信号伝送に適用することができる。変調方式の例としては、位相、振幅、コード、これらの組み合わせ、および／または同様のものが挙げられるが、これらに限定されない。例示的な無線伝送方法が、ＢＰＳＫ、ＱＰＳＫ、１６−ＱＡＭ、６４−ＱＡＭ、２５６−ＱＡＭ、１０２４−ＱＡＭおよび／または同等物を使用して、ＱＡＭを具現化してもよい。物理的な無線伝送は、伝送要件および無線条件に応じて、変調および符号化方式を動的または準動的に変化させることによって、強化することができる。
【０００７】
図１は、本発明の実施形態の一局面による、ＯＦＤＭサブキャリアの例示的セットを描写する略図である。本実施例に図示されるように、図内の矢印が、マルチキャリアＯＦＤＭシステム内のサブキャリアを示してもよい。ＯＦＤＭシステムは、ＯＦＤＭ技術、ＤＦＴＳ−ＯＦＤＭ技術、ＳＣ−ＯＦＤＭ技術、または同等物等の技術を使用し得る。例えば、矢印１０１は、サブキャリア伝送情報シンボルを示す。図１は、例解目的であり、典型的なマルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に図示されるように、ガードバンド１０６は、サブキャリア１０３とサブキャリア１０４との間にある。サブキャリアＡ１０２の例示的なセットは、サブキャリア１０３と、サブキャリア１０４と、を含む。図１はまた、サブキャリアＢ１０５の例示的なセットを例解する。図示されるように、サブキャリアＢ１０５の例示的セット内には、任意の２つのサブキャリアの間にガードバンドが存在しない。マルチキャリアＯＦＤＭ通信システム内のキャリアは、連続キャリア、非連続キャリア、または連続キャリアおよび非連続キャリア両方の組み合わせであり得る。
【０００８】
図２は、本開示の実施形態の一局面による、２つのキャリアに関する例示的な送信時間および受信時間を示す図である。マルチキャリアＯＦＤＭ通信システムが、例えば、１〜１０の範囲のキャリアに及ぶ、１つ以上のキャリアを含んでもよい。キャリアＡ２０４およびキャリアＢ２０５は、同じまたは異なるタイミング構造を有してもよい。図２は、２つの同期されたキャリアを示すが、キャリアＡ２０４およびキャリアＢ２０５は、相互に同期されても、またはそうではなくてもよい。複数の異なる無線フレーム構造が、ＦＤＤおよびＴＤＤ複信メカニズムに対してサポートされてもよい。図２は、例示的なＦＤＤフレームタイミングを示す。ダウンリンクおよびアップリンク伝送が、無線フレーム２０１の中に編成されてもよい。本実施例では、無線フレーム持続時間は、１０ミリ秒である。例えば１〜１００ミリ秒の範囲内などの、その他のフレーム持続時間もまた、サポートされてもよい。本実施例では、各１０ミリ秒無線フレーム２０１が、１０個の等しいサイズのサブフレーム２０２に分割されてもよい。０．５ミリ秒、１ミリ秒、２ミリ秒、および５ミリ秒などの、その他のサブフレーム持続時間もまた、サポートされてもよい。サブフレーム（複数可）は、２つ以上のスロット（例えば、スロット２０６および２０７）を含んでもよい。ＦＤＤの実施例の場合には、各１０ミリ秒間隔において、１０個のサブフレームが、ダウンリンク伝送のために利用可能であってもよく、１０個のサブフレームが、アップリンク伝送のために利用可能であってもよい。アップリンクおよびダウンリンク伝送は、周波数領域内で分離することができる。スロットは、ノーマルＣＰを有する、６０ｋＨｚまでの同じサブキャリア間隔の場合、７または１４個のＯＦＤＭシンボルとすることができる。スロットは、ノーマルＣＰを有する、６０ｋＨｚよりも大きい同じサブキャリア間隔の場合、１４個のＯＦＤＭシンボルとすることができる。スロットは、すべてのダウンリンク、すべてのアップリンク、またはダウンリンク部分およびアップリンク部分、ならびに／または同様のものを収容することができる。スロットアグリゲーションが、サポートされ得、例えば、データ伝送は、スケジュール設定されて１つまたは複数のスロットの範囲におよび得る。一実施例では、ミニスロットが、サブフレーム内のＯＦＤＭシンボルで開始し得る。ミニスロットは、１つ以上のＯＦＤＭシンボルの持続時間を有することができる。スロット（複数可）は、複数のＯＦＤＭシンボル２０３を含んでもよい。スロット２０６内のＯＦＤＭシンボル２０３の数が、サイクリックプレフィックス長およびサブキャリア間隔に依存してもよい。
【０００９】
図３は、本開示の実施形態の一局面による、ＯＦＤＭ無線リソースを示す図である。時間３０４および周波数３０５におけるリソースグリッド構造が、図３に例解されている。ダウンリンクサブキャリアまたはＲＢの量は、セル内で構成されたダウンリンク伝送バンド幅３０６に、少なくとも部分的に依存し得る。最小無線リソースユニットが、リソース要素（例えば、３０１）と呼ばれてもよい。リソース要素は、リソースブロック（例えば、３０２）にグループ化され得る。リソースブロックは、リソースブロックグループ（ＲＢＧ）（例えば、３０３）と呼ばれるより大きい無線リソースにグループ化され得る。スロット２０６内で伝送される信号は、複数のサブキャリアおよび複数のＯＦＤＭシンボルのうちの１つまたはいくつかのリソースグリッドによって記述され得る。リソースブロックは、リソース要素へのある物理チャネルのマッピングを記述するために使用され得る。物理的リソース要素の他の事前定義されたグループ化も、無線技術に応じて、システムにおいて実装され得る。例えば、２４個のサブキャリアが、５ミリ秒の持続時間の間、無線ブロックとしてグループ化されてもよい。例示的な一実施例においては、リソースブロックが、（１５ＫＨｚサブキャリア帯域幅および１２個のサブキャリアに関して）時間ドメイン内の１つのスロットおよび周波数ドメイン内の１８０ｋＨｚに対応してもよい。
【００１０】
例示的な実施形態では、複数の数秘術が、サポートされ得る。一実施例では、数秘術は、基本サブキャリア間隔を整数Ｎによりスケーリングすることによって導出され得る。一実施例では、スケーリング可能な数秘術は、少なくとも１５ｋＨｚ〜４８０ｋＨｚのサブキャリア間隔を可能にすることができる。１５ｋＨｚを有する数秘術、および同じＣＰオーバーヘッドを有する、異なるサブキャリア間隔を有するスケーリングされた数秘術は、ＮＲキャリア内で１ミリ秒毎にシンボル境界において整列することができる。
【００１１】
図５Ａ、図５Ｂ、図５Ｃ、および図５Ｄは、本開示の実施形態の一局面による、アップリンク．およびダウンリンク信号伝送のための例示的な図である。図５Ａは、例示的なアップリンク物理チャネルを示す。物理アップリンク共有チャネルを表すベースバンド信号は、以下のプロセスを実行することができる。これらの機能は、例として例解されており、他のメカニズムが様々な実施形態において実装され得ることが想定される。機能は、スクランブリング、複素数値シンボルを生成するためのスクランブリングされたビットの変調、１つまたはいくつかの伝送レイヤ上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、および／または同等物を含んでもよい。
【００１２】
アンテナポート用の複素数値ＤＦＴＳ−ＯＦＤＭ／ＳＣ−ＦＤＭＡベースバンド信号および／または複素数値ＰＲＡＣＨベースバンド信号のキャリア周波数に対する例示的な変調およびアップコンバージョンが、図５Ｂに示されている。フィルタリングは、伝送の前に用いられてもよい。
【００１３】
ダウンリンク伝送のための例示的構造が、図５Ｃに示される。ダウンリンク物理チャネルを表すベースバンド信号は、以下のプロセスを実行し得る。これらの機能は、例として例解されており、他のメカニズムが様々な実施形態において実装され得ることが想定される。この機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上で伝送するために層上にある複素数値変調シンボルのプリコーディング、アンテナポートの複素数値変調シンボルのリソース要素へのマッピング、アンテナポート毎の複素数値時間領域ＯＦＤＭ信号の生成、および／または同様のものを含む。
【００１４】
アンテナポートの複素数値ＯＦＤＭベースバンド信号のキャリア周波数に対する例示的な変調およびアップコンバージョンが、図５Ｄに示されている。フィルタリングは、伝送の前に用いられてもよい。
【００１５】
図４は、本開示の実施形態の一局面による、基地局４０１および無線デバイス４０６の例示的ブロック図である。通信ネットワーク４００が、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一時的メモリ４０４内に記憶され、かつ少なくとも１つのプロセッサ４０３によって実行可能な少なくとも１セットのプログラムコード命令４０５と、を含み得る。無線デバイス４０６は、少なくとも１つの通信インターフェース４０７と、少なくとも１つのプロセッサ４０８と、非一時的メモリ４０９内に記憶され、かつ少なくとも１つのプロセッサ４０８によって実行可能な少なくとも１セットのプログラムコード命令４１０と、を含み得る。基地局４０１内の通信インターフェース４０２は、少なくとも１つの無線リンク４１１を含む通信経路を介して、無線デバイス４０６内の通信インターフェース４０７との通信を行うように構成されていてもよい。無線リンク４１１は、双方向リンクであってもよい。無線デバイス４０６内の通信インターフェース４０７もまた、基地局４０１内の通信インターフェース４０２との通信を行うように構成されていてもよい。基地局４０１および無線デバイス４０６が、複数の周波数キャリアを使用し、無線リンク４１１を経由して、データを送受信するように構成されていてもよい。実施形態のうちのいくつかの様々な態様によれば、送受信機（複数可）が使用され得る。送受信機は、送信機および受信機の両方を有するデバイスである。送受信機が、無線デバイス、基地局、中継ノード、および／または同等物等のデバイス内で用いられてもよい。通信インターフェース４０２、４０７、および無線リンク４１１において実装される無線技術に関する例示的な実施形態が、例解され、図１、図２、図３、図５、および関連するテキストである。
【００１６】
インターフェースが、ハードウェアインターフェース、ファームウェアインターフェース、ソフトウェアインターフェース、および／またはそれらの組み合わせであってもよい。ハードウェアインターフェースは、コネクタ、ワイヤ、電子デバイス、例えば、ドライバ、増幅器、および／または同等物を含んでもよい。ソフトウェアインターフェースが、メモリデバイス内に記憶され、プロトコル、プロトコルレイヤ、通信ドライバ、デバイスドライバ、それらの組み合わせ、および／または同等物を具現化するコードを含んでもよい。ファームウェアインターフェースが、組込み型ハードウェアと、メモリデバイス内に記憶され、および／またはこれと通信し、接続、電子デバイス動作、プロトコル、プロトコルレイヤ、通信ドライバ、デバイスドライバ、ハードウェア動作、これらの組み合わせ、および／または同等物を具現化するコードの組み合わせを含んでもよい。
【００１７】
構成されるという用語は、デバイスが動作状態または非動作状態にあるかどうかに関わらず、デバイスの能力と関連し得る。構成されるとは、また、そのデバイスが動作状態または非動作状態にあるかどうかにかかわらず、そのデバイスの動作特性に影響を及ぼすデバイス内の特定の設定を指し得る。換言すると、ハードウェア、ソフトウェア、ファームウェア、レジスタ、メモリ値、および／または同等物は、デバイスが動作状態または非動作状態にあるかどうかに関わらず、デバイスに具体的特性を提供するように、デバイス内で「構成」されていてもよい。「デバイス内で生じさせるための制御メッセージ」等の用語は、デバイスが動作状態または非動作状態にあるかどうかに関わらず、デバイス内の具体的特性を構成するために使用され得るパラメータを、制御メッセージが有することを意味し得る。
【００１８】
実施形態の様々な態様のいくつかによれば、５Ｇネットワークは、多数の基地局を含むことができ、無線デバイスに向かうユーザプレーンＮＲ  ＰＤＣＰ／ＮＲ  ＲＬＣ／ＮＲ  ＭＡＣ／ＮＲ  ＰＨＹおよび制御プレーン（ＮＲ  ＲＲＣ）プロトコル終端を提供する。基地局（複数可）は、他の基地局（複数可）と相互接続されることができる（例えば、Ｘｎインターフェースを使用する）。基地局はまた、例えば、ＮＧインターフェースを使用して、ＮＧＣに接続され得る。図１０Ａおよび図１０Ｂは、本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。例えば、基地局は、ＮＧ−Ｃインターフェースを使用するＮＧＣ制御プレーン（例えば、ＮＧ  ＣＰ）に、およびＮＧ−Ｕインターフェースを使用するＮＧＣユーザプレーン（例えば、ＵＰＧＷ）に相互接続されてもよい。ＮＧインターフェースは、５Ｇコアネットワークと基地局との間の多対多の関係をサポートすることができる。
【００１９】
基地局が、多くのセクタ、例えば、１、２、３、４、または６つのセクタを含んでもよい。基地局が、多くのセル、例えば、１〜５０以上のセルを含んでもよい。セルは、例えば、プライマリセルまたはセカンダリセルとして、分類され得る。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。このセルは、プライマリセル（ＰＣｅｌｌ）と呼ばれることがある。ダウンリンクでは、ＰＣｅｌｌに対応するキャリアは、ダウンリンクプライマリコンポーネントキャリア（ＤＬ  ＰＣＣ）であってもよく、一方、アップリンクでは、そのキャリアは、アップリンクプライマリコンポーネントキャリア（ＵＬ  ＰＣＣ）であってもよい。無線デバイス能力に応じて、セカンダリセル（ＳＣｅｌｌ）は、ＰＣｅｌｌとともに、サービングセルのセットを形成するように構成され得てもよい。ダウンリンクでは、ＳＣｅｌｌに対応するキャリアは、ダウンリンクセカンダリコンポーネントキャリア（ＤＬ  ＳＣＣ）であってもよく、一方、アップリンクでは、アップリンク二次コンポーネントキャリア（ＵＬ  ＳＣＣ）であってもよい。ＳＣｅｌｌは、アップリンクキャリアを有しても有していなくてもよい。
【００２０】
セルは、ダウンリンクキャリア、および任意選択的にアップリンクキャリアを含み、物理セルＩＤおよびセルインデックスを割り当てられることができる。キャリア（ダウンリンクまたはアップリンク）が、１つのセルのみに属してもよい。セルＩＤまたはセルインデックスはまた、セルのダウンリンクキャリアまたはアップリンクキャリアを識別することもできる（使用状況に応じて、それが使用される）。本明細書では、セルＩＤは、等しくキャリアＩＤを意味し得、セルインデックスは、キャリアインデックスを意味し得る。実装態様では、物理セルＩＤまたはセルインデックスは、セルに割り当てられてもよい。セルＩＤが、ダウンリンクキャリア上で伝送される同期信号を使用して判定されてもよい。セルインデックスが、ＲＲＣメッセージを使用して判定されてもよい。例えば、本明細書が第１のダウンリンクキャリアに対する第１の物理セルＩＤに言及した場合、本明細書は、第１の物理セルＩＤが、第１のダウンリンクキャリアを含むセルのためのものであることを意味し得る。同じ概念は、例えば、キャリアアクティブ化に適用することができる。本明細書が、第１のキャリアがアクティベートされることを示す場合、本明細書は、第１のキャリアを含むセルがアクティベートされることを同等に意味し得る。
【００２１】
実施形態は、必要に応じて、動作するように構成することができる。開示されるメカニズムは、例えば、無線デバイス、基地局、無線環境、ネットワーク、上記の組み合わせ、および／または同等物において、ある基準が満たされている場合に実行され得る。例示的な基準は、例えば、トラフィック負荷、初期システム設定、パケットサイズ、トラフィック特性、上記の組み合わせ、および／または同等物に少なくとも部分的に基づいていてもよい。１つ以上の基準が満たされている場合に、様々な例示的な実施形態が適用され得る。したがって、本開示のプロトコルを選択的に実行する例示的な実施形態を実施することが可能であり得る。
【００２２】
基地局は、混在した無線デバイスと通信することができる。無線デバイスは、複数の技術および／または同一技術の複数のリリースをサポートしてもよい。無線デバイスは、その無線デバイスカテゴリおよび／または能力（複数可）に応じて、いくつかの具体的能力（複数可）を有してもよい。基地局が、複数のセクタを含んでもよい。本開示が複数の無線デバイスと通信する基地局に言及する際、本開示は、カバレッジ領域内のすべての無線デバイスのサブセットに言及し得る。本開示は、例えば、所与の能力を有し、かつ基地局の所与のセクタ内にある、所与のＬＴＥまたは５Ｇリリースの複数の無線デバイスに言及し得る。本開示における複数の無線デバイスは、選択された複数の無線デバイス、および／または開示される方法に従って機能する、カバレッジ領域内のすべての無線デバイスのうちのサブセット、および／または同様のものを対象とすることができる。カバレッジ領域には、開示された方法に適合することができない複数の無線デバイスが存在してもよく、例えば、その理由は、それらの無線デバイスが、ＬＴＥまたは５Ｇ技術のより古いリリースに基づいて動作するからである。
【００２３】
図６および図７は、本開示の一実施形態の一態様による、ＣＡおよびマルチコネクティビティを用いたプロトコル構造の例示的な図である。ＮＲは、マルチコネクティビティ動作をサポートすることができ、それによって、ＲＲＣ＿ＣＯＮＮＥＣＴＥＤ内の複数のＲＸ／ＴＸＵＥは、Ｘｎインターフェース上の非理想的または理想的バックホールを介して接続された複数のｇＮＢ内に置かれた複数のスケジューラによって提供される無線リソースを利用するように構成され得る。特定のＵＥに対してマルチコネクティビティ内で必要とされるｇＮＢは、２つの異なる役割を引き受けることができ、すなわち、ｇＮＢは、マスタｇＮＢとして、またはセカンダリｇＮＢとしてのどちらかの役割を果たすことができる。マルチコネクティビティでは、各ＵＥは、１つのマスタｇＮＢ、および１つ以上のセカンダリｇＮＢに接続され得る。図７は、マスタセルグループ（ＭＣＧ）およびセカンダリセルグループ（ＳＣＧ）が構成された場合に、ＵＥ側ＭＡＣエンティティの１つの例示的な構造を例解しており、その構造は、実施態様を限定しなくてもよい。媒体ブロードキャストマルチキャストサービス（ＭＢＭＳ）受信は、便宜上、本図には示されない。
【００２４】
マルチコネクティビティでは、特定のベアラが使用する無線プロトコルアーキテクチャは、ベアラがどのように設定されるかに依存してもよい。図６に示されるように、ＭＣＧベアラ、ＳＣＧベアラ、および分割ベアラの３つの実施例が含まれる。ＮＲ  ＲＲＣは、マスタｇＮＢ内に配置されてもよく、ＳＲＢは、ＭＣＧベアラタイプとして構成されてもよく、マスタｇＮＢの無線リソースを使用してもよい。マルチコネクティビティはまた、セカンダリｇＮＢにより提供される無線リソースを使用するように構成された少なくとも１つのベアラを有するものとして、説明されることができる。マルチコネクティビティは、本開示の例示的な実施形態では、構成／実施されても、されなくてもよい。
【００２５】
マルチコネクティビティの場合には、ＵＥは、複数のＮＲ  ＭＡＣエンティティ、すなわち、マスタｇＮＢのための１つのＮＲ  ＭＡＣエンティティ、およびセカンダリｇＮＢのための他のＮＲＭＡＣエンティティで構成され得る。マルチコネクティビティでは、ＵＥのために構成されたサービングセルのセットは、２つのサブセット、すなわち、マスタｇＮＢのサービングセルを収容するマスタセルグループ（ＭＣＧ）、およびセカンダリｇＮＢのサービングセルを収容するセカンダリセルグループ（ＳＣＧ）から構成され得る。ＳＣＧの場合、以下のうちの１つ以上が、適用されてもよく、すなわち、ＳＣＧ内の少なくとも１つのセルが、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止され、マスタ基地局は、ＳＣＧ故障タイプについてＵＥによって通知されてもよく、分割ベアラの場合には、マスタ基地局にわたるＤＬデータ転送が、維持され得、ＮＲ  ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更、またはＳＣＧおよび分割ベアラの同時構成は、サポートされても、されなくてもよい。
【００２６】
マルチコネクティビティの場合のマスタｇＮＢとセカンダリｇＮＢとの間のやり取りに関しては、以下の原理のうちの１つ以上が、適用されてもよく、すなわち、マスタｇＮＢは、ＵＥのＲＲＭ測定構成を維持してもよく、（例えば、受信された測定レポート、またはトラフィック条件、またはベアラ型に基づいて）、ＵＥのための追加のリソース（サービングセル）を提供するように、セカンダリｇＮＢに依頼することを決定してもよく、マスタｇＮＢからの要求を受信する際、セカンダリｇＮＢが、ＵＥのために追加したサービングセルの構成に結果としてなり得るコンテナを作り出す（またはそのように作り出すのに利用可能なリソースを有していないことを判定する）ことができ、ＵＥ機能と連係するために、マスタｇＮＢは、ＡＳ構成およびＵＥ機能（の一部）をセカンダリｇＮＢに提供してもよく、マスタｇＮＢおよびセカンダリｇＮＢは、Ｘｎメッセージ内で搬送されるＮＲ  ＲＲＣコンテナ（ノード間メッセージ）の採用によって、ＵＥ構成についての情報を交換してもよく、セカンダリｇＮＢは、その既存のサービングセル（例えば、セカンダリｇＮＢに向かうＰＵＣＣＨ）の再構成を開始してもよく、セカンダリｇＮＢが、どのセルが、ＳＣＧ内のＰＳＣｅｌｌであるかを決定してもよく、マスタｇＮＢは、セカンダリｇＮＢによって提供されたＮＲ  ＲＲＣ構成の内容を変更しても、しなくてもよく、ＳＣＧ追加およびＳＣＧＳＣｅｌｌ追加の場合には、マスタｇＮＢは、ＳＣＧセル（複数可）のための最新の測定結果を提供してもよく、マスタｇＮＢおよびセカンダリｇＮＢの両方が、ＯＡＭ（例えば、測定ギャップのＤＲＸ整列および識別）により、互いのＳＦＮおよびサブフレームオフセットを認識してもよい。一例においては、新たなＳＣＧ  ＳＣｅｌｌを追加する場合に、ＳＣＧのＰＳＣｅｌｌのＭＩＢから取得されたＳＦＮを除き、ＣＡに関するセルの要求されるシステム情報を伝送するために、専用のＮＲ  ＲＲＣシグナリングが使用されてもよい。
【００２７】
一実施例においては、サービングセルが、ＴＡグループ（ＴＡＧ）内でグループ化されてもよい。１つのＴＡＧ内のサービングセルは、同じタイミング基準を使用し得る。所与のＴＡＧに関して、ユーザ機器（ＵＥ）は、少なくとも１つのダウンリンクキャリアをタイミング基準として使用してもよい。所与のＴＡＧに関して、ＵＥは、同じＴＡＧに属するアップリンクキャリアのアップリンクサブフレームおよびフレーム伝送タイミングを同期させてもよい。一実施例では、同じＴＡが適用されるアップリンクを有するサービングセルは、同じ受信機によってホストされるサービングセルに対応し得る。複数のＴＡをサポートするＵＥが、２つ以上のＴＡグループをサポートしてもよい。１つのＴＡグループは、ＰＣｅｌｌを含み得、一次ＴＡＧ（ｐＴＡＧ）と呼ばれ得る。多重ＴＡＧ構成では、少なくとも１つのＴＡグループが、ＰＣｅｌｌを含まなくてもよく、二次ＴＡＧ（ｓＴＡＧ）と呼ばれてもよい。一実施例では、同じＴＡグループ内のキャリアが、同じＴＡ値および／または同じタイミング基準を使用し得る。ＤＣが構成される場合に、（ＭＣＧまたはＳＣＧ）セルグループに属するセルが、ｐＴＡＧおよび１つ以上のｓＴＡＧを含む複数のＴＡＧにグループ化されてもよい。
【００２８】
図８は、本開示の実施形態の一局面による例示的なＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌおよびＳＣｅｌｌ１を含み、ｓＴＡＧは、ＳＣｅｌｌ２およびＳＣｅｌｌ３を含む。実施例３では、ｐＴＡＧは、ＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。最大４つのＴＡＧが、セルグループ（ＭＣＧまたはＳＣＧ）内でサポートされ得、他の例示的なＴＡＧ構成もまた、提供され得る。本開示における様々な実施例では、例示的なメカニズムが、ｐＴＡＧおよびｓＴＡＧに関して説明される。幾つかの例示的メカニズムが、複数のｓＴＡＧを伴う構成に適用されてもよい。
【００２９】
一実施例においては、ｅＮＢが、アクティブ化されるＳＣｅｌｌに関するＰＤＣＣＨ順序を介して、ＲＡプロシージャを開始してもよい。このＰＤＣＣＨ順序は、このＳＣｅｌｌのスケジューリングセル上で伝送されてもよい。あるセルについてクロスキャリアスケジューリングが構成される場合に、スケジューリングセルは、プリアンブル伝送のために採用されるセルとは異なってもよく、ＰＤＣＣＨ順序は、ＳＣｅｌｌインデックスを含んでもよい。少なくとも非競合ベースのＲＡプロシージャが、ｓＴＡＧに割り当てられるＳＣｅｌｌのためにサポートされてもよい。
【００３０】
図９は、本発明の一実施形態の一局面による、二次ＴＡＧ内のランダムアクセスプロセスにおける例示的メッセージフローである。ｅＮＢは、アクティブ化コマンド９００を伝送し、ＳＣｅｌｌをアクティブ化する。プリアンブル９０２（Ｍｓｇ１）が、ｓＴＡＧに属するＳＣｅｌｌ上のＰＤＣＣＨ順序９０１に応答して、ＵＥによって伝送されてもよい。例示的な実施形態では、ＳＣｅｌｌに関するプリアンブル伝送は、ＰＤＣＣＨフォーマット１Ａを使用して、ネットワークによって制御され得る。ＳＣｅｌｌ上のプリアンブル伝送に応答したＭｓｇ２メッセージ９０３（ＲＡＲ：ランダムアクセス応答）は、ＰＣｅｌｌ共通検索空間（ＣＳＳ）内のＲＡ−ＲＮＴＩにアドレス指定され得る。アップリンクパケット９０４が、プリアンブルが伝送されたＳＣｅｌｌ上で伝送されてもよい。
【００３１】
実施形態の様々な態様のうちのいくつかによれば、初期タイミング整列が、ランダムアクセスプロシージャを通して達成されてもよい。このことが、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴ってもよい。ＮＴＡ＝０であるＵＥでは、ランダムアクセスプリアンブルの開始が、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出され得る。ＵＥが、プリアンブルが伝送されるｓＴＡＧの対応するダウンリンクに対して初期アップリンク伝送タイミングを判定してもよい。
【００３２】
ＴＡＧへのサービングセルのマッピングが、サービングｅＮＢによって、ＲＲＣ信号伝達を用いて構成されてもよい。ＴＡＧ構成および再構成のためのメカニズムが、ＲＲＣ信号伝達に基づいてもよい。実施形態の様々な態様のうちのいくつかによれば、ｅＮＢがＳＣｅｌｌ追加構成を実行するとき、関連するＴＡＧ構成は、ＳＣｅｌｌのために構成されてもよい。例示的な一実施形態では、ｅＮＢが、ＳＣｅｌｌを除去（リリース）し、更新されたＴＡＧ  ＩＤを用いて（同一物理セルＩＤおよび周波数を有する）新しいＳＣｅｌｌを追加（構成）することによって、ＳＣｅｌｌのＴＡＧ構成を修正してもよい。更新されたＴＡＧ  ＩＤを有する新たなＳＣｅｌｌは、更新されたＴＡＧ  ＩＤが割り当てられた後、最初は、非アクティブであってもよい。ｅＮＢは、更新された新しいＳＣｅｌｌをアクティブ化し、アクティブ化されたＳＣｅｌｌ上でスケジューリングパケットを始動させてもよい。例示的な一実施形態においては、ＳＣｅｌｌと関連付けられたＴＡＧが変更不可能であり、ＳＣｅｌｌが除去される必要があり、新しいＳＣｅｌｌに別のＴＡＧを追加する必要があってもよい。例えば、ｓＴＡＧからｐＴＡＧにＳＣｅｌｌを移動させる必要がある場合、少なくとも１つのＲＲＣメッセージ、例えば、少なくとも１つのＲＲＣ再構成メッセージが、ＵＥに伝送され、ＳＣｅｌｌをリリースし、次いでＳＣｅｌｌをｐＴＡＧの一部として構成することによって、ＴＡＧ構成を再構成してもよい（ＳＣｅｌｌが、ＴＡＧインデックスなしで追加／構成される場合には、ＳＣｅｌｌは、ｐＴＡＧに明示的に割り当てられてもよい）。ＰＣｅｌｌが、そのＴＡグループを変更せず、ｐＴＡＧのメンバであってもよい。
【００３３】
ＲＲＣ接続再構成プロシージャの目的は、ＲＲＣ接続を修正すること（例えば、ＲＢを確立、修正、および／または解放すること、ハンドオーバを実行すること、測定値を設定、修正、および／または解放すること、ＳＣｅｌｌを追加、修正、および／または解放すること）であり得る。受信されたＲＲＣ接続再構成メッセージが、ｓＣｅｌｌＴｏＲｅｌｅａｓｅＬｉｓｔを含む場合、ＵＥが、ＳＣｅｌｌリリースを行ってもよい。受信されたＲＲＣ接続再構成メッセージが、ｓＣｅｌｌＴｏＡｄｄＭｏｄＬｉｓｔを含む場合、ＵＥが、ＳＣｅｌｌ追加または修正を行ってもよい。
【００３４】
ＬＴＥリリース−１０およびリリース−１１ＣＡでは、ＰＵＣＣＨが、ＰＣｅｌｌ（ＰＳＣｅｌｌ）上でのみｅＮＢに伝送されてもよい。ＬＴＥ−リリース１２およびそれ以前では、ＵＥが、ＰＵＣＣＨ情報を１つのセル（ＰＣｅｌｌまたはＰＳＣｅｌｌ）上で所与のｅＮＢに伝送してもよい。
【００３５】
ＣＡ対応ＵＥの数、また、アグリゲーションされたキャリアの数が増加するにつれて、ＰＵＣＣＨの数、また、ＰＵＣＣＨペイロードサイズも、増加してもよい。ＰＣｅｌｌ上のＰＵＣＣＨ伝送への対応が、ＰＣｅｌｌ上の高ＰＵＣＣＨ負荷につながってもよい。ＳＣｅｌｌ上のＰＵＣＣＨが、ＰＵＣＣＨリソースをＰＣｅｌｌからオフロードするために導入されてもよい。２つ以上のＰＵＣＣＨ、例えば、ＰＣｅｌｌ上のＰＵＣＣＨおよびＳＣｅｌｌ上の別のＰＵＣＣＨが、構成されてもよい。例示的な実施形態では、１つ、２つ、またはそれ以上のセルは、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つ以上のセルは、ＰＵＣＣＨを用いて構成されてもよい。例示的な構成では、１つのＳＣｅｌｌが、１つのＰＵＣＣＨグループに属してもよい。構成されたＰＵＣＣＨが基地局に伝送されるＳＣｅｌｌが、ＰＵＣＣＨ  ＳＣｅｌｌと呼ばれてもよく、共通のＰＵＣＣＨリソースが同一の基地局に伝送されるセルグループが、ＰＵＣＣＨグループと呼ばれてもよい。
【００３６】
例示的実施形態では、ＭＡＣエンティティが、ＴＡＧ毎に構成可能なタイマｔｉｍｅＡｌｉｇｎｍｅｎｔＴｉｍｅｒを有してもよい。アップリンク時間整合されるべき関連付けられたＴＡＧに属するサービングセルをＭＡＣエンティティが考慮する時間の長さを制御するために、ｔｉｍｅＡｌｉｇｎｍｅｎｔＴｉｍｅｒが使用され得る。ＭＡＣエンティティは、タイミングアドバンスコマンドＭＡＣ制御要素が受信されるとき、示されるＴＡＧにタイミングアドバンスコマンドを適用し、示されるＴＡＧと関連付けられたｔｉｍｅＡｌｉｇｎｍｅｎｔＴｉｍｅｒを始動または再始動させ得る。タイミングアドバンスコマンドが、ＴＡＧに属するサービングセルのためのランダムアクセス応答メッセージ内で受信されたとき、および／またはランダムアクセスプリアンブルが、ＭＡＣエンティティによって選択されなかった場合に、ＭＡＣエンティティが、このＴＡＧにタイミングアドバンスコマンドを適用し、このＴＡＧと関連付けられたｔｉｍｅＡｌｉｇｎｍｅｎｔＴｉｍｅｒを始動または再始動させてもよい。一方、このＴＡＧと関連付けられたｔｉｍｅＡｌｉｇｎｍｅｎｔＴｉｍｅｒがアクティブ化中ではない場合には、このＴＡＧに対するタイミングアドバンスコマンドが適用され得、このＴＡＧと関連付けられたｔｉｍｅＡｌｉｇｎｍｅｎｔＴｉｍｅｒが始動され得る。競合解決が成功ではないと見なされる場合には、このＴＡＧと関連付けられたｔｉｍｅＡｌｉｇｎｍｅｎｔＴｉｍｅｒが停止され得る。そうでなければ、ＭＡＣエンティティが、受信されたタイミングアドバンスコマンドを無視してもよい。
【００３７】
例示的実施形態では、タイマは、いったん始動されると、停止または満了するまで、アクティブ化中である。そうでなければ、アクティブ化していなくてもよい。タイマは、アクティブ化中ではない場合に始動可能であり、または、アクティブ化中である場合に再始動可能である。例えば、タイマがその初期値から始動または再始動されてもよい。
【００３８】
本開示の例示的実施形態が、マルチキャリア通信を実行可能としてもよい。別の例示的実施形態が、１つ以上のプロセッサによって実行されてマルチキャリア通信を実行させる複数の命令を備える、非一時的な有形のコンピュータ可読媒体を備えてもよい。さらに他の例示的な実施形態は、プログラマブルハードウェアが、デバイス（例えば、無線通信機、ＵＥ、基地局など）にマルチキャリア通信を行わせることを可能にする命令がコード化されている非一時的な有形のコンピュータ可読機械アクセス可能媒体を備える製造物品を含んでもよい。デバイスは、プロセッサ、メモリ、インターフェース、および／または同等物を含み得る。他の例示的実施形態が、基地局、無線デバイス（またはユーザ機器：ＵＥ）、サーバ、スイッチ、アンテナ、および／または同等物などのデバイスを備える通信ネットワークを含んでもよい。
【００３９】
図１１Ａ、図１１Ｂ、図１１Ｃ、図１１Ｄ、図１１Ｅ、および図１１Ｆは、本開示の一実施形態の一態様による、５Ｇ  ＲＡＮとＬＴＥ  ＲＡＮとの間の緊密なインターワーキングのアーキテクチャの例示的な図である。この緊密なインターワーキングにより、ＲＲＣ＿ＣＯＮＮＥＣＴＥＤ内の複数のＲＸ／ＴＸＵＥが、ＬＴＥ  ｅＮＢとｇＮＢとの間のＸｘインターフェース、またはｅＬＴＥ  ｅＮＢとｇＮＢとの間のＸｎインターフェース上の非理想的もしくは理想的バックホールを介して接続された２つの基地局（例えば（ｅ）ＬＴＥ  ｅＮＢおよびｇＮＢ）内に置かれた２つのスケジューラによって提供される無線リソースを利用するように構成されることを可能にすることができる。特定のＵＥに関する緊密なインターワーキングで使用される基地局は、２つの異なる役割を引き受けることができ、すなわち、基地局は、マスタ基地局として、またはセカンダリ基地局としてのどちらかの役割をも果たすことができる。緊密なインターワーキングでは、ＵＥは、１つのマスタ基地局および１つのセカンダリ基地局に接続され得る。緊密なインターワーキングで実装されるメカニズムは、３つ以上の基地局をカバーするように拡張され得る。
【００４０】
図１１Ａおよび図１１Ｂでは、マスタ基地局は、ＬＴＥ  ｅＮＢとしてもよく、当該ＬＴＥ  ｅＮＢは、ＥＰＣノード（例えば、Ｓ１−Ｃインターフェースを介してＭＭＥに、およびＳ１−Ｕインターフェースを介してＳ−ＧＷに）に接続されてもよく、セカンダリ基地局は、ｇＮＢとしてもよく、当該ｇＮＢは、Ｘｘ−Ｃインターフェースを介した、ＬＴＥ  ｅＮＢへの制御プレーン接続を有するノンスタンドアローンノードであってもよい。図１１Ａの緊密なインターワーキングアーキテクチャでは、ｇＮＢに関するユーザプレーンは、ＬＴＥ  ｅＮＢとｇＮＢとの間のＸｘ−Ｕインターフェース、およびＬＴＥ  ｅＮＢとＳ−ＧＷとの間のＳ１−Ｕインターフェースを介して、ＬＴＥ  ｅＮＢを通ってＳ−ＧＷに接続されてもよい。図１１Ｂのアーキテクチャでは、ｇＮＢに関するユーザプレーンは、ｇＮＢとＳ−ＧＷとの間のＳ１−Ｕインターフェースを介してＳ−ＧＷに直接接続されてもよい。
【００４１】
図１１Ｃおよび図１１Ｄでは、マスタ基地局は、ｇＮＢであってもよく、当該ｇＮＢは、ＮＧＣノードに（例えば、ＮＧ−Ｃインターフェースを介して制御プレーンコアノードに、およびＮＧ−Ｕインターフェースを介してユーザプレーンコアノードに）接続されてもよく、セカンダリ基地局は、ｅＬＴＥ  ｅＮＢであってもよく、当該ｅＬＴＥ  ｅＮＢは、Ｘｎ−Ｃインターフェースを介した、ｇＮＢへの制御プレーン接続を有するノンスタンドアローンノードであってもよい。図１１Ｃの緊密なインターワーキングアーキテクチャでは、ｅＬＴＥ  ｅＮＢに関するユーザプレーンは、ｅＬＴＥ  ｅＮＢとｇＮＢとの間のＸｎ−Ｕインターフェース、およびｇＮＢとユーザプレーンコアノードとの間のＮＧ−Ｕインターフェースを介して、ｇＮＢを通るユーザプレーンコアノードに接続されてもよい。図１１Ｄのアーキテクチャでは、ｅＬＴＥ  ｅＮＢに関するユーザプレーンは、ｅＬＴＥ  ｅＮＢとユーザプレーンコアノードとの間のＮＧ−Ｕインターフェースを介してユーザプレーンコアノードに直接接続されてもよい。
【００４２】
図１１Ｅおよび図１１Ｆでは、マスタ基地局は、ｅＬＴＥ  ｅＮＢであってもよく、当該ｅＬＴＥ  ｅＮＢは、ＮＧＣノード（例えば、ＮＧ−Ｃインターフェースを介して制御プレーンコアノードに、およびＮＧ−Ｕインターフェースを介してユーザプレーンコアノード）に接続されてもよく、セカンダリ基地局は、ｇＮＢであってもよく、当該ｇＮＢは、Ｘｎ−Ｃインターフェースを介したｅＬＴＥ  ｅＮＢへの制御プレーン接続を有するノンスタンドアローンノードであってもよい。図１１Ｅの緊密なインターワーキングアーキテクチャでは、ｇＮＢに関するユーザプレーンは、ｅＬＴＥ  ｅＮＢとｇＮＢとの間のＸｎ−Ｕインターフェース、およびｅＬＴＥ  ｅＮＢとユーザプレーンコアノードとの間のＮＧ−Ｕインターフェースを介して、ｅＬＴＥ  ｅＮＢを通るユーザプレーンコアノードに接続されてもよい。図１１Ｆのアーキテクチャでは、ｇＮＢに関するユーザプレーンは、ｇＮＢとユーザプレーンコアノードとの間のＮＧ−Ｕインターフェースを介して、ユーザプレーンコアノードに直接接続されてもよい。
【００４３】
図１２Ａ、図１２Ｂ、および図１２Ｃは、本開示の一実施形態の一態様による、緊密なインターワーキングベアラの無線プロトコル構造の例示的な図である。図１２Ａでは、ＬＴＥ  ｅＮＢが、マスタ基地局であってもよく、ｇＮＢが、セカンダリ基地局であってもよい。図１２Ｂでは、ｇＮＢが、マスタ基地局であってもよく、ｅＬＴＥ  ｅＮＢが、セカンダリ基地局であってもよい。図１２Ｃでは、ｅＬＴＥ  ｅＮＢが、マスタ基地局であってもよく、ｇＮＢが、セカンダリ基地局であってもよい。５Ｇネットワークでは、特定のベアラが使用する無線プロトコルアーキテクチャは、ベアラがどのように設定されるかに依存し得る。図１２Ａ、図１２Ｂ、および図１２Ｃに示されるように、ＭＣＧベアラ、ＳＣＧベアラ、および分割ベアラの３つの実施例が含まれる。ＮＲ  ＲＲＣは、マスタ基地局内に配置されてもよく、ＳＲＢは、ＭＣＧベアラタイプとして構成されてもよく、マスタ基地局の無線リソースを使用してもよい。緊密なインターワーキングはまた、セカンダリ基地局によって提供された無線リソースを使用するように構成された少なくとも１つのベアラを有するものとしても説明され得る。緊密なインターワーキングは、本開示の例示的な実施形態では、構成／実施されても、されなくてもよい。
【００４４】
緊密なインターワーキングの場合には、ＵＥは、２つのＭＡＣエンティティ、すなわちマスタ基地局のための１つのＭＡＣエンティティ、およびセカンダリ基地局のための１つのＭＡＣエンティティを用いて構成されてもよい。緊密なインターワーキングでは、ＵＥのために構成されたサービングセルのセットは、２つのサブセット、すなわちマスタ基地局のサービングセルを収容するマスタセルグループ（ＭＣＧ）、およびセカンダリ基地局のサービングセルを収容するセカンダリセルグループ（ＳＣＧ）から成り得る。ＳＣＧの場合、以下のうちの１つ以上が、適用されてもよく、すなわち、ＳＣＧ内の少なくとも１つのセルは、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャが、トリガされなくてもよく、ＳＣＧのセルに向かうＵＬ伝送が、停止され、マスタ基地局が、ＳＣＧ故障タイプについてＵＥによって通知されてもよく、分割ベアラの場合には、マスタ基地局にわたるＤＬデータ転送が、維持され、ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更も、またはＳＣＧおよび分割ベアラの同時構成もまた、サポートされない。
【００４５】
マスタ基地局とセカンダリ基地局との間のやり取りに関しては、以下の原理のうちの１つ以上が、適用され得、すなわち、マスタ基地局は、ＵＥのＲＲＭ測定構成を維持してもよく、（例えば、受信した測定レポート、トラフィック条件、またはベアラタイプに基づいて）、ＵＥのための追加のリソース（サービングセル）を提供するように、セカンダリ基地局に依頼することを決定してもよく、マスタ基地局からの要求を受信すると、セカンダリ基地局が、ＵＥのために追加したサービングセルの構成をもたらすコンテナを作り出す（またはそのように作り出すのに利用可能なリソースを有していないことを判定する）ことができ、ＵＥ機能調整の場合、マスタ基地局は、ＡＳ構成（の一部）およびＵＥ機能をセカンダリ基地局に提供してもよく、マスタ基地局およびセカンダリ基地局は、ＸｎまたはＸｘメッセージ内で搬送されるＲＲＣコンテナ（ノード間メッセージ）の使用によって、ＵＥ構成についての情報を交換してもよく、セカンダリ基地局は、その既存のサービングセルの再構成を開始してもよく（例えば、セカンダリ基地局に向かうＰＵＣＣＨ）、セカンダリ基地局が、どのセルが、ＳＣＧ内のＰＳＣｅｌｌであるかを決定してもよく、マスタ基地局は、セカンダリ基地局によって提供されるＲＲＣ構成の内容を変更しなくてもよく、ＳＣＧ追加およびＳＣＧ  ＳＣｅｌｌ追加の場合には、マスタ基地局は、ＳＣＧセル（複数可）のための最新の測定結果を提供してもよく、マスタ基地局およびセカンダリ基地局の両方が、ＯＡＭにより、互いのＳＦＮおよびサブフレームオフセットを認識してもよい（例えば、ＤＲＸアライメント、および測定ギャップの識別のため）。一例では、新たなＳＣＧ  ＳＣｅｌｌを追加する場合に、ＳＣＧのＰＳＣｅｌｌのＭＩＢから獲得されたＳＦＮを除き、ＣＡに関するセルの要求されるシステム情報を伝送するために、専用のＲＲＣシグナリングが、使用されてもよい。
【００４６】
図１３Ａおよび図１３Ｂは、本開示の一実施形態の一態様によるｇＮＢ展開シナリオの例示的な図である。図１３Ａの非集中型展開シナリオでは、全プロトコルスタック（例えば、ＮＲ  ＲＲＣ、ＮＲ  ＰＤＣＰ、ＮＲ  ＲＬＣ、ＮＲ  ＭＡＣ、およびＮＲ  ＰＨＹ）は、１つのノードでサポートされ得る。図１３Ｂの集中型展開シナリオでは、ｇＮＢの上位レイヤは、集約基地局（ＣＵ）に配置されてもよく、ｇＮＢの下位レイヤは、分散基地局（ＤＵ）に配置されてもよい。ＣＵおよびＤＵを接続するＣＵ−ＤＵインターフェース（例えば、Ｆｓインターフェース）は、理想的または非理想的であってもよい。Ｆｓ−Ｃは、Ｆｓインターフェース上に制御プレーン接続を提供してもよく、Ｆｓ−Ｕは、Ｆｓインターフェース上にユーザプレーン接続を提供してもよい。集中型展開では、ＣＵとＤＵとの間の異なる機能的分割オプションが、異なるプロトコルレイヤ（ＲＡＮ機能）をＣＵおよびＤＵに配置することによって、可能になる場合がある。機能分割は、柔軟性をサポートして、サービス要件やネットワーク環境に応じて、ＣＵとＤＵとの間でＲＡＮ機能を移動させることができる。機能分割オプションは、Ｆｓインターフェース設定プロシージャ後の動作中に変更してもよく、またはＦｓ設定プロシージャ内のみで（すなわち、Ｆｓ設定プロシージャ後の動作中に静的に）変更してもよい。
【００４７】
図１４は、本開示の一実施形態の一態様による、集中型ｇＮＢ展開シナリオの異なる機能分割オプション例に関する例示的な図である。分割オプション例１では、ＮＲ  ＲＲＣは、ＣＵ内にあってもよく、ＮＲ  ＰＤＣＰ、ＮＲ  ＲＬＣ、ＮＲ  ＭＡＣ、ＮＲ  ＰＨＹ、およびＲＦは、ＤＵ内にあってもよい。分割オプション例２では、ＮＲ  ＲＲＣおよびＮＲ  ＰＤＣＰは、ＣＵ内にあってもよく、ＮＲ  ＲＬＣ、ＮＲ  ＭＡＣ、ＮＲ  ＰＨＹ、およびＲＦは、ＤＵ内にあってもよい。分割オプション例３では、ＮＲ  ＲＲＣ、ＮＲ  ＰＤＣＰ、およびＮＲ  ＲＬＣの部分的機能は、ＣＵ内にあってもよく、ＮＲ  ＲＬＣの部分的機能、ＮＲ  ＭＡＣ、ＮＲ  ＰＨＹ、およびＲＦは、ＤＵ内にあってもよい。分割オプション例４では、ＮＲ  ＲＲＣ、ＮＲ  ＰＤＣＰ、およびＮＲ  ＲＬＣは、ＣＵ内にあってもよく、ＮＲ  ＭＡＣ、ＮＲ  ＰＨＹ、およびＲＦは、ＤＵ内にあってもよい。分割オプション例５では、ＮＲ  ＲＲＣ、ＮＲ  ＰＤＣＰ、ＮＲ  ＲＬＣ、およびＮＲ  ＭＡＣの部分的機能は、ＣＵ内にあってもよく、ＮＲ  ＭＡＣの他の部分的機能、ＮＲ  ＰＨＹ、およびＲＦは、ＤＵ内にあってもよい。分割オプション例６では、ＮＲ  ＲＲＣ、ＮＲ  ＰＤＣＰ、ＮＲ  ＲＬＣ、およびＮＲ  ＭＡＣは、ＣＵ内にあってもよく、ＮＲ  ＰＨＹおよびＲＦは、ＤＵ内にあってもよい。分割オプション例７では、ＮＲ  ＲＲＣ、ＮＲ  ＰＤＣＰ、ＮＲ  ＲＬＣ、ＮＲ  ＭＡＣ、および  ＮＲ  ＰＨＹの部分的機能は、ＣＵ内にあってもよく、ＮＲ  ＰＨＹの他の部分的機能、およびＲＦは、ＤＵ内にあってもよい。分割オプション例８では、ＮＲ  ＲＲＣ、ＮＲ  ＰＤＣＰ、ＮＲ  ＲＬＣ、ＮＲ  ＭＡＣ、およびＮＲ  ＰＨＹは、ＣＵ内にあってもよく、ＲＦは、ＤＵ内にあってもよい。
【００４８】
機能分割は、ＣＵ毎、ＤＵ毎、ＵＥ毎、ベアラ毎、スライス毎に、または他の粒度で構成されてもよい。ＣＵ毎の分割では、ＣＵは、固定された分割を有してもよく、ＤＵは、ＣＵの分割オプションに一致するように構成されてもよい。ＤＵ毎の分割では、ＤＵは、異なる分割で構成されてもよく、ＣＵは、異なるＤＵに対して異なる分割オプションを提供してもよい。ＵＥ毎の分割では、ｇＮＢ（ＣＵおよびＤＵ）は、異なるＵＥに対して異なる分割オプションを提供してもよい。ベアラ毎の分割では、異なる分割オプションは、異なるベアラタイプに対して利用されてもよい。スライス毎のスプライスでは、異なる分割オプションは、異なるスライスに適用されてもよい。
【００４９】
例示的な実施形態では、新しい無線アクセスネットワーク（新しいＲＡＮ）は、異なるネットワークスライスをサポートしてもよく、そのスライスは、端末相互間の範囲で異なるサービス要件をサポートするためにカスタマイズされた差別化した取り扱いを可能にし得る。新しいＲＡＮは、事前に構成され得る異なるネットワークスライスのために、差別化されたトラフィック処理を提供することができ、シングルＲＡＮノードが複数のスライスをサポートすることを可能にし得る。新ＲＡＮは、ＵＥまたはＮＧＣ（例えば、ＮＧ  ＣＰ）により提供される１つ以上のスライスＩＤ（複数可）またはＮＳＳＡＩ（複数可）によって、所与のネットワークスライスに対するＲＡＮ部分の選択をサポートし得る。スライスＩＤ（複数可）またはＮＳＳＡＩ（複数可）は、ＰＬＭＮ内の事前に構成されたネットワークスライスのうちの１つ以上を識別することができる。初期アタッチの場合、ＵＥは、スライスＩＤおよび／またはＮＳＳＡＩを提供することができ、ＲＡＮノード（例えば、ｇＮＢ）は、初期ＮＡＳシグナリングをＮＧＣ制御プレーン機能（例えば、ＮＧ  ＣＰ）にルーティングするために、スライスＩＤまたはＮＳＳＡＩを使用することができる。ＵＥが、いずれのスライスＩＤまたはＮＳＳＡＩも提供しない場合、ＲＡＮノードは、ＮＡＳシグナリングをデフォルトのＮＧＣ制御プレーン機能に伝送することができる。後続のアクセスのために、ＵＥは、スライス識別のための一時的なＩＤを提供することができ、そのＩＤは、ＮＧＣ制御プレーン機能によって割り当てられて、ＲＡＮノードにＮＡＳメッセージを適切なＮＧＣ制御プレーン機能にルーティングさせることができる。新しいＲＡＮは、スライス間のリソース分離をサポートすることができる。ＲＡＮリソース分離は、１つのスライス内の共有リソースの不足により、別のスライスに対するサービスレベルの同意に違反することを回避することによって、達成され得る。
【００５０】
セルラー式ネットワーク上で搬送されるデータトラフィックの量は、今後何年にもわたって増加すると予想されている。ユーザ／デバイスの数は、増大しており、各ユーザ／デバイスは、益々多くなる様々なサービス、例えば、ビデオ配信、大きなファイル、画像にアクセスする。これにより、ネットワークの大容量だけでなく、双方向性および応答性に関する消費者の期待に応える超高速データレートの提供が要求される。それゆえに、携帯通信事業者が、増大する要求を満たすためには、より多くのスペクトルが必要とされる。シームレスな移動性とともに高速データレートに関するユーザの期待を考慮すると、セルラー式システムのために、スモールセルのみならず、マクロセルをも展開するためのより多くのスペクトルが利用可能になることが、有益である。
【００５１】
市場の要求を満たそうとの取り組みがあり、トラフィックの成長を満たすために無認可スペクトルを利用していくつかの相補的なアクセスを展開することに通信事業者からの関心が高まっている。この例が、通信事業者が展開する多数のＷｉ−Ｆｉネットワークと、ＬＴＥ／ＷＬＡＮインターワーキングソリューションの３ＧＰＰ標準化とに見られる。この関心は、ホットスポットエリアのようないくつかのシナリオにおいて、無認可スペクトルが存在する場合に、無認可スペクトルは、セルラー事業者の認可スペクトルを効果的に補完してトラフィック急増への対処に役立ち得ることを示している。ＬＡＡは、通信事業者が、１つの無線ネットワークを管理しながら、無認可スペクトルを使用する代案を提案しており、これにより、ネットワーク効率を最適化するための新しい可能性を提案している。
【００５２】
例示的な実施形態では、ＬＡＡセル内での伝送のためにリッスンビフォアトーク（クリアチャネルアセスメント）が実装され得る。リッスンビフォアトーク（ＬＢＴ）プロシージャでは、機器は、チャネルを使用する前にクリアチャネルアセスメント（ＣＣＡ）チェックを適用することができる。例えば、ＣＣＡは、チャネルが占有されているか、または空の状態であるか、それぞれ判定するために、少なくともエネルギー検出を利用して、チャネル上のその他の信号の存在または不存在を判定する。例えば、欧州および日本の規制では、無認可バンドでのＬＢＴの使用が義務づけられている。規制要件とは別に、ＬＢＴを介するキャリア検知は、無認可スペクトルを公平に共有するための１つの方法であり得る。
【００５３】
例示的な実施形態では、制限された最大伝送持続時間を有する無認可キャリアに関する不連続伝送が、可能であり得る。これらの機能のうちのいくつかは、不連続ＬＡＡダウンリンク伝送の始めから伝送される１つ以上の信号によってサポートされ得る。チャネル予約は、正常なＬＢＴ動作を介してチャネルアクセスを取得した後に、ＬＡＡノードによる信号の伝送によって可能であってもよく、その結果、特定の閾値を超えるエネルギーを有する伝伝送号を受信する他のノードは、チャネルが占有されていることを検知する。不連続なダウンリンク伝送を伴うＬＡＡ動作のために、１つ以上の信号によってサポートされる必要があり得る機能は、無線デバイスによるＬＡＡダウンリンク伝送の検出（セル識別を含む）、無線デバイスの時間および周波数同期のうちの１つ以上を含んでもよい。
【００５４】
例示的な実施形態では、ＤＬ  ＬＡＡ設計は、ＣＡにより集約されたサービングセルの両端におけるＬＴＥ−Ａキャリアアグリゲーションタイミング関係に従って、サブフレーム境界アライメントを採用してもよい。これは、基地局の伝送がサブフレーム境界でのみ開始し得ることを意味しない場合がある。ＬＡＡは、すべてのＯＦＤＭシンボルが、ＬＢＴに従ってサブフレーム内の伝送に対して、必ずしも利用可能であるとは限らない場合には、ＰＤＳＣＨの伝送をサポートしてもよい。ＰＤＳＣＨのための必要な制御情報の配信はまた、サポートされてもよい。
【００５５】
ＬＢＴプロシージャは、ＬＡＡと他の通信事業者、および無認可スペクトル内で動作する技術との公正でかつ親和的な共存のために採用され得る。無認可スペクトル内のキャリア上で伝送しようとするノード上のＬＢＴプロシージャは、当該チャネルが自由に使用することができるかどうかを判定するために、クリアチャネル評価の実行をノードに要求する。ＬＢＴプロシージャは、当該チャネルが使用されているかどうかを判定するために、少なくともエネルギー検出を必要とし得る。例えば、いくつかの地域、例えば、欧州での規制要件は、エネルギー検出閾値を指定しており、それによって、ノードがこの閾値よりも大きいエネルギーを受信した場合、ノードは、チャネルが空いていないと推定する。ノードは、そのような規制要件に従うことができるが、ノードは、規制要件によって指定された閾値よりも低いエネルギー検出のための閾値を任意選択的に使用してもよい。一例では、ＬＡＡは、エネルギー検出閾値を適応的に変化させるためのメカニズムを採用してもよく、例えば、ＬＡＡは、上位境界からエネルギー検出閾値を適応的に小さくするためのメカニズムを採用してもよい。適応メカニズムは、閾値の静的、または準静的設定を排除しなくてもよい。一例では、カテゴリ４ＬＢＴメカニズム、または他のタイプのＬＢＴメカニズムが、実装されてもよい。
【００５６】
様々な例示的なＬＢＴメカニズムが実装され得る。一例では、いくつかの信号の場合、いくつかの実施態様シナリオにおいて、いくつかの状況では、および／またはいくつかの周波数では、ＬＢＴプロシージャは、伝送エンティティによっては実行されない場合がある。一例では、カテゴリ２（例えば、ランダムバックオフなしのＬＢＴ）が、実装されてもよい。伝送エンティティが伝送する前にチャネルがアイドル状態であると検知される期間は、決定論的であり得る。一例では、カテゴリ３（例えば、固定サイズのコンテンションウィンドウを有するランダムバックオフを用いたＬＢＴ）が実装されてもよい。ＬＢＴ手順は、その構成要素の１つとして以下の手順を有することができる。伝送エンティティは、コンテンションウィンドウ内に乱数Ｎを選び出すことができる。コンテンションウィンドウのサイズは、Ｎの最小値および最大値によって指定され得る。コンテンションウィンドウのサイズは、固定され得る。乱数ＮをＬＢＴ手順において使用して、伝送エンティティがチャネル上で伝送する前にチャネルがアイドル状態であると検知される期間を決定することができる。一例では、カテゴリ４（例えば、可変サイズのコンテンションウィンドウを有するランダムバックオフを用いたＬＢＴ）が、実装されてもよい。伝送エンティティは、コンテンションウィンドウ内に乱数Ｎを選び出すことができる。コンテンションウィンドウのサイズは、Ｎの最小値および最大値によって指定されてもよい。伝送エンティティは、乱数Ｎを選び出すときに、コンテンションウィンドウのサイズを変化させてもよい。乱数Ｎは、ＬＢＴプロシージャ内で使用されて、伝送エンティティがチャネル上で伝送する前に、チャネルがアイドル状態であると検知される持続時間を決定する。
【００５７】
ＬＡＡは、無線デバイスにおいてアップリンクＬＢＴを使用することができる。ＵＬ  ＬＢＴ方式は、ＤＬ  ＬＢＴ方式と異なってもよく（例えば、異なるＬＢＴメカニズムまたはパラメータを使用することによって）、例えば、その理由は、ＬＡＡ  ＵＬが、無線デバイスのチャネル競合機会に影響を及ぼす、スケジューリングされたアクセスに基づくからである。異なるＵＬ  ＬＢＴ方式を動機付ける他の配慮としては、以下に限定されないが、シングルサブフレーム内の複数の無線デバイスの多重化が挙げられる。
【００５８】
一例では、ＤＬ伝送バーストは、同じＣＣ上の同じノードからの前後にはすぐに伝送しないＤＬ伝送ノードからの連続伝送であってもよい。無線デバイスの観点からのＵＬ伝送バーストは、同じＣＣ上の同じ無線デバイスからの前後にはすぐに伝送しない無線デバイスからの連続伝送であってもよい。一例では、ＵＬ伝送バーストは、無線デバイスの観点から定義される。一例では、ＵＬ伝送バーストは、基地局の観点から定義されてもよい。一例では、基地局が、同じ無認可キャリア上でＤＬ＋ＵＬ  ＬＡＡを動作させる場合に、ＬＡＡ上のＤＬ伝送バースト（複数可）およびＵＬ伝送バースト（複数可）は、同じ無認可キャリア上のＴＤＭ方式でスケジューリングされてもよい。例えば、時間におけるある瞬間は、ＤＬ伝送バーストまたはＵＬ伝送バースの一部であってもよい。
【００５９】
Ｎｅｗ  Ｒａｄｉｏ（ＮＲ）システムは、シングルビームとマルチビームの両方の操作をサポートし得る。マルチビームシステムでは、基地局（例えば、ｇＮＢ）は、ダウンリンクビーム掃引を実行して、ダウンリンク同期信号（ＳＳ）および共通制御チャネルのカバレッジを提供し得る。ユーザ機器（ＵＥ）は、アップリンク方向のアップリンクビーム掃引を実行して、セルにアクセスすることができる。シングルビームシナリオでは、ｇＮＢは、１つのＳＳブロックの時間反復伝送を設定することができる。これは、少なくともプライマリ同期信号（ＰＳＳ）、セカンダリ同期信号（ＳＳＳ）、および物理ブロードキャストチャネル（ＰＢＣＨ）を、ワイドビームで含むことができる。マルチビームのシナリオでは、ｇＮＢは、これらの信号と物理チャネルの少なくとも一部を複数のビームで構成することができる。ＵＥは、少なくともＯＦＤＭシンボルインデックス、無線フレーム内のスロットインデックス、およびＳＳブロックからの無線フレーム番号を識別し得る。
【００６０】
一実施例では、ＲＲＣ＿ＩＮＡＣＴＩＶＥ状態またはＲＲＣ＿ＩＤＬＥ状態では、ＵＥは、ＳＳブロックがＳＳバーストを形成し、ＳＳバーストセットを形成すると想定する場合がある。ＳＳバーストセットには、一定の周期性がある場合がある。マルチビームシナリオでは、ＳＳブロックは、複数のビームで送信され、一緒にＳＳバーストを形成することができる。１つ以上のＳＳブロックが、１つのビームで送信され得る。ビームは、ステアリング方向を有する。複数のＳＳバーストがビームで送信される場合、これらのＳＳバーストは、図１５に示されるようにＳＳバーストセットを一緒に形成してもよい。基地局１５０１（例えば、ＮＲのｇＮＢ）は、期間１５０３中にＳＳバースト１５０２Ａ〜１５０２Ｈを送信することができる。複数のこれらのＳＳバーストは、ＳＳバーストセット１５０４（例えば、ＳＳバースト１５０２Ａおよび１５０２Ｅ）などのＳＳバーストセットを含み得る。ＳＳバーストセットは、任意の数の複数のＳＳバースト１５０２Ａ〜１５０２Ｈを含むことができる。ＳＳバーストセット内の各ＳＳバーストは、期間１５０３中に固定または可変の周期で送信され得る。
【００６１】
ＳＳは、巡回プレフィックス直交周波数分割多重化（ＣＰ−ＯＦＤＭ）に基づく場合がある。ＳＳは、少なくとも２つのタイプの同期信号（ＮＲ−ＰＳＳ（プライマリ同期信号）およびＮＲ−ＳＳＳ（セカンダリ同期信号））を含んでいてもよい。ＮＲ−ＰＳＳは、少なくともＮＲセルへの初期シンボル境界同期のために定義され得る。ＮＲ−ＳＳＳは、ＮＲセルＩＤまたはＮＲセルＩＤの少なくとも一部の検出用に定義され得る。ＮＲ−ＳＳＳ検出は、少なくとも所与の周波数範囲およびＣＰオーバーヘッド内のデュプレックスモードおよびビーム操作タイプに関係なく、ＮＲ−ＰＳＳリソース位置との固定時間／周波数関係に基づいている場合がある。ＮＲ−ＰＳＳおよびＮＲ−ＳＳＳでは、通常のＣＰがサポートされ得る。
【００６２】
ＮＲは、少なくとも１つの物理ブロードキャストチャネル（ＮＲ−ＰＢＣＨ）を含み得る。ｇＮＢがＮＲ−ＰＢＣＨを送信（またはブロードキャスト）する場合、ＵＥは、少なくとも所与の周波数範囲およびＣＰオーバーヘッド内のデュプレックスモードおよびビーム操作タイプに関係なく、ＮＲ−ＰＳＳおよび／またはＮＲ−ＳＳＳリソース位置との固定関係に基づいてＮＲ−ＰＢＣＨをデコードし得る。ＮＲ−ＰＢＣＨは、キャリア周波数範囲に応じて仕様で事前定義された固定ペイロードサイズおよび周期性を備えた最小システム情報の少なくとも一部を伝送する、スケジュールされていないブロードキャストチャネルであり得る。
【００６３】
シングルビームおよびマルチビームのシナリオでは、ＮＲは、ＮＲ−ＰＳＳ、ＮＲ−ＳＳＳ、およびＮＲ−ＰＢＣＨの時間（周波数、および／または空間）分割多重化をサポートし得る、ＳＳブロックを含むことができる。ｇＮＢは、ＳＳブロック内でＮＲ−ＰＳＳ、ＮＲ−ＳＳＳおよび／またはＮＲ−ＰＢＣＨを送信し得る。所定の周波数帯域では、ＳＳブロックは、デフォルトのサブキャリア間隔に基づいてＮ個のＯＦＤＭシンボルに対応する場合があり、Ｎは定数である場合がある。信号多重化構造は、ＮＲで固定され得る。無線デバイスは、例えば、ＳＳブロックから、ＯＦＤＭシンボルインデックス、無線フレーム内のスロットインデックス、およびＳＳブロックからの無線フレーム番号を識別してもよい。
【００６４】
ＮＲは、１つ以上のＳＳブロックを含むＳＳバーストをサポートし得る。ＳＳバーストセットは、１つ以上のＳＳバーストを含み得る。例えば、ＳＳバーストセット内のＳＳバーストの数は、有限である場合がある。物理層の仕様の観点から、ＮＲは、ＳＳバーストセットの少なくとも１つの周期性をサポートすることができる。ＵＥの観点から、ＳＳバーストセット送信は、定期的であり得、ＵＥは、ＳＳバーストセット周期性で所与のＳＳブロックが繰り返されると仮定し得る。
【００６５】
ＳＳバーストセットの周期性内で、１つ以上のＳＳブロックで繰り返されるＮＲ−ＰＢＣＨが変更される場合がある。可能なＳＳブロックの時間位置のセットは、ＲＲＣメッセージの周波数帯域ごとに指定され得る。ＳＳバーストセット内のＳＳブロックの最大数は、キャリア周波数に依存する場合がある。実際に送信されたＳＳブロックの位置（複数可）は、少なくともＣＯＮＮＥＣＴＥＤ／ＩＤＬＥモードの測定を支援するため、ＣＯＮＮＥＣＴＥＤモードＵＥが１つ以上のＳＳブロックでダウンリンク（ＤＬ）データ／制御を受信することを支援するため、またはＩＤＬＥモードＵＥが１つ以上のＳＳブロックでＤＬデータ／制御を受信することを支援するために通知され得る。ＵＥは、ｇＮＢが同じ数の物理ビーム（複数可）を送信すると想定しない場合がある。ＵＥは、ＳＳバーストセット内の異なるＳＳブロックにわたる同じ物理ビーム（複数可）を想定しない場合がある。初期セル選択では、ＵＥは、ＲＲＣメッセージを介してブロードキャストされ、周波数帯域に依存し得る、デフォルトのＳＳバーストセットの周期性を想定し得る。少なくともマルチビーム動作の場合では、ＳＳブロックの時間インデックスをＵＥに示すことができる。
【００６６】
ＣＯＮＮＥＣＴＥＤおよびＩＤＬＥモードのＵＥの場合、ＮＲは、ＳＳバーストセットの周期性および情報のネットワーク表示をサポートして、測定のタイミング／期間（ＮＲ−ＳＳ検出の時間窓など）を導き出すことができる。ｇＮＢは、（例えば、ＲＲＣメッセージのブロードキャストを介して）周波数キャリアごとに１つのＳＳバーストセット周期性情報をＵＥに提供し得、可能であれば測定タイミング／持続時間を導出するための情報を提供し得る。１つのＳＳバーストセットの周期性、およびタイミング／持続時間に関する１つの情報が示されている場合、ＵＥは、同じキャリア上のすべてのセルの周期性およびタイミング／持続時間を想定することができる。ｇＮＢがＳＳバーストセット周期性の表示および測定タイミング／持続時間を導出するための情報を提供しない場合、ＵＥは、ＳＳバーストセット周期性として既定の周期性、例えば、５ｍｓを想定し得る。ＮＲは、適応およびネットワーク表示のためにＳＳバーストセットの周期値のセットをサポートし得る。
【００６７】
初期アクセスの場合、ＵＥは、ＮＲ仕様によって与えられた所与の周波数帯域内のＮＲ−ＰＳＳ／ＳＳＳの特定のサブキャリア間隔に対応する信号を想定することができる。ＮＲ−ＰＳＳの場合、Ｚａｄｏｆｆ−Ｃｈｕ（ＺＣ）シーケンスを、ＮＲ−ＰＳＳのシーケンスとして用いることができる。ＮＲは、シーケンスベースのＳＳ設計の場合、ＳＳの少なくとも１つの基本シーケンス長を定義することができる。ＮＲ−ＰＳＳのアンテナポートの数は、１であり得る。ＮＲ−ＰＢＣＨ送信の場合、ＮＲは、固定数のアンテナポート（複数可）をサポートすることができる。ＵＥは、ＮＲ−ＰＢＣＨ送信方式またはアンテナポートの数のブラインド検出には必要ない場合がある。ＵＥは、ＮＲ−ＳＳと同じＰＢＣＨ数秘術を想定する場合がある。最小限のシステム情報配信のために、ＮＲ−ＰＢＣＨは、最小限のシステム情報の一部を含む場合がある。ＮＲ−ＰＢＣＨコンテンツは、ＳＦＮ（システムフレーム番号）またはＣＲＣの少なくとも一部を含むことができる。ｇＮＢは、ＮＲ−ＰＤＳＣＨを介して共有ダウンリンクチャネルで残りの最小システム情報を送信し得る。
【００６８】
マルチビームの例では、例えばセル選択、セル再選択、および／または初期アクセスプロシージャをサポートするために、セルに対してＰＳＳ、ＳＳＳ、またはＰＢＣＨ信号のうちの１つ以上を繰り返すことができる。ＳＳバーストの場合、関連付けられたＰＢＣＨまたは物理ダウンリンク共有チャネル（ＰＤＳＣＨ）スケジューリングシステム情報は、基地局によって複数の無線デバイスにブロードキャストされ得る。ＰＤＳＣＨは、共通検索空間内の物理ダウンリンク制御チャネル（ＰＤＣＣＨ）によって示され得る。システム情報は、ビームの物理ランダムアクセスチャネル（ＰＲＡＣＨ）構成を含むことができる。ビームに関して、基地局（例えば、ＮＲのｇＮＢ）は、ＰＲＡＣＨプリアンブルプール、時間および／または周波数無線リソース、ならびに他の電力関連パラメータを含み得る、ＲＡＣＨ構成を有してもよい。無線デバイスは、ＲＡＣＨ構成からのＰＲＡＣＨプリアンブルを使用して、競合ベースのＲＡＣＨプロシージャまたは競合のないＲＡＣＨプロシージャを開始することができる。無線デバイスは、競合ベースのＲＡＣＨプロシージャまたは競合のないＲＡＣＨプロシージャであり得る、４ステップＲＡＣＨプロシージャを実行することができる。無線デバイスは、最良の受信信号品質を有する可能性のある、ＳＳブロックと関連付けられたビームを選択してもよい。無線デバイスは、セルと関連付けられたセル識別子を正常に検出し、かつＲＡＣＨ構成を使用してシステム情報をデコードすることができる。無線デバイスは、１つのＰＲＡＣＨプリアンブルを使用し、選択されたビームと関連付けられたシステム情報によって示されるＲＡＣＨリソースから１つのＰＲＡＣＨリソースを選択し得る。ＰＲＡＣＨリソースは、ＰＲＡＣＨプリアンブルを示すＰＲＡＣＨインデックス、ＰＲＡＣＨフォーマット、ＰＲＡＣＨ数秘術、時間および／または周波数無線リソース割り当て、ＰＲＡＣＨ送信の電力設定、ならびに／または他の無線リソースパラメータのうちの少なくとも１つを含み得る。競合のないＲＡＣＨプロシージャの場合、ＰＲＡＣＨプリアンブルおよびリソースは、ＤＣＩまたは他の高層シグナリングで示される場合がある。
【００６９】
一例では、ＵＥは、セル選択／再選択および／または初期アクセスプロシージャのために１つ以上のＰＳＳ／ＳＳＳ／ＰＢＣＨを検出し得る。システム情報ブロックタイプ２（ＳＩＢ２）などのシステム情報をスケジュールする、共通検索空間の物理ダウンリンク制御チャネル（ＰＤＣＣＨ）で示されるＰＢＣＨ、または物理ダウンリンク共有チャネル（ＰＤＳＣＨ）は、複数のＵＥにブロードキャストできる。一例では、ＳＩＢ２は、１つ以上の物理ランダムアクセスチャネル（ＰＲＡＣＨ）構成を搬送することができる。一例では、ｇＮＢは、ＰＲＡＣＨプリアンブルプール、時間／周波数無線リソース、および他の電力関連パラメータを含み得る１つ以上のランダムアクセスチャネル（ＲＡＣＨ）構成を有し得る。ＵＥは、ＲＡＣＨ構成からのＰＲＡＣＨプリアンブルを選択して、競合ベースのＲＡＣＨプロシージャ、または競合のないＲＡＣＨプロシージャを開始することができる。
【００７０】
一例では、ＵＥは、競合ベースまたは競合のないＲＡＣＨプロシージャであり得る４ステップのＲＡＣＨプロシージャを実行し得る。４ステップランダムアクセス（ＲＡ）プロシージャには、図１６に示すように、第１のステップでのＲＡプリアンブル（ＲＡＰ）伝送、第２のステップでのランダムアクセス応答（ＲＡＲ）伝送、第３のステップでの１つ以上のトランスポートブロック（ＴＢ）のスケジュール伝送、第４のステップでの競合解決が含まれ得る。具体的には、図１６Ａは、競合ベースの４ステップＲＡプロシージャを示し、図１６Ｂは、競合のないＲＡプロシージャを示す。
【００７１】
第１のステップでは、ＵＥは、構成されたＲＡプリアンブルフォーマットを使用してＴｘビームでＲＡＰを伝送することができる。ＲＡチャネル（ＲＡＣＨ）リソースは、ＲＡＰを伝送する時間周波数リソースとして定義され得る。ブロードキャストシステム情報は、ＲＡＣＨリソースのサブセット内でＵＥが１つまたは複数の／反復されるプリアンブルを伝送する必要があるかどうかを通知し得る。
【００７２】
基地局は、第２のステップでダウンリンク（ＤＬ）伝送を決定するために、ＤＬ信号／チャネルと、ＲＡＣＨリソースのサブセットおよび／またはＲＡＰインデックスのサブセットとの間の関連付けを構成し得る。ＤＬ測定および対応する関連付けに基づいて、ＵＥは、ＲＡＣＨリソースのサブセットおよび／またはＲＡＰインデックスのサブセットを選択し得る。一例では、ブロードキャストシステム情報によって通知される２つのＲＡＰグループがあってもよく、１つはオプションであってもよい。基地局が４ステップＲＡプロシージャで２つのグループを構成する場合、ＵＥは、第３のステップでＵＥが伝送するメッセージのパスロスおよびサイズに基づいて、どのグループからＵＥがＲＡＰを選択するかを決定し得る。基地局は、第３のステップでのメッセージサイズとＵＥの無線状態との指標として、ＲＡＰが属するグループタイプを使用し得る。基地局は、システム情報の１つ以上の閾値とともに、ＲＡＰグループ化情報をブロードキャストし得る。
【００７３】
４ステップＲＡプロシージャの第２のステップでは、基地局は、ＵＥが伝送するＲＡＰの受信に応答して、ＲＡ応答（ＲＡＲ）をＵＥに伝送し得る。ＵＥは、ＤＣＩを搬送するＰＤＣＣＨを監視して、ＲＡ応答ウィンドウ内のＰＤＳＣＨ上で伝送されたＲＡＲを検出することができる。ＤＣＩは、ＲＡ−ＲＮＴＩ（ランダムアクセス−無線ネットワーク一時識別子）によってＣＲＣスクランブルされる場合がある。ＲＡ−ＲＮＴＩは、ランダムアクセス応答メッセージが伝送されるときにＰＤＣＣＨ上で使用される場合がある。ＲＡ−ＲＮＴＩは、ランダムアクセスプリアンブルを伝送するために、ＭＡＣエンティティがどの時間周波数リソースを使用しているかを明確に識別し得る。ＲＡ応答ウィンドウは、ＲＡＰ伝送の終了に３つのサブフレームを加えたものを含むサブフレームから開始し得る。ＲＡ応答ウィンドウは、ｒａ−ＲｅｓｐｏｎｓｅＷｉｎｄｏｗＳｉｚｅで示される長さを有し得る。ＵＥは、ＲＡ−ＲＮＴＩ＝１＋ｔ＿ｉｄ＋１０＊ｆ＿ｉｄのようにＵＥがＲＡＰを伝送するＰＲＡＣＨに関連付けられたＲＡ−ＲＮＴＩを計算することができ、ここで、ｔ＿ｉｄは、指定されたＰＲＡＣＨの第１のサブフレームのインデックスであり（０≦ｔ＿ｉｄ＜１０）、ｆ＿ｉｄは、周波数領域の昇順（０≦ｆ＿ｉｄ＜６）での、サブフレーム内の指定されたＰＲＡＣＨのインデックスである。一例では、異なるタイプのＵＥ、例えば、ＮＢ−ＩｏＴ、ＢＬ−ＵＥ、またはＵＥ−ＥＣは、ＲＡ−ＲＮＴＩ計算のために異なる式を使用してもよい。
【００７４】
ＵＥは、ＵＥによって伝送されたＲＡＰに一致するＲＡＰ識別子（ＲＡＰＩＤ）を含むＲＡＲ用のＭＡＣパケットデータユニット（ＰＤＵ）の復号後、ＲＡＲの監視を停止してもよい。ＭＡＣ  ＰＤＵは、１つ以上のＭＡＣ  ＲＡＲと、バックオフインジケータ（ＢＩ）を有するサブヘッダを含むことができるＭＡＣヘッダと、ＲＡＰＩＤを含む１つ以上のサブヘッダとを含むことができる。
【００７５】
図１７は、４ステップＲＡプロシージャのためのＭＡＣヘッダおよびＭＡＣ  ＲＡＲを含むＭＡＣ  ＰＤＵの例を示す。ＲＡＲが、ＵＥが伝送するＲＡＰに対応するＲＡＰＩＤを含む場合、ＵＥは、ＲＡＲ内の、タイミングアドバンス（ＴＡ）コマンド、ＵＬ許可、およびＴｅｍｐｏｒａｒｙ  Ｃ−ＲＮＴＩ（ＴＣ−ＲＮＴＩ）などのデータを処理し得る。
【００７６】
図１８Ａ、図１８Ｂ、および図１８Ｃは、ＭＡＣ  ＲＡＲの内容を示す。具体的には、図１８Ａは、通常のＵＥのＭＡＣ  ＲＡＲの内容を示し、図１８Ｂは、ＭＴＣ  ＵＥのＭＡＣ  ＲＡＲの内容を示し、図１８Ｃは、ＮＢ−ＩＯＴ  ＵＥのＭＡＣ  ＲＡＲの内容を示す。
【００７７】
４ステップＲＡプロシージャの第３のステップでは、ＵＥは、第２のステップでの受信されたＲＡＲのＴＡコマンドに対応するＴＡ値を使用してＵＬタイムアライメントを調整することができ、受信されたＲＡＲのＵＬ許可で割り当てられたＵＬリソースを使用して、１つ以上のＴＢを基地局に伝送することができる。ＵＥが第３のステップで伝送するＴＢは、ＲＲＣ接続要求、ＲＲＣ接続再確立要求、またはＲＲＣ接続再開要求、ＵＥ  ＩＤなどのＲＲＣシグナリングを含むことができる。第３のステップで伝送されたＩＤは、第４のステップで競合解決メカニズムの一部として使用される。
【００７８】
４ステップのＲＡプロシージャの第４のステップは、競合解決のためのＤＬメッセージを含んでもよい。一例では、１つ以上のＵＥは、第１のステップで同じＲＡＰを選択する同時ＲＡ試行を実行し、第２のステップで同じＴＣ−ＲＮＴＩで同じＲＡＲを受信することができる。第４のステップにおける競合解決は、ＵＥが別のＵＥ  ＩＤを誤って使用しないことを確実にすることであり得る。競合解決メカニズムは、ＵＥがＣ−ＲＮＴＩを有するかどうかに応じて、ＰＤＣＣＨのＣ−ＲＮＴＩまたはＤＬ−ＳＣＨのＵＥ競合解決ＩＤのいずれかに基づき得る。ＵＥがＣ−ＲＮＴＩを有する場合、ＰＤＣＣＨ上でＣ−ＲＮＴＩを検出すると、ＵＥはＲＡプロシージャの成功を判定することができる。ＵＥにＣ−ＲＮＴＩが事前に割り当てられていない場合、ＵＥは、基地局が第２のステップのＲＡＲで伝送するＴＣ−ＲＮＴＩに関連付けられたＤＬ−ＳＣＨを監視し、第４のステップでＤＬ−ＳＣＨ上で基地局によって伝送されたデータのＩＤを、ＵＥが第３のステップで伝送するＩＤと比較する。２つのＩＤが同一である場合、ＵＥはＲＡプロシージャの成功を判定し、ＴＣ−ＲＮＴＩをＣ−ＲＮＴＩにプロモートし得る。
【００７９】
４ステップＲＡプロシージャの第４のステップは、ＨＡＲＱ再伝送を可能にし得る。ＵＥは、第３のステップでＵＥが１つ以上のＴＢを基地局に伝送するときにｍａｃ−ＣｏｎｔｅｎｔｉｏｎＲｅｓｏｌｕｔｉｏｎＴｉｍｅｒを始動させることができ、ＨＡＲＱ再伝送のたびにｍａｃ−ＣｏｎｔｅｎｔｉｏｎＲｅｓｏｌｕｔｉｏｎＴｉｍｅｒを再始動させることができる。ＵＥが第４のステップでＣ−ＲＮＴＩまたはＴＣ−ＲＮＴＩによって識別されたＤＬリソースでデータを受信すると、ＵＥはｍａｃ−ＣｏｎｔｅｎｔｉｏｎＲｅｓｏｌｕｔｉｏｎＴｉｍｅｒを停止させ得る。ＵＥが、第３のステップでＵＥによって伝送されたＩＤに一致する競合解決ＩＤを検出しない場合、ＵＥは、ＲＡプロシージャの失敗を判定し、ＴＣ−ＲＮＴＩを破棄することができる。ｍａｃ−ＣｏｎｔｅｎｔｉｏｎＲｅｓｏｌｕｔｉｏｎＴｉｍｅｒが満了すると、ＵＥはＲＡプロシージャの失敗を判定し、ＴＣ−ＲＮＴＩを破棄し得る。競合解決に失敗した場合、ＵＥはＭＡＣ  ＰＤＵの伝送に使用されるＨＡＲＱバッファをフラッシュすることができ、４ステップＲＡプロシージャを第１のステップから再始動させ得る。ＵＥは、０とＲＡＲ用のＭＡＣ  ＰＤＵ内のＢＩに対応するバックオフパラメータ値との間の均一な分布に従ってランダムに選択されたバックオフ時間だけ後続のＲＡＰ伝送を遅延させることができる。
【００８０】
４ステップＲＡプロシージャでは、最初の２つのステップの使用法は、ＵＥのＵＬタイムアライメントを取得し、アップリンク許可を取得することであり得る。第３および第４のステップを使用して、ＲＲＣ接続をセットアップし、および／または異なるＵＥからの競合を解決し得る。
【００８１】
図１９は、基地局による１つ以上のＳＳブロックの送信を含むことができる、ランダムアクセスプロシージャ（例えば、ＲＡＣＨを介した）の実施例を示している。無線デバイス１９２０（例えば、ＵＥ）は、１つ以上のプリアンブルを基地局１９２１（例えば、ＮＲのｇＮＢ）に送信することができる。無線デバイスによる各プリアンブル送信は、図１９に示されるような別個のランダムアクセスプロシージャと関連付けられ得る。ランダムアクセスプロシージャは、基地局１９２１（例えばＮＲのｇＮＢ）が第１のＳＳブロックを無線デバイス１９２１（例えば、ＵＥ）に送信するステップ１９０１で開始することができる。ＳＳブロックのいずれかは、ＰＳＳ、ＳＳＳ、三次同期信号（ＴＳＳ）、またはＰＢＣＨ信号のうちの１つ以上を含み得る。ステップ１９０１の第１のＳＳブロックは、第１のＰＲＡＣＨ構成と関連付けられ得る。ステップ１９０２で、基地局１９２１は、第２のＰＲＡＣＨ構成と関連付けられ得る第２のＳＳブロックを、無線デバイス１９２０に送信し得る。ステップ１９０３で、基地局１９２１は、第３のＰＲＡＣＨ構成と関連付けられ得る第３のＳＳブロックを、無線デバイス１９２０に送信し得る。ステップ１９０４で、基地局１９２１は、第４のＰＲＡＣＨ構成と関連付けられ得る第４のＳＳブロックを、無線デバイス１９２０に送信し得る。任意の数のＳＳブロックが、ステップ１９０３および１９０４に加えて、またはそれらと置換して、同じ様式で送信されてもよい。ＳＳバーストは、任意の数のＳＳブロックを含み得る。例えば、ＳＳバースト１９１０は、ステップ１９０２〜１９０４の間に送信された３つのＳＳブロックを含む。
【００８２】
無線デバイス１９２０は、ステップ１９０５で、例えば、１つ以上のＳＳブロックまたはＳＳバーストを受信した後またはそれに応じて、基地局１９２１にプリアンブルを送信してもよい。プリアンブルは、ＰＲＡＣＨプリアンブルを含んでもよく、ＲＡ  Ｍｓｇ１と呼ばれてもよい。ＰＲＡＣＨプリアンブルは、最良のＳＳブロックビームであると判定され得るＳＳブロック（例えば、ステップ１９０１〜１９０４からのＳＳブロックのうちの１つ）で受信され得るＰＲＡＣＨ構成に従って、またはそれに基づいて、ステップ１９０５で送信され得る。無線デバイス１９２０は、ＰＲＡＣＨプリアンブルを送信する前に受信し得るＳＳブロックの中から最良のＳＳブロックビームを判定し得る。基地局１９２１は、ステップ１９０６で、例えば、ＰＲＡＣＨプリアンブルを受信した後、またはそれに応じて、ＲＡ  Ｍｓｇ２と呼ばれ得るランダムアクセス応答（ＲＡＲ）を送信することができる。ＲＡＲは、ステップ１９０６で、ＰＲＡＣＨ構成と関連付けられたＳＳブロックビームに対応するＤＬビームを介して送信され得る。基地局１９２１は、ＰＲＡＣＨプリアンブルを受信する前に以前に送信したＳＳブロックの中から最良のＳＳブロックビームを判定し得る。基地局１６２１は、最良のＳＳブロックビームと関連付けられたＰＲＡＣＨ構成に従って、またはそれに基づいてＰＲＡＣＨプリアンブルを受信することができる。
【００８３】
無線デバイス１９２０は、ステップ１９０７で、例えば、ＲＡＲを受信した後、またはそれに応じて、ＲＡ  Ｍｓｇ３と呼ばれ得るＲＲＣ接続要求および／またはＲＲＣ接続再開要求メッセージを、基地局１９２１に送信し得る。基地局１９２１は、例えば、ＲＲＣ接続要求および／またはＲＲＣ接続再開要求メッセージを受信した後、またはそれに応じて、ステップ１９０８で、ＲＡ  Ｍｓｇ４と呼ばれ得るＲＲＣ接続設定および／またはＲＲＣ接続再開メッセージを、無線デバイス１９２０に送信し得る。無線デバイス１９２０は、ステップ１９０９で、例えば、ＲＲＣ接続設定および／またはＲＲＣ接続再開を受信した後またはそれに応じて、ＲＡ  Ｍｓｇ５と呼ばれ得るＲＲＣ接続設定完了および／またはＲＲＣ接続再開完了メッセージを、基地局１９２１に送信し得る。無線デバイス１９２０と基地局１９２１との間にＲＲＣ接続を確立することができ、ランダムアクセスプロシージャは、例えば、ＲＲＣ接続設定完了および／またはＲＲＣ接続再開完了メッセージの受信後またはそれに応じて終了することができる。
【００８４】
最良のＳＳブロックビームを含むがこれに限定されない最良のビームは、チャネル状態情報基準信号（ＣＳＩ−ＲＳ）に基づいて判定され得る。無線デバイスは、無線デバイスと基地局との間のリンクのビーム品質を推定するためにマルチビームシステムでＣＳＩ−ＲＳを使用してもよい。例えば、ＣＳＩ−ＲＳの測定に基づいて、無線デバイスは、ダウンリンクチャネル適応のＣＳＩを報告することができる。ＣＳＩパラメータは、プリコーディング行列インデックス（ＰＭＩ）、チャネル品質インデックス（ＣＱＩ）値、および／またはランクインジケータ（ＲＩ）を含み得る。無線デバイスは、ＣＳＩ−ＲＳでの基準信号受信電力（ＲＳＲＰ）測定に基づいてビームインデックスを報告することができる。無線デバイスは、ダウンリンクビーム選択のためにＣＳＩリソース表示（ＣＲＩ）でビームインデックスを報告してもよい。基地局は、１つ以上のアンテナポートを介して、または１つ以上の時間および／もしくは周波数無線リソースを介してなど、ＣＳＩ−ＲＳリソースを介してＣＳＩ−ＲＳを送信することができる。ビームは、ＣＳＩ−ＲＳと関連付けることができる。ＣＳＩ−ＲＳは、ビーム方向の表示を含み得る。複数のビームの各々は、複数のＣＳＩ−ＲＳのうちの１つと関連付けられ得る。ＣＳＩ−ＲＳリソースは、セル固有の方法で、例えば、共通のＲＲＣシグナリングを介して設定され得る。追加または代替として、ＣＳＩ−ＲＳリソースは、例えば、専用ＲＲＣシグナリングならびに／または層１および／もしくは層２（Ｌ１／Ｌ２）シグナリングを介して、無線デバイス固有の方法で構成され得る。セル内の、またはセルによって提供される複数の無線デバイスは、セル固有のＣＳＩ−ＲＳリソースを測定することができる。セル内の、またはセルによって提供される無線デバイスの専用サブセットは、無線デバイス固有のＣＳＩ−ＲＳリソースを測定することができる。基地局は、非定期的な送信を使用して、またはマルチショットもしくは半永続的な送信を使用して、ＣＳＩ−ＲＳリソースを定期的に送信し得る。定期的な送信では、基地局は、時間領域で設定された周期性を使用して、設定されたＣＳＩ−ＲＳリソースを送信することができる。非定期的送信では、基地局は、構成されたＣＳＩ−ＲＳリソースを専用タイムスロットで送信することができる。マルチショットまたは半永続的送信では、基地局は、設定された期間に設定されたＣＳＩ−ＲＳリソースを送信することができる。基地局は、様々な目的のために、様々な用語で様々なＣＳＩ−ＲＳリソースを構成することができる。異なる用語には、例えば、セル固有、デバイス固有、定期的、非定期的、マルチショット、または他の用語が含まれ得る。様々な目的には、例えば、ビーム管理、ＣＱＩレポート、またはその他の目的が含まれ得る。
【００８５】
図２０は、ビームに対して定期的にＣＳＩ−ＲＳを送信する実施例を示している。基地局２００１は、期間２００３の間になど、時間領域で所定の順序でビームを送信することができる。伝送２００２Ｃおよび／または２００３ＥのＣＳＩ−ＲＳ２００４などのＣＳＩ−ＲＳ伝送のために使用されるビームは、ＳＳブロック２００２Ａ、２００２Ｂ、２００２Ｄ、および２００２Ｆ〜２００２ＨなどのＳＳブロック伝送のビーム幅に対して異なるビーム幅を有する場合がある。追加的または代替的に、ＣＳＩ−ＲＳ送信のために使用されるビームのビーム幅は、ＳＳブロックのビーム幅と同じ値を有し得る。１つ以上のＣＳＩ−ＲＳの一部またはすべては、１つ以上のビームに含まれてもよい。ＳＳブロックは、同期シーケンス信号を搬送する、いくつかのＯＦＤＭシンボル（例えば、４）、およびいくつかのサブキャリア（例えば、２４０）を占有し得る。同期シーケンス信号は、セルを識別することができる。
【００８６】
図２１は、時間領域および周波数領域にマッピングされ得るＣＳＩ−ＲＳの実施例を示している。図２１に示される各正方形は、セルの帯域幅内のリソースブロックを表し得る。各リソースブロックは、いくつかのサブキャリアを含んでもよい。セルは、いくつかのリソースブロックで構成される帯域幅を有することができる。基地局（例えば、ＮＲのｇＮＢ）は、１つ以上のＣＳＩ−ＲＳについてのＣＳＩ−ＲＳリソース構成パラメータを含む、１つ以上の無線リソース制御（ＲＲＣ）メッセージを送信してもよい。各ＣＳＩ−ＲＳリソース構成についての上位層シグナリングによって、以下のパラメータ：ＣＳＩ−ＲＳリソース構成識別、ＣＳＩ−ＲＳポートの数、ＣＳＩ−ＲＳ構成（例えば、サブフレーム内のシンボルおよびＲＥの位置）、ＣＳＩ−ＲＳサブフレーム構成（例えば、無線フレーム内のサブフレームの位置、オフセット、および周期性）、ＣＳＩ−ＲＳ電力パラメータ、ＣＳＩ−ＲＳシーケンスパラメータ、ＣＤＭタイプのパラメータ、周波数密度、送信コム、ＱＣＬパラメータ（例えば、ＱＣＬ−ｓｃｒａｍｂｌｉｎｇｉｄｅｎｔｉｔｙ、ｃｒｓ−ｐｏｒｔｓｃｏｕｎｔ、ｍｂｓｆｎ−ｓｕｂｆｒａｍｅｃｏｎｆｉｇｌｉｓｔ、ｃｓｉ−ｒｓ−ｃｏｎｆｉｇＺＰｉｄ、ｑｃｌ−ｃｓｉ−ｒｓ−ｃｏｎｆｉｇＮＺＰｉｄ）、および／またはその他の無線リソースパラメータ、のうちの１つ以上を構成することができる。
【００８７】
図２１は、例えば、無線デバイス固有の構成で、無線デバイス用に構成され得る３つのビームを示している。任意の数の追加のビーム（例えば、空白の正方形の列で表される）またはより少ないビームが、含まれてもよい。ビーム１には、第１のシンボルのリソースブロック（ＲＢ）内のいくつかのサブキャリアで送信され得るＣＳＩ−ＲＳ１が、割り振られ得る。ビーム２には、第２のシンボルのＲＢのいくつかのサブキャリアで伝送され得るＣＳＩ−ＲＳ２が、割り振られ得る。ビーム３には、第３のシンボルのＲＢ内のいくつかのサブキャリアで送信され得るＣＳＩ−ＲＳ３が、割り振られ得る。ＲＢ内のすべてのサブキャリアが、そのＣＳＩ−ＲＳの関連付けられたビーム（例えば、ビーム１）で特定のＣＳＩ−ＲＳ（例えば、ＣＳＩ−ＲＳ１）を伝送するために必ずしも使用されない場合がある。周波数分割多重化（ＦＤＭ）を使用することにより、同じＲＢの無線デバイスについてのビーム１に使用されない他のサブキャリアを、他の無線デバイスについての異なるビームと関連付けられた他のＣＳＩ−ＲＳ送信のために使用することができる。追加または代替として、時間領域多重化（ＴＤＭ）を使用することにより、無線デバイスのために使用されるビームは、無線デバイスについての異なるビーム（例えば、ビーム１、ビーム２、およびビーム３）が他の無線デバイスのビームとは異なるいくつかのシンボルを使用して送信され得るように構成されてもよい。
【００８８】
ビーム管理では、デバイス固有の構成済みＣＳＩ−ＲＳを使用することができる。ビーム管理プロシージャにおいて、無線デバイスは、基地局（例えば、ＮＲのｇＮＢ）による送信ビーム、および無線デバイス（例えば、ＵＥ）による受信ビームを含む、ビームペアリンクのチャネル品質を監視することができる。複数のビームと関連付けられた複数のＣＳＩ−ＲＳが構成されている場合、無線デバイスは、基地局と無線デバイスとの間の複数のビームペアリンクを監視することができる。
【００８９】
無線デバイスは、１つ以上のビーム管理レポートを基地局に送信することができる。ビーム管理レポートは、例えば、構成されたビームのサブセットの１つ以上のビーム識別、ＲＳＲＰ、ＰＭＩ、ＣＱＩ、および／またはＲＩを含む、１つ以上のビームペア品質パラメータを示し得る。
【００９０】
基地局および／または無線デバイスは、ダウンリンクＬ１／Ｌ２ビーム管理プロシージャを実行してもよい。図２３Ａおよび図２３Ｂにそれぞれ示すように、１つ以上のダウンリンクＬ１／Ｌ２ビーム管理プロシージャは、１つまたは複数の送信および受信ポイント（ＴＲＰ）内で実行され得る。
【００９１】
図２２は、３つのビーム管理プロシージャ、Ｐ１、Ｐ２、およびＰ３の実施例を示している。プロシージャＰ１を使用して、ＴＲＰ（または複数のＴＲＰ）の異なる伝送（Ｔｘ）ビームでの無線デバイス測定を可能にし、それにより、例えば、Ｔｘビームおよび／または無線デバイス受信（Ｒｘ）ビーム（複数可）（Ｐ１の上の行と下の行にそれぞれ陰影の楕円として表示されている）の選択をサポートすることができる。ＴＲＰ（または複数のＴＲＰ）でのビームフォーミングには、例えば、１組の異なるビームからのＴＲＰ内および／またはＴＲＰ間のＴｘビームスイープ（Ｐ１およびＰ２の上の行で、破線の矢印で示される反時計回りの方向に回転する楕円として示されている）が含まれてもよい。無線デバイス２２０１でのビームフォーミングには、例えば、１組の異なるビームからの無線デバイスＲｘビームスイープ（Ｐ１およびＰ３の下の行で、破線の矢印で示される時計回りの方向に回転する楕円として示されている）が含まれてもよい。プロシージャＰ２を使用して、例えば、ＴＲＰ間および／またはＴＲＰ内Ｔｘビーム（複数可）を変更し得る、ＴＲＰ（または複数のＴＲＰ）の異なるＴｘビーム（Ｐ２の上の行で、破線の矢印で示される反時計回りの方向に回転する楕円として示されている）での無線デバイス測定を可能にすることができる。プロシージャＰ２は、例えば、プロシージャＰ１よりもビーム洗練化のためのより小さな１組のビームで実行されてもよい。Ｐ２は、Ｐ１の特定の実施例であり得る。プロシージャＰ３を使用して、例えば、無線デバイス２２０１がビームフォーミングを使用する場合に無線デバイスＲｘビームを変更するために、同じＴｘビーム（Ｐ３において楕円として示される）での無線デバイス測定を可能にすることができる。
【００９２】
無線デバイス２２０１（例えば、ＵＥ）および／または基地局２２０２（例えば、ｇＮＢ）は、ビーム障害回復メカニズムをトリガしてもよい。無線デバイス２２０１は、例えば、ビーム障害イベントが発生した場合に、ビーム障害回復（ＢＦＲ）要求送信をトリガしてもよい。ビーム障害イベントには、例えば、関連付けられた制御チャネルのビームペアリンク（複数可）の品質が不十分であるという判定が含まれる場合がある。関連付けられたチャネルのビームペアリンク（複数可）の不十分な品質の判定は、品質が閾値を下回ることおよび／またはタイマの満了に基づいてもよい。
【００９３】
無線デバイス２２０１は、１つ以上の基準信号（ＲＳ）を使用してビームペアリンク（複数可）の品質を測定し得る。１つ以上のＳＳブロック、１つ以上のＣＳＩ−ＲＳリソース、および／またはＰＢＣＨの１つ以上の復調基準信号（ＤＭ−ＲＳ）は、ビームペアリンクの品質を測定するためのＲＳとして使用され得る。１つ以上のＣＳＩ−ＲＳリソースの各々は、ＣＳＩ−ＲＳリソースインデックス（ＣＲＩ）と関連付けられ得る。ビームペアリンクの品質は、ＲＳリソースで測定されたＲＳＲＰ値、基準信号受信品質（ＲＳＲＱ）値、および／またはＣＳＩ値のうちの１つ以上に基づいてもよい。基地局２２０２は、例えば、ビームペアリンク品質を測定するために使用され得るＲＳリソースが、制御チャネルの１つ以上のＤＭ−ＲＳと準共配置される（ＱＣＬｅｄ）ことを示し得る。ＲＳを介した無線デバイス２２０１への送信からのチャネル特性、および制御チャネルを介した無線デバイスへの送信からのチャネル特性が、設定された基準の下で類似または同じである場合、制御チャネルのＲＳリソースおよびＤＭ−ＲＳは、ＱＣＬされ得る。
【００９４】
図２３Ａは、単一のＴＲＰが関与するビーム障害イベントの実施例を示している。基地局２３０１などの単一のＴＲＰは、無線デバイス２３０２に、第１のビーム２３０３および第２のビーム２３０４を送信することができる。例えば、第２のビーム２３０４などのサービングビームが移動車両２３０５またはその他の障害物（例えば、建物、樹木、土地、または任意の物体）によってブロックされている場合、およびサービングビームを含む構成されたビーム（例えば、第１のビーム２３０３および／または第２のビーム２３０４）が単一のＴＲＰから受信されている場合に、ビーム障害イベントは発生し得る。無線デバイス２３０２は、ビーム障害が発生したときに、ビーム障害から回復するためのメカニズムをトリガすることができる。
【００９５】
図２３Ｂは、複数のＴＲＰが関与するビーム障害イベントの実施例を示している。第１の基地局２３０６および第２の基地局２３０９などでの複数のＴＲＰは、無線デバイス２３０８に、第１のビーム２３０７（例えば、第１の基地局２３０６からの）および第２のビーム２３１０（例えば、第２の基地局２３０９からの）を送信することができる。例えば、第２のビーム２３１０などのサービングビームが移動車両２３１１またはその他の障害物（例えば、建物、樹木、土地、または任意の物体）によってブロックされている場合、および構成されたビーム（例えば、第１のビーム２３０７および／または第２のビーム２３１０）が複数のＴＲＰから受信されている場合に、ビーム障害イベントは発生し得る。無線デバイス２００８は、ビーム障害が発生したときに、ビーム障害から回復するためのメカニズムをトリガすることができる。
【００９６】
無線デバイスは、ＭビームペアリンクでＮｅｗ  Ｒａｄｉｏ  ＰＤＣＣＨ（ＮＲ−ＰＤＣＣＨ）などのＰＤＣＣＨを同時に監視することができ、ここで、Ｍ≧１であり、かつＭの最大値は、少なくとも無線デバイスの機能に依存し得る。このような監視は、ビームペアリンクのブロッキングに対するロバスト性を向上することができる。基地局は、異なるビームペアリンク（複数可）での、および／または異なるＮＲ−ＰＤＣＣＨ  ＯＦＤＭシンボルにおけるＮＲ−ＰＤＣＣＨを無線デバイスに監視させるように構成された１つ以上のメッセージを、送信することができ、かつ無線デバイスは、それを受信することができる。
【００９７】
基地局は、複数のビームペアリンクでＮＲ−ＰＤＣＣＨを監視するための無線デバイスのＲｘビーム設定に関連するパラメータを含み得る、上位層シグナリングおよび／またはＭＡＣ制御要素（ＭＡＣ  ＣＥ）を送信してもよい。基地局は、第１のＤＬ  ＲＳアンテナポート（複数可）と第２のＤＬ  ＲＳアンテナポート（複数可）との間の空間ＱＣＬ仮定の１つ以上の表示を送信してもよい。第１のＤＬ  ＲＳアンテナポート（複数可）は、セル固有のＣＳＩ−ＲＳ、デバイス固有のＣＳＩ−ＲＳ、ＳＳブロック、ＰＢＣＨのＤＭ−ＲＳを伴うＰＢＣＨ、および／またはＰＢＣＨのＤＭ−ＲＳを伴わないＰＢＣＨのうちの１つ以上のためのものであり得る。第２のＤＬ  ＲＳアンテナポート（複数可）は、ＤＬ制御チャネルの復調のためのものであり得る。ＮＲ−ＰＤＣＣＨについてのビーム表示のシグナリング（ＮＲ−ＰＤＣＣＨを監視するための構成など）は、ＭＡＣ  ＣＥシグナリング、ＲＲＣシグナリング、ＤＣＩシグナリング、または仕様透過的および／もしくは暗黙的方法、ならびにそれらの任意の組み合わせを介して行われ得る。
【００９８】
ユニキャストＤＬデータチャネルの受信の場合、基地局は、ＤＬデータチャネルのＤＬ  ＲＳアンテナポート（複数可）とＤＭ−ＲＳアンテナポート（複数可）との間の空間ＱＣＬパラメータを示すことができる。基地局は、ＲＳアンテナポート（複数可）を示す情報を含むＤＣＩ（例えば、ダウンリンク許可）を送信することができる。情報は、ＤＭ−ＲＳアンテナポート（複数可）でＱＣＬされ得る、ＲＳアンテナポート（複数可）を示している場合がある。ＤＬデータチャネルについてのＤＭ−ＲＳアンテナポート（複数可）の異なるセットは、ＲＳアンテナポート（複数可）の異なるセットを用いてＱＣＬとして示され得る。
【００９９】
基地局がＰＤＣＣＨについてのＣＳＩ−ＲＳとＤＭ−ＲＳとの間の空間ＱＣＬパラメータを示す信号を送信する場合、無線デバイスは、ＰＤＣＣＨについてのＤＭ−ＲＳでＱＣＬされたＣＳＩ−ＲＳを使用して、ビームペアリンクの品質を監視することができる。ビーム障害イベントが発生した場合、無線デバイスは、判定された構成などによって、ビーム障害回復要求を送信することができる。
【０１００】
無線デバイスが、例えば、アップリンク物理チャネルまたは信号を介してビーム障害回復要求を送信する場合、基地局は、アップリンク物理チャネルまたは信号を監視することによって、無線デバイスに対するビーム障害イベントがあることを検出し得る。基地局は、基地局と無線デバイスとの間でＰＤＣＣＨを送信するためのビームペアリンクを回復するために、ビーム回復メカニズムを開始してもよい。基地局は、例えば、ビーム障害回復要求の受信後または受信に応じて、１つ以上の制御信号を、無線デバイスに送信してもよい。ビーム回復メカニズムは、例えば、Ｌ１スキーム、またはより上位層のスキームであり得る。
【０１０１】
基地局は、例えば、アップリンク物理チャネルの構成パラメータおよび／またはビーム障害回復要求を送信するための信号を含む、１つ以上のメッセージを送信することができる。アップリンク物理チャネルおよび／または信号は、他のＰＲＡＣＨ送信のリソースに直交するリソースを使用し得る、非競合ベースのＰＲＡＣＨ（例えば、ビーム障害回復ＰＲＡＣＨまたはＢＦＲ−ＰＲＡＣＨ）、ＰＵＣＣＨ（例えば、ビーム障害回復ＰＵＣＣＨまたはＢＦＲ−ＰＵＣＣＨ）、および／または競合ベースのＰＲＡＣＨリソースのうちの少なくとも１つに基づいてもよい。これらの候補信号および／またはチャネルの組み合わせは、基地局によって構成されてもよい。
【０１０２】
ｇＮＢは、１つまたは複数のＢＦＲ要求を受信した後、ＵＥに確認メッセージを応答し得る。確認メッセージは、ＵＥが１つまたは複数のＢＦＲ要求で示す候補ビームに関連付けられたＣＲＩを含み得る。確認メッセージは、Ｌ１制御情報であり得る。
【０１０３】
キャリアアグリゲーション（ＣＡ）では、２つ以上のコンポーネントキャリア（ＣＣ）が集約され得る。無線デバイスは、ＣＡの技術を使用して、無線デバイスの機能に応じて、１つ以上のＣＣで同時に受信または伝送し得る。一例では、無線デバイスは、隣接するＣＣおよび／または隣接しないＣＣに対してＣＡをサポートし得る。ＣＣはセルに編成され得る。例えば、ＣＣは１つのプライマリセル（ＰＣｅｌｌ）と１つ以上のセカンダリセル（ＳＣｅｌｌ）とに編成され得る。
【０１０４】
ＣＡを用いて構成されると、無線デバイスはネットワークとの１つのＲＲＣ接続を有し得る。ＲＲＣ接続の確立／再確立／ハンドオーバ中、ＮＡＳモビリティ情報を提供するセルはサービングセルであり得る。ＲＲＣ接続の再確立／ハンドオーバプロシージャ中、セキュリティ入力を提供するセルはサービングセルであり得る。一例では、サービングセルはＰＣｅｌｌを示し得る。一例では、ｇＮＢは、無線デバイスの機能に応じて、複数の１つ以上のＳＣｅｌｌの構成パラメータを含む１つ以上のメッセージを無線デバイスに伝送し得る。
【０１０５】
ＣＡを用いて構成されると、基地局および／または無線デバイスは、無線デバイスのバッテリまたは電力消費を改善するために、ＳＣｅｌｌのアクティブ化／非アクティブ化メカニズムを使用してもよい。無線デバイスが１つ以上のＳＣｅｌｌを用いて構成されると、ｇＮＢは１つ以上のＳＣｅｌｌのうちの少なくとも１つをアクティブ化または非アクティブ化することができる。ＳＣｅｌｌの構成時に、ＳＣｅｌｌに関連付けられたＳＣｅｌｌ状態が「アクティブ化」または「休止」に設定されていない限り、ＳＣｅｌｌを非アクティブ化し得る。
【０１０６】
一例では、無線デバイスは、ＳＣｅｌｌアクティブ化／非アクティブ化ＭＡＣ  ＣＥを受信することに応じてＳＣｅｌｌをアクティブ化／非アクティブ化することができる。
【０１０７】
一例では、ｇＮＢは、無線デバイスに、ＳＣｅｌｌタイマ（例えば、ｓＣｅｌｌＤｅａｃｔｉｖａｔｉｏｎＴｉｍｅｒ）を含む１つ以上のメッセージを伝送し得る。一例では、無線デバイスは、ＳＣｅｌｌタイマの満了に応答してＳＣｅｌｌを非アクティブ化し得る。
【０１０８】
無線デバイスがＳＣｅｌｌをアクティブ化するＳＣｅｌｌアクティブ化／非アクティブ化ＭＡＣ  ＣＥを受信すると、無線デバイスはＳＣｅｌｌをアクティブ化し得る。ＳＣｅｌｌのアクティブ化に応答して、無線デバイスは、ＳＣｅｌｌ上でのＳＲＳ伝送、ＳＣｅｌｌのＣＱＩ／ＰＭＩ／ＲＩ／ＣＲＩ報告、ＳＣｅｌｌでのＰＤＣＣＨ監視、ＳＣｅｌｌのＰＤＣＣＨ監視、および／またはＳＣｅｌｌでのＰＵＣＣＨ伝送を含む動作を実行し得る。
【０１０９】
一例では、ＳＣｅｌｌのアクティブ化に応答して、無線デバイスは、ＳＣｅｌｌに関連付けられた第１のＳＣｅｌｌタイマ（例えば、ｓＣｅｌｌＤｅａｃｔｉｖａｔｉｏｎＴｉｍｅｒ）を始動または再始動させてもよい。無線デバイスは、ＳＣｅｌｌをアクティブ化するＳＣｅｌｌアクティブ化／非アクティブ化ＭＡＣ  ＣＥが受信されると、スロット内の第１のＳＣｅｌｌタイマを始動または再始動させ得る。一例では、ＳＣｅｌｌのアクティブ化に応答して、無線デバイスは、記憶された構成に従って、ＳＣｅｌｌに関連付けられた構成された許可タイプ１の１つ以上のサスペンドされた構成済みアップリンク許可を（再）初期化することができる。一例では、ＳＣｅｌｌのアクティブ化に応答して、無線デバイスはＰＨＲをトリガしてもよい。
【０１１０】
無線デバイスが、アクティブ化されたＳＣｅｌｌを非アクティブ化するＳＣｅｌｌアクティブ化／非アクティブ化ＭＡＣ  ＣＥを受信すると、無線デバイスはアクティブ化されたＳＣｅｌｌを非アクティブ化し得る。一例では、アクティブ化されたＳＣｅｌｌに関連付けられた第１のＳＣｅｌｌタイマ（例えば、ｓＣｅｌｌＤｅａｃｔｉｖａｔｉｏｎＴｉｍｅｒ）が満了すると、無線デバイスはアクティブ化されたＳＣｅｌｌを非アクティブ化し得る。アクティブ化されたＳＣｅｌｌの非アクティブ化に応答して、無線デバイスは、アクティブ化されたＳＣｅｌｌに関連付けられた第１のＳＣｅｌｌタイマを停止してもよい。一例では、アクティブ化されたＳＣｅｌｌの非アクティブ化に応答して、無線デバイスは、アクティブ化されたＳＣｅｌｌに関連付けられた構成済みアップリンク許可タイプ２の１つ以上の構成済みダウンリンク割り当ておよび／または１つ以上の構成済みアップリンク許可をクリアし得る。一例では、アクティブ化されたＳＣｅｌｌの非アクティブ化に応答して、無線デバイスは、アクティブ化されたＳＣｅｌｌに関連付けられた構成済みアップリンク許可タイプ１の１つ以上の構成済みアップリンク許可をサスペンドし得る、および／またはアクティブ化されたＳＣｅｌｌに関連付けられたＨＡＲＱバッファをフラッシュし得る。
【０１１１】
一例では、ＳＣｅｌｌが非アクティブ化されると、無線デバイスは、ＳＣｅｌｌ上でＳＲＳを伝送すること、ＳＣｅｌｌのＣＱＩ／ＰＭＩ／ＲＩ／ＣＲＩを報告すること、ＳＣｅｌｌ上のＵＬ−ＳＣＨで伝送すること、ＳＣｅｌｌ上のＲＡＣＨで伝送すること、ＳＣｅｌｌ上の少なくとも１つの第１のＰＤＣＣＨを監視すること、ＳＣｅｌｌの少なくとも１つの第２のＰＤＣＣＨを監視すること、および／またはＳＣｅｌｌ上でＰＵＣＣＨを伝送すること、を含む動作を実行しないことが可能である。
【０１１２】
一例では、アクティブ化されたＳＣｅｌｌ上の少なくとも１つの第１のＰＤＣＣＨがアップリンク許可またはダウンリンク割り当てを示すと、無線デバイスは、アクティブ化されたＳＣｅｌｌに関連付けられた第１のＳＣｅｌｌタイマ（例えば、ｓＣｅｌｌＤｅａｃｔｉｖａｔｉｏｎＴｉｍｅｒ）を再始動させ得る。一例では、アクティブ化されたＳＣｅｌｌをスケジューリングしているサービングセル（例えば、ＰＣｅｌｌまたはＰＵＣＣＨを用いて構成されたＳＣｅｌｌ、すなわちＰＵＣＣＨ  ＳＣｅｌｌ）上の少なくとも１つの第２のＰＤＣＣＨが、アクティブ化されたＳＣｅｌｌのアップリンク許可またはダウンリンク割り当てを示す場合、無線デバイスは、アクティブ化されたＳＣｅｌｌに関連付けられた第１のＳＣｅｌｌタイマ（例えば、ｓＣｅｌｌＤｅａｃｔｉｖａｔｉｏｎＴｉｍｅｒ）を再始動させ得る。
【０１１３】
一例では、ＳＣｅｌｌが非アクティブ化されると、ＳＣｅｌｌ上に進行中のランダムアクセスプロシージャがある場合、無線デバイスはＳＣｅｌｌ上の進行中のランダムアクセスプロシージャを中止してもよい。
【０１１４】
図２４Ａは、１オクテットのＳＣｅｌｌアクティブ化／非アクティブ化ＭＡＣ  ＣＥの例を示す。第１のＬＣＩＤ（例えば、「１１１０１０」）を有する第１のＭＡＣ  ＰＤＵサブヘッダは、１オクテットのＳＣｅｌｌアクティブ化／非アクティブ化ＭＡＣ  ＣＥを識別することができる。１オクテットのＳＣｅｌｌアクティブ化／非アクティブ化ＭＡＣ  ＣＥのサイズは固定されてもよい。１オクテットのＳＣｅｌｌアクティブ化／非アクティブ化ＭＡＣ  ＣＥは、単一のオクテットを含んでもよい。単一のオクテットは、第１の数のＣフィールド（例えば、７）と第２の数のＲフィールド（例えば１）とを含むことができる。
【０１１５】
図２４Ｂは、４オクテットのＳＣｅｌｌアクティブ化／非アクティブ化ＭＡＣ  ＣＥの例を示す。第２のＬＣＩＤ（例えば、「１１１００１」）を有する第２のＭＡＣ  ＰＤＵサブヘッダは、４オクテットのＳＣｅｌｌアクティブ化／非アクティブ化ＭＡＣ  ＣＥを識別することができる。４オクテットのＳＣｅｌｌアクティブ化／非アクティブ化ＭＡＣ  ＣＥのサイズは固定されてもよい。４オクテットのＳＣｅｌｌアクティブ化／非アクティブ化ＭＡＣ  ＣＥは、４オクテットを含むことができる。４つのオクテットは、第３の数のＣフィールド（例えば、３１）と第４の数のＲフィールド（例えば、１）とを含むことができる。
【０１１６】
図２４Ａおよび／または図２４Ｂにおいて、Ｓセルインデックスｉを有するＳセルｉが構成される場合、Ｃｉフィールドが、Ｓセルインデックスｉを有するＳセルのアクティブ化／非アクティブ化ステータスを示し得る。一例では、Ｃｉフィールドが１に設定されると、ＳＣｅｌｌインデックスｉを有するＳＣｅｌｌがアクティブ化され得る。一例では、Ｃｉフィールドがゼロに設定されると、ＳＣｅｌｌインデックスｉを有するＳＣｅｌｌが非アクティブ化され得る。一例では、ＳＣｅｌｌインデックスｉを用いて構成されたＳＣｅｌｌがない場合、無線デバイスはＣｉフィールドを無視し得る。図２４Ａおよび図２４Ｂにおいて、Ｒフィールドが予約ビットを示し得る。Ｒフィールドはゼロに設定され得る。
【０１１７】
図２５Ａおよび図２５Ｂは、ＵＥがＭＡＣアクティブ化コマンドを受信するタイムラインを示す。ＵＥがサブフレームｎにおけるセカンダリセルのＭＡＣアクティブ化コマンドを受信すると、ＭＡＣレイヤにおける対応するアクションは、ＣＳＩ報告に関連するアクションと、サブフレームｎ＋８で適用される、セカンダリセルに関連付けられたｓＣｅｌｌＤｅａｃｔｉｖａｔｉｏｎＴｉｍｅｒに関連するアクションと、を除いて、３ＧＰＰ  ＴＳ３６．１３３またはＴＳ３８．１３３で定義された最小要件以前かつサブフレームｎ＋８以後に適用される。ＵＥがセカンダリセルのＭＡＣ非アクティブ化コマンドを受信するか、またはセカンダリセルに関連付けられたｓＣｅｌｌＤｅａｃｔｉｖａｔｉｏｎＴｉｍｅｒがサブフレームｎで満了すると、ＭＡＣレイヤの対応するアクションが、サブフレームｎ＋８で適用されることとなる、ＣＳＩ報告に関連するアクションを除いて、３ＧＰＰ  ＴＳ３６．１３３またはＴＳ３８．１３３で定義された最小要件以前に適用されることとなる。
【０１１８】
ＵＥがサブフレームｎでセカンダリセルのＭＡＣアクティブ化コマンドを受信すると、ＣＳＩ報告に関連するアクションとセカンダリセルに関連付けられたｓＣｅｌｌＤｅａｃｔｉｖａｔｉｏｎＴｉｍｅｒに関連するアクションとが、サブフレームｎ＋８で適用される。ＵＥがセカンダリフレームのＭＡＣ非アクティブ化コマンドを受信するか、またはサブフレームｎで他の非アクティブ化条件が満たされる（例えば、セカンダリセルに関連付けられたｓＣｅｌｌＤｅａｃｔｉｖａｔｉｏｎＴｉｍｅｒが満了する）と、ＣＳＩ報告に関連するアクションがサブフレームｎ＋８で適用される。ＵＥは、（ｎ＋８）番目のサブフレームでＳｃｅｌｌの無効または有効なＣＳＩの報告を開始し、ｎ番目のサブフレームでＳＣｅｌｌをアクティブ化するＭＡＣ  ＣＥを受信すると、ｓＣｅｌｌＤｅａｃｔｉｖａｔｉｏｎＴｉｍｅｒを始動または再始動させる。アクティブ化が遅いＵＥについて、ＵＥは（ｎ＋８）番目のサブフレームで無効なＣＳＩ（範囲外のＣＳＩ）を報告する場合があり、アクティブ化が速いＵＥについて、ＵＥは（ｎ＋８）番目のサブフレームで有効なＣＳＩを報告し得る。
【０１１９】
ＵＥがサブフレームｎでＳＣｅｌｌのＭＡＣアクティブ化コマンドを受信すると、ＵＥはサブフレームｎ＋８でＳＣｅｌｌのＣＱＩ／ＰＭＩ／ＲＩ／ＰＴＩの報告を開始し、サブフレームｎ＋８でＳＣｅｌｌに関連付けられたｓＣｅｌｌＤｅａｃｔｉｖａｔｉｏｎＴｉｍｅｒを始動または再始動させる。ＵＥとｅＮＢとの両方についてのこれらのアクションのタイミングを定義することは重要である。例えば、ｓＣｅｌｌＤｅａｃｔｉｖａｔｉｏｎＴｉｍｅｒがｅＮＢとＵＥとの両方で維持され、ＵＥとｅＮＢとの両方が同じＴＴＩでこのタイマを停止、始動、および／または再始動することが重要である。そうでない場合、ＵＥのｓＣｅｌｌＤｅａｃｔｉｖａｔｉｏｎＴｉｍｅｒは、ｅＮＢの対応するｓＣｅｌｌＤｅａｃｔｉｖａｔｉｏｎＴｉｍｅｒと同期していない可能性がある。また、ｅＮＢは、同じＴＴＩ内の事前定義されたタイミングに従って、および／またはＵＥがＣＳＩの伝送を開始した後に、ＣＳＩ（ＣＱＩ／ＰＭＩ／ＲＩ／ＰＴＩ）の監視および受信を開始する。ＵＥおよびｅＮＢのＣＳＩタイミングが共通の標準またはエアインターフェースシグナリングに基づいて協調されない場合、ネットワーク動作は非効率的な動作および／またはエラーをもたらし得る。
【０１２０】
図２６は、基地局で２つのＴｘアンテナを用い、かつＬＴＥシステムにキャリアアグリゲーションを用いない、２０ＭＨｚのＦＤＤ動作の例のＤＣＩフォーマットを示す。ＮＲシステムでは、ＤＣＩフォーマットは、セル内のＰＵＳＣＨのスケジューリングを示すＤＣＩフォーマット０＿０／０＿１、セル内のＰＤＳＣＨのスケジューリングを示すＤＣＩフォーマット１＿０／１＿１、ＵＥのグループにスロットフォーマットを通知するＤＣＩフォーマット２＿０、ＵＥが伝送を意図していないとＵＥが想定し得るＰＲＢ（複数可）およびＯＦＤＭシンボル（複数可）をＵＥのグループに通知するＤＣＩフォーマット２＿１、ＰＵＣＣＨおよびＰＵＳＣＨのＴＰＣコマンドの伝送を示すＤＣＩフォーマット２＿２、および／または１つ以上のＵＥによるＳＲＳ伝送のためのＴＰＣコマンドのグループの伝送を示すＤＣＩフォーマット２＿３、とのうちの少なくとも１つを含んでもよい。一例では、ｇＮＢは、スケジューリング決定および電力制ために、ＰＤＣＣＨを介してＤＣＩを伝送し得る。より具体的には、ＤＣＩは、ダウンリンクスケジューリング割り当て、アップリンクスケジューリング許可、電力制御コマンド、のうちの少なくとも１つを含み得る。ダウンリンクスケジューリング割り当ては、ＰＤＳＣＨリソース表示、トランスポートフォーマット、ＨＡＲＱ情報、マルチアンテナスキームに関連する制御情報、ダウンリンクスケジューリング割り当てに応答するＡＣＫ／ＮＡＣＫの伝送に使用されるＰＵＣＣＨの電力制御のためのコマンド、のうちの少なくとも１つを含むことができる。アップリンクスケジューリング許可は、ＰＵＳＣＨリソース表示、トランスポートフォーマット、ＨＡＲＱ関連情報、ＰＵＳＣＨの電力制御コマンド、のうちの少なくとも１つを含み得る。
【０１２１】
一例では、種々のタイプの制御情報が、種々のＤＣＩペイロードサイズに対応し得る。例えば、周波数領域においてＲＢの非連続アロケーションで空間多重化をサポートするには、周波数連続アロケーションのみを可能とし得るアップリンク許可と比較して、より大きなスケジューリングメッセージが必要となり得る。フォーマットが特定のメッセージサイズおよび使用法に対応する場合に、ＤＣＩは種々のＤＣＩフォーマットに分類されてもよい。
【０１２２】
一例では、ＵＥは、１つ以上のＤＣＩフォーマットを有する１つ以上のＤＣＩを検出するために、１つ以上のＰＤＣＣＨを監視してもよい。１つ以上のＰＤＣＣＨは、共通検索空間またはＵＥ固有の検索空間で伝送され得る。ＵＥは、電力消費を節減するために、限られた１組のＤＣＩフォーマットのみを有するＰＤＣＣＨを監視してもよい。例えば、通常のＵＥは、ｅＭＴＣ  ＵＥに使用されるＤＣＩフォーマット６を有するＤＣＩを検出する必要がない場合がある。検出されるべきＤＣＩフォーマットが多いほど、ＵＥでより多くの電力が消費される。
【０１２３】
一例では、ＵＥは、１つ以上のＤＣＩフォーマットを有する１つ以上のＤＣＩを検出するために、１つ以上のＰＤＣＣＨ候補を監視してもよい。１つ以上のＰＤＣＣＨは、共通検索空間またはＵＥ固有の検索空間で伝送され得る。ＵＥは、電力消費を節減するために、限られた１組のＤＣＩフォーマットのみを有するＰＤＣＣＨを監視してもよい。例えば、通常のＵＥは、ｅＭＴＣ  ＵＥに使用されるＤＣＩフォーマット６を有するＤＣＩを検出する必要がない場合がある。検出されるべきＤＣＩフォーマットが多いほど、ＵＥでより多くの電力が消費される。
【０１２４】
一例では、ＵＥが監視する１つ以上のＰＤＣＣＨ候補は、ＰＤＣＣＨ  ＵＥ固有の検索空間に関して定義され得る。ＣＣＥアグリゲーションレベルＬ∈｛１，２，４，８｝のＰＤＣＣＨ  ＵＥ固有の検索空間は、ＣＣＥアグリゲーションレベルＬのＰＤＣＣＨ候補のセットによって定義されてもよい。一例では、ＤＣＩフォーマットの場合、ＵＥは、ＣＣＥ集約レベルＬごとの多数のＰＤＣＣＨ候補の１つ以上の上位層パラメータによってサービングセルごとに構成され得る。
【０１２５】
一例では、非ＤＲＸモード動作では、ＵＥは、制御リソースセットｑの１つ以上の上位層パラメータによって構成され得るＷＰＤＣＣＨ，ｑシンボルの周期性に従って、制御リソースセットｑの１つ以上のＰＤＣＣＨ候補を監視し得る。
【０１２６】
一例では、ＵＥが上位層パラメータ、例えばｃｉｆ−ＩｎＳｃｈｅｄｕｌｉｎｇＣｅｌｌを用いて構成される場合、キャリアインジケータフィールド値はｃｉｆ−ＩｎＳｃｈｅｄｕｌｉｎｇＣｅｌｌに対応し得る。
【０１２７】
一例では、ＵＥ固有の検索空間でＵＥが１つ以上のＰＤＣＣＨ候補を監視し得るサービングセルについて、ＵＥがキャリアインジケータフィールドを用いて構成されていない場合、ＵＥは、キャリアインジケータフィールドを有しない１つ以上のＰＤＣＣＨ候補を監視し得る。一例では、ＵＥ固有の検索空間でＵＥが１つ以上のＰＤＣＣＨ候補を監視し得るサービングセルについて、ＵＥがキャリアインジケータフィールドを用いて構成される場合、ＵＥは、キャリアインジケータフィールドを有する１つ以上のＰＤＣＣＨ候補を監視し得る。
【０１２８】
一例では、ＵＥは、別のサービングセル内のセカンダリセルに対応するキャリアインジケータフィールドを有する１つ以上のＰＤＣＣＨ候補を監視するようにＵＥが構成される場合、セカンダリセル上の１つ以上のＰＤＣＣＨ候補を監視しなくてもよい。例えば、ＵＥが１つ以上のＰＤＣＣＨ候補を監視し得るサービングセルについて、ＵＥは、少なくとも同じサービングセルについて１つ以上のＰＤＣＣＨ候補を監視し得る。
【０１２９】
一例では、ダウンリンクスケジューリングに使用されるＤＣＩフォーマットの情報は、ＤＣＩフォーマット間で相違して存在するフィールドを有する異なるグループに編成でき、キャリアインジケータ（０または３ビット）、ＲＢアロケーションからなるリソース情報と、ＨＡＲＱプロセス番号と、ＭＣＳ、ＮＤＩ、およびＲＶ（第１のＴＢに対する）と、ＭＣＳ、ＮＤＩ、およびＲＶ（第２のＴＢに対する）と、ＭＩＭＯ関連情報と、ＰＤＳＣＨリソース要素マッピングおよびＱＣＩと、ダウンリンク割り当てインデックス（ＤＡＩ）と、ＰＵＣＣＨのＴＰＣと、ＳＲＳ要求（１ビット）と、ワンショットＳＲＳ伝送のトリガと、ＡＣＫ／ＮＡＣＫオフセットと、ＤＣＩフォーマット１ＡとＤＣＩフォーマット０とを区別するために使用されるＤＣＩフォーマット０／１Ａ表示と、必要に応じたパディングと、のうちの少なくとも１つを含む。ＭＩＭＯ関連情報は、ＰＭＩ、プリコーディング情報、トランスポートブロックスワップフラグ、ＰＤＳＣＨと基準信号との間の電力オフセット、基準信号スクランブルシーケンス、レイヤ数、および／または伝送用アンテナポート、のうちの少なくとも１つを含み得る。
【０１３０】
一例では、アップリンクスケジューリングに使用されるＤＣＩフォーマットの情報は、ＤＣＩフォーマット間で相違して存在するフィールドを有する異なるグループに編成でき、キャリアインジケータ、リソースアロケーションタイプ、ＲＢアロケーションからなるリソース情報と、ＭＣＳ、ＮＤＩ（第１のＴＢに対する）と、ＭＣＳ、ＮＤＩ（第２のＴＢ）と、アップリンクＤＭＲＳの位相回転と、プリコーディング情報と、非周期的なＣＳＩレポートを要求するＣＳＩリクエストと、最大３つの事前構成された設定のうちの１つを使用して非周期的なＳＲＳ伝送をトリガするために使用されるＳＲＳ要求（２ビット）と、アップリンクインデックス／ＤＡＩと、ＰＵＳＣＨのＴＰＣと、ＤＣＩフォーマット０／１Ａ表示と、必要に応じたパディングと、のうちの少なくとも１つを含む。
【０１３１】
一例では、ｇＮＢは、ＰＤＣＣＨを介してＤＣＩを伝送する前に、ＤＣＩに対してＣＲＣスクランブリングを実行し得る。ｇＮＢは、ＤＣＩのＣＲＣビットを有する少なくとも１つの無線デバイス識別子（例えば、Ｃ−ＲＮＴＩ、ＣＳ−ＲＮＴＩ、ＴＰＣ−ＣＳ−ＲＮＴＩ、ＴＰＣ−ＰＵＣＣＨ−ＲＮＴＩ、ＴＰＣ−ＰＵＳＣＨ−ＲＮＴＩ、ＳＰ  ＣＳＩ  Ｃ−ＲＮＴＩ、ＳＲＳ−ＴＰＣ−ＲＮＴＩ、ＩＮＴ−ＲＮＴＩ、ＳＦＩ−ＲＮＴＩ、Ｐ−ＲＮＴＩ、ＳＩ−ＲＮＴＩ、ＲＡ−ＲＮＴＩ、および／またはＭＣＳ−Ｃ−ＲＮＴＩ）の複数のビットのビットごとの加算（または、法２の加算または排他的ＯＲ（ＸＯＲ）演算）によってＣＲＣを実行し得る。無線デバイスは、ＤＣＩを検出すると、ＤＣＩのＣＲＣビットを検査し得る。無線デバイスは、少なくとも１つの無線デバイス識別子と同じであるビットシーケンスによってＣＲＣがスクランブルされると、ＤＣＩを受信し得る。
【０１３２】
ＮＲシステムでは、広帯域幅動作をサポートするために、ｇＮＢは異なる制御リソースセットで１つ以上のＰＤＣＣＨを伝送し得る。ｇＮＢは、１つ以上の制御リソースセットの構成パラメータを含む１つ以上のＲＲＣメッセージを伝送し得る。１つ以上の制御リソースセットのうちの少なくとも１つは、最初のＯＦＤＭシンボル、連続的なＯＦＤＭシンボルの数、リソースブロックのセット、ＣＣＥからＲＥＧへのマッピング、インターリーブされたＣＣＥからＲＥＧへのマッピングの場合のＲＥＧバンドルサイズ、のうちの少なくとも１つを含み得る。
【０１３３】
図２７は、複数のＢＷＰ構成の例を示す。ｇＮＢは、セルの１つ以上の帯域幅部分（ＢＷＰ）の構成パラメータを含む１つ以上のメッセージを伝送し得る。セルは、ＰＣｅｌｌまたはＳＣｅｌｌであり得る。１つ以上のＢＷＰは、異なるニューメロロジーを有してもよい。ｇＮＢは、クロスＢＷＰスケジューリングのための１つ以上の制御情報を、ＵＥに伝送してもよい。周波数領域では、１つのＢＷＰが別のＢＷＰと重複し得る。
【０１３４】
一例では、ｇＮＢは、アクティブなＤＬまたはＵＬ  ＢＷＰとして少なくとも１つのＢＷＰ、およびデフォルトのＤＬまたはＵＬ  ＢＷＰとして０または１つのＢＷＰを有する、セルの１つ以上のＤＬおよび／またはＵＬ  ＢＷＰの構成パラメータを含む１つ以上のメッセージを伝送し得る。ＰＣｅｌｌの場合、アクティブなＤＬ  ＢＷＰは、ＵＥが１つ以上のＰＤＣＣＨを監視し、および／またはＰＤＳＣＨを受信し得るＤＬ  ＢＷＰであり得る。アクティブなＵＬ  ＢＷＰは、ＵＥがアップリンク信号を伝送し得るＵＬ  ＢＷＰである。セカンダリセル（ＳＣｅｌｌ）が構成される場合、アクティブなＤＬ  ＢＷＰは、ＭＡＣアクティブ化／非アクティブ化ＣＥを受信することによりＳＣｅｌｌがアクティブ化されると、ＵＥが１つ以上のＰＤＣＣＨを監視してＰＤＳＣＨを受信し得るＤＬ  ＢＷＰであり得る。アクティブなＵＬ  ＢＷＰは、ＭＡＣアクティブ化／非アクティブ化ＣＥを受信することによりＳＣｅｌｌがアクティブ化されると、ＵＥがＰＵＣＣＨ（構成される場合）および／またはＰＵＳＣＨを伝送し得るＵＬ  ＢＷＰである。複数のＢＷＰの構成を使用して、ＵＥの電力消費を節減し得る。アクティブなＢＷＰとデフォルトのＢＷＰとを用いて構成されると、アクティブなＢＷＰにアクティビティがない場合、ＵＥはデフォルトのＢＷＰに切り替え得る。例えば、デフォルトのＢＷＰは狭い帯域幅を用いて構成されてもよく、アクティブなＢＷＰは広い帯域幅を用いて構成されてもよい。信号の伝送または受信がない場合、ＵＥはＢＷＰを、消費電力を低減し得るデフォルトのＢＷＰに切り替えることができる。
【０１３５】
一例では、それぞれＤＬ  ＢＷＰまたはＵＬ  ＢＷＰのセット内の各ＤＬ  ＢＷＰまたはＵＬ  ＢＷＰについて、無線デバイスは、サービングセルのために、上位層パラメータによって提供されるサブキャリア間隔（例えば、ｓｕｂｃａｒｒｉｅｒＳｐａｃｉｎｇ）と、上位層パラメータによって提供されるサイクリックプレフィックス（例えば、ｃｙｃｌｉｃＰｒｅｆｉｘ）と、ＲＩＶとして解釈される上位層パラメータ（例えば、ｌｏｃａｔｉｏｎＡｎｄＢａｎｄｗｉｄｔｈ）によって示される最初のＰＲＢおよび連続するＰＲＢの数であって、最初のＰＲＢは、上位層パラメータ（例えば、ｏｆｆｓｅｔＴｏＣａｒｒｉｅｒおよびｓｕｂｃａｒｒｉｅｒＳｐａｃｉｎｇ）によって示されるＰＲＢに対するＰＲＢオフセットである、最初のＰＲＢおよび連続するＰＲＢの数と、それぞれの上位層パラメータ（例えば、ｂｗｐ−Ｉｄ）によるＤＬ  ＢＷＰまたはＵＬ  ＢＷＰのセット内のインデックスと、ＢＷＰ共通のセット、および上位層パラメータによるＢＷＰ専用パラメータのセット（例えば、ｂｗｐ−Ｃｏｍｍｏｎおよびｂｗｐ−Ｄｅｄｉｃａｔｅｄ）と、のパラメータを用いて構成され得る。
【０１３６】
一例では、ＢＷＰの切り替えは、ＤＣＩまたはタイマによってトリガされ得る。ＵＥがアクティブなＢＷＰから新たなＢＷＰへのＤＬ  ＢＷＰ切り替えを示すＤＣＩを受信すると、ＵＥはＰＤＣＣＨを監視し、および／または新たなＢＷＰでＰＤＳＣＨを受信し得る。ＵＥが、アクティブなＢＷＰから新たなＢＷＰへのＵＬ  ＢＷＰ切り替えを示すＤＣＩを受信すると、ＵＥは、新たなＢＷＰでＰＵＣＣＨ（構成される場合）および／またはＰＵＳＣＨを伝送し得る。ｇＮＢは、ＢＷＰ非アクティビティタイマを含む１つ以上のメッセージをＵＥに伝送し得る。ＵＥは、ＵＥがＵＥのアクティブなＤＬ  ＢＷＰをデフォルトのＤＬ  ＢＷＰ以外のＤＬ  ＢＷＰに切り替えると、タイマを始動させる。ＵＥは、ＵＥのアクティブなＤＬ  ＢＷＰでＰＤＳＣＨ（複数可）をスケジュールするためにＤＣＩを正常にデコードすると、タイマを初期値に再始動させ得る。ＵＥは、ＢＷＰタイマが満了すると、アクティブなＤＬ  ＢＷＰをデフォルトのＤＬ  ＢＷＰに切り替え得る。
【０１３７】
一例では、ＢＷＰは、サブキャリア間隔、サイクリックプレフィックス、連続するＰＲＢの数、最初のＰＲＢに対する連続するＰＲＢの数の最初のＰＲＢのオフセット、またはＢＷＰがＤＬ  ＢＷＰである場合のＱ個の制御リソースセットを用いて、構成され得る。
【０１３８】
一例では、ＳＣｅｌｌ上に、初期アクセスがＰｃｅｌｌ上で実行されるため、初期のアクティブなＢＷＰがない場合がある。例えば、最初にアクティブ化されたＤＬ  ＢＷＰおよび／またはＵＬ  ＢＷＰは、Ｓｃｅｌｌがアクティブ化されると、ＲＲＣシグナリングによって構成または再構成され得る。一例では、また、ＲＲＣシグナリングによってＳＣｅｌｌのデフォルトのＢＷＰが構成または再構成され得る。
【０１３９】
一例では、ｇＮＢは、例えばロードバランシングの目的で、ＲＲＣ接続後の初期のアクティブなＢＷＰ以外のＵＥ固有のデフォルトのＤＬ  ＢＷＰを構成し得る。デフォルトのＢＷＰは、フォールバックおよび／または接続モードのページングなど、他の接続モード動作（初期のアクティブなＢＷＰでサポートされる動作に加えて）をサポートし得る。この場合、デフォルトのＢＷＰは、共通検索空間、例えば、少なくとも、プリエンプション表示を監視するために必要な検索空間を含み得る。
【０１４０】
一例では、最初のアクティブなＤＬ  ＢＷＰ以外のＤＬ  ＢＷＰは、デフォルトＤＬ  ＢＷＰとしてＵＥに構成されてもよい。デフォルトのＤＬ  ＢＷＰの再構成は、アクティブなＤＬ  ＢＷＰと初期のアクティブなＤＬ  ＢＷＰに使用されるロードバランシングおよび／または異なるニューメロロジーに起因し得る。
【０１４１】
一例では、対スペクトルの場合、ＤＬおよびＵＬ  ＢＷＰが独立してアクティブ化され得る一方、不対スペクトルの場合、ＤＬおよびＵＬ  ＢＷＰＳは一緒にアクティブ化される。アクティブなダウンリンクＢＷＰの帯域幅を変更できる帯域幅適応の場合に、不対スペクトルの場合、新たなダウンリンクＢＷＰと新たなアップリンクＢＷＰとの同時アクティブ化があり得る。例えば、アップリンクＢＷＰの帯域幅が同じであり得る新たなＤＬ／ＵＬ  ＢＷＰ対（例えば、アップリンクＢＷＰの変更なし）。
【０１４２】
例示的な一実施形態では、ＤＬ  ＢＷＰとＵＬ  ＢＷＰとの間の関連付けを行うことにより、１つのアクティブ化／非アクティブ化コマンドがＤＬおよびＵＬ  ＢＷＰの両方を一度に切り替え得ることを可能にし得る。そうでない場合は、個別のＢＷＰ切り替えコマンドが必要になり得る。
【０１４３】
一例では、ＰＵＣＣＨリソースは、構成済みＵＬ  ＢＷＰ、デフォルトのＵＬ  ＢＷＰ、および／または両方で構成され得る。例えば、ＰＵＣＣＨリソースがデフォルトのＵＬ  ＢＷＰで構成される場合、ＵＥはＳＲを伝送するためにデフォルトのＵＬ  ＢＷＰに再同調することができ、例えば、ＰＵＣＣＨリソースは、ＢＷＰごと、またはデフォルトのＢＷＰ以外のＢＷＰごとに構成され、ＵＥは、現在のアクティブなＢＷＰで再同調せずにＳＲを伝送し得る。
【０１４４】
一例では、サービングセルについて、所与の時間に最大で１つのアクティブなＤＬ  ＢＷＰと、最大で１つのアクティブなＵＬ  ＢＷＰと、が存在し得る。セルのＢＷＰは、特定のニューメロロジー／ＴＴＩを用いて構成され得る。一例では、無線デバイスが１つのアクティブなＢＷＰで動作する間にＳＲ伝送をトリガする論理チャネルおよび／または論理チャネルグループ、対応するＳＲは、ＢＷＰ切り替えに応答してトリガされたままであり得る。
【０１４５】
一例では、新たなＢＷＰがアクティブ化されると、構成済みダウンリンク割り当ては、ＰＤＣＣＨを使用して、初期化され得る（アクティブでない場合）、または再初期化され得る（既にアクティブな場合）。一例では、１つ以上のＲＲＣメッセージ／シグナリングを介して、無線デバイスは、少なくとも１つのＵＬ  ＢＷＰ、少なくとも１つのＤＬ  ＢＷＰ、およびセルに対する１つ以上の構成された許可を用いて構成され得る。１つ以上の構成された許可は、半永続的スケジューリング（ＳＰＳ）、タイプ１許可なし（ＧＦ）伝送／スケジューリング、および／またはタイプ２ＧＦ伝送／スケジューリングであり得る。一例では、ＵＬ  ＢＷＰごとに１つ以上の構成された許可が構成され得る。例えば、１つ以上の構成された許可に関連付けられた１つ以上の無線リソースは、２つ以上のＵＬ  ＢＷＰにわたって定義／割り当て／割り振られない場合がある。
【０１４６】
一例では、ＢＷＰは、ＢＷＰ非アクティビティタイマが作動している期間中にアクティブであり得る。例えば、基地局は、無線デバイスに制御メッセージを伝送して、ＢＷＰ非アクティビティタイマの第１のタイマ値を構成してもよい。第１のタイマ値は、ＢＷＰ非アクティビティタイマが作動する長さ、例えば、ＢＷＰ非アクティビティタイマが作動する期間を決定してもよい。例えば、ＢＷＰ非アクティビティタイマは、第１のタイマ値から値（例えば、ゼロ）までのカウントダウンタイマとして実装されてもよい。例示的な一実施形態では、ＢＷＰ非アクティビティタイマは、値（例えば、ゼロ）から第１のタイマ値に至るまでのカウントアップタイマとして実装されてもよい。例示的な一実施形態では、ＢＷＰ非アクティビティタイマは、第１のタイマ値から値（例えば、ゼロ）に至るまでのダウンカウンタとして実装されてもよい。例示的な一実施形態では、ＢＷＰ非アクティビティタイマは、値（例えば、ゼロ）から第１のタイマ値に至るまでのカウントアップカウンタとして実装されてもよい。例えば、無線デバイスは、無線デバイスがＤＣＩを受信（および／またはデコード）して、無線デバイスのアクティブなＢＷＰ（例えば、無線デバイスのアクティブなＵＬ  ＢＷＰ、無線デバイスのアクティブなＤＬ  ＢＷＰ、および／またはＵＬ／ＤＬ  ＢＷＰ対）でＰＤＳＣＨ（複数可）をスケジュールすると、ＢＷＰ非アクティビティタイマ（例えば、ＵＬ  ＢＷＰおよび／またはＤＬ  ＢＷＰ非アクティビティタイマ）を再始動させ得る。
【０１４７】
図２８は、ＢＷＰ切り替えメカニズムの例を示す。ＵＥは、ＳＣｅｌｌのパラメータと、ＳＣｅｌｌに関連付けられた１つ以上のＢＷＰ構成と、を含むＲＲＣメッセージを受信することができる。１つ以上のＢＷＰのうち、少なくとも１つのＢＷＰが第１のアクティブＢＷＰ（例えば、図２８のＢＷＰ１）として、１つのＢＷＰがデフォルトのＢＷＰ（例えば、図２８のＢＷＰ０）として、構成され得る。ＵＥは、ＭＡＣ  ＣＥを受信して、ｎ番目のスロットでＳＣｅｌｌをアクティブ化することができる。ＵＥは、（ｎ＋ｘ）番目のスロットで、ｓＣｅｌｌＤｅａｃｔｉｖａｔｉｏｎＴｉｍｅｒを始動させ、ＳＣｅｌｌについてのＣＳＩ関連アクションを始動させ、および／またはＳＣｅｌｌの最初のアクティブなＢＷＰについてのＣＳＩ関連アクションを始動させ得る。ＵＥは、ＢＷＰをＢＷＰ１からＢＷＰ２に切り替えることを示すＤＣＩの受信に応答して、（ｎ＋ｘ＋ｋ）番目のスロットでＢＷＰ非アクティビティタイマを始動させ得る。例えば、（ｎ＋ｘ＋ｋ＋ｍ）番目のスロットで、ＢＷＰ２のＤＬスケジューリングを示すＰＤＣＣＨを受信すると、ＵＥはＢＷＰ非アクティブタイマを再始動させ得る。ＵＥは、（ｎ＋ｘ＋ｋ＋ｍ＋ｌ）番目のスロットで、ＢＷＰ非アクティブタイマが満了すると、アクティブなＢＷＰとしてデフォルトのＢＷＰ（例えば、ＢＷＰ０）に再度切り替わり得る。ＵＥは、ｓＣｅｌｌＤｅａｃｔｉｖａｔｉｏｎＴｉｍｅｒが満了すると、ＳＣｅｌｌを非アクティブ化し得る。ＵＥが複数のセルを用いて構成され、各セルが広い帯域幅（例えば、１ＧＨｚ）を有する場合、ＢＷＰ非アクティビティタイマを使用することにより、ＵＥの電力消費がさらに低減され得る。ＵＥは、アクティブなＢＷＰにアクティビティがないときに、ＰＣｅｌｌまたはＳＣｅｌｌ上の狭帯域幅ＢＷＰ（例えば、５ＭＨｚ）でのみ伝送または受信し得る。
【０１４８】
一例では、無線デバイスは、初期アップリンクＢＷＰで（図１６Ａに示すような）競合ベースのランダムアクセスプロシージャを開始することができる。初期アップリンクＢＷＰは、ＲＲＣメッセージを使用して構成され得る。無線デバイスは、アップリンクＢＷＰで（図１６Ｂに示すような）競合のないランダムアクセスプロシージャを開始し得る。アップリンクＢＷＰは、アクティブなアップリンクＢＷＰであり得る。無線デバイスは、ＰＤＣＣＨオーダの受信に応答して、競合のないランダムアクセスプロシージャを開始し得る。ＰＤＣＣＨオーダは、ダウンリンク制御情報（ＤＣＩ）で伝送され得る。ＤＣＩは、プリアンブルインデックスおよび１つ以上のランダムアクセスチャネルリソースパラメータを含み得る。無線デバイスは、プリアンブルインデックスおよび１つ以上のランダムアクセスチャネルリソースパラメータを示すハンドオーバコマンドの受信に応答して、競合のないランダムアクセスプロシージャを開始し得る。無線デバイスは、競合ベースのランダムアクセスプロシージャの開始、または競合のないランダムアクセスプロシージャの開始に応答して、プリアンブルを伝送し得る。
【０１４９】
一例では、無線デバイスは、サブフレームおよび周波数位置を含むランダムアクセスチャネルリソースでプリアンブルを伝送し得る。無線デバイスは、ＲＡ−ＲＮＴＩに対応するランダムアクセス応答についてＰＤＣＣＨを監視し得る。例えば、ランダムアクセス応答は、ＲＡ−ＲＮＴＩによって識別され得る。既存の技術では、無線デバイスは、ＲＡ−ＲＮＴＩ値をＲＡ−ＲＮＴＩ＝１＋ｔ＿ｉｄ＋１０＊ｆ＿ｉｄとして決定し得る。一例では、ｔ＿ｉｄ（例えば、０≦ｔ＿ｉｄ＜１０）は、無線デバイスがプリアンブルを伝送したときのサブフレームのインデックスであり得る。一例では、ｆ＿ｉｄは、周波数領域の昇順で（例えば、０≦ｆ＿ｉｄ＜６）、無線デバイスがプリアンブルを伝送した周波数位置のインデックスであり得る。異なる無線デバイスが異なるランダムアクセスチャネルリソースを選択する限り、ＲＡ−ＲＮＴＩは異なる無線デバイスで異なる場合があり、したがって受信ＲＡＲの衝突が低減される。
【０１５０】
ＮＲシステムでは、無線デバイスは、セルのＵＬ  ＢＷＰの中でＵＬ  ＢＷＰのランダムアクセスチャネルリソースでプリアンブルを伝送し得る。異なる無線デバイスは、セル内の異なるＵＬ  ＢＷＰでプリアンブルを伝送し得る。
【０１５１】
図２９は、複数のＵＬ  ＢＷＰを用いて構成されるときの複数のＵＥのランダムアクセスプロシージャの例を示す。第１の無線デバイス（例えば、図２９のＵＥ１）は、第１のＵＬ  ＢＷＰ（例えば、図２９のＵＬ  ＢＷＰ  ｎ）の第１のＲＡＣＨリソースで第１のプリアンブルを伝送し得る。第２の無線デバイス（例えば、図２９のＵＥ２）は、第２のＵＬ  ＢＷＰ（例えば、図２９のＵＬ  ＢＷＰ  ｍ）の第２のＲＡＣＨリソースで第２のプリアンブルを伝送し得る。ＵＬ  ＢＷＰ  ｎおよびＵＬ  ＢＷＰ  ｍで伝送されるプリアンブルは、同じであっても異なっていてもよい。
【０１５２】
一例では、ｇＮＢは、複数のＵＬ  ＢＷＰ（例えば、ＵＬ  ＢＷＰ  ｎおよびＵＬ  ＢＷＰ  ｍ）での複数のＰＲＡＣＨプリアンブル伝送を検出し得る。ｇＮＢは、ＵＥ１およびＵＥ２のために、ＤＬ  ＢＷＰ（例えば、図２９の１番目のＤＬ  ＢＷＰ）から１つ以上のＲＡＲを伝送し得る。１つ以上のＲＡＲは、少なくとも、ＵＥ１および／またはＵＥ２が伝送するプリアンブルに対応するＲＡＰＩＤ（ＲＡプリアンブルインデックス）を含んでもよい。１つ以上のＲＡＲは、ＵＥ１および／またはＵＥ２のＲＡ−ＲＮＴＩによって識別されるＰＤＣＣＨによって搬送されるＤＣＩによってスケジュールされてもよい。ＤＣＩは、ＵＥ１および／またはＵＥ２のＲＡ−ＲＮＴＩによってＣＲＣスクランブルされてもよい。ＵＥ１またはＵＥ２のＲＡ−ＲＮＴＩは、ＵＥ１またはＵＥ２がプリアンブルを伝送する時間および周波数位置に基づいて計算されてもよい。一例では、既存のＲＡ−ＲＮＴＩ計算メカニズムを使用することにより、ＵＬ  ＢＷＰ  ｍおよびＵＬ  ＢＷＰ  ｎのプリアンブル伝送に使用されるｔ＿ｉｄ（例えば、０≦ｔ＿ｉｄ＜１０）およびｆ＿ｉｄ（例えば、０≦ｆ＿ｉｄ＜６）によって識別されるＲＡＣＨリソースが同じであるが、リソースが異なるＢＷＰにある場合、ＵＥ１およびＵＥ２のＲＡ−ＲＮＴＩは、同じＲＡ−ＲＮＴＩであり得る。この場合、ＵＥ１およびＵＥ２は、ＲＡＲを受信するためのＰＤＣＣＨの検出に失敗する可能性がある。したがって、異なるＵＥが、異なるＵＬ  ＢＷＰで同じプリアンブルおよび同じリソース（時間と周波数）を選択するとき、既存の技術では異なるＵＥのＲＡ−ＲＮＴＩを区別できない場合がある。既存の技術を実装すると、プリアンブルの衝突、ランダムアクセスプロセス完了時間が増加することとなる可能性があり、ＲＡＣＨプロセスのＵＥ１およびＵＥ２の伝送電力消費が増加する可能性がある。一例では、ＵＥの数が増加するときの既存のＲＡＣＨプロシージャの実装形態により、複数のＵＥからの複数のＲＡＣＨプロシージャの衝突（例えば、特にＲＡ−ＲＮＴＩ衝突）が増加する可能性がある。異なるＵＥからの異なるＵＬ  ＢＷＰでのプリアンブル伝送のＲＡＣＨ衝突を低減するために、ＲＡ−ＲＮＴＩ計算を拡張する必要がある。
【０１５３】
一例では、既存のＲＡ−ＲＮＴＩ計算が複数のアクティブな帯域幅部分に対して実装されると、無線デバイスは、ＲＡＲがどのＲＡＣＨプロシージャに対応し得るかを決定できない場合がある。この場合、既存のテクノロジーの実装には、ＲＡＣＨ手続きに追加の時間およびバッテリ電力が必要になる場合がある。異なるＵＬ  ＢＷＰでの異なるプリアンブル伝送に対する応答を区別する必要がある。
【０１５４】
一例では、例示的な実施形態は、セル内に複数のＵＬ  ＢＷＰが構成されるときのランダムアクセスプロシージャの時間遅延を改善することができる。例示的な実施形態は、セルに複数のＵＬ  ＢＷＰが構成されるときのランダムアクセスプロシージャの電力消費を改善することができる。例示的な実施形態は、複数のＵＬ  ＢＷＰが構成されるときのＲＡＣＨ衝突（例えば、特にＲＡ−ＲＮＴＩ衝突）を低減するためのＲＡ−ＲＮＴＩ決定（または計算）メカニズムを拡張することができる。例示的な実施形態は、無線デバイスがプリアンブルを伝送するＵＬ  ＢＷＰの１つ以上の構成パラメータに基づいてＲＡ−ＲＮＴＩの値を決定することを含むことができる。
【０１５５】
一例では、無線デバイスは、セルの複数のＵＬ  ＢＷＰをアクティブ状態に維持してもよい。無線デバイスは、複数のアクティブなＵＬ  ＢＷＰのうちの１つでプリアンブルを伝送してもよい。図３０は、複数のＵＬ  ＢＷＰがアクティブ状態にあるときの例示的なＲＡＣＨプロシージャを示す。無線デバイス（例えば、図３０のＵＥ）は、ＵＬ  ＢＷＰ  ｍおよびＵＬ  ＢＷＰ  ｎを含む複数のＵＬ  ＢＷＰのうちの１つのＲＡＣＨリソース構成で示されるＲＡＣＨリソースでプリアンブルを伝送してもよい。一例では、無線デバイスは、サービスタイプ、ＵＥの機能、および／または無線デバイスと基地局との間のリンク品質に基づいて、プリアンブル伝送のためにＵＬ  ＢＷＰ  ｍまたはＵＬ  ＢＷＰ  ｎを自律的に選択し得る。一例では、無線デバイスは、ＲＡＣＨプロシージャのために、ＲＡＣＨプリアンブルを伝送するときに、ＵＬ  ＢＷＰをｍからｎ、またはｎからｍに切り替えてもよい。一例では、ＵＥは、１つ以上のＰＲＡＣＨリソースのパラメータと、ＵＥがプリアンブルを伝送する選択されたＵＬ  ＢＷＰに関連付けられた１つ以上のＢＷＰパラメータと、に基づいて、ＲＡ−ＲＮＴＩ値を決定し得る。ＵＥは、決定されたＲＡ−ＲＮＴＩによってスクランブルされたＤＣＩについてＰＤＣＣＨを監視し得る。
【０１５６】
図３１は、拡張されたＲＡ−ＲＮＴＩ決定メカニズムの例示的な一実施形態を示す。一例では、ｇＮＢ（例えば、図３１の基地局）は、複数のセルの構成パラメータを含む１つ以上のＲＲＣメッセージを無線デバイス（例えば、図３１のＵＥ）に伝送し得る。１つ以上のＲＲＣメッセージは、ＲＲＣ接続再構成メッセージ（例えば、ＲＲＣＲｅｃｏｎｆｉｇｕｒａｔｉｏｎ）、ＲＲＣ接続再確立メッセージ（例えば、ＲＲＣＲｅｓｔａｂｌｉｓｈｍｅｎｔ）、および／またはＲＲＣ接続セットアップメッセージ（例、ＲＲＣＳｅｔｕｐ）を含むことができる。複数のセルのうちの少なくとも１つの構成パラメータは、ＵＬ  ＢＷＰの１つ以上のＢＷＰパラメータを含むことができる。１つ以上のＲＲＣメッセージは、１つ以上のシステム情報であり得る。ＵＬ  ＢＷＰの１つ以上のＢＷＰパラメータは、ＵＬ  ＢＷＰ識別子（またはインデックス）、１つ以上の無線リソース構成パラメータ、１つ以上のＰＲＡＣＨ構成、のうちの少なくとも１つを含み得る。ＵＬ  ＢＷＰ識別子（またはインデックス）は、０、１、２、または３の値であり得る。ＵＬ  ＢＷＰ識別子（またはインデックス）は、１、２、３、または４の値であり得る。１つ以上の無線リソース構成パラメータは、周波数位置、帯域幅、サブキャリア間隔、および／またはサイクリックプレフィックス、のうちの少なくとも１つを含み得る。ＵＬ  ＢＷＰの周波数位置は、（周波数）基準ロケーションからのＵＬ  ＢＷＰの最初の（または最後の）ＰＲＢの周波数オフセット（例えば、ＰＲＢ（複数可）の単位）であり得る。（周波数）基準位置は、１つのメッセージで示され得る。
【０１５７】
一例では、１つ以上のＵＬ  ＢＷＰは、初期のアクティブなＵＬ  ＢＷＰとして構成され得る。初期のアクティブなＵＬ  ＢＷＰは、１つ以上のＲＡＣＨ構成を用いて構成され得る。１つ以上のＲＡＣＨ構成は、各プリアンブルがプリアンブルインデックスに関連付けられた１つ以上のプリアンブル、プリアンブルフォーマット、プリアンブルニューメロロジー、ＲＡＣＨの時間または周波数の無線リソースアロケーション、および／またはＰＲＡＣＨ伝送の電力設定、のうちの少なくとも１つを含み得る。
【０１５８】
一例では、複数の初期のＵＬ  ＢＷＰが構成される場合、第１の初期のアクティブなＵＬ  ＢＷＰに割り振られた１つ以上のプリアンブルは、第２の初期のアクティブなＵＬ  ＢＷＰに割り振られた１つ以上のプリアンブルと同じであり得る。一例では、第１の初期のアクティブなＵＬ  ＢＷＰでのＰＲＡＣＨ伝送の電力設定は、第２の初期のアクティブなＵＬ  ＢＷＰでのＰＲＡＣＨ伝送の電力設定とは異なり得る。一例では、第１のアクティブなＵＬ  ＢＷＰのＲＡＣＨの無線リソース構成（時間および／または周波数）は、第２の初期のアクティブなＵＬ  ＢＷＰのＲＡＣＨの無線リソース構成とは異なり得る。異なるＵＬ  ＢＷＰに異なるＰＲＡＣＨパラメーを構成すると、ＲＡＣＨ伝送の衝突が低減され、および／または異なるＵＬ  ＢＷＰでの異なるニューメロロジーを用いたＲＡＣＨ伝送の目標受信電力が満たされ得る。
【０１５９】
一例では、無線デバイスは、ランダムアクセスプロシージャを実行するときに、初期のアクティブなＵＬ  ＢＷＰでのＰＲＡＣＨプリアンブルを伝送し得る。ランダムアクセスプロシージャは、競合ベースのランダムアクセスプロシージャであり得る（例えば、図１６Ａに示すように）。ランダムアクセスは、競合のないランダムアクセスプロシージャであり得る（例えば、図１６Ｂに示すように）。
【０１６０】
一例では、１つ以上の初期のアクティブなＵＬ  ＢＷＰは、異なる種類のサービス、ＵＥタイプ／機能、および／またはｇＮＢの機能をサポートするように、または複数のＵＥがランダムアクセスプロシージャを同時に実行するときのプリアンブル伝送の衝突を低減するように、構成され得る。
【０１６１】
一例では、ＳＵＬがＮＲ  ＴＤＤまたはＮＲ  ＦＤＤキャリアに適用されるときに、通常のＵＬキャリアに加えて、１つ以上の補足ＵＬ（ＳＵＬ）キャリアをサポートするように複数の初期のアクティブなＵＬ  ＢＷＰが構成されてもよく、１つのＤＬキャリアは複数のＵＬキャリアに関連付けできる。一例では、第１の初期のアクティブなＵＬ  ＢＷＰは、セルの通常のＵＬキャリアで構成されてもよく、第２の初期のアクティブなＵＬ  ＢＷＰは、セルのＳＵＬキャリアで構成されてもよい。
【０１６２】
一例では、図３１に示すように、ＵＥは、１つ以上のアクティブな（例えば、初期のアクティブな）ＵＬ  ＢＷＰからアクティブな（例えば、初期のアクティブな）ＵＬ  ＢＷＰを選択し、アクティブなＵＬ  ＢＷＰで構成された１つ以上のプリアンブルからプリアンブルを選択することができる。ＵＥは、選択されたアクティブなＵＬ  ＢＷＰでプリアンブルを伝送し得る。一例では、ＵＥは、１つ以上のＰＲＡＣＨリソースのパラメータと、ＵＥがプリアンブルを伝送する選択されたＵＬ  ＢＷＰに関連付けられた１つ以上のＢＷＰパラメータと、に基づいて、ＲＡ−ＲＮＴＩ値を決定し得る。ＵＥは、決定されたＲＡ−ＲＮＴＩによってスクランブルされたＤＣＩについてＰＤＣＣＨを監視し得る。
【０１６３】
一例では、ＵＥは、ＲＡ−ＲＮＴＩを、ＵＥがプリアンブルを伝送するＲＡＣＨリソースの時間パラメータおよび周波数パラメータの関数として決定し得る。周波数パラメータは、選択されたアクティブなＵＬ  ＢＷＰにおけるプリアンブルの伝送の周波数位置と、（周波数）基準位置と比較した選択されたアクティブなＵＬ  ＢＷＰの相対周波数位置（例えば、オフセット）と、を含み得る。相対周波数位置は、選択されたアクティブなＵＬ  ＢＷＰの１つ以上のＢＷＰパラメータで示され得る。基準位置は、ＲＲＣメッセージまたはシステム情報メッセージで構成され得る。
【０１６４】
一例では、ＵＥは、ＲＡ−ＲＮＴＩ値を、ＲＡ−ＲＮＴＩ＝関数（ｔ＿ｉｄ，ｆ＿ｉｄ，Ｎ，ｆ＿ｏｆｆｓｅｔ）として決定し得る。一例では、Ｎは、無線フレーム内のスロットの数に基づいて決定され得る。一例では、ＵＬ  ＢＷＰに対して１２０ｋＨｚのＳＣＳが構成されるとき、ＵＬ  ＢＷＰのニューメロロジーに依存するＮは、８０に等しいことが可能である。一例では、Ｎは、ニューメロロジーとは無関係にデフォルト値（例えば、Ｎ＝１０）として固定され得る。ｆ＿ｏｆｆｓｅｔは、選択されたアクティブなＵＬ  ＢＷＰの最初のＰＲＢと基準位置との間の周波数オフセットであり得る。ｔ＿ｉｄは、ＵＥがプリアンブルを伝送するサブフレーム／スロット／シンボルのインデックスであり得る。ｆ＿ｉｄは、ＵＥが、選択されたアクティブなＵＬ  ＢＷＰでサブフレーム／スロット／シンボル内のプリアンブルを伝送する周波数位置のインデックスであり得る。一例では、ｆ＿ｉｄは、ＵＥが、選択されたアクティブなＵＬ  ＢＷＰでプリアンブルを伝送する周波数位置の表示であり得る。
【０１６５】
一例では、ＵＥは、ＲＡ−ＲＮＴＩ値を、ＲＡ−ＲＮＴＩ＝１＋ｔ＿ｉｄ＋Ｎ＊ｆ＿ｉｄ＋ｆ＿ｏｆｆｓｅｔ／Ｍ）として決定し得る。一例では、Ｎは、無線フレーム内のスロットの数に基づいて決定されるパラメータであり得る。一例では、ＵＬ  ＢＷＰに対して１２０ｋＨｚのＳＣＳが構成されるとき、ＵＬ  ＢＷＰのニューメロロジーに依存するＮは、８０に等しいことが可能である。一例では、Ｎは、ニューメロロジーとは無関係にデフォルト値（例えば、Ｎ＝１０）として固定され得る。一例では、Ｍ（例えば、Ｍ＝６）は、ＰＲＡＣＨプリアンブルが占めることができるＰＲＢの最大数であり得る。一例では、Ｎ、Ｍは、ＲＲＣメッセージ内の１つ以上のパラメータで示されるか、または事前定義された値として固定され得る。
【０１６６】
一例では、ＵＥは、ＲＡ−ＲＮＴＩ値をＲＡ−ＲＮＴＩ＝１＋ｔ＿ｉｄ＋Ｎ＊（ｆ＿ｉｄ＋ｃｅｉｌ（ｆ＿ｏｆｆｓｅｔ／Ｍ））として決定することができ、ここで、ｃｅｉｌ（ｆ＿ｏｆｆｓｅｔ／Ｍ）は、ｆ＿ｏｆｆｓｅｔ／Ｍ以上の最小整数値である。
【０１６７】
例示的な一実施形態では、２つのＵＥは同じプリアンブルを選択し、異なるＵＬ  ＢＷＰの同じｔ＿ｉｄおよびｆ＿ｉｄによって識別されるＲＡＣＨリソースを用いてプリアンブルを伝送することができる。この例示的な実施形態を実装することは、２つのＵＥのＲＡ−ＲＮＴＩを決定し得る。異なるＵＬ  ＢＷＰのｆ＿ｏｆｆｓｅｔ値は異なるため、異なるＵＬ  ＢＷＰのｆ＿ｏｆｆｓｅｔ値に基づいて決定されたＲＡ−ＲＮＴＩは異なり得る。一例では、異なるＵＬ  ＢＷＰのｆ＿ｏｆｆｓｅｔ値に基づいてＲＡ−ＲＮＴＩを決定すると、異なるＲＡ−ＲＮＴＩ値を有することとなり得る。拡張されたＲＡ−ＲＮＴＩ決定は、２つのＵＥのためのＰＤＣＣＨおよび／またはＲＡＲを受信するときの衝突を低減し得る。拡張されたＲＡ−ＲＮＴＩ決定メカニズムは、ＲＡＣＨプロシージャの遅延を低減し得る。
【０１６８】
一例では、選択されたアクティブなＵＬ  ＢＷＰでプリアンブルを伝送することに応答して、ＵＥは、ＲＡ−ＲＮＴＩ値をＲＡ−ＲＮＴＩ＝関数（ｔ＿ｉｄ，ｆ＿ｉｄ，Ｎ，ＵＬ＿ＢＷＰ＿ｉｎｄｅｘ）として決定することができ、ここでＵＬ＿ＢＷＰ＿ｉｎｄｅｘは、選択されたアクティブなＵＬ  ＢＷＰのインデックスであり得る。一例では、ｔ＿ｉｄは、ＵＥがプリアンブルを伝送するサブフレーム／スロット／シンボルのインデックスであり得る。一例では、ｆ＿ｉｄは、選択されたアクティブＵＬ  ＢＷＰでサブフレーム／スロット／シンボル内のプリアンブルをＵＥが伝送する周波数位置のインデックスであり得る。一例では、ｆ＿ｉｄは、ＵＥがＵＬ  ＢＷＰでプリアンブルを伝送し得る周波数位置の表示であり得る。
【０１６９】
一例では、選択されたアクティブなＵＬ  ＢＷＰでプリアンブルを伝送することに応答して、ＵＥは、ＲＡ−ＲＮＴＩをＲＡ−ＲＮＴＩ＝１＋ｔ＿ｉｄ＋Ｎ＊（ｆ＿ｉｄ＋ＵＬ＿ＢＷＰ＿ｉｎｄｅｘ＊Ｋ）として決定することができ、ここでＮは、無線フレーム内のスロットの数に基づいて決定され得る。一例では、ＵＬ  ＢＷＰに対して１２０ｋＨｚのＳＣＳが構成されるとき、ＵＬ  ＢＷＰのニューメロロジーに依存するＮは、８０に等しいことが可能である。一例では、Ｎは、ニューメロロジーとは無関係にデフォルト値（例えば、Ｎ＝１０）として固定され得る。一例では、Ｋ（例えば、Ｋ＝６）は、ＵＥがＵＬ  ＢＷＰでプリアンブルを伝送できる周波数ロケーションの最大数であり得る。一例では、Ｎ、Ｋは、ＲＲＣメッセージ内の１つ以上のパラメータで示されるか、または事前定義された値として固定され得る。
【０１７０】
例示的な一実施形態では、２つのＵＥは同じプリアンブルを選択し、異なるＵＬ  ＢＷＰの同じｔ＿ｉｄおよびｆ＿ｉｄによって識別されるＲＡＣＨリソースを用いてプリアンブルを伝送することができる。例示的な実施形態を実装することは、２つのＵＥのＲＡ−ＲＮＴＩを決定し得る。異なるＵＬ  ＢＷＰのＵＬ＿ＢＷＰ＿ｉｎｄｅｘ値は異なるため、異なるＵＬ  ＢＷＰのＵＬ＿ＢＷＰ＿ｉｎｄｅｘ値に基づいて決定されたＲＡ−ＲＮＴＩは異なる場合がある。一例では、異なるＵＬ  ＢＷＰのＵＬ＿ＢＷＰ＿ｉｎｄｅｘ値に基づく拡張されたＲＡ−ＲＮＴＩ決定は、異なるＲＡ−ＲＮＴＩ値を有することになる可能性がある。拡張されたＲＡ−ＲＮＴＩ決定は、２つのＵＥのためのＰＤＣＣＨおよび／またはＲＡＲを受信するときの衝突を低減し得る。拡張されたＲＡ−ＲＮＴＩ決定メカニズムは、ＲＡＣＨプロシージャの遅延を低減し得る。
【０１７１】
一例では、例示的な実施形態は、セル内に複数のＵＬ  ＢＷＰが構成されるときのランダムアクセスプロシージャの時間遅延を改善することができる。例示的な実施形態は、セルに複数のＵＬ  ＢＷＰが構成されるときのランダムアクセスプロシージャの電力消費を改善することができる。例示的な実施形態は、複数のＵＬ  ＢＷＰが構成されるときのＲＡＣＨ衝突を低減するためのＲＡ−ＲＮＴＩ決定（または計算）メカニズムを拡張することができる。例示的な実施形態は、無線デバイスがプリアンブルを伝送するＵＬ  ＢＷＰの１つ以上の構成パラメータに基づいてＲＡ−ＲＮＴＩの値を決定することを含むことができる。
【０１７２】
図３２は、拡張されたＲＡ−ＲＮＴＩ決定メカニズムの例示的な一実施形態を示す。一例では、ｇＮＢ（例えば、図３２の基地局）は、複数のセルの構成パラメータを含む１つ以上のＲＲＣメッセージを無線デバイス（例えば、図３２のＵＥ）に伝送し得る。複数のセルのうちの少なくとも１つの構成パラメータは、ＵＬ  ＢＷＰの１つ以上のＢＷＰパラメータを含むことができる。１つ以上のＲＲＣメッセージは、１つ以上のシステム情報であり得る。ＵＬ  ＢＷＰの１つ以上のＢＷＰパラメータは、ＵＬ  ＢＷＰ識別子（またはインデックス）、１つ以上の無線リソース構成パラメータ、１つ以上のＰＲＡＣＨ構成、のうちの少なくとも１つを含み得る。ＵＬ  ＢＷＰ識別子（またはインデックス）は、０、１、２、または３の値であり得る。ＵＬ  ＢＷＰ識別子（またはインデックス）は、１、２、３、または４の値であり得る。１つ以上の無線リソース構成パラメータは、周波数位置、帯域幅、サブキャリア間隔、および／またはサイクリックプレフィックス、のうちの少なくとも１つを含み得る。ＵＬ  ＢＷＰの周波数位置は、（周波数）基準ロケーションからのＵＬ  ＢＷＰの最初の（または最後の）ＰＲＢの周波数オフセット（例えば、ＰＲＢ（複数可）の単位）であり得る。（周波数）基準位置は、１つのメッセージで示され得る。
【０１７３】
一例では、無線デバイスは、セルの最初のＵＬ  ＢＷＰをアクティブ化してもよい。無線デバイスは、ＲＲＣメッセージ、ＭＡＣ  ＣＥ、および／または第１のＤＣＩに応じて、第１のＵＬ  ＢＷＰをアクティブ化してもよい。一例では、無線デバイスは、第１のＵＬ  ＢＷＰがアクティブ状態にあることに応答して、第１のＵＬ  ＢＷＰでアップリンクデータパケットを伝送し得る。
【０１７４】
一例では、図３２に示されるように、無線デバイスは、セルの第２のＵＬ  ＢＷＰでのランダムアクセスプロシージャを示すＤＣＩを受信し得る。第１のＵＬ  ＢＷＰおよび第２のＵＬ  ＢＷＰは、同じセル上にあってもよい。ＤＣＩは、第２のＵＬ  ＢＷＰでのランダムアクセスチャネルのプリアンブルインデックスおよび／または１つ以上の無線リソースパラメータを含んでもよい。ＤＣＩの受信に応じて、無線デバイスは、第２のＵＬ  ＢＷＰでランダムアクセスチャネルを介して、プリアンブルインデックスにより識別されるプリアンブルを伝送してもよい。
【０１７５】
一例では、第２のＵＬ  ＢＷＰでプリアンブルを伝送することに応答して、無線デバイスは、第２のＵＬ  ＢＷＰの周波数パラメータと、第２のＵＬ  ＢＷＰのランダムアクセスチャネルの１つ以上の無線リソースパラメータと、に基づいてＲＡ−ＲＮＴＩ値を決定し得る。一例では、第２のＵＬ  ＢＷＰの周波数パラメータは、第２のＵＬ  ＢＷＰの第１のＰＲＢと基準位置との間の周波数オフセット（例えば、ｆ＿ｏｆｆｓｅｔ）、および／または第２のＵＬ  ＢＷＰのＵＬ  ＢＷＰインデックス、のうちの少なくとも１つを含み得る。ランダムアクセスチャネルの１つ以上の無線リソースパラメータは、ＵＥがプリアンブルを伝送するサブフレーム／スロット／シンボルのインデックス（例えば、ｔ＿ｉｄ）、および／またはＵＥが第２のＵＬ  ＢＷＰでプリアンブルを伝送する周波数位置のインデックス（例えば、ｆ＿ｉｄ）、のうちの少なくとも１つを含み得る。
【０１７６】
例示的な一実施形態では、ＵＥは同じプリアンブルを選択し、異なるＵＬ  ＢＷＰの同じｔ＿ｉｄおよびｆ＿ｉｄによって識別されるＲＡＣＨリソースを用いてプリアンブルを伝送することができる。例示的な実施形態を実装することは、ＵＥのＲＡ−ＲＮＴＩを決定し得る。異なるＵＬ  ＢＷＰのｆ＿ｏｆｆｓｅｔ値は異なるため、異なるＵＬ  ＢＷＰのｆ＿ｏｆｆｓｅｔ値に基づいて決定されたＲＡ−ＲＮＴＩは異なり得る。一例では、異なるＵＬ  ＢＷＰのｆ＿ｏｆｆｓｅｔ値に基づく拡張されたＲＡ−ＲＮＴＩ決定は、異なるＲＡ−ＲＮＴＩ値をもたらし得る。拡張されたＲＡ−ＲＮＴＩ決定は、ＵＥのためのＰＤＣＣＨおよび／またはＲＡＲを受信するときの衝突を低減し得る。拡張されたＲＡ−ＲＮＴＩ決定メカニズムは、ＲＡＣＨプロシージャの遅延を低減し得る。
【０１７７】
一例では、例示的な実施形態は、セル内に複数のＵＬ  ＢＷＰが構成されるときのランダムアクセスプロシージャの時間遅延を改善することができる。例示的な実施形態は、セルに複数のＵＬ  ＢＷＰが構成されるときのランダムアクセスプロシージャの電力消費を改善することができる。例示的な実施形態は、複数のＵＬ  ＢＷＰが構成されるときのＲＡＣＨ衝突（例えば、特にＲＡ−ＲＮＴＩ衝突）を低減するためのＲＡ−ＲＮＴＩ決定（または計算）メカニズムを拡張することができる。
【０１７８】
図３３Ａは、１０個のサブフレームを有する１０ミリ秒の無線フレームについて、１つ以上の実施形態に基づいて計算されたＲＡ−ＲＮＴＩ値の例を示し、この場合、Ｎは１０に等しい。一例では、２つの（初期の）ＵＬ  ＢＷＰ（例えば、ＵＬ＿ＢＷＰ＿ｉｎｄｅｘ０およびＵＬ＿ＢＷＰ＿ｉｎｄｅｘ１によって識別される）のうちの１つでのＰＲＡＣＨ伝送のための６つの周波数位置が構成され得る。図３３Ａに示すように、グリッド内の数は、プリアンブルの伝送の時間および周波数位置、ならびに無線デバイスがプリアンブルを伝送し得るＵＬ  ＢＷＰのインデックスに基づいて（１つ以上の実施形態に従って）計算されたＲＡ−ＲＮＴＩ値であり得る。例えば、ＵＬ  ＢＷＰ  ０およびＵＬ  ＢＷＰ  １における第１の時間および周波数位置に対応するＲＡ−ＲＮＴＩは、それぞれ１および６１であり得る。この場合、異なるＵＬ  ＢＷＰで同じプリアンブルおよび同じ時間／周波数位置が選択され得るが、ＵＥはＵＥ自体のＲＡ−ＲＮＴＩによってスクランブルされたＤＣＩを正しく検出し、ＲＡＲを正常に受信し得る。例示的な実施形態は、複数のＵＬ  ＢＷＰが構成されるときのＲＡＣＨ衝突（例えば、特にＲＡ−ＲＮＴＩ衝突）を低減するためのＲＡ−ＲＮＴＩ決定（または計算）メカニズムを拡張することができる。
【０１７９】
図３３Ｂは、１０個のサブフレームを有する１０ミリ秒の無線フレームについて、１つ以上の実施形態に基づいて計算されたＲＡ−ＲＮＴＩ値の例を示し、この場合、Ｎは１０に等しい。一例では、２つの（初期の）ＵＬ  ＢＷＰ（例えば、ＵＬ＿ＢＷＰ＿ｉｎｄｅｘ０およびＵＬ＿ＢＷＰ＿ｉｎｄｅｘ１によって識別される）のうちの１つでのＰＲＡＣＨ伝送のための６つの周波数位置が構成され得る。一例では、無線デバイスは、ＲＡ−ＲＮＴＩ値をＲＡ−ＲＮＴＩ＝１＋ｔ＿ｉｄ＋Ｎ＊（ＵＬ＿ＢＷＰ＿ｉｎｄｅｘ＋ｆ＿ｉｄ＊Ｍａｘ＿ＢＷＰ）として決定し得る。一例では、ＭＡＸ＿ＢＷＰは、無線デバイスがセル内でサポートし得るＵＬ  ＢＷＰの最大数（例えば４）であり得る。ＵＬ＿ＢＷＰ＿ｉｎｄｅｘは、無線デバイスがプリアンブルを伝送し得るＵＬ  ＢＷＰのインデックスであり得る。この例では、ＲＡ−ＲＮＴＩ値を１つのＵＬ  ＢＷＰのプリアンブル伝送の異なる周波数位置に拡散して、ＲＡ−ＲＮＴＩの検出エラーを低減し得る。一例では、図３３Ｂに示すように、Ｍａｘ＿ＢＷＰ＝４のとき、ＵＬ  ＢＷＰインデックス０におけるプリアンブル伝送の第１の周波数位置および第２の周波数位置に対応するＲＡ−ＲＮＴＩは、それぞれ１および４１であり得る。この場合、ＵＬ  ＢＷＰの周波数領域でＲＡ−ＲＮＴＩの拡散値を大きくすると、ＤＣＩ検出確率が向上し得る。例示的な実施形態は、複数のＵＬ  ＢＷＰが構成されるときのＲＡＣＨ衝突（例えば、特にＲＡ−ＲＮＴＩ衝突）を低減するためのＲＡ−ＲＮＴＩ決定（または計算）メカニズムを拡張することができる。
【０１８０】
一例では、ＵＥは、ＳＣｅｌｌに関する／対するプリアンブルを伝送し得る。ＳＣｅｌｌに関する／対するプリアンブルを伝送することに応答して、ＵＥは、ＲＡ−ＲＮＴＩ値をＲＡ−ＲＮＴＩ＝関数（ｔ＿ｉｄ，ｆ＿ｉｄ，ＵＬ＿ＢＷＰ＿ｉｎｄｅｘ，ＳＣｅｌｌ＿ｉｄ）として決定してもよい。一例では、ＳＣｅｌｌ＿ｉｄは、ＳＣｅｌｌであってそのＳＣｅｌｌに関する／対するＵＥがプリアンブルを伝送するＳＣｅｌｌのセルインデックスであり得る。ｔ＿ｉｄは、ＵＥがプリアンブルを伝送するサブフレーム／スロット／シンボルのインデックスであり得る。ｆ＿ｉｄは、ＵＥがＵＬ＿ＢＷＰ＿ｉｎｄｅｘによって識別されるＵＬ  ＢＷＰでプリアンブルを伝送する周波数位置のインデックスであり得る。ＵＥは、伝送されたプリアンブルに対応する、決定されたＲＡ−ＲＮＴＩによって識別されるＲＡＲを検出するために、ＰＣｅｌｌのＰＤＣＣＨを監視し得る。
【０１８１】
一例では、ＵＥは、ＳＣｅｌｌに関する／対するプリアンブルを伝送し得る。ＳＣｅｌｌに関する／対するプリアンブルを伝送することに応答して、ＵＥは、ＲＡ−ＲＮＴＩ値をＲＡ−ＲＮＴＩ＝１＋ｔ＿ｉｄ＋Ｎ＊（ｆ＿ｉｄ＋ＵＬ＿ＢＷＰ＿ｉｎｄｅｘ＊Ｋ＋Ｍａｘ＿ＢＷＰ＊Ｋ＊ＳＣｅｌｌ＿ｉｎｄｅｘ）として決定することができ、ここでＭａｘ＿ＢＷＰは、ＵＥがＳＣｅｌｌ＿ｉｎｄｅｘにより識別されるＳＣｅｌｌでサポートし得るＵＬ  ＢＷＰの数であり得る。一例では、ＳＣｅｌｌ＿ｉｄは、ＳＣｅｌｌであってそのＳＣｅｌｌに関する／対するＵＥがプリアンブルを伝送するＳＣｅｌｌのセルインデックスであり得る。ｔ＿ｉｄは、ＵＥがプリアンブルを伝送するサブフレーム／スロット／シンボルのインデックスであり得る。ｆ＿ｉｄは、ＵＥがＵＬ＿ＢＷＰ＿ｉｎｄｅｘによって識別されるＵＬ  ＢＷＰでプリアンブルを伝送する周波数位置のインデックスであり得る。Ｋ（例えば、Ｋ＝６）は、周波数位置の最大数であり得るとともに、その周波数位置のうちの１つで、ＵＥがＵＬ  ＢＷＰでプリアンブルを伝送し得る。一例では、Ｎ、Ｋ、およびＭａｘ＿ＢＷＰは、１つ以上のＲＲＣメッセージ内の１つ以上のパラメータで示されるか、または事前定義された値として固定され得る。
【０１８２】
一例では、ＵＥは、ＳＣｅｌｌに関する／対するプリアンブルを伝送し得る。ＳＣｅｌｌに関する／対するプリアンブルを伝送することに応答して、ＵＥは、ＲＡ−ＲＮＴＩをＲＡ−ＲＮＴＩ＝１＋ｔ＿ｉｄ＋Ｎ＊（ＵＬ＿ＢＷＰ＿ｉｎｄｅｘ＋ｆ＿ｉｄ＊Ｍａｘ＿ＢＷＰ＋Ｍａｘ＿ＢＷＰ＊Ｋ＊ＳＣｅｌｌ＿ｉｎｄｅｘ）として計算することができ、ここでＭａｘ＿ＢＷＰは、ＵＥがＳＣｅｌｌ＿ｉｎｄｅｘにより識別されるＳＣｅｌｌでサポートし得るＵＬ  ＢＷＰの数であり得る。一例では、ＳＣｅｌｌ＿ｉｄは、ＳＣｅｌｌであってそのＳＣｅｌｌに関してＵＥがプリアンブルを伝送するＳＣｅｌｌのセルインデックスであり得る。ｔ＿ｉｄは、ＵＥがプリアンブルを伝送するサブフレーム／スロット／シンボルのインデックスであり得る。ｆ＿ｉｄは、ＵＥがＵＬ＿ＢＷＰ＿ｉｎｄｅｘによって識別されるＵＬ  ＢＷＰでプリアンブルを伝送する周波数位置のインデックスであり得る。Ｋ（例えば、Ｋ＝６）は、周波数位置の最大数であり得るとともに、その周波数位置のうちの１つで、ＵＥが１つのＵＬ  ＢＷＰでプリアンブルを伝送し得る。一例では、Ｎ、Ｋ、およびＭａｘ＿ＢＷＰは、１つ以上のＲＲＣメッセージ内の１つ以上のパラメータで示されるか、または事前定義された値として固定され得る。
【０１８３】
一例では、ＵＥは、複数のビームを用いて構成されるとき、セル内のアクティブな（または初期の）ＵＬ  ＢＷＰでプリアンブルを伝送し得る。プリアンブルを伝送することに応答して、ＵＥは、ＲＡ−ＲＮＴＩ値をＲＡ−ＲＮＴＩ＝関数（ｔ＿ｉｄ，ｆ＿ｉｄ，ＵＬ＿ＢＷＰ＿ｉｎｄｅｘ，ＳＳＢ＿ｉｎｄｅｘ）として決定し得る。一例では、ＳＳＢ＿ｉｎｄｅｘは、プリアンブルに関連付けられたＳＳＢのインデックスであり得る。一例では、ＳＣｅｌｌ＿ｉｄは、ＳＣｅｌｌであってそのＳＣｅｌｌに関してＵＥがプリアンブルを伝送するＳＣｅｌｌのセルインデックスであり得る。ｔ＿ｉｄは、ＵＥがプリアンブルを伝送するサブフレーム／スロット／シンボルのインデックスであり得る。ｆ＿ｉｄは、ＵＥがＵＬ＿ＢＷＰ＿ｉｎｄｅｘによって識別されるＵＬ  ＢＷＰでプリアンブルを伝送する周波数位置のインデックスであり得る。
【０１８４】
一例では、ＵＥは、セルのアクティブなＵＬ  ＢＷＰでプリアンブルを伝送し得る。セルのアクティブなＵＬ  ＢＷＰでプリアンブルを伝送することに応答して、ＵＥは、ＲＡ−ＲＮＴＩ値をＲＡ−ＲＮＴＩ＝１＋ｔ＿ｉｄ＋Ｎ＊（ＳＳＢ＿ｉｎｄｅｘ＋Ｍａｘ＿ＳＳＢ＊（ｆ＿ｉｄ＋ＵＬ＿ＢＷＰ＿ｉｎｄｅｘ＊Ｋ））として決定し得る。一例では、Ｍａｘ＿ＳＳＢは、ｇＮＢがセル内で伝送し得るＳＳＢの最大数であり得る。一例では、ＳＣｅｌｌ＿ｉｄは、ＳＣｅｌｌであってそのＳＣｅｌｌ上でＵＥがプリアンブルを伝送するＳＣｅｌｌのセルインデックスであり得る。ｔ＿ｉｄは、ＵＥがプリアンブルを伝送するサブフレーム／スロット／シンボルのインデックスであり得る。ｆ＿ｉｄは、ＵＥがＵＬ＿ＢＷＰ＿ｉｎｄｅｘによって識別されるＵＬ  ＢＷＰでプリアンブルを伝送する周波数位置のインデックスであり得る。
【０１８５】
一例では、ＵＥは、セルのアクティブなＵＬ  ＢＷＰでプリアンブルを伝送し得る。セルのアクティブなＵＬ  ＢＷＰでプリアンブルを伝送することに応答して、ＵＥは、ＲＡ−ＲＮＴＩ値をＲＡ−ＲＮＴＩ＝１＋ｔ＿ｉｄ＋Ｎ＊（ＳＳＢ＿ｉｎｄｅｘ＋Ｍａｘ＿ＳＳＢ＊（ＵＬ＿ＢＷＰ＿ｉｎｄｅｘ＋ｆ＿ｉｄ＊Ｍａｘ＿ＢＷＰ））として決定し得る。一例では、Ｍａｘ＿ＳＳＢは、ｇＮＢがセル内で伝送し得るＳＳＢの最大数であり得る。Ｍａｘ＿ＢＷＰは、ＵＥがセル内でサポートし得るＵＬ  ＢＷＰの数であり得る。一例では、ｔ＿ｉｄは、ＵＥがプリアンブルを伝送するサブフレーム／スロット／シンボルのインデックスであり得る。ｆ＿ｉｄは、ＵＥがＵＬ＿ＢＷＰ＿ｉｎｄｅｘによって識別されるＵＬ  ＢＷＰでプリアンブルを伝送する周波数位置のインデックスであり得る。
【０１８６】
一例では、例示的な実施形態は、セル内に複数のＵＬ  ＢＷＰおよび／または複数のビームが構成されるときのランダムアクセスプロシージャの時間遅延を改善することができる。例示的な一実施形態は、セルに複数のＵＬ  ＢＷＰおよび／または複数のビームが構成されるときのランダムアクセスプロシージャの電力消費を改善することができる。例示的な一実施形態は、複数のＵＬ  ＢＷＰおよび／または複数のビームが構成されるときのＲＡＣＨ衝突（例えば、特にＲＡ−ＲＮＴＩ衝突）を低減するためのＲＡ−ＲＮＴＩ決定（または計算）メカニズムを拡張することができる。
【０１８７】
一例では、ＵＥは、複数のセルの構成パラメータを含む１つ以上のＲＲＣメッセージを受信することができ、複数のセルのうちの少なくとも１つの構成パラメータは、１つ以上のＵＬ  ＢＷＰの１つ以上のＢＷＰパラメータを含む。１つ以上のＵＬ  ＢＷＰのうちのＵＬ  ＢＷＰの１つ以上のＢＷＰパラメータは、ＵＬ  ＢＷＰ識別子、１つ以上の無線リソース構成（例えば、周波数位置、帯域幅、サブキャリア間隔、および／またはサイクリックプレフィックス）、１つ以上のＰＲＡＣＨリソースのパラメータ、のうちの少なくとも１つを含み得る。一例では、ＵＥは、１つ以上のＵＬ  ＢＷＰの第１のＵＬ  ＢＷＰで１つ以上のＰＲＡＣＨリソースのうちの１つを介してプリアンブルを伝送し得る。第１のＵＬ  ＢＷＰでプリアンブルを伝送することに応答して、ＵＥは、１つ以上のＰＲＡＣＨリソースのうちの１つと第１のＵＬ  ＢＷＰの１つ以上のＢＷＰパラメータとに基づいて、ＲＡ−ＲＮＴＩ値を決定し得る。ＵＥは、伝送されたプリアンブルに対応するＲＡＲを検出するために、決定されたＲＡ−ＲＮＴＩによってスクランブルされたＤＣＩについてＰＤＣＣＨを監視し得る。
【０１８８】
一例では、１つ以上のＰＲＡＣＨリソースのパラメータは、１つ以上のプリアンブルインデックスによって識別される１つ以上のプリアンブル、ＰＲＡＣＨフォーマット、ＰＲＡＣＨニューメロロジー、時間または周波数の無線リソース構成パラメータ、および／またはＰＲＡＣＨ伝送の電力設定、のうちの少なくとも１つを含み得る。
【０１８９】
一例において、無線デバイスは、１つ以上の基地局（例えば、１つ以上のＮＲ  ｇＮＢ、および／または１つ以上のＬＴＥ  ｅＮＢ、および／または１つ以上のｅＬＴＥ  ｅＮＢ等）から、１つ以上の無線リソース構成（ＲＲＣ）メッセージを含む１つ以上のメッセージを受信することができる。一例において、１つ以上のメッセージは、複数の論理チャネルのための構成パラメータを含むことができる。一例において、１つ以上のメッセージは、複数の論理チャネルの各々ための論理チャネル識別子を含むことができる。一例において、論理チャネル識別子は、複数の論理チャネル識別子のうちの１つであり得る。一例において、複数の論理チャネル識別子は、事前構成され得る。一例において、論理チャネル識別子は、複数の連続した整数のうちの１つであり得る。
【０１９０】
一例において、無線デバイスに対して構成された複数の論理チャネルは、１つ以上のベアラに対応し得る。一例において、ベアラと論理チャネルとの間には、１対１のマッピング／対応関係が存在し得る。一例において、１つ以上のベアラと１つ以上の論理チャネルとの間には、１対多のマッピング／対応関係が存在し得る。一例において、ベアラは、複数の論理チャネルにマッピングされ得る。一例において、ベアラに対応するパケットデータコンバージェンスプロトコル（ＰＤＣＰ）エンティティからのデータは、複製され、複数の無線リンク制御（ＲＬＣ）エンティティおよび／または論理チャネルにマッピングされ得る。一例において、複数の論理チャネルのスケジューリングは、単一媒体アクセス制御（ＭＡＣ）エンティティによって実行され得る。一例において、複数の論理チャネルのスケジューリングは、２つ以上のＭＡＣエンティティによって実行され得る。一例において、論理チャネルは、複数のＭＡＣエンティティのうちの１つによってスケジュールされ得る。一例において、１つ以上のベアラは、１つ以上のデータ無線ベアラを含むことができる。一例において、１つ以上のベアラは、１つ以上のシグナリング無線ベアラを含むことができる。一例において、１つ以上のベアラは、１つ以上のアプリケーション、および／またはサービス品質（ＱｏＳ）要件に対応することができる。一例において、１つ以上のベアラは、超高信頼低遅延通信（ＵＲＬＬＣ）アプリケーションおよび／または高速大容量（ｅＭＢＢ）アプリケーションおよび／または大量マシン間通信（ｍＭＴＣ）アプリケーションに対応することができる。
【０１９１】
一例において、複数の論理チャネルのうちの第１の論理チャネルは、複数の伝送時間間隔（ＴＴＩ）／ニューメロロジーのうちの１つ以上にマッピングされ得る。一例において、論理チャネルは、複数のＴＴＩ／ニューメロロジーのうちの１つ以上にマッピングされない場合がある。一例において、ＵＲＬＬＣベアラに対応する論理チャネルは、１つ以上の第１のＴＴＩにマッピングされてもよく、ｅＭＢＢアプリケーションに対応する論理は、１つ以上の第２のＴＴＩにマッピングされてもよく、１つ以上の第１のＴＴＩは、１つ以上の第２のＴＴＩよりも短い持続時間を有し得る。一例において、複数のＴＴＩ時間／ニューメロロジーは、無線デバイスにおいて事前構成され得る。一例において、１つ以上のメッセージは、複数のＴＴＩ／ニューメロロジーの構成パラメータを含み得る。一例において、基地局は、許可／ＤＣＩを無線デバイスに伝送することができ、許可／ＤＣＩは、無線デバイスがデータを伝送し得るセルおよび／またはＴＴＩ／ニューメロロジーの表示を含み得る。一例において、許可／ＤＣＩの第１のフィールドは、セルを示すことができ、許可／ＤＣＩの第２のフィールドは、ＴＴＩ／ニューメロロジーを示すことができる。一例において、許可／ＤＣＩのフィールドは、セル、およびＴＴＩ／ニューメロロジーの両方を示すことができる。
【０１９２】
一例では、１つまたは複数のメッセージは、複数の論理チャネルのうちの１つまたは複数の論理チャネルグループ識別子を含むことができる。一例では、複数の論理チャネルのうちの１つ以上に、論理チャネルグループ識別子ｎ、０≦ｎ≦Ｎ（例えば、Ｎ＝３、または５、または７、または１１、または１５など）を割り当てることができる。一例では、論理チャネルグループ識別子を有する複数の論理チャネルのうちの１つ以上は、同じ１つ以上のＴＴＩ／ニューメロロジーにマッピングされ得る。一例では、論理チャネルグループ識別子を有する複数の論理チャネルのうちの１つ以上は、同じ１つ以上のＴＴＩ／ニューメロロジーにのみマッピングされ得る。一例において、複数の論理チャネルのうちの１つ以上は、同じアプリケーションおよび／またはＱｏＳ要件に対応し得る。一例において、１つ以上の第１の論理チャネルに、論理チャネル識別子（複数可）および論理チャネルグループ識別子（複数可）を割り当てることができ、１つ以上の第２の論理チャネルに、論理チャネル識別子（複数可）を割り当てることができる。一例において、論理チャネルグループは、１つの論理チャネルで構成され得る。
【０１９３】
一例において、１つ以上のメッセージは、複数の論理チャネルと複数のＴＴＩ／ニューメロロジーおよび／またはセルとの間のマッピングを示す１つ以上の第１のフィールドを含むことができる。一例において、１つ以上の第１のフィールドは、論理チャネルが、第１の値以下の長さの１つ以上の第１のＴＴＩ持続時間にマッピングされていることを示す第１の値を含むことができる。一例において、１つ以上の第１のフィールドは、論理チャネルが、第２の値以上の長さの１つ以上の第２のＴＴＩ持続時間にマッピングされていることを示す第２の値を含むことができる。一例において、１つ以上の第１のフィールドは、論理チャネルがマッピングされている１つ以上のＴＴＩ／ニューメロロジー、および／またはセルを含み、かつ／または示すことができる。一例において、そのマッピングは、１つ以上のビットマッピングを使用して示され得る。一例において、論理チャネルと関連付けられたビットマッピングの値が１である場合、論理チャネルが、対応するＴＴＩ／ニューメロロジー、および／またはセルにマッピングされていることを示すことができる。一例において、論理チャネルと関連付けられたビットマッピングの値がゼロである場合、論理チャネルが、対応するＴＴＩ／ニューメロロジー、および／またはセルにマッピングされていないことを示すことができる。一例において、１つ以上のメッセージは、複数の論理チャネルのための構成パラメータを含むことができる。一例において、論理チャネルの構成パラメータは、論理チャネルに関連付けられたビットマッピングを含むことができ、ビットマッピングは、論理チャネルと複数のＴＴＩ／ニューメロロジーとの間のマッピング、および／またはセルを示すことができる。
【０１９４】
一例において、第１の論理チャネルは、少なくとも第１の論理チャネル優先度を割り当てられ得る。一例において、第１の論理チャネルは、１つ以上のＴＴＩ／ニューメロロジーに関して１つ以上の論理チャネル優先度を割り当てられ得る。一例において、第１の論理チャネルは、複数のＴＴＩ／ニューメロロジーの各々に関する論理チャネル優先度を割り当てられ得る。一例において、論理チャネルは、複数のＴＴＩ／ニューメロロジーのうちの１つ以上の各々に関する論理チャネル優先度を割り当てられ得る。一例において、論理チャネルは、１つ以上のＴＴＩ／ニューメロロジーの各々に関する論理チャネル優先度を割り当てられ得、論理チャネルは、１つ以上のＴＴＩ／ニューメロロジーの各々に関してマッピングされている。一例において、１つ以上のメッセージは、１つ以上のＴＴＩ／ニューメロロジーに関する論理チャネルの優先度を示す１つ以上の第２のフィールドを含むことができる。一例において、１つ以上の第２のフィールドは、１つ以上のＴＴＩ／ニューメロロジーに関する論理チャネルの優先度を示す１つ以上のシーケンスを含むことができる。一例において、１つ以上の第２のフィールドは、複数の論理チャネルに対する複数のシーケンスを含むことができる。論理チャネルに対応するシーケンスは、複数のＴＴＩ／ニューメロロジー／セル、または、複数のＴＴＩ／ニューメロロジー／セルのうちの１つ以上に関する論理チャネルの優先度を示すことができる。一例において、優先度は、論理チャネルと１つ以上のＴＴＩ／ニューメロロジーとの間のマッピングを示すことができる。一例において、ＴＴＩ／数秘術に関する所与の値（例えば、ゼロ、またはマイナス無限大または負の値）を有する論理チャネルの優先度は、論理チャネルがＴＴＩ／数秘術にマッピングされていないことを示すことができる。一例において、シーケンスのサイズは、可変であり得る。一例において、論理チャネルと関連付けられたシーケンスのサイズは、論理チャネルがマッピングされているＴＴＩ／ニューメロロジーの数であり得る。一例において、シーケンスのサイズは、例えば、ＴＴＩ／ニューメロロジー／セルの数に固定され得る。
【０１９５】
一例において、許可のＴＴＩ／ニューメロロジー（例えば、許可／ＤＣＩにより示される）は、１つ以上の論理チャネルからのデータを受け入れない場合がある。一例において、１つ以上の論理チャネルは、許可で示されたＴＴＩ／ニューメロロジーにマッピングされない場合がある。一例において、１つ以上の論理チャネルのうちの論理チャネルを、１つ以上のＴＴＩ／ニューメロロジーにマッピングされるように構成することができ、許可のＴＴＩ／ニューメロロジーは１つ以上のＴＴＩ／ニューメロロジーの中にない場合がある。一例において、１つ以上の論理チャネルの論理チャネルは、論理チャネルがｍａｘ−ＴＴＩよりも長いＴＴＩにマッピングされない場合があることを示すｍａｘ−ＴＴＩパラメータを用いて構成されてもよく、許可はｍａｘ−ＴＴＩよりも長いＴＴＩに対するものであってもよい。一例において、論理チャネルは、論理チャネルがｍｉｎ−ＴＴＩよりも短いＴＴＩにマッピングされない場合があることを示すｍｉｎ−ＴＴＩパラメータを用いて構成されてもよく、許可は、ｍｉｎ−ＴＴＩよりも短いＴＴＩに対するものであってもよい。一例において、論理チャネルは、セルおよび／または１つ以上のニューメロロジー、および／またはセルの１つ以上のニューメロロジーで伝送することを許可されない場合がある。一例において、論理チャネルに重複データが含まれている場合があり、論理チャネルがセル／ニューメロロジーにマッピングされないように論理チャネルが制限される場合がある。一例において、論理チャネルは、上位層構成パラメータｌａａ−ａｌｌｏｗｅｄを用いて構成されない場合があり、セルはＬＡＡセルである場合がある。
【０１９６】
一例において、ＭＡＣエンティティおよび／またはＭＡＣエンティティの多重化およびアセンブリエンティティは、論理チャネル優先順位付け（ＬＣＰ）プロシージャを実行して、１つ以上のＤＣＩを使用して基地局により無線デバイスに示される、１つ以上の許可のリソースを１つ以上の論理チャネルに割り振り得る。一例において、無線デバイスでの許可／ＤＣＩ受信時間と伝送時間との間のタイミングは、無線デバイスに動的に示され得る（例えば、少なくとも許可／ＤＣＩのパラメータを使用して）。一例において、無線デバイスでの許可／ＤＣＩ受信時間と伝送時間との間のタイミングは、固定／事前構成され、および／または半静的に構成され得る。一例において、ＮＲのＬＣＰプロシージャは、論理チャネルの１つ以上のニューメロロジー／ＴＴＩへのマッピング、１つ以上のニューメロロジー／ＴＴＩでの論理チャネルの優先順位、許可で示されるニューメロロジー／ＴＴＩなどを考慮してもよい。ＬＣＰプロシージャは、１つ以上の論理チャネルからのデータを多重化してＭＡＣ  ＰＤＵを形成し得る。ＭＡＣ  ＰＤＵに含まれる論理チャネルからのデータの量は、論理チャネルに関連付けられたベアラおよび／またはサービスのＱｏＳパラメータ、認可で示されたニューメロロジー／ＴＴＩでの論理チャネルの優先度などに依存し得る。一例として、１つ以上の許可が無線デバイスで合わせて処理されてもよい（例えば、１つ以上の許可のリソースが実質的に同時に割り振られる）。一例において、１つ以上の許可のうちの１つ以上の第１の許可は、１つ以上の第１の許可の容量の合計に等しい容量を有するグループ化された許可にグループ化されてもよく、グループ化された許可のリソースは、１つ以上の論理チャネルに割り振られてもよい。
【０１９７】
例示的な一実施形態では、サービングセルの帯域幅部分（ＢＷＰ）で動作するように構成されたＵＥは、サービングセルの上位層、ＵＥによる受信用の帯域幅部分（ＢＷＰ）のセット（ＤＬ  ＢＷＰセット）、またはＵＥによる伝送用のＢＷＰのセット（ＵＬ  ＢＷＰセット）によって、構成され得る。一例において、それぞれＤＬ  ＢＷＰまたはＵＬ  ＢＷＰのセット内のＤＬ  ＢＷＰまたはＵＬ  ＢＷＰに対して、ＵＥは、サービングセルについての、上位層パラメータによって提供されるＤＬおよび／またはＵＬのサブキャリア間隔、上位層パラメータによって提供されるＤＬおよび／またはＵＬのサイクリックプレフィックス、上位層パラメータによって提供されるＤＬおよび／またはＵＬの連続するＰＲＢの数、上位層による最初のＰＲＢに対する連続するＰＲＢの数の、ＤＬおよび／またはＵＬについての最初のＰＲＢのオフセット、またはＢＷＰがＤＬ  ＢＷＰである場合のＱ制御リソースセット、のうちの少なくとも１つによって構成され得る。
【０１９８】
例示的な一実施形態では、ＵＥは、ＤＬ  ＢＷＰの構成済みサブキャリア間隔およびＣＰ長に従って、ＤＬ  ＢＷＰでＰＤＣＣＨおよびＰＤＳＣＨを受信することができる。ＵＥは、ＵＬ  ＢＷＰに対して構成済みサブキャリア間隔およびＣＰ長に従って、ＵＬ  ＢＷＰでＰＵＣＣＨおよびＰＵＳＣＨを伝送することができる。
【０１９９】
例示的な一実施形態では、ＵＥは、１つ以上の上位層パラメータにより、ＤＬ受信用の構成済みＤＬ  ＢＷＰセットからのＤＬ  ＢＷＰを構成することができる。ＵＥは、１つ以上の上位層パラメータ、ＵＬ伝送用に設定された構成済みＵＬ  ＢＷＰセットからのＵＬ  ＢＷＰによって構成され得る。ＤＬ  ＢＷＰインデックスフィールドが、ＵＥへのＰＤＳＣＨ受信をスケジューリングするＤＣＩフォーマットで構成される場合、ＤＬ  ＢＷＰインデックスフィールド値は、構成済みＤＬ  ＢＷＰセットからのＤＬ受信用のＤＬ  ＢＷＰを示し得る。ＵＬ−ＢＷＰインデックスフィールドが、ＵＥからのＰＵＳＣＨ伝送をスケジューリングするＤＣＩフォーマットで構成される場合、ＵＬ−ＢＷＰインデックスフィールド値は、構成済みＵＬ  ＢＷＰセットからのＵＬ伝送用のＵＬ  ＢＷＰを示し得る。
【０２００】
例示的な一実施形態では、ＵＥについて、ｇＮＢは、ＲＲＣによってＢＷＰのセットを構成することができる。ＵＥは、所与の時間インスタンスで、構成済みＢＷＰからのアクティブなＢＷＰで伝送または受信することができる。例えば、ＵＥがＵＥのアクティブなＤＬ帯域幅部分をデフォルトのＤＬ帯域幅部分に切り替えるためのタイマによるＤＬ帯域幅部分のアクティブ化／非アクティブ化がサポートされてもよい。この場合、ＵＥ側のタイマが満了する、例えば、ＵＥがＸ  ｍｓのスケジューリングＤＣＩを受信していないと、ＵＥはデフォルトのＤＬ  ＢＷＰに切り替わり得る。
【０２０１】
一例では、新たなタイマ、例えばＢＷＰＤｅａｃｔｉｖａｔｉｏｎＴｉｍｅｒを定義して、元のＢＷＰを無効にし、デフォルトのＢＷＰに切り替わり得る。ＢＷＰＤｅａｃｔｉｖａｔｉｏｎＴｉｍｅｒは、アクティブ化／非アクティブ化ＤＣＩによって元のＢＷＰがアクティブ化されると、始動され得る。元のＢＷＰでのＰＤＣＣＨが受信された場合、ＵＥは元のＢＷＰに関連付けられたＢＷＰＤｅａｃｔｉｖａｔｉｏｎＴｉｍｅｒを再始動させ得る。例えば、ＢＷＰＤｅａｃｔｉｖａｔｉｏｎＴｉｍｅｒが満了した場合、ＵＥは、元のＢＷＰを非アクティブ化してデフォルトのＢＷＰに切り替えることができ、元のＢＷＰのＢＷＰＤｅａｃｔｉｖａｔｉｏｎＴｉｍｅｒを停止することができ、元のＢＷＰに関連付けられたすべてのＨＡＲＱバッファをフラッシュすることができる（またはしないことができる）。
【０２０２】
例示的な一実施形態では、ＳＣｅｌｌ上に、初期アクセスがＰｃｅｌｌ上で実行されるため、初期のアクティブなＢＷＰがない場合がある。例えば、最初にアクティブ化されたＤＬ  ＢＷＰおよび／またはＵＬ  ＢＷＰは、Ｓｃｅｌｌがアクティブ化されると、ＲＲＣシグナリングによって構成または再構成され得る。一例では、また、ＲＲＣシグナリングによってＳＣｅｌｌのデフォルトのＢＷＰが構成または再構成され得る。ＰｃｅｌｌおよびＳｃｅｌｌの両方で統一された設計を実現するために、ＲＲＣシグナリングによってデフォルトのＢＷＰを構成または再構成することができ、デフォルトのＢＷＰは、ＵＥの構成済みＢＷＰの１つであり得る。
【０２０３】
一例では、初期のアクティブなＤＬ／ＵＬ  ＢＷＰはデフォルトのＤＬ／ＵＬ  ＢＷＰとして設定されてもよい。一例では、ＵＥは、場合によってはデフォルトのＤＬ／ＵＬ  ＢＷＰに戻ってもよい。例えば、ＵＥが長時間制御を受信しない場合、ＵＥは、デフォルトのＢＷＰにフォールバックしてもよい。
【０２０４】
例示的な一実施形態では、初期のアクティブなＤＬ  ＢＷＰ以外のＤＬ  ＢＷＰが、デフォルトのＤＬ  ＢＷＰとしてＵＥに構成されてもよい。デフォルトのＤＬ  ＢＷＰの再構成は、アクティブなＤＬ  ＢＷＰと初期のアクティブなＤＬ  ＢＷＰに使用されるロードバランシングおよび／または異なるニューメロロジーに起因し得る。
【０２０５】
例示的な一実施形態では、Ｐｃｅｌｌ上のデフォルトのＢＷＰが、ＣＳＳを有するＲＭＳＩ  ＣＯＲＥＳＥＴを含む、ＲＭＳＩの伝送のための、初期のアクティブなＤＬ  ＢＷＰであり得る。ＲＭＳＩ  ＣＯＲＥＳＥＴはＵＳＳを含み得る。ＵＥがＲＲＣに接続された後も、初期のアクティブな／デフォルトのＢＷＰはユーザーのアクティブなＢＷＰのままであり得る。
【０２０６】
例示的な一実施形態では、対スペクトルに対して、ダウンリンクおよびアップリンク帯域幅部分は独立してアクティブ化される一方、不対スペクトルに対して、ダウンリンクおよびアップリンク帯域幅部分が合わせてアクティブ化される。アクティブなダウンリンクＢＷＰの帯域幅を変更できる帯域幅適応の場合に、不対スペクトルの場合、新たなダウンリンクＢＷＰと新たなアップリンクＢＷＰとの同時アクティブ化があり得る。例えば、アップリンクＢＷＰの帯域幅が同じであり得る新たなＤＬ／ＵＬ  ＢＷＰ対（例えば、アップリンクＢＷＰの変更なし）。
【０２０７】
例示的な一実施形態では、ＲＲＣ構成においてＤＬ  ＢＷＰとＵＬ  ＢＷＰとの関連付けがあり得る。例えば、ＴＤＤの場合、ＵＥは、ＤＬとＵＬとの間でチャネルＢＷの中心周波数を再同調させない場合がある。この場合、ＲＦはＴＤＤでＤＬとＵＬとの間で共有されるため、ＵＥは、交互するＤＬからＵＬへの切り替えおよびＵＬからＤＬへの切り替えごとにＲＦ  ＢＷを再同調させない場合がある。
【０２０８】
例示的な実施形態では、ＤＬ  ＢＷＰおよびＵＬ  ＢＷＰは、ＵＥに対して別々に構成されてもよい。ＤＬ  ＢＷＰとＵＬ  ＢＷＰとの対形成は、構成済みＢＷＰに制約を課す場合があり、例えば、対をなすＤＬ  ＢＷＰおよびＵＬ  ＢＷＰは同時にアクティブ化される場合がある。例えば、ｇＮＢは、ＦＤＤシステムでのアクティブ化のためにＵＥにＤＬ  ＢＷＰおよびＵＬ  ＢＷＰを示してもよい。一例では、ｇＮＢは、ＴＤＤシステムにおけるアクティブ化のために、同じ中心周波数を有するＤＬ  ＢＷＰおよびＵＬ  ＢＷＰをＵＥに示し得る。ＵＥのＢＷＰのアクティブ化／非アクティブ化はｇＮＢによって指示されるため、ＤＬ  ＢＷＰとＵＬ  ＢＷＰとの対形成または関連付けは、ＴＤＤシステムの場合でも必須ではない場合がある。それは、ｇＮＢの実装次第であり得る。
【０２０９】
例示的な一実施形態では、ＵＥは、ＤＣＩからＢＷＰ識別を識別して、表示プロセスを単純化することができる。ＢＷＰ  ＩＤのビット総数は、スケジューリングＤＣＩ（またはスイッチングＤＣＩ）およびＵＥの最小ＢＷ内で使用され得るビット数に依存し得る。ＢＷＰの数は、ＵＥがネットワークの最大ＢＷとともにサポートする最小ＢＷとによって決定され得る。例えば、同様の方法で、ＢＷＰの最大数は、ネットワークの最大ＢＷとＵＥの最小ＢＷとによって決定され得る。一例では、４００ＭＨｚがネットワークの最大のＢＷであり、５０ＭＨｚがＵＥの最小のＢＷである場合、８ＢＷＰがＵＥに構成され、そのことは、ＢＷＰを示すためにＤＣＩ内に３ビットを必要とし得ることを意味する。一例では、ＵＥの最小ＢＷに依存するネットワークＢＷのこのような分割は、ネットワークＢＷ全体にＵＥを分散することにより、例えばロードバランシング目的により、ネットワーク側から１つ以上のデフォルトのＢＷＰを作成するのに有用であり得る。
【０２１０】
例示的な一実施形態では、異なるＤＣＩフォーマット／スケジューリングタイプに対してそれぞれ異なるＢＷＰのセットを構成することができる。例えば、いくつかのより大きなＢＷＰは、スロットベースのスケジューリング以外に非スロットベースのスケジューリング用に構成され得る。スロットベースのスケジューリングと非スロットベースのスケジューリングとに異なるＤＣＩフォーマットが定義されている場合、異なるＤＣＩフォーマットに異なるＢＷＰが構成され得る。これにより、ＤＣＩオーバーヘッドを増加させることなく、異なるスケジューリングタイプ間の柔軟性を提供し得る。２ビットのビットフィールドを使用して、ＤＣＩフォーマットの４つの中でＢＷＰを示すことができる。例えば、ＤＣＩフォーマットごとに４つのＤＬ  ＢＷＰまたは［２つまたは４つの］  ＵＬ  ＢＷＰが構成され得る。同じまたは異なるＢＷＰを異なるＤＣＩ形式に構成し得る。
【０２１１】
例示的な一実施形態では、ＮＲは、グループ共通検索空間（ＧＣＳＳ）をサポートし得る。例えば、特定の情報については、ＣＳＳの代替としてＧＣＳＳを使用し得る。一例では、ｇＮＢは、ＵＥのＢＷＰ内でＧＣＳＳを構成することができ、ＲＡＣＨ応答およびページング制御などの情報は、ＧＣＳＳ上で伝送され得る。例えば、ＵＥは、このような情報のためにＣＳＳを含むＢＷＰに切り替える代わりに、ＧＣＳＳを監視し得る。
【０２１２】
例示的な一実施形態では、アクティブ化されたＤＬ  ＢＷＰの中心周波数は変更されなくてもよい。一例では、アクティブ化されたＤＬ  ＢＷＰの中心周波数が変更され得る。例えば、ＴＤＤの場合、アクティブ化されたＤＬ  ＢＷＰと非アクティブ化されたＤＬ  ＢＷＰとの中心周波数が一致しない場合、アクティブなＵＬ  ＢＷＰが暗黙的に切り替えられ得る。
【０２１３】
例示的な一実施形態では、異なるニューメロロジーを有するＢＷＰを重複させることができ、重複する領域における別のＢＷＰのＣＳＩ−ＲＳ／ＳＲＳのレートマッチングを使用して、ＦＤＭ／ＴＤＭ方式で異なるニューメロロジーの動的リソースアロケーションを達成することができる。一例では、１つのＢＷＰ内のＣＳＩ測定の場合、ＣＳＩ−ＲＳ／ＳＲＳが別のＢＷＰのデータ／ＲＳと衝突すると、別のＢＷＰの衝突領域のレートが一致し得る。例えば、２つのＢＷＰにわたるＣＳＩ情報は、ＵＥ報告によってｇＮＢ側で知られ得る。ＦＤＭ方式の異なるニューメロロジーによる動的リソースアロケーションは、ｇＮＢスケジューリングによって達成され得る。
【０２１４】
例示的な一実施形態では、ＰＵＣＣＨリソースは、構成済みＵＬ  ＢＷＰ、デフォルトのＵＬ  ＢＷＰ、および／または両方で構成され得る。例えば、ＰＵＣＣＨリソースがデフォルトのＵＬ  ＢＷＰで構成される場合、ＵＥはＳＲを伝送するためにデフォルトのＵＬ  ＢＷＰに再同調することができ、例えば、ＰＵＣＣＨリソースは、ＢＷＰごと、またはデフォルトのＢＷＰ以外のＢＷＰごとに構成され、ＵＥは、現在のアクティブなＢＷＰで再同調せずにＳＲを伝送し得る。
【０２１５】
例示的な一実施形態では、構成済みＳＣｅｌｌがＵＥに対してアクティブ化される場合、少なくともＰＵＣＣＨ伝送の目的で、ＤＬ  ＢＷＰがＵＬ  ＢＷＰに関連付けられてもよく、デフォルトのＤＬ  ＢＷＰがアクティブ化されてもよい。ＵＥが同じサービングセルでのＵＬ伝送用に構成される場合、デフォルトのＵＬ  ＢＷＰがアクティブ化され得る。
【０２１６】
一例では、Ｐｃｅｌｌ上でのＲＡＣＨ応答監視に周期的なギャップが存在する場合、Ｐｃｅｌｌに対して、構成済みＤＬ帯域幅部分の１つが、ＲＭＳＩ、ＯＳＩ、ＲＡＣＨ応答およびシステム情報更新のページング制御用のＣＳＳタイプの１つのＣＯＲＥＳＥＴを含み得る。サービングセルの場合、構成済みＤＬ帯域幅部分は、プリエンプション表示および他のグループベースコマンド用のＣＳＳタイプの１つのＣＯＲＥＳＥＴを含み得る。
【０２１７】
例示的な一実施形態では、ＢＷＰは、ＮＷキャリア上の共通基準点（ＰＲＢ０）に関して構成され得る。一例では、ＢＷＰは、ＳＴＡＲＴおよびＬＥＮＧＴＨのＰＲＢ粒度で、タイプ１  ＲＡを連続するＰＲＢのセットとして使用して構成されてもよく、最小長は、ＣＯＲＥＳＥＴの最小サポートサイズによって決定され得る。
【０２１８】
例示的な一実施形態では、ＲＲＣ接続ＵＥの共通チャネルを監視（グループ化）するために、初期のＤＬ  ＢＷＰはＲＭＳＩ、ＯＳＩおよびページングの制御チャネルを含むことができ、ＵＥは、このようなチャネルを監視するためにＢＷＰを切り替える。一例では、構成されたＤＬ  ＢＷＰは、Ｍｓｇ２の制御チャネルを含み得る。一例では、構成されたＤＬ  ＢＷＰは、ＳＦＩ用の制御チャネルを含み得る。一例では、構成されたＤＬ  ＢＷＰは、プリエンプション表示と、電力制御のような他のグループ共通インジケータと、を含み得る。
【０２１９】
例示的な一実施形態では、ＤＣＩは、ＢＷＰのアクティブ化／非アクティブ化を明示的に示すことができる。例えば、データ割り当てのないＤＣＩは、ＢＷＰをアクティブ化／非アクティブ化する表示を含み得る。一例では、ＵＥは、第１のＤＣＩを介して第１の表示を受信して、ＢＷＰをアクティブ化／非アクティブ化し得る。ＵＥがデータの受信を開始するために、データ割り当てを有する第２のＤＣＩがｇＮＢによって伝送され得る。ＵＥは、ターゲットＢＷＰのターゲットＣＯＲＥＳＥＴで最初のＤＣＩを受信し得る。一例では、ｇＮＢに提供されるＣＳＩフィードバックがあるまで、ｇＮＢスケジューラは保守的なスケジューリング決定を行うことができる。
【０２２０】
一例において、アクティブなＢＷＰ切り替えのためのスケジューリングのないＤＣＩは、スケジューリングの前にＣＳＩを測定するために伝送され得る。これを、スケジューリングを有するＤＣＩの実装の問題と見なすことができ、例えば、リソースアロケーションフィールドをゼロに設定することができ、これは、スケジューリングされるデータがない場合があることを意味する。このＤＣＩの他のフィールドは、１つ以上のＣＳＩ／ＳＲＳ要求フィールドを含み得る。
【０２２１】
例示的な一実施形態では、ＳＣｅｌｌのアクティブ化および非アクティブ化は、ＳＣｅｌｌの構成済みＢＷＰの対応するアクションをトリガし得る。一例では、ＳＣｅｌｌのアクティブ化および非アクティブ化は、ＳＣｅｌｌの構成済みＢＷＰの対応するアクションをトリガしない場合がある。
【０２２２】
例示的な一実施形態では、データ割り当てを有するＤＣＩは、データ割り当てとともにＢＷＰをアクティブ化／非アクティブ化する表示を含み得る。例えば、ＵＥは、組み合わされた、データアロケーションとＢＷＰアクティブ化／非アクティブ化メッセージとを受信し得る。例えば、ＤＣＩフォーマットは、ＵＬ／ＤＬ許可を示すフィールドとともにＢＷＰのアクティブ化／非アクティブ化を示すフィールドを含み得る。この場合、ＵＥは単一のＤＣＩを有するデータの受信を開始し得る。この場合、ＤＣＩはターゲットＢＷＰの１つ以上のターゲットリソースを示す必要があり得る。ｇＮＢスケジューラは、ターゲットＢＷのＣＳＩについてほとんど知識を有しない場合があり、保守的なスケジューリング決定を行う必要があり得る。
【０２２３】
例示的な一実施形態では、データ割り当てを有するＤＣＩについて、ＤＣＩは現在のアクティブなＢＷＰで伝送されてもよく、スケジューリング情報は新たなＢＷＰに関するものであり得る。例えば、単一のアクティブなＢＷＰがあり得る。現在のＢＷＰをスケジュールするため、または別のＢＷＰをスケジュールするために、スロットに１つのＤＣＩがあり得る。現在のＢＷＰをスケジュールするＤＣＩと別のＢＷＰをスケジュールするＤＣＩとに同じＣＯＲＥＳＥＴを使用し得る。例えば、ブラインドデコーディングの数を低減するために、現在のＢＷＰをスケジューリングするＤＣＩと、ＢＷＰ切り替えをスケジューリングするＤＣＩと、のＤＣＩペイロードサイズは、同じであり得る。
【０２２４】
例示的な一実施形態では、ＢＷＰ切り替えのためのスケジューリングＤＣＩをサポートするために、１つのグループ内のニューメロロジーが同じであり得るｇＮＢによってＢＷＰグループを構成することができる。一例では、ＢＷＰグループのＢＷＰ切り替えを構成することができ、この場合、グループ内の１つ以上のＢＷＰのＣＯＲＥＳＥＴにＢＩＦが存在することがある。例えば、ＢＷＰ切り替えのスケジューリングＤＣＩを、ＢＷＰグループごとに構成することができ、この場合、グループ内のアクティブなＢＷＰは、グループ内の任意の他のＢＷＰに切り替えることができる。
【０２２５】
例示的な一実施形態では、スケジューリング割り当て／許可を含むＤＣＩは、アクティブＢＷＰインジケータを含まなくてもよい。対スペクトルの場合、スケジューリングＤＣＩは、スケジューリングが有効である伝送方向のＵＥのアクティブなＢＷＰを切り替えることができる。不対スペクトルの場合、スケジューリングＤＣＩは、スケジューリングが有効である伝送方向に関係なく、ＵＥのアクティブなＤＬ／ＵＬ  ＢＷＰ対を切り替えることができる。「ゼロ」割り当てを有するダウンリンクスケジューリング割り当て／許可の可能性がある場合があり、実際には、ダウンリンクまたはアップリンク伝送をスケジュールせずにアクティブなＢＷＰの切り替えを可能にする。
【０２２６】
例示的な一実施形態では、タイマベースのアクティブ化／非アクティブ化ＢＷＰがサポートされてもよい。例えば、ＤＬ  ＢＷＰのアクティブ化／非アクティブ化のタイマは、シグナリングのオーバーヘッドを低減することができ、ＵＥの電力節減を可能にし得る。ＤＬ  ＢＷＰのアクティブ化／非アクティブ化は、非アクティブタイマ（ＢＷＰ非アクティブ（または非アクティビティ）タイマと呼ばれる）に基づき得る。例えば、ＵＥは、ＤＣＩを受信すると、タイマを始動およびリセットし得る。ＵＥがタイマの期間中にスケジュールされないとき、タイマは満了し得る。この場合、ＵＥは、タイマの満了に応答して、適切なＢＷＰをアクティブ化／非アクティブ化し得る。例えば、ＵＥは、例えばデフォルトのＢＷＰをアクティブにすることができ、ソースのＢＷＰを非アクティブにすることができる。
【０２２７】
例えば、ＢＷＰ非アクティブタイマは、ＢＷがより小さいデフォルトのＢＷＰに切り替わるＵＥの電力節減と、あるＢＷＰから別のＢＷＰに切り替わるＤＣＩベースのアクティブ化／非アクティブ化シグナリングが欠落しているＵＥのフォールバックと、に有益であり得る。
【０２２８】
例示的な一実施形態では、フォールバックについて、ＵＥが新たなＤＬ  ＢＷＰに切り替わると、ＢＷＰ非アクティブタイマが始動し得る。タイマは、ＵＥ固有のＰＤＣＣＨが正常にデコードされると再始動することができ、ＵＥ固有のＰＤＣＣＨは、新たな伝送、再伝送、または何らかの他の目的、例えばサポートされている場合のＳＰＳアクティブ化／非アクティブ化に、関連付けられ得る。
【０２２９】
例示的な一実施形態では、ＵＥは、ＢＷＰ非アクティブタイマの作動中にネットワークから制御／データを受信しない場合、デフォルトのＢＷＰに切り替わり得る。タイマは、制御／データを受信するとリセットされ得る。例えば、ＵＥがＤＣＩを受信してＵＥのアクティブなＤＬ  ＢＷＰをデフォルトのＢＷＰから別のＢＷＰに切り替えると、タイマがトリガされ得る。例えば、ＵＥがＤＣＩを受信してデフォルトのＢＷＰ以外のＢＷＰでＰＤＳＣＨ（複数可）をスケジュールすると、タイマがリセットされ得る。
【０２３０】
例示的な実施形態では、ＤＬ  ＢＷＰ非アクティブタイマは、ＵＬ  ＢＷＰ非アクティブタイマとは別に定義されてもよい。例えば、タイマ、例えば、ＤＬ  ＢＷＰおよびＵＬ  ＢＷＰ用の独立タイマ、またはＤＬおよびＵＬ  ＢＷＰ用のジョイントタイマ、を設定する方法がいくつかあり得る。一例では、ＤＬ  ＢＷＰとＵＬ  ＢＷＰとの両方がアクティブ化されると仮定される個別のタイマについて、ＤＬデータがあり、かつＵＬタイマが満了した場合、ＰＵＣＣＨ構成が影響を受け得るため、ＵＬ  ＢＷＰが非アクティブ化されない場合がある。例えば、アップリンクについて、ＤＬ伝送に関連するＵＬフィードバック信号がある場合、タイマがリセットされ得る（または、ＤＬデータがある場合、ＵＬタイマが設定されない場合がある）。一方、ＵＬデータがあり、かつＤＬタイマが満了した場合、デフォルトのＤＬ  ＢＷＰでＵＬ許可が伝送されるため、ＤＬ  ＢＷＰが非アクティブ化されていても問題ない場合がある。
【０２３１】
例示的な一実施形態では、ＢＷＰ非アクティビティタイマは、ＰｃｅｌｌおよびＳｃｅｌｌ上のデフォルトのＢＷＰへのフォールバックを有効にし得る。
【０２３２】
例示的な一実施形態では、ＢＷＰのＤＣＩ明示的アクティブ化／非アクティブ化により、ＵＥおよびｇＮＢは、どのＢＷＰがアクティブ化／非アクティブ化されるかに関して同期されない場合がある。ｇＮＢスケジューラは、チャネル依存スケジューリングのターゲットＢＷＰに関連するＣＳＩ情報を有しない場合がある。ｇＮＢは、１つ以上の最初のいくつかのスケジューリング機会のための保守的なスケジューリングに限定され得る。ｇＮＢは、周期的または非周期的なＣＳＩ−ＲＳおよび関連付けられたＣＱＩレポートに依存して、チャネル依存スケジューリングを実行し得る。周期的または非周期的なＣＳＩ−ＲＳおよび関連付けられたＣＱＩレポートに依存すると、チャネル依存スケジューリングが遅延し、および／またはシグナリングオーバーヘッドをもたらし得る（例えば、非周期的なＣＱＩを要求する場合）。同期およびチャネル状態情報を取得する際の遅延を緩和するために、ＵＥはＢＷＰのアクティブ化／非アクティブ化を受信すると肯定応答を伝送し得る。例えば、提供されたＣＳＩ−ＲＳリソースに基づくＣＳＩレポートは、ＢＷＰのアクティブ化後に伝送されてもよく、アクティブ化／非アクティブ化の肯定応答として使用される。
【０２３３】
例示的な一実施形態では、ｇＮＢは、ＵＥが新たな帯域幅に同調した後、ターゲットＢＷＰのサウンディング基準信号を提供し得る。一例では、ＵＥは、ＵＥが明示的なＤＣＩコマンドを受信し、かつ適切なＢＷＰをアクティブ化／非アクティブ化することを確認するためにｇＮＢによって肯定応答として使用されるＣＳＩを報告し得る。一例では、データ割り当てを有するＤＣＩを介した明示的なアクティブ化／非アクティブ化の場合、ターゲットＢＷＰのＣＳＩなしで最初のデータ割り当てが実行され得る。
【０２３４】
例示的な一実施形態では、ＲＦ再同調および関連する動作を考慮に入れるために、ガード期間が定義され得る。例えば、ＵＥは、ガード期間中に信号を伝送も受信もしない場合がある。ｇＮＢは、ガード期間の長さを知る必要がある場合がある。例えば、ガード期間の長さは、ＵＥ機能としてｇＮＢに報告され得る。ガード期間の長さは、ＢＷＰのニューメロロジーとスロットの長さとに密接に関連し得る。例えば、ＲＦ再同調のガード期間の長さは、ＵＥの機能として報告され得る。一例では、ＵＥは、絶対時間をμｓで報告してもよい。一例では、ＵＥは、シンボルでガード期間を報告してもよい。
【０２３５】
例示的な一実施形態において、ｇＮＢは、ＵＥ報告によりガード期間の長さを知った後、ｇＮＢとＵＥとの間で整合されたガード期間の時間領域位置を維持したい場合がある。例えば、ＲＦ再同調のガード期間は、ＢＷＰ切り替えをトリガする時間パターンに対して事前定義され得る。一例では、ＤＣＩおよびタイマによってトリガされるＢＷＰ切り替えについて、ＤＣＩおよびタイマベースのＢＷＰ切り替えのガード期間が、実装の問題であり得る。一例では、ある時間パターンに続くＢＷＰ切り替えに対して、ガード期間の位置を定義し得る。例えば、ＵＥがＣＳＳ監視のために周期的にデフォルトのＢＷＰに切り替わるように構成される場合、ガード期間はＣＳＳを搬送するシンボルに影響を与えない場合がある。
【０２３６】
例示的な一実施形態では、単一のＤＣＩが、所与のサービングセル内でＵＥのアクティブなＢＷＰフォームを（同じリンク方向の）他のＢＷＰフォームに切り替え得る。ＵＥが任意の他の制御情報を必要とせずに、検出されたＤＬ／ＵＬ許可に従って現在のＤＬ／ＵＬ  ＢＷＰを決定し得るように、別のフィールドをスケジューリングＤＣＩで使用して、アクティブ化のためのＢＷＰのインデックスを示し得る。特定の期間中にＢＷＰの変更が発生しない場合、この期間中に伝送される複数のスケジューリングＤＣＩは、同じＢＷＰへの表示を含み得る。ＵＥが、ＢＷＰのうちのいずれか１つでスケジューリングＤＣＩを検出することによってターゲットＢＷＰインデックスを取得し得るように、潜在的なあいまいさが発生する可能性のあるトランジット時間中、ｇＮＢは、現在のＢＷＰで、または同じターゲットＢＷＰインデックスを含む他のＢＷＰで合わせて、スケジューリング許可を送信し得る。複製されたスケジューリングＤＣＩは、Ｋ回伝送され得る。ＵＥがＫ回の伝送のうちの１つを受信すると、ＵＥは、ターゲットＢＷＰに切り替わり、ＢＷＰ表示フィールドに従ってターゲットＢＷＰで受信または伝送（ＵＬ）を開始し得る。
【０２３７】
例示的な一実施形態では、ＵＥのＲＦ帯域幅の周波数位置は、ｇＮＢによって示され得る。例えば、ＵＥのＲＦ帯域幅機能を考慮すると、ＵＥのＲＦ帯域幅は、通常、キャリア帯域幅よりも小さいことが可能である。ＵＥでサポートされるＲＦ帯域幅は、通常、離散値のセット（例えば、１０ＭＨｚ、２０ＭＨｚ、５０ＭＨｚなど）であり、省エネルギー目的で、ＵＥ  ＲＦ帯域幅は、ＢＷＰ帯域幅をサポートする利用可能な最小帯域幅として決定され得る。しかし、ＢＷＰ帯域幅の粒度はＰＲＢレベルであり、これはＵＥ  ＲＦ帯域幅と切り離されており、より柔軟である。その結果、ほとんどの場合、ＵＥ  ＲＦ帯域幅はＢＷＰ帯域幅よりも大きい。特に、構成済みＢＷＰがキャリア帯域幅のエッジ近くに構成される場合、ＵＥはキャリア帯域幅外で信号を受信し得る。また、システム間干渉、またはキャリア帯域幅外の隣接セルからの干渉は、ＢＷＰの受信性能に影響を与え得る。それゆえ、キャリア帯域幅内にＵＥ  ＲＦ帯域幅を維持するには、ｇＮＢによってＵＥ  ＲＦ帯域幅の周波数位置を示す必要があり得る。
【０２３８】
例示的な一実施形態では、測定ギャップ構成に関して、ギャップ期間は、測定期間および必要な再同調ギャップに基づいて決定され得る。例えば、場合によっては、異なる再同調ギャップが必要になり得る。例えば、ＵＥがＵＥの中心を切り替える必要がない場合、再同調は２０ｕｓのように小さいことが可能である。ＵＥが測定を実行するためにＵＥの中心を切り替える必要があるかどうかをネットワークが知らない場合、ＵＥは、測定構成に必要な再同調ギャップを示し得る。
【０２３９】
例示的な一実施形態では、必要なギャップは、切り替えメカニズムを介して動的に切り替えられ得る現在のアクティブなＢＷＰに依存し得る。この場合、例えば、ＵＥは必要なギャップを動的に示す必要があり得る。
【０２４０】
例示的な一実施形態では、測定ギャップを暗黙的に作成することができ、ネットワークは特定のギャップを構成することができる（特定のギャップは、例えば、最小の再同調遅延を含むことができ、現在のアクティブなＢＷＰの中心周波数が変更されていないと仮定して測定帯域幅とアクティブなＢＷＰとの両方がＵＥの最大ＲＦ機能内に含まれ得る場合、ネットワークは小さい再同調ギャップが必要であると仮定し得る）。この場合、例えば、ＵＥが構成済みギャップよりも大きいギャップを必要とする場合、ＵＥは受信または伝送をスキップし得る。
【０２４１】
例示的な一実施形態では、ＲＲＭおよびＣＳＩについて、それぞれ異なる測定ギャップおよび再同調遅延が仮定され得る。ＣＳＩ測定について、アクティブなＢＷＰの外部での周期的なＣＳＩ測定が構成される場合、ＵＥは、測定構成ごとに周期的にＣＳＩの測定を実行する必要があり得る。ＲＲＭについて、ＲＲＭが測定要件を満たす限り、どこで測定を実行するかはＵＥの実装次第であり得る。この場合、例えば、測定のための最悪の場合の再同調遅延が使用され得る。一例では、帯域内および帯域間再同調の間で再同調遅延が異なり得るため、帯域内および帯域間測定間の別個の測定ギャップ構成が考慮されてもよい。
【０２４２】
例示的な一実施形態では、ＢＷＰの切り替えがあるとき、現在のＢＷＰのＤＣＩは、ＵＥが切り替わると予想される次のＢＷＰのリソースアロケーションを示す必要があり得る。例えば、リソースアロケーションは、ＢＷＰごとであり得るＵＥ固有のＰＲＢインデックスに基づき得る。ＰＲＢインデックスの範囲は、ＢＷＰが変化するにつれて変化し得る。一例では、現在のＢＷＰで伝送されるＤＣＩは、現在のＢＷＰのＰＲＢインデックス付けに基づき得る。ＤＣＩは、コンフリクトを引き起こし得る、新たなＢＷＰでのＲＡを示す必要があり得る。ＵＥのブラインド検出オーバーヘッドを大幅に増加させることなくコンフリクトを解決するために、ＤＣＩサイズおよびビットフィールドは、所与のＤＣＩタイプについてＢＷＰごとに変化しないことが可能である。
【０２４３】
例示的な一実施形態では、ＢＷＰが変化するにつれてＰＲＢインデックスの範囲が変化する可能性があるため、ＲＡの総ビットフィールドのうちの１つ以上の使用ビットは、使用されるＢＷＰに依存し得る。例えば、ＵＥは、リソースアロケーションがリソースアロケーションビットフィールドを識別することを目的とする、示されたＢＷＰ  ＩＤを使用してもよい。
【０２４４】
例示的な一実施形態では、ＵＥがサービングセル内の複数のＤＬまたはＵＬ  ＢＷＰを用いて構成される場合、非アクティブなＤＬ／ＵＬ  ＢＷＰは、このＢＷＰでそれぞれＤＬ割り当てまたはＵＬ許可をスケジューリングするＤＣＩによってアクティブ化され得る。ＵＥが現在アクティブなＤＬ  ＢＷＰでのＰＤＣＣＨを監視しているため、ＤＣＩは、ＵＥがＰＤＳＣＨ受信またはＵＬ伝送のために切り替わり得ることのターゲットＢＷＰへの指示を含み得る。この目的で、ＢＷＰ表示をＵＥ固有のＤＣＩフォーマットで挿入することができる。このフィールドのビット幅は、ＤＬ／ＵＬ  ＢＷＰの最大可能数、または現在構成されている数に依存し得る。ＣＩＦと同様に、構成されるＢＷＰの最大数に基づいて、ＢＷＰ表示フィールドを固定サイズに設定する方が簡単な場合がある。
【０２４５】
例示的な一実施形態では、ＤＣＩフォーマット（複数可）は、例えばＢＷＰごとではなく、セルごとにユーザ固有に構成されてもよい。例えば、ＵＥが新たなＢＷＰに同期した後、ＵＥは、ＣＯＲＥＳＥＴで事前構成された検索空間の監視を開始し得る。ＤＣＩフォーマットの数を保持するためにセルごとにＤＣＩフォーマットが構成され得る場合、ＤＣＩの対応するヘッダサイズは小さいことが可能である。
【０２４６】
例示的な一実施形態では、ＵＥ固有のサービングセルについて、１つ以上のＤＬ  ＢＷＰおよび１つ以上のＵＬ  ＢＷＰが、ＵＥに対する専用のＲＲＣによって構成されてもよい。ＰＣｅｌｌについて、これはＲＲＣ接続確立プロシージャの一部として行われ得る。ＳＣｅｌｌについて、これはＳＣｅｌｌパラメータを示し得るＲＲＣ構成を介して行われ得る。
【０２４７】
例示的な一実施形態では、ＵＥがＳＣｅｌｌアクティブ化コマンドを受信すると、ＳＣｅｌｌのプロパティ（ＤＬのみ、ＵＬのみ、または両方）に応じてＵＥによって監視され得る少なくとも１つのＤＬおよび／またはＵＬ  ＢＷＰがあり得るため、アクティブ化され得るデフォルトのＤＬおよび／またはＵＬ  ＢＷＰがあり得る。ＳＣｅｌｌアクティブ化コマンドを受信するとアクティブ化され得るこのＢＷＰは、このサービングセル上でＢＷＰを構成したＲＲＣ構成を介してＵＥに通知され得る。
【０２４８】
例えば、ＳＣｅｌｌについて、ＳＣｅｌｌ構成／再構成のＲＲＣシグナリングを使用して、ＵＥによってＳＣｅｌｌアクティブ化コマンドが受信されたときにどのＤＬ  ＢＷＰおよび／またはどのＵＬ  ＢＷＰがアクティブ化され得るかを示すことができる。示されたＢＷＰは、ＳＣｅｌｌ上の初期アクティブなＤＬ／ＵＬ  ＢＷＰであり得る。したがって、ＳＣｅｌｌアクティブ化コマンドは、ＤＬおよび／またはＵＬ  ＢＷＰをアクティブ化し得る。
【０２４９】
例示的な一実施形態では、ＳＣｅｌｌについて、フォールバックの目的で使用され得るＳＣｅｌｌ上のデフォルトのＤＬ  ＢＷＰを示すために、ＳＣｅｌｌ構成／再構成のためのＲＲＣシグナリングが使用され得る。例えば、デフォルトのＤＬ  ＢＷＰは、ＳＣｅｌｌ構成の一部としてＵＥに示される初期アクティブ化されたＤＬ／ＵＬ  ＢＷＰと同じであっても異なっていてもよい。一例では、ＰＵＣＣＨリソースがすべてのＢＷＰでＳＲのために構成されていない場合、デフォルトのＵＬ  ＢＷＰが、ＳＲ用のＰＵＣＣＨを伝送する場合にＵＥに対して構成され得る。
【０２５０】
一例では、ＳｃｅｌｌはＤＬ専用であってもよい。ＤＬ専用のＳｃｅｌｌについて、ＵＥは、ＳＣｅｌｌ非アクティブ化コマンドを受信するまで、初期のＤＬ  ＢＷＰ（初期アクティブな、またはデフォルトの）を監視し続けてもよい。
【０２５１】
一例では、ＳｃｅｌｌはＵＬ専用であってもよい。ＵＬ専用のＳｃｅｌｌについて、ＵＥが許可を受信すると、ＵＥは、指示されたＵＬ  ＢＷＰで伝送し得る。一例では、ＵＥが許可を受信しない場合、ＵＥは、アクティブなＵＬ  ＢＷＰを維持しなくてもよい。一例では、許可受信がないことに起因してアクティブなＵＬ  ＢＷＰを維持しないと、ＳＣｅｌｌを非アクティブ化しなくてもよい。
【０２５２】
一例では、ＳｃｅｌｌはＵＬおよびＤＬ用であってもよい。ＵＬおよびＤＬ用のＳｃｅｌｌについて、ＵＥは、ＵＥがＳＣｅｌｌ非アクティブ化コマンドおよびを受信するまで、初期のＤＬ  ＢＷＰ（初期アクティブな、またはデフォルトの）を監視し続けてもよい。ＵＬ  ＢＷＰは、関連する許可またはＳＲ伝送がある場合に使用され得る。
【０２５３】
一例では、ＢＷＰ非アクティブ化がＳＣｅｌｌ非アクティブ化にならない場合がある。例えば、ＵＥがＳＣｅｌｌ非アクティブ化コマンドを受信すると、アクティブなＤＬおよび／またはＵＬ  ＢＷＰは非アクティブ化されたと見なされ得る。
【０２５４】
例示的な一実施形態では、１つ以上のＢＷＰは、ＵＥ固有のＲＲＣシグナリングを介して準静的に構成される。ＣＡシステムでは、ＵＥがプライマリコンポーネントキャリア（ＣＣ）とのＲＲＣ接続を維持する場合、セカンダリＣＣのＢＷＰは、プライマリＣＣのＲＲＣシグナリングを介して構成され得る。
【０２５５】
例示的な一実施形態では、１つ以上のＢＷＰは、ＰＣｅｌｌのＲＲＣシグナリングを介してＵＥに対して準静的に構成され得る。ＳＣｅｌｌで伝送されるＤＣＩは、１つ以上の構成済みＢＷＰのうちのＢＷＰを示し、示されたＢＷＰに基づいて詳細なリソースを許可し得る。
【０２５６】
例示的な一実施形態では、クロスＣＣスケジューリングについて、ＰＣｅｌｌで伝送されるＤＣＩは、１つ以上の構成済みＢＷＰのうちのＢＷＰを示し、示されたＢＷＰに基づいて詳細なリソースを許可し得る。
【０２５７】
例示的な一実施形態では、ＳＣｅｌｌがアクティブ化されると、ＤＬ  ＢＷＰは、Ｓｃｅｌｌ内の最初のＰＤＣＣＨを監視するためのＣＯＲＥＳＥＴを構成するために初期アクティブ化され得る。ＤＬ  ＢＷＰは、ＳＣｅｌｌ内のデフォルトのＤＬ  ＢＷＰとして機能し得る。一例では、ＵＥはＰＣｅｌｌのＳＳブロックを介して初期アクセスを実行するため、ＳＣｅｌｌ内のデフォルトのＤＬ  ＢＷＰは初期アクセス用のＳＳブロックから導出されない場合がある。Ｓｃｅｌｌ内のデフォルトのＤＬ  ＢＷＰは、ＰＣｅｌｌ内のＲＲＣシグナリングによって構成され得る。
【０２５８】
例示的な一実施形態では、クロスセルスケジューリングがＵＥに対して構成される場合、クロスセルスケジューリングＤＣＩによってＳｃｅｌｌ上のＢＷＰがアクティブ化され得る。この場合、ｇＮＢは、スケジューリングＤＣＩでＣＩＦおよびＢＷＰＩを示すことにより、Ｓｃｅｌｌ上のＢＷＰをアクティブ化し得る。
【０２５９】
例示的な一実施形態では、ＳＳブロックベースのＲＲＭ測定値は、ＢＷＰフレームワークと切り離されてもよい。例えば、各ＲＲＭおよびＣＳＩフィードバックの測定構成は、帯域幅部分構成から独立して構成され得る。ＣＳＩおよびＳＲＳの測定／伝送は、ＢＷＰフレームワーク内で実行され得る。
【０２６０】
例示的な一実施形態では、アクティブなＤＬ  ＢＷＰ切り替え後の最初の１つ以上のＤＬデータパケットのＭＣＳ割り当てについて、ネットワークは、ＲＲＭ測定報告に基づいて最初の１つ以上のＤＬデータパケットのＵＥにロバストＭＣＳを割り当て得る。一例では、アクティブなＤＬ  ＢＷＰ切り替え後の最初の１つ以上のＤＬデータパケットのＭＣＳ割り当てについて、ネットワークは、アクティブなＤＬ  ＢＷＰ切り替えＤＣＩによってＵＥにシグナリングし、非周期的なＣＳＩ測定／報告をトリガして、リンク適応収束を高速化し得る。ＵＥについて、サービングセル内のアクティブなＢＷＰ外での周期的なＣＳＩ測定がサポートされない場合がある。ＵＥについて、サービングセル内のアクティブなＢＷＰ外のＲＲＭ測定がサポートされ得る。ＵＥについて、サービングセル内の構成済みＢＷＰ外でのＲＲＭ測定がサポートされ得る。
【０２６１】
例示的な一実施形態では、ＲＲＭ測定は、ＳＳＢおよび／またはＣＳＩ−ＲＳで実行され得る。ＲＲＭ／ＲＬＭ測定はＢＷＰに依存しない場合がある。
【０２６２】
例示的な一実施形態では、ＵＥは、非アクティブなＤＬ  ＢＷＰについての非周期的なＣＳＩレポートを用いて構成されない場合がある。例えば、ＣＳＩ測定値は、ＢＷ開始後に取得されてもよく、以前のＢＷＰの広帯域ＣＱＩは、ＮＷキャリア上の他のＢＷＰの開始点として使用され得る。
【０２６３】
例示的な一実施形態では、ＵＥは、スケジューリングの前にＢＷＰに関するＣＳＩ測定を実行することができる。例えば、新たなＢＷＰでスケジューリングする前に、ｇＮＢは、潜在的な新たなＢＷＰでユーザをスケジューリングする前に、そのＢＷＰに関するチャネル品質を確認することを予定し得る。この場合、ＵＥは異なるＢＷＰに切り替わり、ＢＷＰに関するチャネル品質を測定してから、ＣＳＩレポートを伝送し得る。この場合、スケジューリングは不要であり得る。
【０２６４】
例示的な一実施形態では、各コンポーネントキャリアの１つまたは複数の帯域幅部分構成は、半静的にＵＥにシグナリングされ得る。帯域幅部分は、連続するＰＲＢのグループを含むことができ、１つ以上の予約されたリソースが帯域幅部分内に構成され得る。帯域幅部分の帯域幅は、ＵＥがサポートする最大帯域幅機能以下であり得る。帯域幅部分の帯域幅は、少なくともＳＳブロックの帯域幅と同じ大きさであり得る。帯域幅部分は、ＳＳブロックを包含しても包含しなくてもよい。帯域幅部分の構成は、ニューメロロジー、周波数位置（例えば、中心周波数）、または帯域幅（例えば、ＰＲＢの数）、のうちの少なくとも１つを含み得る。
【０２６５】
例示的な一実施形態では、帯域幅部分は、１つ以上のニューメロロジーに関連付けられてもよく、１つ以上のニューメロロジーは、サブキャリア間隔、ＣＰタイプ、またはスロット持続時間表示を含み得る。一例では、ＵＥは、所与の時点に対する構成済み帯域幅部分のセットのうちの、少なくとも１つのＤＬ帯域幅部分と、少なくとも１つのＵＬ帯域幅部分と、がアクティブであることを予想し得る。ＵＥは、関連付けられたニューメロロジー、例えば、少なくともＤＬ用のＰＤＳＣＨおよび／またはＰＤＣＣＨ、およびＵＬ用のＰＵＣＣＨおよび／またはＰＵＳＣＨ、またはそれらの組み合わせを使用して、アクティブなＤＬ／ＵＬ帯域幅部分（複数可）内で受信／伝送すると仮定され得る。
【０２６６】
一例では、同じまたは異なるニューメロロジーを有する複数の帯域幅部分が、ＵＥに対して同時にアクティブであり得る。アクティブな複数の帯域幅部分は、ＵＥが同じインスタンスで異なるニューメロロジーをサポートする必要があることを意味しないことが可能である。アクティブなＤＬ／ＵＬ帯域幅部分は、コンポーネントキャリア内のＵＥのＤＬ／ＵＬ帯域幅機能よりも大きい周波数範囲に及ばないことが可能である。
【０２６７】
例示的な一実施形態では、ＮＲは、周波数領域の広帯域ＣＣでの単一および複数のＳＳブロック伝送をサポートしてもよい。例えば、より小さなＢＷ機能を有する非ＣＡ  ＵＥについて、および潜在的にＣＡ  ＵＥについて、ＮＲは、ＳＳブロックを使用して（アクティブなＢＷ部分（複数可）にＳＳブロックがないことが認められる場合）、ＲＲＭ測定のおよび潜在的に他の目的での（例えば、ＵＬ電力制御の経路損失測定）、測定ギャップをサポートし得る。ＵＥには、ＲＭＳＩ、他のシステム情報、および／またはＲＲＣシグナリング、のうちの少なくとも１つを介して、ＳＳブロックの存在（複数可）／パラメータとＲＲＭ測定に必要なパラメータとが通知され得る。
【０２６８】
例示的な一実施形態では、少なくともＲＲＣ接続状態のＤＬ  ＢＷＰ構成のために、共通ＰＲＢインデックス付けを使用することができる。例えば、基準点はＰＲＢ０であることが可能であり、ＰＲＢ０は、ＮＢ、ＣＡ、またはＷＢ  ＵＥであるかどうかに関係なく、ネットワークの観点から広帯域ＣＣを共有する１つ以上のＵＥに共通であり得る。一例では、ＰＲＢ０からＵＥによってアクセスされるＳＳブロックの最も低いＰＲＢまでのオフセットは、例えば、ＲＭＳＩおよび／またはＵＥ固有のシグナリングを介した上位層シグナリングによって構成され得る。一例では、共通のＰＲＢインデキシングは、所与のニューメロロジーの最大数のＰＲＢ用であることが可能であり、共通のＰＲＢインデキシングは、ＵＥ固有のＰＤＳＣＨ用のＲＳ生成用であることが可能である、および／またはＵＬ用であることが可能である。
【０２６９】
例示的な一実施形態では、ＲＲＣ接続の確立中または確立後にＵＥが帯域幅部分（複数可）を用いて明示的に（再）構成されるまで、ＵＥに対して有効である初期のアクティブなＤＬ／ＵＬ帯域幅部分対があり得る。例えば、初期のアクティブなＤＬ／ＵＬ帯域幅部分は、所与の周波数帯域のＵＥ最小帯域幅内に制限され得る。ＮＲは、少なくともＤＣＩでの明示的な表示により、ＤＬおよびＵＬ帯域幅部分のアクティブ化／非アクティブ化をサポートし得る。ＭＡＣ  ＣＥベースのアプローチは、ＤＬおよびＵＬ帯域幅部分のアクティブ化／非アクティブ化に使用され得る。一例では、ＮＲは、ＵＥがＵＥのアクティブなＤＬ帯域幅部分をデフォルトのＤＬ帯域幅部分に切り替えるためのタイマによるＤＬ帯域幅部分のアクティブ化／非アクティブ化をサポートし得る。例えば、デフォルトのＤＬ帯域幅部分は、上記で定義された初期のアクティブなＤＬ帯域幅部分であり得る。デフォルトのＤＬ帯域幅部分は、ネットワークによって再構成され得る。
【０２７０】
例示的な一実施形態では、ＵＥが、測定を実行するか、またはＵＥのアクティブなＢＷＰ外でＳＲＳを伝送するとき、それは測定ギャップと見なされ得る。例えば、測定ギャップの間、ＵＥはＣＯＲＥＳＥＴを監視しないことが可能である。
【０２７１】
例示的な一実施形態では、対スペクトルについて、ｇＮＢは、ＵＥのＵＥ固有のサービングセルに対してＤＬおよびＵＬ  ＢＷＰを別々にかつ独立して構成し得る。例えば、少なくともスケジューリングＤＣＩを使用するアクティブなＢＷＰの切り替えについて、ＤＬのアクティブなＢＷＰの切り替えにＤＬのＤＣＩを使用し、ＵＬのアクティブなＢＷＰの切り替えにＵＬのＤＣＩを使用することができる。例えば、ＮＲは、ＤＬおよびＵＬ  ＢＷＰを合わせて切り替える単一のＤＣＩをサポートし得る。
【０２７２】
例示的な一実施形態では、不対スペクトルの場合、ｇＮＢはＤＬ  ＢＷＰおよびＵＬ  ＢＷＰを対として合わせて構成することができ、ＤＬ／ＵＬ  ＢＷＰ対のＤＬおよびＵＬ  ＢＷＰは、同じ中心周波数を共有し得るが、ＵＥのＵＥ固有のサービングセルに対して異なる帯域幅からなり得る、という制限がある。例えば、少なくともスケジューリングＤＣＩを使用するアクティブなＢＷＰの切り替えについて、１つのＤＬ／ＵＬ  ＢＷＰ対から別の対へのアクティブなＢＷＰの切り替えに、ＤＬまたはＵＬのいずれかのＤＣＩを使用することができる。このことは、少なくとも、対応する不対スペクトルでＵＥに対してＤＬおよびＵＬの両方がアクティブ化される場合に該当し得る。一例では、ＤＬ  ＢＷＰとＵＬ  ＢＷＰとの対形成に制限がないことが可能である。
【０２７３】
例示的な一実施形態では、ＵＥについて、構成済みＤＬ（またはＵＬ）ＢＷＰは、周波数領域で、サービングセル内の別の構成済みＤＬ（またはＵＬ）ＢＷＰと重複し得る。
【０２７４】
例示的な一実施形態では、サービングセルについて、最大数のＤＬ／ＵＬ  ＢＷＰ構成は、対スペクトル用、例えば４つのＤＬ  ＢＷＰおよび４つのＵＬ  ＢＷＰ用であり得る。一例では、最大数のＤＬ／ＵＬ  ＢＷＰ構成は、不対スペクトル用、例えば４つのＤＬ／ＵＬ  ＢＷＰ対用であり得る。一例では、最大数のＤＬ／ＵＬ  ＢＷＰ構成は、ＳＵＬ用、例えば４つのＵＬ  ＢＷＰ用であり得る。
【０２７５】
例示的な一実施形態では、対スペクトルについて、ＮＲは、デフォルトのＤＬ  ＢＷＰへのタイマベースのアクティブなＤＬ  ＢＷＰの切り替えのための専用タイマをサポートしてもよい。例えば、ＵＥは、ＵＥがＵＥのアクティブなＤＬ  ＢＷＰをデフォルトのＤＬ  ＢＷＰ以外のＤＬ  ＢＷＰに切り替えると、タイマを始動させ得る。一例では、ＵＥは、ＵＥがＤＣＩを正常にデコードして、ＵＥのアクティブなＤＬ  ＢＷＰのＰＤＳＣＨ（複数可）をスケジュールすると、タイマを初期値に再始動させ得る。例えば、ＵＥは、ＢＷＰタイマが満了すると、ＵＥのアクティブなＤＬ  ＢＷＰをデフォルトのＤＬ  ＢＷＰに切り替え得る。
【０２７６】
例示的な一実施形態では、不対スペクトルについて、ＮＲは、デフォルトのＤＬ／ＵＬ  ＢＷＰ対へのタイマベースのアクティブなＤＬ／ＵＬ  ＢＷＰ対の切り替えのための専用タイマをサポートしてもよい。例えば、ＵＥは、ＵＥがＵＥのアクティブなＤＬ／ＵＬ  ＢＷＰ対をデフォルトのＤＬ／ＵＬ  ＢＷＰ対以外のＤＬ／ＵＬ  ＢＷＰ対に切り替えると、タイマを始動させ得る。例えば、ＵＥは、ＵＥがＤＣＩを正常にデコードしてＵＥのアクティブなＤＬ／ＵＬ  ＢＷＰ対のＰＤＳＣＨ（複数可）をスケジュールすると、タイマを初期値に再始動させ得る。一例では、ＵＥは、タイマが満了すると、ＵＥのアクティブなＤＬ／ＵＬ  ＢＷＰ対をデフォルトのＤＬ／ＵＬ  ＢＷＰ対に切り替え得る。
【０２７７】
例示的な一実施形態では、Ｓｃｅｌｌについて、Ｓｃｅｌｌ構成／再構成のためのＲＲＣシグナリングは、Ｓｃｅｌｌがアクティブ化されると、第１のアクティブなＤＬ  ＢＷＰおよび／または第１のアクティブなＵＬ  ＢＷＰを示し得る。一例では、ＮＲは、最初のアクティブなＤＬ／ＵＬ  ＢＷＰに関連する情報を包含しないＳｃｅｌｌアクティブ化シグナリングをサポートし得る。一例では、Ｓｃｅｌｌについて、Ｓｃｅｌｌが非アクティブ化されると、アクティブなＤＬ  ＢＷＰおよび／またはＵＬ  ＢＷＰが非アクティブ化され得る。一例では、Ｓｃｅｌｌは、Ｓｃｅｌｌ非アクティブ化タイマによって非アクティブ化され得る。
【０２７８】
例示的な一実施形態では、Ｓｃｅｌｌについて、ＵＥは、タイマベースのアクティブなＤＬ  ＢＷＰ（またはＤＬ／ＵＬ  ＢＷＰ対）の切り替えのためのタイマ、および／またはタイマが満了すると使用され得るデフォルトのＤＬ  ＢＷＰ（またはデフォルトのＤＬ／ＵＬ  ＢＷＰ対）のうちの少なくとも１つを用いて構成されてもよく、デフォルトのＤＬ  ＢＷＰは、第１のアクティブなＤＬ  ＢＷＰとは異なり得る。
【０２７９】
一例では、Ｐｃｅｌｌについて、デフォルトのＤＬ  ＢＷＰ（またはＤＬ／ＵＬ  ＢＷＰ対）がＵＥに対して構成／再構成され得る。一例では、デフォルトのＤＬ  ＢＷＰが構成されない場合、デフォルトのＤＬ  ＢＷＰは、初期のアクティブなＤＬ  ＢＷＰであり得る。
【０２８０】
例示的な一実施形態では、ＰＵＣＣＨが構成されるサービングセルにおいて、構成済みＵＬ  ＢＷＰがＰＵＣＣＨリソースを含み得る。
【０２８１】
例示的な一実施形態では、Ｐセル内のＵＥについて、少なくともＲＡＣＨプロシージャのための共通検索空間が、１つ以上のＢＷＰに構成され得る。例えば、サービングセル内のＵＥについて、グループ共通ＰＤＣＣＨ（例えば、ＳＦＩ、プリエンプション表示など）の共通検索空間が、１つ以上のＢＷＰに構成されてもよい。
【０２８２】
例示的な一実施形態では、ＤＬ（またはＵＬ）ＢＷＰが、１ＰＲＢ粒度の開始周波数位置と１ＰＲＢ粒度の帯域幅サイズとを有するリソースアロケーションタイプ１によってＵＥに対して構成されてもよく、粒度は、ＵＥがＵＥのＲＦチャネル帯域幅をそれに応じて適合し得ることを意味しないことが可能である。
【０２８３】
例示的な一実施形態では、ＵＥについて、ＤＣＩフォーマットサイズ自体は、サービングセルにおけるＢＷＰアクティブ化および非アクティブ化にかかわらず、ＲＲＣ構成の一部ではないことが可能である。例えば、ＤＣＩフォーマットサイズは、ＤＣＩの異なる情報フィールドの異なる動作および／または構成（もしあれば）に依存し得る。例示的な一実施形態では、ＵＥは、ＢＷＰごとにＰＲＢバンドリングサイズ（複数可）を用いて構成され得る。
【０２８４】
例示的な一実施形態では、ＮＲは、ＢＷＰ以下の大きさの伝送ＢＷを用いてＢＷＰでのＣＳＩ−ＲＳリソースを構成することをサポートし得る。例えば、ＣＳＩ−ＲＳ  ＢＷがＢＷＰよりも小さいとき、ＮＲは、少なくとも、ＣＳＩ−ＲＳがＮ個のＲＢの粒度で連続するＲＢに及ぶ場合をサポートし得る。ＣＳＩ−ＲＳ  ＢＷが対応するＢＷＰよりも小さいとき、ＣＳＩ−ＲＳ  ＢＷは、Ｘの値が事前に定義されているＸ個のＲＢよりも少なくとも大きいことが可能である。例えば、Ｘの値は、ビーム管理およびＣＳＩ取得について同じであっても異なっていてもよい。例えば、Ｘの値は、ニューメロロジー依存であってもなくてもよい。
【０２８５】
例示的な一実施形態では、ＲＲＣ接続モードを有するＵＥについて、ＲＲＣシグナリングは、サービングセル（ＰＣｅｌｌ、ＰＳＣｅｌｌ）に対して１つ以上のＢＷＰ（ＤＬ  ＢＷＰ用およびＵＬ  ＢＷＰ用の両方）を構成することをサポートし得る。例えば、ＲＲＣシグナリングは、サービングセルＳＣｅｌｌ（少なくとも１つのＤＬ  ＢＷＰ）に対して０、１、またはそれより多いＢＷＰ（ＤＬ  ＢＷＰ用およびＵＬ  ＢＷＰ用の両方）を構成することをサポートし得る。一例では、ＵＥについて、ＰＣｅｌｌ、ＰＳＣｅｌｌ、および各ＳＣｅｌｌは、周波数において単一の関連付けられたＳＳＢを有し得る。ＳＳブロックを定義するセルは、ＰＣｅｌｌ／ＰＳＣｅｌｌの同期再構成とＳＣｅｌｌに対するＳＣｅｌｌ解放／追加とによって変更され得る。例えば、ＵＥによって測定される必要があるＳＳブロック周波数は、個々の測定オブジェクトとして構成され得る（例えば、１つの測定オブジェクトは単一のＳＳブロック周波数に対応する）。ＳＳブロックを定義するセルを、サービングセルの時間基準と見なすことができ、また、ＳＳＢに基づくＲＲＭサービングセルの測定については、例えば、どのＢＷＰがアクティブ化されるかにかかわらない。
【０２８６】
例示的な一実施形態では、ＢＷＰの切り替えおよびセルのアクティブ化／非アクティブ化は、カウンタおよびタイマの動作に干渉しないことが可能である。例えば、ＢＷＰが非アクティブ化されると、ＵＥは、構成済みダウンリンク割り当ておよび／またはＢＷＰのリソースを使用した構成済みアップリンク許可を使用することを、停止してもしなくてもよい。一例では、ＵＥは、構成された許可をサスペンドするか、または構成された許可をクリアし得る。一例では、ＵＥは、構成された許可をサスペンドしないか、または構成された許可をクリアしないことが可能である。
【０２８７】
例示的な一実施形態では、特定の非アクティブ時間後にアクティブなＢＷＰをデフォルトのＢＷＰに切り替えるために、新たなタイマ（ＢＷＰ非アクティビティタイマ）が使用され得る。ＢＷＰ非アクティビティタイマは、ＤＲＸタイマから独立していることが可能である。例示的な一実施形態では、非アクティブ化されたＢＷＰに関して、ＵＥは、ＢＷＰでのＵＬ−ＳＣＨで伝送しないことが可能である。一例では、非アクティブ化されたＢＷＰに関して、ＵＥは、ＢＷＰでＰＤＣＣＨを監視しないことが可能である。一例では、非アクティブ化されたＢＷＰに関して、ＵＥは、ＢＷＰでＰＵＣＣＨを伝送しないことが可能である。一例では、非アクティブ化されたＢＷＰに関して、ＵＥは、ＢＷＰでのＰＲＡＣＨで伝送しないことが可能である。一例では、非アクティブ化されたＢＷＰに関して、ＵＥは、ＢＷＰの切り替えを行うときにＨＡＲＱバッファをフラッシュしないことが可能である。
【０２８８】
例示的な一実施形態において、ＦＤＤについて、ｇＮＢは、コンポーネントキャリアごとにＤＬおよびＵＬ用の帯域幅部分（ＢＷＰ）構成の別個のセットを構成し得る。一例では、ＤＬ  ＢＷＰ構成のニューメロロジーが、少なくともＰＤＣＣＨ、ＰＤＳＣＨおよび対応するＤＭＲＳに適用され得る。ＵＬ  ＢＷＰ設定のニューメロロジーが、少なくともＰＵＣＣＨ、ＰＵＳＣＨ、および対応するＤＭＲＳに適用され得る。一例では、ＴＤＤについて、ｇＮＢは、コンポーネントキャリアごとにＤＬおよびＵＬのＢＷＰ構成の個別のセットを構成し得る。一例では、ＤＬ  ＢＷＰ構成のニューメロロジーが、少なくともＰＤＣＣＨ、ＰＤＳＣＨ、および対応するＤＭＲＳに適用され得る。ＵＬ  ＢＷＰ構成のニューメロロジーが、少なくともＰＵＣＣＨ、ＰＵＳＣＨ、および対応するＤＭＲＳに適用される。例えば、異なるアクティブなＤＬおよびＵＬ  ＢＷＰが構成されると、ＵＥは、ＤＬとＵＬとの間でチャネルＢＷの中心周波数を再同調させないことが可能である。
【０２８９】
一例では、帯域幅部分（ＢＷＰ）は、周波数領域の連続的なＰＲＢのグループで構成され得る。各ＢＷＰ構成のパラメータは、ニューメロロジー、周波数位置、帯域幅サイズ（例えば、ＰＲＢの観点で）、ＣＯＲＥＳＥＴ（例えば、所与の時点に対する単一のアクティブなＤＬ帯域幅部分の場合に各ＢＷＰ構成に必要とされる）を含み得る。一例では、ＵＥがＲＲＣ接続モードにあるとき、各コンポーネントキャリアに対して１つまたは複数のＢＷＰが構成され得る。
【０２９０】
一例では、新たなＢＷＰがアクティブ化されると、構成済みダウンリンク割り当ては、ＰＤＣＣＨを使用して、初期化（アクティブでない場合）、または再初期化（既にアクティブである場合）され得る。
【０２９１】
一例では、アップリンクＳＰＳについて、ＵＥは、１つのＢＷＰから別のＢＷＰに切り替わると、構成済みアップリンク許可を初期化または再初期化する必要があり得る。新たなＢＷＰがアクティブ化されると、構成済みアップリンク許可は、ＰＤＣＣＨを使用して初期化（アクティブでない場合）または再初期化（既にアクティブである場合）され得る。
【０２９２】
一例では、許可なしのタイプ１アップリンクデータ伝送では、構成された許可を初期化または再初期化するＬ１シグナリングがないことが可能である。ＵＥは、タイプ１の構成済みアップリンク許可が以前のＢＷＰで既にアクティブである場合でも、ＢＷＰが切り替えられると、タイプ１の構成済みアップリンク許可がアクティブであると仮定しないことが可能である。タイプ１の構成済みアップリンク許可は、ＢＷＰが切り替えられると、ＲＲＣ専用シグナリングを使用して再構成され得る。一例では、新たなＢＷＰがアクティブ化されると、タイプ１の構成済みアップリンク許可は、専用ＲＲＣシグナリングを使用して再構成され得る。
【０２９３】
一例では、ＳＰＳがＢＷＰのリソースで構成され、かつそのＢＷＰがその後に非アクティブ化されると、ＳＰＳ許可または割り当てが続行しないことが可能である。一例では、ＢＷＰが非アクティブ化されると、このＢＷＰのリソースを使用して、すべての構成済みダウンリンク割り当てと構成済みアップリンク許可とがクリアされ得る。
【０２９４】
一例では、無線デバイスは、ＵＥ機能情報を含む１つ以上のメッセージを基地局に伝送し得る。無線デバイスは、ＵＥ機能転送プロシージャを使用してＵＥ機能情報を伝送してもよい。一例では、ＵＥ機能転送プロシージャは、基地局から１つ以上のＵＥ機能照会メッセージを無線デバイスにより受信すること、および／または１つ以上のＵＥ機能情報メッセージを無線デバイスにより伝送することを含み得る。プロシージャの一例を図１５に示す。一例では、無線デバイスが無線アクセス機能を変更した場合、無線デバイスは、新たなＲＲＣ接続を使用してＵＥ無線アクセス機能の更新をもたらし得る１つ以上のＮＡＳプロシージャを開始するように上位層に要求し得る。一例では、基地局は、基地局が（例えば、追加の）ＵＥ無線アクセス機能情報を必要とする場合、ＲＲＣ接続状態にあるＵＥへのＵＥ機能転送プロシージャを開始し得る。
【０２９５】
一例では、ＵＥＣａｐａｂｉｌｉｔｙＥｎｑｕｉｒｙメッセージを使用して、Ｅ−ＵＴＲＡおよび他のＲＡＴに対するＵＥ無線アクセス機能の転送を要求し得る。例示的なＵＥ機能照会メッセージは、以下の情報要素を含み得る。一例では、ｒｅｑｕｅｓｔＤｉｆｆＦａｌｌｂａｃｋＣｏｍｂＬｉｓｔは、このリスト内のＣＡ帯域の組み合わせでサポートされる機能とともに、フォールバック帯域の組み合わせに異なる機能を提供するようにＵＥに要求され得る、ＣＡ帯域の組み合わせのリストを示し得る。ＵＥは、サポートされるＵＥ機能がこのリストに示されているＣＡ帯域の組み合わせと同じであるフォールバック帯域の組み合わせを除外し得る。一例では、ｒｅｑｕｅｓｔＲｅｄｕｃｅｄＦｏｒｍａｔは、サポートされる場合にＵＥがｓｕｐｐｏｒｔｅｄＢａｎｄＣｏｍｂｉｎａｔｉｏｎ−ｒ１０ではなくｓｕｐｐｏｒｔｅｄＢａｎｄＣｏｍｂｉｎａｔｉｏｎＲｅｄｕｃｅｄ−ｒ１３でサポートされるＣＡバンドの組み合わせを提供するように要求されることを示し得る。Ｅ−ＵＴＲＡＮは、ｒｅｑｕｅｓｔＳｋｉｐＦａｌｌｂａｃｋＣｏｍｂまたはｒｅｑｕｅｓｔＤｉｆｆＦａｌｌｂａｃｋＣｏｍｂＬｉｓｔがメッセージに含まれていることに応答して、このフィールドを含み得る。一例では、ｒｅｑｕｅｓｔＳｋｉｐＦａｌｌｂａｃｋＣｏｍｂは、ＵＥが機能シグナリングでフォールバックＣＡ帯域の組み合わせを明示的に除外し得ることを示し得る。一例では、ｕｅ−ＣａｐａｂｉｌｉｔｙＲｅｑｕｅｓｔは、ＵＥ無線アクセス機能、例えば、Ｅ−ＵＴＲＡ、ＵＴＲＡ、ＧＥＲＡＮ−ＣＳ、ＧＥＲＡＮ−ＰＳ、ＣＤＭＡ２０００を転送するようにＵＥに要求されるＲＡＴのリストを示し得る。一例では、ｒｅｑｕｅｓｔｅｄＦｒｅｑｕｅｎｃｙＢａｎｄｓは、サポートされるＣＡ帯域の組み合わせおよび非ＣＡ帯域を提供するようにＵＥに要求される周波数帯域のリストを示し得る。一例では、ｒｅｑｕｅｓｔｅｄＭａｘＣＣｓＤＬおよびｒｅｑｕｅｓｔｅｄＭａｘＣＣｓＵＬは、サポートされるＣＡ帯域の組み合わせおよび非ＣＡ帯域を提供するようにＵＥに要求され得るＣＣの最大数を示し得る。一例では、ｒｅｑｕｅｓｔＲｅｄｕｃｅｄＩｎｔＮｏｎＣｏｎｔＣｏｍｂは、ＵＥが機能シグナリングに含まれる以外の、サポートされる帯域内の非連続的なＣＡ帯域の組み合わせを明示的に除外し得ることを示し得る。上記の例示的なＵＥ機能照会メッセージを、帯域幅部分に関連するＵＥ無線アクセス機能を要求するように、例示的な実施形態によって拡張してもよい。拡張されたＵＥ機能照会メッセージに、他の名称を使用してもよい。
【０２９６】
一例では、ＵＥＣａｐａｂｉｌｉｔｙＩｎｆｏｒｍａｔｉｏｎメッセージは、基地局によって要求されたＵＥ無線アクセス機能の転送に使用され得る。一例では、ＵＥＣａｐａｂｉｌｉｔｙＩｎｆｏｒｍａｔｉｏｎメッセージは、以下の情報要素を含み得る。一例では、ｕｅ−ＲａｄｉｏＰａｇｉｎｇＩｎｆｏは、ページングについてのＵＥ機能情報を包含し得る。上記の例示的なＵＥ機能情報メッセージを、帯域幅部分に関連するＵＥ無線アクセス機能を転送するように、例示的な実施形態によって拡張してもよい。拡張されたＵＥ機能照会メッセージに、他の名称を使用してもよい。
【０２９７】
ＵＥ機能情報を要求および転送するためのレガシーＵＥプロシージャは、帯域幅部分に関連する機能情報を伴わない。５Ｇ無線ネットワークでは、ＵＥが、非常に大きい動作帯域幅を用いて（例えば、より高い周波数で）構成され得る。無線デバイスは、ハードウェアの制約に起因して、非常に大きい帯域幅で動作できない場合がある。基地局は、セル／キャリア帯域幅上の複数の帯域幅部分を用いて無線デバイスを構成してもよい。帯域幅部分は、無線デバイスのキャリア帯域幅よりも小さい場合がある。基地局は、無線デバイスの帯域幅部分を構成するときに、無線デバイスの動作帯域幅機能を考慮する必要がある。レガシーＵＥ機能プロシージャ（例えば、ＵＥ機能要求および転送プロシージャ）を拡張して、無線デバイスのハードウェア機能に応じた無線デバイスの帯域幅部分を基地局が構成できるようにする必要があり得る。例示的な実施形態は、メッセージおよびプロシージャに関連するレガシーＵＥ機能情報を拡張する。
【０２９８】
一例では、セル探索プロシージャは、セルとの時間および周波数同期を取得し、かつセルの物理層セルＩＤを検出するために、ＵＥによって使用され得る。一例では、ＵＥは、セルサーチを実行するために、プライマリ同期信号（ＰＳＳ）およびセカンダリ同期信号（ＳＳＳ）の同期信号（ＳＳ）を受信し得る。ＵＥは、物理ブロードキャストチャネル（ＰＢＣＨ）、ＰＳＳ、およびＳＳＳの受信機会が、連続するＯＦＤＭシンボル内にあり、かつＳＳ／ＰＢＣＨブロックを形成すると仮定し得る。
【０２９９】
一例では、ＳＳ／ＰＢＣＨブロックを有するハーフフレームについて、候補ＳＳ／ＰＢＣＨブロックの数および第１のＯＦＤＭシンボルインデックスは以下の通りであり得る。
１５ＫＨｚのサブキャリア間隔：候補ＳＳ／ＰＢＣＨブロックの最初のＯＦＤＭシンボルは、｛２、８｝＋１４＊ｎのインデックスを有する。３ＧＨｚ以下の搬送周波数の場合、ｎ＝０、１。３ＧＨｚよりも大きく６ＧＨｚ以下の搬送周波数の場合、ｎ＝０、１、２、３。
３０ＫＨｚのサブキャリア間隔：候補ＳＳ／ＰＢＣＨブロックの最初のＯＦＤＭシンボルは、インデックス｛４、８、１６、２０｝＋２８＊ｎを有する。３ＧＨｚ以下の搬送周波数の場合、ｎ＝０。３ＧＨｚよりも大きく６ＧＨｚ以下の搬送周波数の場合、ｎ＝０、１。
３０ＫＨｚのサブキャリア間隔：候補ＳＳ／ＰＢＣＨブロックの最初のＯＦＤＭシンボルは、インデックス｛２、８｝＋１４＊ｎを有する。３ＧＨｚ以下の搬送周波数の場合、ｎ＝０、１。３ＧＨｚよりも大きく６ＧＨｚ以下の搬送周波数の場合、ｎ＝０、１、２、３。
１２０ＫＨｚのサブキャリア間隔：候補ＳＳ／ＰＢＣＨブロックの最初のＯＦＤＭシンボルは、インデックス｛４、８、１６、２０｝＋２８＊ｎを有する。６ＧＨｚよりも大きい搬送周波数の場合、ｎ＝０、１、２、３、５、６、７、８、１０、１１、１２、１３、１５、１６、１７、１８。
２４０ＫＨｚのサブキャリア間隔：候補ＳＳ／ＰＢＣＨブロックの最初のＯＦＤＭシンボルは、インデックス｛８、１２、１６、２０、３２、３６、４０、４４｝５６＊ｎを有する。６ＧＨｚよりも大きい搬送周波数の場合、ｎ＝０、１、２、３、５、６、７、８。
【０３００】
一例では、ハーフフレーム内の候補ＳＳ／ＰＢＣＨブロックは、０〜Ｌ−１まで時間の昇順でインデックス付けされ得る。一例では、Ｌ＝４またはＬ＞４の場合、ＵＥは、ＰＢＣＨで伝送されるＤＭＲＳシーケンスのインデックスとの１対１マッピングから、ハーフフレームあたりＳＳ／ＰＢＣＨブロックインデックスの２または３ＬＳＢビットをそれぞれ決定し得る。一例では、Ｌ＝６４の場合、ＵＥは、上位層パラメータ（例えば、ＳＳＢインデックス明示）からハーフフレームごとにＳＳ／ＰＢＣＨブロックインデックスの３ＭＳＢビットを決定し得る。
【０３０１】
一例では、ＵＥは、パラメータ（例えば、ＳＳＢにより伝送されるＳＩＢ１）、ＵＥがＳＳ／ＰＢＣＨブロックに対応するＲＥと重複するＲＥ内の他の信号またはチャネルを受信しない場合があるＳＳ／ＰＢＣＨブロックのインデックス、によって構成され得る。一例では、ＵＥは、上位層パラメータ（例えば、ＳＳＢにより伝送される）、ＵＥがＳＳ／ＰＢＣＨブロックに対応するＲＥと重複するＲＥ内の他の信号またはチャネルを受信しない場合があるＳＳ／ＰＢＣＨブロックのインデックス、によって（例えば、サービングセルごとに）構成され得る。一例では、構成は（例えば、ＳＳＢ伝送による）は、（例えば、ＳＳＢにより伝送されるＳＩＢによる）によって構成をオーバーライドし得る。ＵＥは、サービングセルごとのＳＳ／ＰＢＣＨブロックの受信のためのハーフフレームの周期性（例えば、ＳＳＢタイミング）によって、サービングセルごとに（例えば、上位層パラメータにより）構成され得る。一例では、ＵＥがＳＳ／ＰＢＣＨブロックの受信のハーフフレームの周期性によって構成されない場合、ＵＥはハーフフレームの周期性を仮定し得る。ＵＥは、サービングセル内のすべてのＳＳ／ＰＢＣＨブロックについて周期性が同じであると仮定し得る。一例では、初期のセル選択について、ＵＥは、ＳＳ／ＰＢＣＨブロックを有するハーフフレームが２フレームの周期性で発生すると仮定し得る。
【０３０２】
一例では、時間領域において、ＳＳ／ＰＢＣＨブロックは、ＳＳ／ＰＢＣＨブロック内で０から３まで昇順で番号付けされた４つのＯＦＤＭシンボルからなり、ここで、関連付けられたＤＭ−ＲＳを有するＰＳＳ、ＳＳＳ、およびＰＢＣＨは、異なるシンボルを占有する。周波数領域において、ＳＳ／ＰＢＣＨブロックは、ＳＳ／ＰＢＣＨブロック内で０から２８７まで昇順で番号付けされたサブキャリアを有する２８８個の連続するサブキャリア）を含み得る。ＳＳ／ＰＢＣＨブロック内のサブキャリアｋは、リソースブロック
【数１】
0006910621.tif 000005
内のサブキャリア
【数２】
0006910621.tif 000006
に対応することが可能であり、ここでｋ０∈｛０，１，２、．．．、１１｝であり、サブキャリアはＳＳ／ＰＢＣＨに使用されるサブキャリア間隔で表現される。
【０３０３】
例示的な一実施形態では、無線デバイスは、無線デバイス機能情報を含む１つ以上のメッセージを基地局に伝送し得る。１つ以上のメッセージは、無線デバイス機能情報を示す１つ以上のフィールドを含み得る。一例では、無線デバイス機能情報は、帯域幅部分に関連する機能情報を含み得る。基地局は、帯域幅部分に関連する無線デバイス機能情報に基づいて１つ以上のパラメータを構成し得る。プロシージャの一例を図１６に示す。一例では、基地局は、帯域幅部分に関連するＵＥ機能情報に基づいて１つ以上のタイマ／カウンタ値を構成し得る。一例では、基地局は、帯域幅部分に関連するＵＥ機能情報に基づいて、１つ以上のプロシージャ（例えば、同期、ランダムアクセスなど）に関連する１つ以上のパラメータを構成し得る。一例では、基地局は、帯域幅部分に関連するＵＥ機能情報に基づいて、無線デバイスに対する複数のセル中の１つ以上のセルを構成し得る。一例では、基地局は、帯域幅部分に関連するＵＥ機能情報に基づいて、複数のセル中の、無線デバイスの１つ以上のセルの帯域幅部分を構成し得る。
【０３０４】
例示的な一実施形態では、無線デバイスは、１つ以上のセルの構成パラメータを含む１つ以上のメッセージを受信し得る。一例では、１つ以上のセルは、第１のセルを含み得る。一例では、第１のセルは、プライマリセルであってもよい。一例では、第１のセルは、セカンダリセルであってもよい。１つ以上のメッセージは、第１のセル上の複数のＢＷＰの構成パラメータを示し得る。一例では、１つ以上のメッセージは、ＢＷＰ非アクティビティタイマのＢＷＰ非アクティビティタイマ値、および／または初期アクティブなＢＷＰ、および／またはデフォルトのＢＷＰを含み得る。一例では、セルの初期アクティブなＢＷＰは、セルのアクティブ化時に初期アクティブ化されるＢＷＰであってもよい。一例では、基地局は、無線デバイス機能情報（例えば、帯域幅部分に関連する機能情報）に基づいて、第１のセルの第１のＢＷＰでＳＳ／ＰＢＣＨブロックを伝送し得る。一例では、基地局は、無線デバイス機能情報（例えば、帯域幅部分に関連する機能情報）に基づいて、ＳＳ／ＰＢＣＨブロックの伝送に、第１のセルの複数のＢＷＰにおける第１のセルの第１のＢＷＰを選択し得る。一例では、無線デバイスは、無線デバイスが第１のＢＷＰ（例えば、デフォルトのＢＷＰ）でＳＳ／ＰＢＣＨブロックを受信し、かつ同時に（例えば、並列に）第２のＢＷＰ（例えば、アクティブなＢＷＰ）でデータ／制御シグナリング（例えばＰＤＳＣＨ、ＰＤＣＣＨ、ＰＵＳＣＨ、ＰＵＣＣＨ）を伝送／受信することができる、例えば機能情報メッセージで、例えば帯域幅部分に関連する機能情報で、示し得る。基地局は、無線デバイス機能情報を考慮して、第１のＢＷＰ（例えば、デフォルトのＢＷＰ）で同期信号（例えば、ＳＳ／ＰＢＣＨブロック）を伝送することができ、第２のＢＷＰ（例えば、アクティブなＢＷＰ）は、データ／シグナリングの伝送／受信に使用され得る。一例では、１つ以上のメッセージ（例えば、１つ以上のメッセージのフィールドの値）は、基地局が第１のＢＷＰ（例えば、デフォルトＢＷＰ）で同期信号（例えばＳＳ／ＰＢＣＨブロック）を伝送し、かつ第２のＢＷＰ（例えば、アクティブなＢＷＰ）がデータ／シグナリングの伝送／受信に使用されることを示し得る。一例では、帯域幅部分に関連する無線デバイス機能は、無線デバイスが第１のＢＷＰでＳＳ／ＰＢＣＨブロックを受信することができず、かつ同時に（例えば、並列に）第２のＢＷＰ（例えば、アクティブなＢＷＰ）でデータ／制御シグナリング（例えば、ＰＤＳＣＨ、ＰＤＣＣＨ、ＰＵＳＣＨ、ＰＵＣＣＨ）を伝送／受信することができないことを示し得る。基地局は、無線デバイス機能情報を考慮して、アクティブなＢＷＰ（例えば、データ／制御シグナリングの伝送／受信のためのＢＷＰ）と同じＢＷＰで、同期信号（例えば、ＳＳ／ＰＢＣＨブロック）を伝送し得る。一例では、１つ以上のメッセージ（例えば、１つ以上のメッセージ内のフィールドの値）は、基地局が、アクティブなＢＷＰと同じＢＷＰ（例えば、データ／制御信号の伝送／受信のためのＢＷＰ）で、同期信号（例えば、ＳＳ／ＰＢＣＨブロック）を伝送することを示し得る。無線デバイスは、同期信号をデコードして、データ（ＰＤＳＣＨ／ＰＵＳＣＨ）および／またはシグナリング（例えば、ＰＤＣＣＨ／ＥＰＤＣＣＨ／ＰＵＣＣＨ）の伝送および受信のためのサブフレーム／スロットのタイミングを決定／調整し得る。例示的な一実施形態では、無線デバイスは、アップリンク許可を示すダウンリンク制御情報（ＤＣＩ）を（例えば、ＰＤＣＣＨ／ＥＰＤＣＣＨを介して）受信し得る。アップリンク許可は、１つ以上のトランスポートブロック（ＴＢ）の伝送パラメータを含み得る。無線デバイスは、伝送パラメータに基づいて１つ以上のＴＢを伝送し得る。
【０３０５】
例示的な一実施形態では、第１のセルのアクティブなＢＷＰが、第１のＤＣＩに応答して切り替えられ得る。一例では、無線デバイスが第１のＢＷＰ（例えば、デフォルトのＢＷＰ）でＳＳ／ＰＢＣＨブロックを受信し、かつ同時に／並列に第２のＢＷＰ（例えば、アクティブなＢＷＰ）でデータ／シグナリングを伝送／受信することができることを機能メッセージで示すことに応答して、無線デバイスは、ＢＷＰの切り替えに応答して、第１のＢＷＰでＳＳ／ＰＢＣＨブロックを受信し続け得る。一例では、無線デバイスが並列に異なるＢＷＰ（例えば、デフォルトのＢＷＰおよびアクティブなＢＷＰ）で、ＳＳ／ＰＢＣＨブロックを受信することができず、かつデータ／シグナリングを伝送／受信することができないことを無線デバイスが機能メッセージで示すことに応答して、無線デバイスは、ＤＣＩがアクティブなＢＷＰを古いＢＷＰから新たなＢＷＰに切り替えることに応答して、新たなＢＷＰでＳＳ／ＰＢＣＨブロックを受信し得る。一例では、無線は、新たなニューメロロジーのニューメロロジー／サブキャリア間隔に基づいてＳＳ／ＰＢＣＨブロックのＯＦＤＭシンボルインデックスの位置を決定し得る。
【０３０６】
新無線では、セルが複数の帯域幅部分を含み得る。帯域幅部分は、複数の連続的な周波数リソース（例えば、ＰＲＢ）を含み得る。一例を図３６に示す。複数のＢＷＰを使用する無線アクセス動作は、複数のセルが構成されるキャリアアグリゲーションとは異なる。複数のＢＷＰの動作では、単一のセルが複数のＢＷＰを含み得る。一例では、レガシーＵＥのうちのいくつかは、セルがアクティブ状態にあるとき、複数の帯域幅部分から１つのアクティブな帯域幅部分のみをサポートし得る。より高度な無線デバイスのうちのいくつかは、いくつかのシナリオで性能を向上させるために同時にアクティブである複数のアクティブな帯域幅部分をサポートし得る。複数のアクティブな帯域幅部分が有益である例示的なシナリオは、１つのアクティブな帯域幅部分がチャネル占有に起因して一時的に利用できず、かつ別のアクティブ帯域幅部分がフォールバックとして使用され得る、無認可帯域での新無線の動作を含む。１つのセルに複数のアクティブな帯域幅部分があると、複雑さの増大を招き得る。いくつかの無線デバイスは、同じセル上の複数のアクティブな帯域幅部分に対するハードウェアおよび／またはソフトウェア（例えば、無線送受信機、ＤＳＰ、および／または無線増幅器）機能を有しない場合がある。基地局が、複数のアクティブな帯域幅部分に対するソフトウェアおよび／またはハードウェア機能を有しない無線デバイスの複数の帯域幅部分をアクティブ化する場合、無線デバイスは、アクティブ化された帯域幅部分で適切に動作しない場合がある。このことは、無線デバイスおよびネットワーク性能の非効率を招き得る。無線デバイスおよび基地局で帯域幅部分の構成プロセスを拡張する必要がある。例示的な実施形態は、複数のアクティブな帯域幅部分を介した広帯域動作のためにレガシープロセスを拡張する。
【０３０７】
例示的な一実施形態では、無線デバイスは、１つ以上のセルの構成パラメータを含む１つ以上のメッセージを受信し得る。一例では、１つ以上のセルは、第１のセルを含み得る。一例では、第１のセルは、プライマリセルであってもよい。一例では、第１のセルは、セカンダリセルであってもよい。１つ以上のメッセージは、第１のセル上の複数のＢＷＰの構成パラメータを示し得る。一例では、１つ以上のメッセージは、ＢＷＰ非アクティビティタイマのＢＷＰ非アクティビティタイマ値、および／または１つ以上の初期アクティブなＢＷＰ、および／または１つ以上のデフォルトのＢＷＰを含み得る。
【０３０８】
一例では、構成される１つ以上の初期アクティブなＢＷＰの数は、無線デバイス表示、例えば機能情報（例えば、帯域幅部分に関連する機能情報）に基づき得る。一例では、構成される１つ以上の初期アクティブなＢＷＰの数は、無線デバイスが複数の同時に／並列のアクティブなＢＷＰに対応できないことを示す無線デバイス機能情報（例えば帯域幅部分に関連する機能情報）に応答して１つであり得る。一例では、１つ以上の初期アクティブなＢＷＰの数は、第１の数よりも少ないことが可能である。第１の数は、同時／並列のアクティブなＢＷＰの最大数であり得る。一例では、第１の数は、例えば無線デバイス機能情報メッセージ（例えば、帯域幅部分に関連する機能情報）で、無線デバイスによって基地局に示され得る。
【０３０９】
例示的な一実施形態では、１つ以上の第１のＢＷＰは、無線デバイスに対して同時に／並列にアクティブであり得る。１つ以上の第１のＢＷＰの数は、（例えば、無線デバイス機能情報メッセージによって示されるように）無線デバイス機能に基づく第１の数以下であり得る。無線デバイスは、１つ以上の第１のＢＷＰ中の１つ以上のＢＷＰの非アクティブ化、および／または複数のＢＷＰ中の１つ以上の第２のＢＷＰのアクティブ化を示す少なくとも１つのＤＣＩを受信し得る。一例では、単一のＤＣＩは、１つ以上の第１のＢＷＰ中の１つ以上のＢＷＰの非アクティブ化を同時に示すことができ、および／または複数のＢＷＰ中の１つ以上の第２のＢＷＰのアクティブ化を示すことができる。一例では、ＤＣＩは、１つ以上の第１のＢＷＰ中の１つ以上のＢＷＰが非アクティブ化される、および／または複数のＢＷＰ中の１つ以上の第２のＢＷＰがアクティブ化されることを示すビットマッピングを含むフィールドを含み得る。一例では、少なくとも１つのＤＣＩ中のＤＣＩはフィールドを含むことができ、フィールドの値は、アクティブ化または非アクティブ化されるＢＷＰのインデックスを示す。一例では、少なくとも１つのＤＣＩ中のＤＣＩは、ＤＣＩがアクティブ化または非アクティブ化を示すかどうかを示すフィールドを含み得る。一例では、ＤＣＩは、ＢＷＰのアクティブ化／非アクティブ化ステータスを反転する（例えば、アクティブなＢＷＰが非アクティブ化され、非アクティブなＢＷＰがアクティブ化される）。ＤＣＩには明示的なアクティブ化／非アクティブ化フィールドがない場合がある。少なくとも１つのＤＣＩを受信した後の同時／並列にアクティブなＢＷＰの数は、無線デバイスが対応できる同時／並列にアクティブなＢＷＰの最大数以下であり得る（例えば、無線デバイス機能情報メッセージによって示されるように）。一例では、基地局は、例えば、同時／並列にアクティブなＢＷＰの数が、例えば無線機能情報によって示される、第１の数よりも小さいように、無線デバイス機能情報を考慮する、ＢＷＰの非アクティブ化／アクティブ化のための少なくとも１つのＤＣＩを、伝送し得る。
【０３１０】
例示的な一実施形態では、無線デバイス、例えば、無線デバイ機能力情報（例えば、帯域幅部分に関連する無線デバイス機能）は、無線デバイスが、周波数領域で連続的である複数の同時／並列にアクティブなＢＷＰが可能であるかどうかを示し得る。例示的な一実施形態では、無線デバイス機能情報（例えば、帯域幅部分に関係する無線デバイス機能）は、無線デバイスが複数の同時／並列にアクティブなＢＷＰに対応でき、かつ同時／並列にアクティブなＢＷＰが周波数領域で非連続的であり得る（例えば、第１のアクティブなＢＷＰのエッジＰＲＢと第２のアクティブなＢＷＰのエッジＰＲＢとの間にギャップがあり得る）ことを示し得る。一例では、基地局は、周波数領域で非連続的である複数の同時／並列にアクティブなＢＷＰに無線デバイスが対応できることを示す無線デバイス機能情報に応答して、周波数領域で非連続的である複数の初期アクティブなＢＷＰを構成し得る。そうでない場合、複数の初期アクティブなＢＷＰは、周波数領域で連続的であり得る。
【０３１１】
例示的な一実施形態では、１つ以上の第１のＢＷＰは、無線デバイスに対して同時に／並列にアクティブであり得る。無線デバイスは、１つ以上の第１のＢＷＰ中の１つ以上のＢＷＰの非アクティブ化、および／または複数のＢＷＰ中の１つ以上の第２のＢＷＰのアクティブ化を示す少なくとも１つのＤＣＩを受信し得る。周波数領域で非連続的である複数の同時／並列にアクティブなＢＷＰに無線デバイスが対応できることを示す無線デバイス機能情報に応答して、少なくとも１つのＤＣＩを受信することに応答する同時／並列にアクティブなＢＷＰは、周波数領域で非連続的であり得る。そうでない場合、少なくとも１つのＤＣＩを受信することに応答する同時／並列にアクティブなＢＷＰは、周波数領域で連続的であり得る。
【０３１２】
例示的な一実施形態では、無線デバイス、例えば、無線デバイス機能情報メッセージ（例えば、帯域幅部分に関連する無線デバイス機能）は、無線デバイスがＢＷＰ内の非連続的なＰＲＢに対応できるかどうかを示し得る。例示的な一実施形態では、無線デバイス機能情報（例えば、帯域幅部分に関連する無線デバイス機能）は、無線デバイスがＢＷＰに対する非連続的なＰＲＢ（例えば、周波数領域で非連続的）に対応できることを示し得る。基地局は、機能情報を受信することに応答して、非連続的なＰＲＢを用いてＢＷＰを構成し得る。アクティブなＢＷＰまたはデフォルトのＢＷＰは、非連続的なＰＲＢを含み得る。
【０３１３】
例示的な一実施形態では、無線デバイス、例えば、無線デバイス機能情報メッセージ（例えば、帯域幅部分に関連する無線デバイス機能）は、無線デバイスがＢＷＰに対する非連続的なＰＲＢ（例えば、周波数領域で非連続的）に対応できないことを示し得る。基地局は、例えば機能情報メッセージでの、表示を受信すること応答して、非連続的なＰＲＢを用いてＢＷＰを構成し得る。アクティブなＢＷＰまたはデフォルトのＢＷＰは、連続的なＰＲＢを含み得る。
【０３１４】
図３９に示す例示的な一実施形態では、無線デバイスは、無線デバイスがセル上の複数のアクティブな帯域幅部分をサポートすることを示す１つ以上の機能メッセージを伝送し得る。１つ以上の機能メッセージは、無線デバイスがセル上の複数の同時にアクティブな帯域幅部分をサポートすることを示し得る。一例では、１つ以上の機能メッセージは、セルのアクティブな帯域幅部分の第１の数をさらに示し得る。一例では、アクティブな帯域幅部分の第１の数は、アクティブな帯域幅部分の最大数であってもよい。一例では、セルは、プライマリセルまたはセカンダリセルであってもよい。一例では、セルは、プライマリセルであってもよい。一例では、セルは、セカンダリセルであってもよい。一例では、セルは、プライマリセルであるが、セカンダリセルでなくてもよい。一例では、セルは、セカンダリセルであるが、プライマリセルでなくてもよい。１つ以上の機能メッセージは、無線デバイスによって基地局に伝送され得る。１つ以上の機能メッセージは、ＲＲＣメッセージを含み得る。
【０３１５】
一例では、無線デバイスは、セルの複数の帯域幅部分の構成パラメータを含む１つ以上の第２のメッセージを受信し得る。１つ以上の第２のメッセージは、ＲＲＣメッセージを含み得る。複数の帯域幅部分の構成パラメータは、無線リソース（例えば、ＰＲＢおよび／またはＰＲＢの数、周波数位置、帯域幅など）、ニューメロロジー（例えば、サブキャリア間隔、サイクリックプレフィックス）、帯域幅部分識別子、複数の帯域幅部分の信号およびチャネルの構成パラメータなどを示し得る。一例では、複数の帯域幅部分の構成パラメータは、初期アクティブな帯域幅部分として１つ以上の第１の帯域幅部分を示し得る。一例では、複数の帯域幅部分の構成パラメータは、デフォルトの帯域幅部分として１つ以上の第２の帯域幅部分を示し得る。
【０３１６】
一例では、無線デバイスが複数のアクティブな帯域幅部分をサポートすることに基づいておよび／または応答して、無線デバイスは第１の複数の帯域幅部分をアクティブ化し得る。一例では、第１の複数の帯域幅部分の第２の数は、第１の数以下であり得る。第１の複数の帯域幅部分は、複数の帯域幅部分のものであってもよい。一例では、無線デバイスは、基地局からのコマンド／メッセージを受信することに応答して、第１の複数の帯域幅部分をアクティブ化し得る。コマンド／メッセージは、ＤＣＩおよび／またはＭＡＣ  ＣＥおよび／または１つ以上のＲＲＣメッセージであってもよい。基地局は、複数のアクティブな帯域幅部分をサポートすることができる（例えば、ソフトウェア／ハードウェア機能を有する）無線デバイスの第１の複数の帯域幅部分をアクティブ化し得る。基地局は、最大で１つのアクティブな帯域幅部分をサポートし、かつ複数のアクティブな帯域幅部分をサポートしない第２の無線デバイスに、最大で１つの帯域幅部分のアクティブ化を示す第２のコマンド／メッセージを伝送し得る。第２の無線デバイスは、無線デバイスが最大で１つのアクティブな帯域幅部分をサポートすることができる（例えば、ハードウェア／ソフトウェア機能を有する）ことを機能メッセージで基地局に示し得る。基地局は、最大でＮ個のアクティブな帯域幅部分をサポートし、かつＮ個より多いアクティブな帯域幅部分をサポートしない第３の無線デバイスに、最大でＮ個の帯域幅部分のアクティブ化を示す第３のコマンドメッセージを伝送し得る。
【０３１７】
一例では、無線デバイスは、１つ以上のＲＲＣメッセージに応答して／基づいて、第１の複数の帯域幅部分をアクティブ化し得る。一例では、１つ以上のＲＲＣメッセージは、複数の帯域幅部分の構成パラメータを示す１つ以上の第２のメッセージの一部であり得る。一例では、１つ以上のＲＲＣメッセージは、第１の複数の帯域幅部分をアクティブ化するための１つ以上のタイミングを示す１つ以上のタイミングパラメータを含み得る。一例では、１つ以上のタイミングパラメータは、１つ以上のシステムフレーム番号および／または１つ以上のオフセットパラメータ（例えば、サブフレーム／スロットオフセット）を含み得る。
【０３１８】
一例では、無線デバイスは、１つ以上の制御要素（例えば、１つ以上のＭＡＣ制御要素）に応答して／基づいて、第１の複数の帯域幅部分をアクティブ化し得る。一例では、第１の複数の帯域幅部分の１つ以上のアクティブ化時間は、１つ以上の制御要素の受信時間からの所定のおよび／または構成可能なオフセットに基づき得る。一例では、アクティブ化制御要素を受信することに応答して、無線デバイスは、所定の／構成可能なオフセットに基づいて１つ以上の帯域幅部分をアクティブ化し得る。一例では、アクティブ化制御要素はセルをアクティブ化し、無線デバイスは制御要素を受信することに応答して１つ以上の帯域幅部分（例えば、１つ以上の初期アクティブな帯域幅部分）をアクティブ化し得る。１つ以上の初期アクティブな帯域幅部分は、ＲＲＣによって構成され得る。
【０３１９】
一例では、無線デバイスは、１つ以上のダウンリンク制御情報に応答して／基づいて、第１の複数の帯域幅部分をアクティブ化し得る。一例では、第１の複数の帯域幅部分の１つ以上のアクティブ化時間は、１つ以上のダウンリンク制御情報の受信時間からの所定のおよび／または構成可能なオフセットに基づき得る。一例では、ダウンリンク制御情報を受信することに応答して、無線デバイスは、所定の／構成可能なオフセットに基づいて１つ以上の帯域幅部分をアクティブ化し得る。一例では、ダウンリンク制御情報は、セルをアクティブ化し、無線デバイスは、ダウンリンク制御情報を受信することに応答して１つ以上の帯域幅部分（例えば、１つ以上の初期アクティブな帯域幅部分）をアクティブ化し得る。１つ以上の初期アクティブな帯域幅部分は、ＲＲＣによって構成され得る。
【０３２０】
一例では、無線デバイスは、第２の複数の帯域幅部分のアクティブ化を示す１つ以上のダウンリンク制御情報を受信することができ、第２の複数の帯域幅部分の第３の数は第１の数より小さい。一例では、１つ以上のダウンリンク制御情報は、帯域幅部分の切り替えを示し得る。
【０３２１】
一例では、無線デバイスは、第１の複数の帯域幅部分を介して複数のトランスポートブロックを伝送し得る。一例では、無線デバイスは、第１の複数の帯域幅部分を介した複数のトランスポートブロックの伝送を示す１つ以上の第２のダウンリンク制御情報を受信することに応答して、複数のトランスポートブロックを伝送し得る。一例では、１つ以上の第２のダウンリンク制御情報は、複数のトランスポートブロックの伝送パラメータを示し得る。
【０３２２】
一例では、１つ以上の機能メッセージは、無線デバイスがセル上の複数のアクティブな帯域幅部分をサポートすることをさらに示すことができ、複数のアクティブな帯域幅部分は周波数領域で連続的である。第１の複数の帯域幅部分は、周波数領域で連続的であってもよい。
【０３２３】
一例では、１つ以上の機能メッセージは、無線デバイスがセル上の複数のアクティブな帯域幅部分をサポートすることをさらに示すことができ、複数のアクティブな帯域幅部分は周波数領域で非連続的である。一例では、１つ以上の機能メッセージは、無線デバイスがセル上の複数のアクティブな帯域幅部分をサポートすることをさらに示すことができ、複数のアクティブな帯域幅部分は周波数領域で連続的または連続的であってもよい。第１の複数の帯域幅部分は、周波数領域で連続的または非連続的であってもよい。
【０３２４】
例示的な一実施形態では、無線デバイス、例えば無線デバイス機能情報メッセージは、ＤＬ  ＢＷＰおよびアップリンクＢＷＰのニューメロロジー／サブキャリア間隔／ＴＴＩ（例えば、ＤＬ／ＵＬ  ＢＷＰ対について）が同じであり得るか、またはＤＬ  ＢＷＰおよびＵＬ  ＢＷＰが異なるニューメロロジー／サブキャリア間隔／ＴＴＩを有し得るかどうかを示し得る。基地局は、無線デバイスがＤＬおよびＵＬ  ＢＷＰに対する異なるニューメロロジー／サブキャリア間隔／ＴＴＩに対応できないことを示す機能情報に応答して、同じニューメロロジー／サブキャリア間隔／ＴＴＩを有するＤＬ  ＢＷＰおよびＵＬ  ＢＷＰ（例えば、ＤＬ／ＵＬ  ＢＷＰ対に対して）を構成／アクティブ化し得る。基地局は、無線デバイスがＤＬおよびＵＬ  ＢＷＰに対する異なるニューメロロジー／サブキャリア間隔／ＴＴＩに対応できることを示す機能情報に応答して、異なるニューメロロジー／サブキャリア間隔／ＴＴＩを有するＤＬ  ＢＷＰおよびＵＬ  ＢＷＰ（例えば、ＤＬ／ＵＬ  ＢＷＰ対に対して）を構成／アクティブ化し得る。
【０３２５】
例示的な一実施形態では、無線デバイス機能情報は、ＤＬ  ＢＷＰのタイミングとＵＬ  ＢＷＰのタイミング（例えば、ＤＬ／ＵＬ  ＢＷＰ）とが同じであり得るか異なり得るかを示し得る。一例では、ＵＬ  ＢＷＰおよびＤＬ  ＢＷＰは、対スペクトルまたは非対スペクトルに対応し得る。基地局は、無線デバイスがＤＬおよびＵＬ  ＢＷＰに対する異なるタイミングに対応できないことを示す機能情報に応答して、同じタイミングを有するＤＬ  ＢＷＰおよびＵＬ  ＢＷＰ（例えば、ＤＬ／ＵＬ  ＢＷＰ対に対して）を構成／アクティブ化し得る。基地局は、無線デバイスがＤＬおよびＵＬ  ＢＷＰに対する異なるタイミングに対応でることを示す機能情報に応答して、異なるタイミングを有するＤＬ  ＢＷＰおよびＵＬ  ＢＷＰ（例えば、ＤＬ／ＵＬ  ＢＷＰ対に対して）を構成／アクティブ化し得る。
【０３２６】
例示的な一実施形態では、無線デバイスは、１つ以上のセルの構成パラメータを含む１つ以上のメッセージを受信し得る。一例では、１つ以上のセルは、第１のセルを含み得る。一例では、第１のセルは、プライマリセルであってもよい。一例では、第１のセルは、セカンダリセルであってもよい。１つ以上のメッセージは、第１のセル上の複数のＢＷＰの構成パラメータを示し得る。一例では、１つ以上のメッセージは、ＢＷＰ非アクティビティタイマのＢＷＰ非アクティビティタイマ値、および／または初期アクティブなＢＷＰ、および／またはデフォルトのＢＷＰを含み得る。
【０３２７】
例示的な一実施形態では、無線デバイスは、例えば、機能情報メッセージ（例えば、ＢＷＰに関連する機能情報メッセージ）で、基地局が１つ以上のＢＷＰ構成パラメータを再構成することに応答して無線デバイスがアクティブなＢＷＰで動作し続けることを示し得る。一例では、無線デバイスは、機能情報（例えば、ＢＷＰに関連する機能情報）で、基地局がデフォルトのＢＷＰを再構成／変更することに応答して無線デバイスがアクティブなＢＷＰで動作し続けることを示し得る。一例では、無線デバイスは、機能情報（例えば、ＢＷＰに関連する機能情報）で、基地局が非アクティビティタイマ値を再構成／変更することに応答して無線デバイスがアクティブなＢＷＰで動作し続けることを示し得る。
【０３２８】
例示的な一実施形態では、無線装置は、例えば機能情報メッセージで、無線デバイスが、デフォルトのＢＷＰを再構成／変更することおよび／または他のＢＷＰパラメータを再構成／変更することに応答してアクティブなＢＷＰで動作し続けることを示し得る。基地局は、デフォルトのＢＷＰを再構成／変更し得る（例えば、ＲＲＣメッセージ、例えば、ＲＲＣ再構成メッセージを使用して）。無線デバイスは、デフォルトのＢＷＰおよび／または他のＢＷＰパラメータを再構成／変更することに応答して、アクティブなＢＷＰで動作を継続し得る。無線デバイスは、デフォルトのＢＷＰおよび／または他のＢＷＰパラメータを再構成／変更することに応答して、別のＢＷＰ（例えば、新たなデフォルトのＢＷＰ）に切り替わらないことが可能である。
【０３２９】
例示的な一実施形態では、無線デバイスは、例えば、機能情報メッセージにで、無線デバイスが、デフォルトのＢＷＰおよび／または他のＢＷＰパラメータを再構成／構成することに応答して、アクティブなＢＷＰで動作し続けることができない場合があるか、またはできない（例えば、別のＢＷＰ、例えばデフォルトＢＷＰ、に切り替わる必要があり得る）ことを示し得る。無線デバイスは、基地局がデフォルトのＢＷＰおよび／または他のＢＷＰパラメータを再構成／変更すること（例えば、ＲＲＣメッセージを使用こと）に応答して、別のＢＷＰ、例えばデフォルトのＢＷＰに切り替わり得る。一例では、基地局は、デフォルトのＢＷＰおよび／または他のＢＷＰパラメータを再構成／変更することに応答して、アクティブなＢＷＰを（例えば、新たなデフォルトのＢＷＰに）切り替えることを示すＤＣＩを無線デバイスに伝送し得る。一例では、無線デバイスは、アクティブなＢＷＰを切り替えることを示すＤＣＩを受信することなく、デフォルトのＢＷＰおよび／または他のＢＷＰパラメータを再構成／変更することに応答して、アクティブなＢＷＰを（例えば、新たなデフォルトのＢＷＰに）切り替え得る。
【０３３０】
一例では、スロットフォーマットは、ダウンリンクシンボル、アップリンクシンボル、およびフレキシブルシンボルを含み得る。一例では、サービングセルについて、ＵＥが上位層パラメータ（例えば、ＳｌｏｔＦｏｒｍａｔ−ＭａｉｎＣｏｎｆｉｇ）を用いて構成されない場合、ＵＥは、上位層パラメータ（例えば、ＳｌｏｔＦｏｒｍａｔ−ａｓｓｉｇｎｍｅｎｔＳＩＢ１）によって示されるスロット数にわたるスロットごとのスロットフォーマットに等しくなるように、スロット数にわたってスロットごとのスロットフォーマットを設定し得る。一例では、ＵＥにスロット数にわたるスロットごとのスロットフォーマットの上位層パラメータ（例えば、ＳｌｏｔＦｏｒｍａｔ−ａｓｓｉｇｎｍｅｎｔ）が追加で提供される場合、パラメータ（例えば、ＳｌｏｔＦｏｒｍａｔ−ａｓｓｉｇｎｍｅｎｔ）は、（例えば、ＳｌｏｔＦｏｒｍａｔ−ａｓｓｉｇｎｍｅｎｔＳＩＢ１）によって提供されるスロット数にわたるスロットごとの柔軟なシンボルをオーバーライドし得る。一例では、ＵＥは、ＵＥがフレキシブルシンボル内にＵＥによるＰＤＳＣＨ受信またはＰＵＳＣＨ伝送をそれぞれスケジューリングするＤＣＩフォーマットを検出すると、スロット内のフレキシブルシンボルを、スロット内のダウンリンクシンボルに、またはスロット内のアップリンクシンボルに設定し得る。一例では、ＵＥは、ＵＥがフレキシブルシンボル内にＵＥによるＰＤＳＣＨ受信またはＰＵＳＣＨ伝送をそれぞれスケジューリングするＤＣＩフォーマットを検出しないと、スロットのフレキシブルシンボルで受信または伝送しないことが可能である。一例では、ＵＥがパラメータ（例えば、ＳｌｏｔＦｏｒｍａｔ−ＭａｉｎＣｏｎｆｉｇ）を有する上位層によって構成される場合、ＵＥは、スロット数にわたって各スロットのスロットフォーマットを決定し得る。
【０３３１】
一例では、無線デバイスは、異なるセルでＳｃｅｌｌのグループ共通ＰＤＣＣＨ内のＳＦＩを監視するように構成され得る。一例では、クロスセルＧＣ−ＰＤＣＣＨ監視について、ＲＲＣ構成は、同じＳＦＩが複数のセルに適用可能であることを示し得る。一例として、クロスセルＧＣ−ＰＤＣＣＨ監視について、ＲＲＣ構成は、１つのＧＣ−ＰＤＣＣＨの異なるＳＦＩフィールドが異なるセルに適用され得ることを示し得る。一例では、ＵＥは、動的ＳＦＩの方向とＵＥ固有のデータの方向（例えば、ＵＥ固有のＤＣＩトリガＰＤＳＣＨ、ＰＵＳＣＨ（許可ベース）、およびＰＤＳＣＨのＡ／Ｎを用いるＰＵＣＣＨ）との間のリンク（ＤＬまたはＵＬ）方向のコンフリクトを有すると予想されない場合がある。一例では、動的ＳＦＩで不明と表示されたリンク方向は、ＤＬまたはＵＬとコンフリクトしていると見なされない場合がある。一例では、基地局は、最大８つの選択肢（例えば、Ｋ＝１、２、５、１０、２０など）のＫ個のスロット（例えば、ＧＣ−ＰＤＣＣＨニューメロロジーに基づく）からなる、サービングセルごとのＧＣ−ＰＤＣＣＨ（動的ＳＦＩ用）監視周期性を構成し得る。
【０３３２】
一例では、ＵＥ固有のシングルスロット／マルチスロットテーブル構成について、テーブルの各エントリは、構成されたシングルスロットスロットフォーマットのシーケンスを示し得る。一例では、シーケンスの長さが１である場合、エントリはシングルスロットスロットフォーマットであり得る。一例では、シーケンスの長さが１より大きい場合、エントリはシングルスロットスロットフォーマットであり得る。一例では、マルチスロットスロットフォーマットのすべてのスロットが同じスロットフォーマットを有する可能性があり得る。一例では、テーブル内のエントリは、シングルスロットＳＦＩとマルチスロットＳＦＩとの混在を含む異なる長さであり得る。一例では、テーブル内のエントリの長さは、構成済みＧＣ−ＰＤＣＣＨ監視期間の倍数、または構成ＧＣ−ＰＤＣＣＨ監視期間の一部であり得る。
【０３３３】
一例では、同じセルのＧＣ−ＰＤＣＣＨ監視について、ＵＥは、セル内のアクティブなＢＷＰで動的ＳＦＩを搬送する構成期間ごとに、空間ＱＣＬごとに最大１つのＧＣ−ＰＤＣＣＨを監視することが必要とされ得る。一例では、コアセット（複数可）はスロット内の最初の１／２／３個のシンボルに配置され得る。一例では、動的ＳＦＩのＧＣ−ＰＤＣＣＨ監視を設定するときに、ｇＮＢはペイロード長を構成し得る。サービングセルの動的ＳＦＩのＧＣ  ＰＤＣＣＨ監視を構成するときに、ｇＮＢはペイロードの動的ＳＦＩに使用されるビットの位置を構成し得る。
【０３３４】
一例では、ＳＦＩを搬送するＧＣ−ＰＤＣＣＨのブラインドデコーディングについて、ＧＣ−ＰＤＣＣＨブラインドデコーディングは、構成済みコアセット内のＣＳＳまたはグループＣＳＳの、構成済み集約レベルを有する構成済み開始ＣＣＥにおける１つのデコード候補を用いて構成され得る。一例では、準静的ＤＬ／ＵＬ割り当てからの状態は、測定、動的ＳＦＩ、またはＵＥ固有のデータによって上書きされ得る。一例では、測定からの状態は、動的なＳＦＩまたはＵＥ固有のデータによって上書きされ得る。一例では、動的ＳＦＩは、ＵＥ固有のデータによって上書きされ得る。一例では、準静的ＤＬ／ＵＬ割り当てにおける「不明」は、測定、動的ＳＦＩ、およびＵＥ固有のデータによって上書きされ得る。一例では、準静的ＤＬ／ＵＬ割り当てにおけるＤＬ／ＵＬは、測定、動的ＳＦＩ、およびＵＥ固有のデータによって他の方向に（ＤＬからＵＬに、またはＵＬからＤＬに）上書きされないことが可能である。例では、準静的ＤＬ／ＵＬ割り当てにおけるＤＬ／ＵＬは、動的ＳＦＩによる「不明」によって上書きされないことが可能である。一例では、測定が意味するＤＬ／ＵＬ方向は、動的ＳＦＩにおける不明によって上書きされ得る。一例では、測定が意味するＤＬ／ＵＬ方向は、動的ＳＦＩからのＤＬ／ＵＬによって上書きされ得る。一例では、測定が意味するＤＬ／ＵＬ方向は、ＵＥ固有のデータが他の方向を意味する場合、ＵＥ自身のＵＥ固有のデータによって上書きされ得る。一例では、動的ＳＦＩ内のＵＬ／ＤＬは、ＵＥ固有のデータによって上書きされないことが可能である。一例では、動的ＳＦＩ内の不明は、ＵＥ固有のデータによって上書きされ得る（ＤＬまたはＵＬへの変更）。一例では、ＳＦＩのＧＣ−ＰＤＣＣＨは、構成によってＳＦＩ  ＲＮＴＩに関連付けられる。一例では、サービングセルでは、ＵＥについて、グループ共通ＰＤＣＣＨ（例えば、ＳＦＩ、プリエンプション表示など）の共通検索空間がＢＷＰで構成され得る。
【０３３５】
例示的な一実施形態では、無線デバイスは、例えば機能メッセージで、基地局に、無線デバイスが、第１のセルの異なるＢＷＰの異なるスロットフォーマット表示（ＳＦＩ）パラメータを使用して動作し得るかどうか、または第１のセルの異なるＢＷＰが同じＳＦＩに基づいて動作し得るかどうかを示し得る。一例では、無線デバイスは、機能メッセージで、無線デバイスがセルの異なるＢＷＰで異なるＳＦＩフォーマットを使用して、例えば、第１のセルの第１のＢＷＰでの第１のＳＦＩと第１のセルの第２のＢＷＰでの第２のＳＦＩとを使用して、動作し得ることを示し得る。基地局は、無線デバイス機能情報（例えば、帯域幅部分に関連する機能情報）に基づいて、異なるまたは同じＳＦＩフォーマットを有するように、第１のセルのＢＷＰを構成し得る。
【０３３６】
例示的な一実施形態では、無線は、例えば機能メッセージで、無線デバイスが異なるＳＦＩを使用して第１のセルの異なるＢＷＰで動作することができることを示し得る。無線デバイスは、第１のセル上の複数のＢＷＰの構成パラメータを示す１つ以上のメッセージを受信し得る。無線デバイスは、例えばグループ共通ＤＣＩで、第１のセルの第１のＢＷＰに対する第１のＳＦＩを受信し得る。無線デバイスは、例えばグループ共通ＤＣＩにおいて、第１のセルの第２のＢＷＰに対する第２のＳＦＩを受信し得る。第１のＳＦＩおよび第２のＳＦＩは、第１のＢＷＰおよび第２のＢＷＰに対する異なるスロットフォーマットを示し得る。
【０３３７】
例示的な一実施形態では、無線は、例えば機能メッセージで、無線デバイスが異なるＳＦＩを使用して第１のセルの異なるＢＷＰで動作することができることを示し得る。無線デバイスは、第１のセル上の複数のＢＷＰの構成パラメータを示す１つ以上のメッセージを受信し得る。無線デバイスは、例えばグループ共通ＤＣＩで、第１のセルの第１のＢＷＰに対する第１のＳＦＩを受信し得る。無線デバイスは、例えばグループ共通ＤＣＩにおいて、第１のセルの第２のＢＷＰに対する第２のＳＦＩを受信し得る。第１のＳＦＩおよび第２のＳＦＩは、第１のＢＷＰおよび第２のＢＷＰに対する同じスロットフォーマットを示し得る。
【０３３８】
例示的な一実施形態では、無線デバイスは、例えば基地局への機能メッセージで、無線デバイスがＤＬ  ＢＷＰおよびＵＬ  ＢＷＰ（例えば、ＤＬ／ＵＬ  ＢＷＰ対の）で異なるスロットフォーマット表示（ＳＦＩ）を使用して動作し得るかどうかを示し得る。一例では、無線デバイスは、例えば機能メッセージで、無線デバイスが、ＤＬおよびＵＬ  ＢＷＰでの異なるＳＦＩを使用して、例えば（例えばＤＬ／ＵＬ  ＢＷＰ対の）ＤＬ  ＢＷＰでの第１のＳＦＩを使用して、およびＵＬ  ＢＷＰでの第２のＳＦＩを使用して、動作し得ることを示し得る。基地局は、無線デバイス機能情報（例えば、帯域幅部分に関連する機能情報）に基づいて、同じまたは異なるＳＦＩフォーマットを有するように、（例えば、ＤＬ／ＵＬ  ＢＷＰ対の）ＤＬおよびＵＬ  ＢＷＰを構成し得る。
【０３３９】
例示的な一実施形態では、無線は、例えば、機能メッセージで、無線デバイスが、第１のセル上の（例えば、ＤＬ／ＵＬ  ＢＷＰ対の）ＤＬ  ＢＷＰおよびＵＬ  ＢＷＰでの異なるＳＦＩフォーマットで動作することができることを示し得る。無線デバイスは、例えばグループ共通ＤＣＩで、（例えば、ＤＬ／ＵＬ  ＢＷＰ対の）ＤＬ  ＢＷＰに対する第１のＳＦＩを受信し得る。無線デバイスは、例えばグループ共通ＤＣＩで、（例えば、ＤＬ／ＵＬ  ＢＷＰ対の）ＵＬ  ＢＷＰに対する第２のＳＦＩを受信し得る。第１のＳＦＩおよび第２のＳＦＩは、（例えば、ＤＬ／ＵＬ  ＢＷＰ対の）ＤＬ  ＢＷＰおよびＵＬ  ＢＷＰに対する異なるスロットフォーマットを示し得る。
【０３４０】
例示的な一実施形態では、無線は、例えば機能メッセージで、無線デバイスが、第１のセル上の（例えば、ＤＬ／ＵＬ  ＢＷＰ対の）ＤＬ  ＢＷＰおよびＵＬ  ＢＷＰでの異なるＳＦＩフォーマットで動作することができることを示し得る。無線デバイスは、例えばグループ共通ＤＣＩで、（例えば、ＤＬ／ＵＬ  ＢＷＰ対の）ＤＬ  ＢＷＰに対する第１のＳＦＩを受信し得る。無線デバイスは、例えばグループ共通ＤＣＩで、（例えば、ＤＬ／ＵＬ  ＢＷＰ対の）ＵＬ  ＢＷＰに対する第２のＳＦＩを受信し得る。第１のＳＦＩおよび第２のＳＦＩは、（例えば、ＤＬ／ＵＬ  ＢＷＰ対の）ＤＬ  ＢＷＰおよびＵＬ  ＢＷＰに対する異なるスロットフォーマットを示し得る。
【０３４１】
一例では、無線デバイスは、機能メッセージ（例えば、帯域幅部分に関係する機能メッセージ）で、無線が、ＵＬ  ＢＷＰおよびＤＬ  ＢＷＰの両方（例えば、ＵＬ／ＤＬ  ＢＷＰ対に対応するＵＬ  ＢＷＰおよびＤＬ  ＢＷＰ）を、合わせておよび／または単一のＤＣＩ（例えば、ＢＷＰを切り替えるＤＣＩ）に基づいて、切り替えることができるか否かを示し得る。
【０３４２】
例示的な一実施形態では、無線デバイスは、例えば機能メッセージで、無線デバイスが、ＵＬ  ＢＷＰおよびＤＬ  ＢＷＰの両方（例えば、ＵＬ／ＤＬ  ＢＷＰ対に対応するＵＬ  ＢＷＰおよびＤＬ  ＢＷＰ）を、合わせておよび／または単一のＤＣＩに基づいて、切り替えることができることを示し得る。基地局は、例えば機能メッセージでの、表示を受信することに応答して、単一のＤＣＩを伝送してＵＬ  ＢＷＰとＤＬ  ＢＷＰとの両方を切り替え得る。一例では、ＤＣＩは１つ以上のフィールドを含むことができ、１つ以上のフィールドの値（複数可）は、第１のＤＬ  ＢＷＰおよび第１のＵＬ  ＢＷＰを示す。一例では、１つ以上のフィールドの値（複数可）は、第１のＤＬ  ＢＷＰの第１の識別子と第１のＵＬ  ＢＷＰの第２の識別子とを示し得る。無線デバイスは、無線デバイスのＤＬ  ＢＷＰを第１のＤＬ  ＢＷＰに切り替え、無線デバイスのＵＬ  ＢＷＰを第１のＵＬ  ＢＷＰに切り替え得る。一例では、ＤＣＩフォーマットは、ＤＣＩがＢＷＰの切り替えに使用／利用されることを示し得る。一例では、ＤＣＩはフィールドを含むことができ、フィールドの値は、ＤＣＩがＢＷＰの切り替えに使用／利用されるかどうかを示す。一例では、ＤＣＩの１つ以上のフィールドは、ＤＣＩがＢＷＰの切り替え、またはＢＷＰの切り替えとは異なる機能（スケジューリングなど）に使用／利用されるかどうかに応じて、ＢＷＰ切り替えとは異なる機能（例えば、スケジューリング用のリソースアロケーションパラメータ）、またはＢＷＰの切り替えに使用され得る。
【０３４３】
例示的な一実施形態では、無線デバイスは、例えば機能メッセージで、無線デバイスが、ＵＬ  ＢＷＰおよびＤＬ  ＢＷＰの両方（例えば、ＵＬ／ＤＬ  ＢＷＰ対に対応するＵＬ  ＢＷＰおよびＤＬ  ＢＷＰ）を、合わせておよび／または単一のＤＣＩに基づいて、切り替えることができないことを示し得る。基地局は、例えば機能メッセージでの、表示を受信することに応答して、ＵＬ  ＢＷＰとＤＬ  ＢＷＰとを切り替えるための独立したＤＣＩを伝送してもよい。
【０３４４】
ＢＷＰスイッチングの例では、ＲＦ再同調、ベースバンド動作、および／またはＡＧＣ調整の時間が考慮され得る。ガード期間は、少なくとも、ＲＦ再同調および／または関連する動作に基づき得る。一例では、無線デバイスが、ガード期間中に信号を伝送および／または受信しないことが可能である。例示的な一実施形態では、無線デバイスは、例えば機能メッセージで、ガード期間の長さを示し得る。ガード期間の長さは、ＢＷＰのニューメロロジー、スロットの長さなどに基づき得る。一例では、ガード期間の長さは、機能メッセージで、μｓ単位の絶対時間として示されてもよい。一例では、ガード期間の長さは、例えば機能メッセージで、シンボルの数として示されてもよい（例えば、デフォルトのニューメロロジーに基づいて）。一例では、無線デバイスは、ＢＷＰを切り替えるＤＣＩを受信することに応答するＢＷＰの切り替えのための第１のガード期間と、非アクティビティタイマの満了に起因してＢＷＰを切り替えることに応答する第２のガード期間と、を示し得る。一例では、無線デバイスは、ＤＬ  ＢＷＰを切り替えるための第１のガード期間および／または第１のＲＦ再同調時間と、ＵＬ  ＢＷＰを切り替えるための第２のガード期間および／またはＲＦ再同調時間と、を示し得る。
【０３４５】
例示的な一実施形態では、無線デバイスは、例えば機能メッセージで、無線デバイスが帯域幅部分（ＢＷＰ）構成をサポートし得る、および／または帯域幅部分（ＢＷＰ）構成に対応できる１つ以上の第１のセルを示し得る。一例では、無線デバイスは、機能メッセージで、無線がＢＷＰ構成をサポートしない場合がある、および／またはＢＷＰ構成に対応できない１つ以上の第２のセルに示し得る。一例では、機能情報はセルのリストを含み得る。一例では、リストは、無線デバイスがＢＷＰ構成をサポートする１つ以上の第１のセル、および／または無線デバイスがＢＷＰ構成をサポートしない１つ以上の第２のセルを示し得る。一例では、基地局は、機能メッセージを受信することに応答して、１つ以上のセルの構成パラメータを含む１つ以上のメッセージを伝送し得る。基地局は、無線デバイスがＢＷＰ構成サポートを示す１つ以上のセルのうちの１つ以上の第１のセルに対してＢＷＰを構成し得る。基地局は、無線デバイスがＢＷＰ構成サポートを示さない１つ以上のセルのうちの１つ以上の第２のセルに対してＢＷＰを構成しないことが可能である。
【０３４６】
例示的な一実施形態では、無線デバイスは、例えば機能メッセージで、無線デバイスがタイマベースのＵＬ  ＢＷＰの切り替えをサポートするかしないかを示し得る。
【０３４７】
例示的な一実施形態では、無線デバイスは、例えば機能メッセージで、無線デバイスがタイマベースのＵＬ  ＢＷＰの切り替えをサポートすることを示し得る。一例では、無線デバイスは、１つ以上のセルの構成パラメータを含む１つ以上のメッセージを受信し得る。構成パラメータは、１つ以上のセル中の第１のセルの複数のＢＷＰの構成パラメータを含み得る。構成パラメータは、ＵＬ  ＢＷＰの切り替えのタイマ値（例えば、非アクティビティタイマの）を含み得る。一例では、ＵＬ  ＢＷＰの切り替えのタイマ値と、ＤＬ  ＢＷＰの切り替えのタイマ値と、は別々かつに独立に構成されてもよい。一例では、ＤＬおよびＵＬ  ＢＷＰの切り替えのタイマ値は、合わせて構成されてもよく、および／または同じ値を有してもよい。構成パラメータには、デフォルトのＵＬ  ＢＷＰを含み得る。一例では、無線デバイスは、デフォルトのＵＬ  ＢＷＰ以外のＵＬ  ＢＷＰへの切り替えに応答して、ＵＬ  ＢＷＰの切り替えのために構成されたタイマ値を用いてＵＬ  ＢＷＰの切り替えのためのタイマ（例えば、非アクティビティタイマ）を始動させ得る。一例では、無線デバイスは、タイマの満了に応答して、アクティブなＵＬ  ＢＷＰを第１のＢＷＰ（例えば、デフォルトのＵＬ  ＢＷＰ）に切り替え得る。
【０３４８】
例示的な一実施形態では、無線デバイスは、例えば機能メッセージで、無線が第１のＢＷＰでの動作時に測定ギャップを必要とし、かつ無線デバイスが第２のＢＷＰを測定することを示し得る。一例では、第１のＢＷＰは第１のセルからなることが可能であり、第２のＢＷＰは第２のセルからなることが可能である。一例では、第１のＢＷＰおよび第２のＢＷＰは同じセルからなり得る。一例では、第１のＢＷＰは、１つ以上の第１のＢＷＰのうちの１つであり得る。一例では、１つ以上の第１のＢＷＰは、１つ以上の第１のリストによって（例えば、無線デバイスによって機能メッセージで）示され得る。１つ以上の第１のリストは、ＢＷＰＬｉｓｔと呼ばれてもよく、および／またはＢＷＰＬｉｓｔを含んでもよい。一例では、帯域およびＢＷＰを示すように、レガシーｂａｎｄＬｉｓｔＥＵＴＲＡ  ＩＥが拡張され得る。１つ以上の第１のリストは、他の名称で呼ばれてもよい。一例では、第２のＢＷＰは、１つ以上の第２のＢＷＰのうちの１つであり得る。一例では、１つ以上の第２のＢＷＰは、１つ以上の第２のリストによって（例えば、無線デバイスによって機能メッセージで）示され得る。１つ以上の第２のリストは、ｉｎｔｅｒＢＷＰＬｉｓｔと呼ばれてもよく、および／またはｉｎｔｅｒＢＷＰＬｉｓｔを含んでもよい。一例では、帯域およびＢＷＰを示すように、レガシーｉｎｔｅｒＦｒｅｑＢａｎｄＬｉｓｔ  ＩＥが拡張されてもよい。
【０３４９】
例示的な一実施形態では、無線デバイスは、例えば機能メッセージで、セルのＤＬ  ＢＷＰでサポートされる空間層の最大数、および／またはセルのＵＬ  ＢＷＰでの空間層の最大数を示し得る。一例では、無線デバイスは、複数のＤＬ／ＵＬ  ＢＷＰのＤＬ  ＢＷＰおよび／またはＵＬ  ＢＷＰでの空間層の最大数を示し得る。一例では、複数のＤＬ／ＵＬ  ＢＷＰは、リストとして示され得る。一例では、複数のＤＬ／ＵＬ  ＢＷＰは、第１のセルからなり得る。一例では、複数のＤＬ／ＵＬ  ＢＷＰは、複数のセルからなり得る。
【０３５０】
無線デバイスによるチャネル状態情報（ＣＳＩ）報告は、基地局が、スケジューリング、リンクアダプテーション、ビームフォーミング、および空間多重化のプロシージャを行うのを支援する。ＣＳＩ報告は、基地局によって動的に要求されてもよく（例えば、非周期的ＣＳＩ）、または周期的に報告されるように（例えば、周期的ＣＳＩ）、または物理層およびＭＡＣ層アクティブ化に基づいて（例えば、半永続的ＣＳＩ）構成されてもよい。基地局は、無線デバイスのための１つ以上のＣＳＩ報告構成（例えば、ＣＳＩプロセス）を構成してもよく、無線装置は、構成済みＣＳＩ報告構成（例えば、ＣＳＩ処理）のＣＳＩレポートを伝送してもよい。
【０３５１】
新無線では、セルが複数の帯域幅部分を含み得る。帯域幅部分は、複数の連続的な周波数リソース（例えば、ＰＲＢ）を含み得る。一例を図３６に示す。複数のＢＷＰを使用する無線アクセス動作は、複数のセルが構成されるキャリアアグリゲーションとは異なる。複数のＢＷＰの動作では、単一のセルが複数のＢＷＰを含み得る。セルがアクティブ状態にあるとき、セルの１つ以上の帯域幅部分がアクティブであり得る。一例では、セルがアクティブ状態にあるとき、セルの１つ以上の構成済み帯域幅部分がアクティブであり得る。
【０３５２】
無線デバイスがＣＳＩレポートを伝送し得るＣＳＩ報告構成（例えば、ＣＳＩプロセス）の数の観点で、異なるハードウェアおよびソフトウェア（例えば、無線送受信機、ＤＳＰ、および／または無線増幅器）機能を有し得る。レガシーチャネル状態情報報告プロシージャでは、無線デバイスは、無線デバイスがＣＳＩレポートを伝送することができるＣＳＩ報告構成（例えば、ＣＳＩプロセスごとの）セルの最大数を示し得る。基地局は、無線デバイス機能に基づいて、セルの１つ以上のチャネル状態情報プロセスおよび／または報告構成を構成し得る。新無線のセルごとの帯域幅部分の構成では、セルごとのＣＳＩ報告構成（例えば、ＣＳＩプロセス）の最大数は、効率的なＣＳＩ構成に必要な情報を基地局に提供しない場合がある。例えば、新無線では、セルが大きい帯域幅を有し得る一方、セルの帯域幅部分がずっと小さい帯域幅を有し得る。例えば、セル当たりの帯域幅部分の最大数を示すことにより、基地局は、帯域幅部分に対して控えめな数のＣＳＩ報告構成（例えば、ＣＳＩプロセス）を構成し得る。例えば、いくつかのＢＷＰがアクティブ化されている場合、必要なＣＳＩ報告構成（例えば、ＣＳＩプロセス）の数は、アクティブなＢＷＰの数に依存し得る。基地局は、ＵＥ機能が、セルごとにサポートされるＣＳＩ報告構成（例えば、ＣＳＩプロセス）の数の観点で報告されると、無線デバイスに対して適切な数のＣＳＩ報告構成（例えば、ＣＳＩプロセス）を効率的に構成することができない場合がある。ＣＳＩ報告構成に関連する機能情報を示すために、レガシープロセスを拡張する必要がある。例示的な実施形態は、セルが複数の帯域幅部分を用いて構成されるときのＣＳＩ構成および報告プロシージャを拡張する。
【０３５３】
図３７に示す例示的な一実施形態では、無線デバイスは、基地局に１つ以上の機能メッセージを伝送し得る。基地局は、無線デバイスによって基地局に伝送された１つ以上の機能メッセージに基づいて、無線デバイスの１つ以上のパラメータを構成し得る。一例では、基地局は、機能照会メッセージを含む１つ以上のメッセージを伝送し得る。機能照会メッセージは、ＲＲＣメッセージであってもよい。無線デバイスは、機能照会メッセージに応答して１つ以上の機能メッセージを伝送し得る。１つ以上の機能メッセージは、ＲＲＣメッセージを介して伝送されてもよい。
【０３５４】
１つ以上の機能メッセージは、無線デバイスがセルの帯域幅部分ごとに第１の数のチャネル状態情報報告構成（例えば、ＣＳＩプロセス）をサポートすることを示す１つ以上のパラメータを含み得る。一例では、チャネル状態情報報告構成（例えば、ＣＳＩプロセス）の第１の数は、ＢＷＰごとのチャネル状態情報報告構成（例えば、ＣＳＩプロセス）の最大数であり得る。セルの帯域幅部分ごとのチャネル状態情報報告構成（ＣＳＩプロセスなど）の数を示すことは、セルごとのチャネル状態情報報告構成の数を報告することと比較して追加の利点を提供する。例示的な実施形態は、無線デバイスが、ＢＷＰごとのＣＳＩレポートの数に関連する無線デバイス機能を報告し、かつ基地局がＢＷＰごとに無線デバイスのＣＳＩレポートを効率的に構成できるようにするための拡張メカニズムを実装する。
【０３５５】
一例では、チャネル状態情報は、１つ以上のチャネル状態情報タイプを含み得る。一例では、チャネル状態情報は、周期的なチャネル状態情報を含み得る。一例では、チャネル状態情報は、非周期的なチャネル状態情報を含み得る。一例では、チャネル状態情報は、半永続的なチャネル状態情報を含み得る。
【０３５６】
一例では、基地局は、チャネル状態情報報告構成（例えば、ＣＳＩプロセス）の数を用いて無線デバイスを構成し得る。一例では、基地局は、ＢＷＰごとのチャネル状態情報報告構成の数を用いて無線デバイスを構成し得る。一例では、チャネル状態情報報告構成は、チャネル状態情報プロセスに対応し得る。例示的な実施形態の実装により、基地局は、ＢＷＰに対するＣＳＩレポートの数を決定してＢＷＰに対するＣＳＩレポートを効率的に構成できるようになる。
【０３５７】
本明細書では、チャネル状態情報プロセスとチャネル状態情報構成プロセスを交換可能に使用してもよい。一例では、ＩＥ  ＣＳＩ−ＲｅｐｏｒｔＣｏｎｆｉｇを基地局により使用して、ＣＳＩ−ＲｅｐｏｒｔＣｏｎｆｉｇが含まれるセル上のＰＵＣＣＨで送信される周期的または半永続的なレポートを構成し、またはＣＳＩ−ＲｅｐｏｒｔＣｏｎｆｉｇが含まれるセル上で受信されるＤＣＩによってトリガされたＰＵＳＣＨで送信される半永続的または非周期的なレポートを構成し得る。一例では、レポートが送信されるセルは、受信されたＤＣＩよって決定され得る。ＣＳＩ−ＲｅｐｏｒｔＣｏｎｆｉｇは、複数の情報要素を含み得る。
【０３５８】
一例では、キャリアは、示されたＣＳＩ−ＲｅｓｏｕｒｃｅＣｏｎｆｉｇがどのサービングセルで見つかるかを示し得る。フィールドが存在しない場合、リソースはこのレポート構成と同じサービングセル上にあり得る。例示的なｃｏｄｅｂｏｏｋＣｏｎｆｉｇでは、コードブックサブセット制限を含むタイプＩまたはタイプＩＩのコードブック構成を示し得る。一例では、ｃｑｉ−ＦｏｒｍａｔｉｏｎＩｎｄｉｃａｔｏｒは、ＵＥが単一（広帯域）または複数（サブバンド）のＣＱＩを報告するかどうかを示し得る。一例では、ｃｑｉ−Ｔａｂｌｅは、どのＣＱＩテーブルをＣＱＩ計算に使用するかを示し得る。一例では、ＣＳＩ−ＩＭ−ＲｅｓｏｕｒｃｅｓＦｏｒＩｎｔｅｒｆｅｒｅｎｃｅは、干渉測定用のＣＳＩ  ＩＭリソースを示し得る。ＣＳＩ−ＲｅｓｏｕｒｃｅＣｏｎｆｉｇのＣＳＩ−ＲｅｓｏｕｒｃｅＣｏｎｆｉｇＩｄは、フィールドキャリアで示されるサービングセルの構成に含まれ得る。ここに示されているＣＳＩ−ＲｅｓｏｕｒｃｅＣｏｎｆｉｇは、ＣＳＩ−ＩＭリソースのみを包含する。そのＣＳＩ−ＲｅｓｏｕｒｃｅＣｏｎｆｉｇのｂｗｐ−Ｉｄは、ｒｅｓｏｕｒｃｅｓＦｏｒＣｈａｎｎｅｌＭｅａｓｕｒｅｍｅｎｔで示されるＣＳＩ−ＲｅｓｏｕｒｃｅＣｏｎｆｉｇのｂｗｐ−Ｉｄと同じ値である。一例では、ｃｓｉ−ＲｅｐｏｒｔｉｎｇＢａｎｄは、ＣＳＩが報告され得る帯域幅部分のサブバンドの連続的または非連続的なサブセットを示し得る。ビット列の各ビットは、１つのサブバンドを表し得る。ビット列の右端のビットは、ＢＷＰの最低域のサブバンドを表し得る。選択により、サブバンドの数（３つのサブバンドの場合はｓｕｂｂａｎｄｓ３、４つのサブバンドの場合はｓｕｂｂａｎｄｓ４など）が決定され得る。このフィールドは、ＰＲＢが２４個未満（サブバンドなし）の場合は存在せず、そうでない場合は存在することが可能であり、サブバンドの数は３（２４個のＰＲＢ、サブバンドサイズ８）〜１８（７２個のＰＲＢ、サブバンドサイズ４）であり得る。一例では、ｇｒｏｕｐＢａｓｅｄＢｅａｍＲｅｐｏｒｔｉｎｇは、グループビームベースの報告をオン／オフすることを示し得る。一例では、非ＰＭＩ−ＰｏｒｔＩｎｄｉｃａｔｉｏｎはＲＩ／ＣＱＩ計算のポート表示を示し得る。チャネル測定用のリンクされたＲｅｓｏｕｒｃｅＣｏｎｆｉｇの各ＣＳＩ−ＲＳリソースについて、各ランクＲのポート表示は、使用するＲ個のポートを示し得る。このＩＥは、非ＰＭＩフィードバックにのみ適用可能であってもよい。一例では、ｎｒｏｆＣＱＩｓＰｅｒＲｅｐｏｒｔは、ＣＳＩレポートごとのＣＱＩの最大数を示し得る。一例では、ｎｒｏｆＲｅｐｏｒｔｅｄＲＳは、非グループベースのレポートでレポート設定ごとに報告される測定されたＲＳリソースの数（Ｎ）を示し得る。Ｎ≦Ｎ＿ｍａｘであり、ここでＮ＿ｍａｘは、ＵＥ機能に応じて２または４のいずれかである。一例では、ｐｕｃｃｈ−ＣＳＩ−ＲｅｓｏｕｒｃｅＬｉｓｔは、どのＰＵＣＣＨリソースをＰＵＣＣＨでの報告に使用するかを示し得る。一例では、ＣＳＩ−ＲｅｐｏｒｔＣｏｎｆｉｇＩｄを使用して１つのＣＳＩ−ＲｅｐｏｒｔＣｏｎｆｉｇを識別し得る。
【０３５９】
一例では、無線デバイスは、１つ以上の第２のメッセージを受信し得る。一例では、無線デバイスは、１つ以上の機能メッセージに応答して／基づいて、１つ以上の第２のメッセージを受信し得る。一例では、無線デバイスは、１つ以上の機能メッセージの伝送に応答して／基づいて、１つ以上の第２のメッセージの１つ以上の構成パラメータを受信し得る。
【０３６０】
一例では、１つ以上の第２のメッセージは、第１のセルの第１の複数の帯域幅部分の第１の構成パラメータを含み得る。一例では、無線デバイスは、第１のセルの構成パラメータを受信し得る。一例では、第１の複数の帯域幅部分は、第１の帯域幅部分を含み得る。一例では、帯域幅部分の構成パラメータは、無線リソース（例えば、ＰＲＢおよび／またはＰＲＢの数、周波数位置、帯域幅など）、ニューメロロジー（例えば、サブキャリア間隔、サイクリックプレフィックス）、帯域幅部分識別子、複数の帯域幅部分の信号およびチャネルの構成パラメータなどを示し得る。一例では、複数の帯域幅部分の構成パラメータは、初期アクティブな帯域幅部分として１つ以上の第１の帯域幅部分を示し得る。一例では、複数の帯域幅部分の構成パラメータは、デフォルトの帯域幅部分として１つ以上の第２の帯域幅部分を示し得る。
【０３６１】
一例では、１つ以上の第２のメッセージは、第２の構成を含み得る。一例では、第２の構成パラメータは、チャネル状態情報構成パラメータを含み得る。一例では、第２の構成パラメータは、複数のチャネル状態情報基準信号リソースを示し得る。複数のチャネル状態情報基準信号リソースを基地局によって使用してチャネル状態情報基準信号を伝送することができ、チャネル状態情報基準信号を無線デバイスによって使用してチャネル状態情報を測定する。
【０３６２】
一例では、１つ以上の第２のメッセージは、第３の構成パラメータを含み得る。第３の構成パラメータは、第１の帯域幅部分に対する第２の数のチャネル状態情報報告構成（例えば、ＣＳＩプロセス）のためのものであり得る。一例では、第２の数は、第１の数以下であり得る。
【０３６３】
一例では、基地局は、第１のセルの第１の帯域幅部分をアクティブ化するコマンドを伝送し得る。一例では、コマンドは制御要素（例えば、ＭＡＣ制御要素）であってもよい。一例では、コマンドは、第１のセルのアクティブ化を示す制御要素であってもよく、第１の帯域幅部分は、第１のセルの初期のアクティブな帯域幅部分であってもよい。一例では、コマンドは、ダウンリンク制御情報であってもよい。一例では、ダウンリンク制御情報は、第２の帯域幅部分から第１の帯域幅部分への切り替えを示してもよい。一例では、ダウンリンク制御情報は、第２の帯域幅から第１の帯域幅部分への切り替えを示してもよく、第１の帯域幅部分は、ダウンリンク制御情報を受信することに応じてアクティブ化され、第２の帯域幅部分は、ダウンリンク制御情報の受信に応答して非アクティブ化される。
【０３６４】
一例では、基地局は、複数のチャネル状態情報基準信号リソースを介して、チャネル状態情報基準信号を伝送し得る。一例では、無線デバイスは、測定に基づいて、第２の数のチャネル状態情報報告構成（ＣＳＩプロセス）に対するチャネル状態情報レポートを伝送し得る。一例では、１つ以上の第２のメッセージは、アップリンク制御チャネルのアップリンクリソースを示し得る。無線デバイスは、アップリンク制御チャネルのアップリンクリソースを介して、チャネル状態情報レポートを伝送し得る。一例では、アップリンク制御チャネルは、プライマリセル（例えば、ＰＣｅｌｌまたはＰＳＣｅｌｌ）上に構成され得る。一例では、アップリンク制御チャネルは、セカンダリセル（例えば、アップリンク制御チャネルを有するセカンダリセル、ＰＵＣＣＨ  ＳＣｅｌｌ）上に構成され得る。
【０３６５】
例示的な一実施形態では、無線デバイスは、例えば機能メッセージで、セルのＢＷＰでサポートされるＣＳＩプロセスの最大数を示し得る。一例では、無線デバイスは、複数のＢＷＰ中のＢＷＰでのＣＳＩプロセスの最大数を示し得る。一例では、複数のＢＷＰは、リストとして示され得る。一例では、複数のＢＷＰは、第１のセルからなり得る。一例では、複数のＢＷＰは、複数のセルからなり得る。基地局は、例えば機能メッセージでの、表示を受信することに応答して、例えば１つ以上のセルおよび／または１つ以上のＢＷＰで、無線デバイスのＣＳＩプロセスを構成し得る。セルおよび／またはＢＷＰ上の構成されるＣＳＩプロセスの数は、無線デバイスによって示されるＣＳＩプロセスの最大数より少ない可能性がある。無線デバイスは、ＣＳＩ−ＲＳリソースを用いて構成され得る。無線デバイスは、ＣＳＩプロセスの構成数について、構成済みＣＳＩ−ＲＳリソースに基づいて、ＣＳＩを測定し得る。無線デバイスは、ＣＳＩプロセスの構成数についてＣＳＩを伝送し得る。
【０３６６】
例示的な一実施形態では、無線デバイスは、例えば機能メッセージで、無線がＰＵＣＣＨおよびＰＵＳＣＨを同時に伝送しない場合があることを示し得る。一例では、無線デバイスは、無線デバイスが、複数のセルのうちの１つ以上の第１のセル上でＰＵＣＣＨおよびＰＵＳＣＨを同時に伝送しない場合がある、および／または伝送することができないことを示し得る。一例では、１つ以上の第１のセルは、リストとして示され得る。一例では、無線デバイスは、無線デバイスが、複数のＢＷＰのうちの１つ以上のＢＷＰでＰＵＣＣＨおよびＰＵＳＣＨを同時に伝送しない場合がある、および／または伝送することができないことを示し得る。一例では、１つ以上のＢＷＰは、リストとして示され得る。基地局は、機能情報メッセージ、および／またはＰＵＣＣＨおよびＰＵＳＣＨの同時伝送に関する情報を無線デバイスから受信することに応答して、無線デバイスがＰＵＣＣＨおよびＰＵＳＣＨを同時に伝送し得ることを示す１つ以上のパラメータで無線デバイスを構成し得る。一例では、基地局は、無線デバイスが複数のセルのうちの１つ以上の第１のセルでＰＵＣＣＨおよびＰＵＳＣＨを同時に伝送し得ることを示す１つ以上のパラメータを用いて無線デバイスを構成し得る。一例では、基地局は、無線デバイスが複数のセルの１つ以上の第１のセルの複数のＢＷＰ中の１つ以上のＢＷＰでＰＵＣＣＨおよびＰＵＳＣＨを同時に伝送し得ることを示す１つ以上のパラメータを用いて無線デバイスを構成し得る。一例では、無線デバイスは、第１のセル（例えば、ＰＵＣＣＨを有するＰＣｅｌｌおよび／またはＳＣｅｌｌ）上でＰＵＣＣＨを伝送し、ＢＷＰまたはセル上のＰＵＳＣＨがＰＵＣＣＨと同時に伝送され得ることを基地局が示す場合、ＢＷＰまたはセル上でＰＵＳＣＨを同時に伝送し得る。
【０３６７】
無線デバイスによるチャネル状態情報（ＣＳＩ）報告は、基地局が、スケジューリング、リンクアダプテーション、ビームフォーミング、および空間多重化のプロシージャを行うのを支援する。ＣＳＩ報告は、基地局によって動的に要求されてもよく（例えば、非周期的ＣＳＩ）、または周期的に報告されるように（例えば、周期的ＣＳＩ）、または物理層およびＭＡＣ層アクティブ化に基づいて（例えば、半永続的ＣＳＩ）構成されてもよい。
【０３６８】
非周期的なＣＳＩレポートは、詳細なＣＳＩ情報を含み、物理アップリンク共有チャネルを介して動的に、およびＣＳＩレポートを個別に要求する物理層シグナリングに応答して伝送され得る。周期的なＣＳＩレポートは、周期的に伝送され得る。半永続的なＣＳＩ（ＳＰ−ＣＳＩ）は、ＣＳＩレポートが動的に（例えば、物理層およびＭＡＣ層のシグナリングを介して）アクティブ化または非アクティブ化され、アクティブ化されると周期的に伝送される、新無線の新たなＣＳＩ報告プロセスである。このタイプのＣＳＩ報告は、より複雑なハードウェアおよびソフトウェア要件を必要とし、すべての無線デバイスが（例えば、無線送受信機、ＤＳＰ、および／または無線増幅器で）それをサポートでき得るわけではない。既存の技術では、無線デバイスは、セルごとにサポートされるＣＳＩプロセスの数、ＭＩＭＯ関連ＣＳＩパラメータのサポート、ＣＳＩ測定に関連する機能情報、非周期的なＣＳＩ報告に関連する機能情報などの、複数のＣＳＩ機能パラメータを基地局に提供し得る。ＣＳＩに関連する既存の機能メッセージおよび機能フィールドの実装は、半永続的なＣＳＩ機能に関する必要な情報を基地局に提供しない。基地局は、アップリンクチャネルを介してＳＰ−ＣＳＩレポートを伝送することができない無線デバイスのＳＰ−ＣＳＩを構成し得る。ＳＰ−ＣＳＩレポートを伝送できず、アップリンクチャネルを介してＳＰ−ＣＳＩレポートを伝送するように基地局によって構成／アクティブ化された無線デバイスは、構成済みＳＰ−ＣＳＩリソースを介してＳＰ−ＣＳＩレポートを伝送しない場合がある。基地局は、ＣＳＩレポートがデコードされておらず、ＳＰ−ＣＳＩリソースに対して構成されたリソースが無駄になる可能性があると想定する場合がある。このことは、非効率的な無線デバイスおよびネットワーク動作につながる。ＳＰ−ＣＳＩシグナリングおよび構成プロシージャを拡張する必要がある。例示的な実施形態は、無線デバイスおよび基地局でのＳＰ−ＣＳＩシグナリング、構成、および報告プロセスを拡張する。
【０３６９】
図３８に示す例示的な一実施形態では、無線デバイスは、基地局に１つ以上の機能メッセージを伝送し得る。基地局は、無線デバイスによって基地局に伝送された１つ以上の機能メッセージに基づいて、無線デバイスの１つ以上のパラメータを構成し得る。一例では、基地局は、機能照会メッセージを含む１つ以上のメッセージを伝送し得る。機能照会メッセージは、ＲＲＣメッセージであってもよい。無線デバイスは、機能照会メッセージに応答して１つ以上の機能メッセージを伝送し得る。１つ以上の機能メッセージは、ＲＲＣメッセージを介して伝送されてもよい。１つ以上の機能メッセージは、無線デバイスがアップリンクチャネルを介した半永続的なチャネル状態情報の報告をサポートすることを示し得る。一例では、アップリンクチャネルは、物理アップリンク制御チャネルであり得る。一例では、アップリンクチャネルは、物理アップリンク共有チャネルであり得る。例えば、１つ以上の機能メッセージは、無線デバイスがＰＵＳＣＨを介した半永続的なチャネル状態情報の報告をサポートすることを示し得る。例えば、１つ以上の機能メッセージは、無線デバイスがＰＵＣＣＨを介した半永続的なチャネル状態情報の報告をサポートすることを示し得る。１つ以上のＳＰ  ＣＳＩ機能を示す１つ以上の機能パラメータを基地局に伝送することは、無線デバイスのＳＰ  ＣＳＩを効率的に構成するための必要な情報を基地局に提供する。
【０３７０】
一例では、ＵＥは、半永続的なＣＳＩトリガ状態をアクティブ化するＤＣＩフォーマット０＿１を正常にデコードすると、ＰＵＳＣＨに関する半永続的なＣＳＩ報告を実行し得る。一例では、ＤＣＩフォーマット０＿１は、アクティブ化または非アクティブ化する半永続的なＣＳＩトリガ状態を示すＣＳＩ要求フィールドを包含し得る。一例では、ＰＵＳＣＨに関する半永続的なＣＳＩ報告は、広帯域およびサブバンドの周波数粒度でタイプＩおよびタイプＩＩのＣＳＩをサポートする。一例では、ＰＵＳＣＨリソースおよびＭＣＳは、アップリンクＤＣＩによって半永続的に割り振られ得る。
【０３７１】
一例では、ＵＥは、選択コマンドを搬送するＰＤＳＣＨに対応するＨＡＲＱ−ＡＣＫがスロットｎで伝送された後に、スロット
【数３】
0006910621.tif 000007
から開始して適用されるＰＵＣＣＨに関する半永続的なＣＳＩ報告を実行し得る。選択コマンドは、関連付けられたＣＳＩリソース設定が構成された１つ以上の報告設定を包含し得る。一例では、ＰＵＣＣＨに関する半永続的なＣＳＩ報告がタイプＩのＣＳＩをサポートし得る。一例では、ＰＵＣＣＨフォーマット２に関する半永続的なＣＳＩ報告は、広帯域周波数粒度でタイプＩのＣＳＩをサポートし得る。一例では、ＰＵＣＣＨフォーマット３または４に関する半永続的なＣＳＩレポートは、広帯域およびサブバンド周波数粒度でのＴｙｐｅＩのＣＳＩと、ＴｙｐｅＩＩのＣＳＩパート１と、をサポートし得る。
【０３７２】
一例では、無線デバイスは、半永続的なチャネル状態情報構成パラメータを含む１つ以上の第２のメッセージを受信し得る。一例では、半永続的チャネル状態情報の報告をサポートする無線に応答して／基づいて、１つ以上の第２のメッセージが受信され得る。半永続的なチャネル状態情報はであってもよい
【０３７３】
一例では、無線デバイスは、アップリンクチャネルを介して半永続的なチャネル状態情報レポートのアクティブ化を示すアクティブ化コマンドを受信し得る。一例では、アクティブ化コマンドは、ダウンリンク制御チャネルであってもよい。ダウンリンク制御情報は、アップリンクチャネルを介した半永続的なチャネル状態情報報告のアクティブ化を示す、１つ以上の値を有する１つ以上のフィールドを含み得る。一例では、１つ以上のフィールドは、ＣＳＩ要求フィールドを含んでもよい。一例では、無線デバイスは、ダウンリンク制御情報を半永続的なＣＳＩレポートのアクティブ化コマンドとして検証し得る。一例では、無線デバイスは、１つ以上のフィールドの値に基づいて、および／または１つ以上のフィールドの値を１つ以上の事前定義された値と比較して、ダウンリンク制御情報を検証してもよい。一例では、無線デバイスは、ダウンリンク制御情報に対応する無線ネットワーク一時識別子に基づいて、ダウンリンク制御情報を検証してもよい。一例では、ダウンリンク制御情報は、半永続的なチャネル状態情報レポートの伝送のためのリソースを示してもよい。
【０３７４】
一例では、ＤＣＩフォーマットのＣＲＣパリティビットが上位層パラメータｓｐ−ｃｓｉ−ＲＮＴＩによって提供されるＳＰ−ＣＳＩ−ＲＮＴＩでスクランブルされ、かつ事前定義された値に従ってＤＣＩフォーマットの専用フィールドが設定される、という条件が満たされる場合に、ＵＥは、半永続的なＣＳＩのアクティブ化または解放のために、ＤＣＩ上のＤＬ半永続的割り当てＰＤＣＣＨを検証し得る。例えば、半永続的なＣＳＩのアクティブ化について、ＤＣＩフォーマット０＿１のＨＡＲＱプロセス番号フィールドをすべて「０」に設定することができ、ＤＣＩフォーマット０＿１の冗長バージョンフィールドを「００」に設定することができる。例えば、半永続的なＣＳＩの非アクティブ化について、ＤＣＩフォーマット０＿１のＨＡＲＱプロセス番号フィールドをすべて「０」に設定することができ、ＤＣＩフォーマット０＿１の変調およびコーディング方式フィールドをすべて「１」に設定することができ、ＤＣＩフォーマット０＿１の冗長バージョンフィールドを「００」に設定することができ、リソース割り当てタイプのＲＲＣ構成に基づいてリソースブロック割り当てフィールドを設定する。
【０３７５】
一例では、検証が達成された場合、ＵＥは、ＤＣＩフォーマットの情報を、ＰＵＳＣＨでの半永続的なＣＳＩの伝送の有効なアクティブ化または有効な解放と見なし得る。検証が達成されない場合、ＵＥは、ＤＣＩフォーマットを不一致ＣＲＣを伴って検出されたと見なし得る。
【０３７６】
一例では、アクティブ化コマンドは、制御要素（例えば、ＭＡＣ制御要素）であってもよい。制御要素は、アップリンクチャネルを介した半永続的なチャネル状態情報報告のアクティブ化を示す、１つ以上の値を有する１つ以上のフィールドを含み得る。
【０３７７】
一例では、ネットワークは、ＰＵＣＣＨアクティブ化／非アクティブ化ＭＡＣ  ＣＥに関するＳＰ  ＣＳＩ報告を送信することにより、サービングセルのＰＵＣＣＨに関する構成済みの半永続的なＣＳＩ報告をアクティブ化および非アクティブ化し得る。一例では、ＰＵＣＣＨに関する構成済みの半永続的ＣＳＩ報告は、構成時およびハンドオーバー後に初期非アクティブ化され得る。
【０３７８】
一例では、ＭＡＣエンティティがサービングセルに対するＰＵＣＣＨアクティブ化／非アクティブ化ＭＡＣ  ＣＥに関するＳＰ  ＣＳＩレポートを受信した場合、ＭＡＣエンティティは、ＰＵＣＣＨアクティブ化／非アクティブ化ＭＡＣ  ＣＥに関する半永続的なＣＳＩレポートに関する情報を下位層に示し得る。
【０３７９】
一例では、無線デバイスは、アクティブ化に応答して、半永続的なチャネル状態情報構成パラメータに基づいて、アップリンクチャネルを介して半永続的なチャネル状態情報レポートを伝送してもよい。一例では、無線デバイスは、アクティブ化コマンドがダウンリンク制御情報であることに応答して、物理アップリンク共有チャネルを介して半永続的チャネル状態情報を伝送してもよい。一例では、無線デバイスは、アクティブ化コマンドが制御要素であることに応答して、物理アップリンク制御チャネルを介して半永続的なチャネル状態情報を伝送してもよい。
【０３８０】
一例では、無線デバイスは、例えば機能メッセージで、無線デバイスが半永続的なＣＳＩ報告（例えば、ＳＰ−ＣＳＩ）に対応できるかどうかを示してもよい。一例では、無線デバイスは、例えば機能メッセージで、無線が複数のセルのうちの１つ以上の第１のセルで半永続的なＣＳＩ報告に対応できるか否かを示してもよい。一例では、１つ以上の第１のセルは、リストとして示され得る。一例では、無線デバイスは、例えば機能メッセージで、無線デバイスが複数のＢＷＰの中の１つ以上の第１のＢＷＰで半永続的なＣＳＩ報告に対応できるかどうかを示してもよい。一例では、１つ以上の第１のＢＷＰはリストとして示され得る。基地局は、機能情報を受信することに応答して、セルおよび／またはセルのＢＷＰに関する、ＳＰ−ＣＳＩ伝送のアクティブ化を示すＤＣＩを伝送し得る。ＤＣＩは、ＳＰ−ＣＳＩ伝送パラメータ（例えば、リソースなど）を含み得る。基地局は、無線デバイスによるＣＳＩ測定のためのＣＳＩ−ＲＳ信号を伝送し得る。無線デバイスは、受信されたＣＳＩ−ＲＳ信号に基づいてＣＳＩを測定することができ、ＤＣＩによって示されたＳＰ−ＣＳＩ情報に基づいてＳＰ−ＣＳＩを報告することができる。
【０３８１】
例示的な一実施形態では、基地局は、コアネットワークに第１のメッセージ（例えば、ＵＥ無線ページング情報メッセージ）を伝送し得る。一例では、メッセージは、周波数帯域および／またはＢＷＰに関連する情報を含み得る。一例では、周波数帯域および／またはＢＷＰに関連する情報は、無線デバイスによって基地局に伝送された無線デバイス機能情報メッセージから導出され得る。一例では、第１のメッセージ（例えば、ＵＥ無線ページング情報メッセージ）は、ページングに使用されるＵＥ機能情報を示す第１のＩＥを含み得る。一例では、基地局は、第１のＩＥを生成することができ、無線デバイスによってサポートされないときには、ＩＥは存在しなくてもよい。
【０３８２】
様々な実施形態によれば、例えば、無線デバイス、オフネットワーク無線デバイス、基地局、コアネットワーク、および／または同様のものなどのデバイスは、１つ以上のプロセッサと、メモリと、を備えることができる。メモリは、１つ以上のプロセッサによって実行されると、デバイスに一連の動作を実行させる命令を格納し得る。例示的な動作の実施形態は、添付の図面および明細書に例解されている。様々な実施形態からの特徴を組み合わせてさらに別の実施形態を作り出すことができる。
【０３８３】
図４０は、本開示の一実施形態の一態様の流れ図である。４０１０において、無線デバイスは、無線デバイスがセルの帯域幅部分ごとの第１の数のチャネル状態情報プロセスをサポートすることを示す１つ以上の機能メッセージを基地局に伝送し得る。４０２０において、１つ以上の第２のメッセージが受信され得る。１つ以上の第２のメッセージは、第１のセルの第１の複数の帯域幅部分の第１の構成パラメータを含むことができ、第１の複数の帯域幅部分は第１の帯域幅部分を含む。１つ以上の第２のメッセージは、複数のチャネル状態情報基準信号リソースを示す第２の構成パラメータを含み得る。１つ以上の第２のメッセージは、第１の帯域幅部分に対する第２の数のチャネル状態情報プロセスの第３の構成パラメータを含み得る。第２の数は、第１の数以下であり得る。４０３０において、複数のチャネル状態情報基準信号リソースを介して受信された第１の基準信号が測定され得る。４０４０において、測定に基づいて、第２の数のチャネル状態情報プロセスに対するチャネル状態情報が伝送され得る。
【０３８４】
例示的な一実施形態によれば、チャネル状態情報プロセスの第１の数は、チャネル状態情報プロセスの最大数であり得る。例示的な一実施形態によれば、機能照会メッセージが受信され得る。機能照会メッセージの受信に応答して、１つ以上の機能メッセージが伝送され得る。例示的な一実施形態によれば、チャネル状態情報は、周期的なチャネル状態情報であってもよい。例示的な一実施形態によれば、チャネル状態情報は、非周期的なチャネル状態情報を含んでもよい。例示的な一実施形態によれば、チャネル状態情報は、半永続的なチャネル状態情報を含んでもよい。例示的な一実施形態によれば、１つ以上の第２のメッセージは、アップリンク制御チャネルのアップリンクリソースを示してもよい。例示的な一実施形態によれば、チャネル状態情報は、アップリンク制御チャネルを介して伝送されてもよい。例示的な一実施形態によれば、アップリンクリソースは、プライマリセル上で構成されてもよい。例示的な一実施形態によれば、アップリンクリソースは、セカンダリセル上で構成されてもよい。例示的な一実施形態によれば、ダウンリンク制御情報が受信されてもよい。ダウンリンク制御情報は、第１の帯域幅部分のアクティブ化を示してもよい。
【０３８５】
図４１は、本開示の一実施形態の一態様の流れ図である。４１１０において、無線デバイスは、無線デバイスがセルの帯域幅部分ごとの第１の数のチャネル状態情報（ＣＳＩ）プロセスをサポートすることを示す１つ以上の機能メッセージを伝送し得る。４１２０において、無線デバイスが帯域幅部分ごとの第１の数のＣＳＩプロセスをサポートすることに基づいて、ＣＳＩ構成パラメータが受信され得る。ＣＳＩ構成パラメータは、第１の帯域幅部分に対する第２の数のＣＳＩプロセスを示し得る。第２の数は、第１の数以下であり得る。４１３０において、第２の数のＣＳＩプロセスに対するＣＳＩレポートが伝送され得る。
【０３８６】
例示的な一実施形態によれば、第１の帯域幅部分の構成パラメータが受信され得る。例示的な一実施形態によれば、ＣＳＩ構成パラメータは、複数のＣＳＩ基準信号リソースを示し得る。例示的な一実施形態によれば、複数のＣＳＩ基準信号リソースを介して受信された第１の基準信号が測定され得る。例示的な一実施形態によれば、第２の数のＣＳＩプロセスに対するＣＳＩの伝送は、構成パラメータおよび測定に基づき得る。
【０３８７】
図４２は、本開示の一実施形態の一態様の流れ図である。４２１０で、基地局は、無線デバイスから、無線デバイスがセルの帯域幅部分ごとの第１の数のチャネル状態情報（ＣＳＩ）プロセスをサポートすることを示す１つ以上の機能メッセージを受信し得る。４２２０において、無線デバイスが帯域幅部分ごとの第１の数のＣＳＩプロセスをサポートすることに基づいて、ＣＳＩ構成パラメータが伝送され得る。ＣＳＩ構成パラメータは、第１の帯域幅部分に対する第２の数のＣＳＩプロセスを示し得る。第２の数は、第１の数以下であり得る。４２３０において、第２の数のＣＳＩプロセスに対するＣＳＩレポートが受信され得る。
【０３８８】
例示的な一実施形態によれば、第１の帯域幅部分の構成パラメータが伝送され得る。例示的な一実施形態によれば、ＣＳＩプロセスの第１の数は、ＣＳＩプロセスの最大数であり得る。例示的な一実施形態によれば、機能照会メッセージが伝送され得る。機能照会メッセージの伝送に応答して、１つ以上の機能メッセージが受信され得る。例示的な一実施形態によれば、ＣＳＩは、周期的なＣＳＩであってもよい。例示的な一実施形態によれば、ＣＳＩは、非周期的なＣＳＩであってもよい。例示的な一実施形態によれば、ＣＳＩは、半永続的なＣＳＩであってもよい。例示的な一実施形態によれば、ＣＳＩ構成パラメータは、アップリンク制御チャネルのアップリンクリソースを示してもよい。例示的な一実施形態によれば、ＣＳＩレポートは、アップリンク制御チャネルを介して受信されてもよい。例示的な一実施形態によれば、アップリンクリソースは、プライマリセル上で構成されてもよい。例示的な一実施形態によれば、アップリンクリソースは、セカンダリセル上で構成されてもよい。例示的な一実施形態によれば、第１の帯域幅部分のアクティブ化を示すダウンリンク制御情報が伝送されてもよい。
【０３８９】
図４３は、本開示の一実施形態の一態様の流れ図である。
【０３９０】
４３１０において、無線デバイスは、１つ以上の機能メッセージを基地局に伝送し得る。１つ以上の機能メッセージは、無線デバイスがアップリンクチャネルを介した半永続的なチャネル状態情報の報告をサポートすることを示し得る。４３２０において、無線デバイスが半永続的なチャネル状態情報の報告をサポートすることに基づいて、１つ以上の第２のメッセージが受信され得る。１つ以上の第２のメッセージは、半永続的なチャネル状態情報構成パラメータを含んでもよい。４３３０において、アクティブ化コマンドが受信され得る。アクティブ化コマンドは、アップリンクチャネルを介した半永続的なチャネル状態情報レポートのアクティブ化を示し得る。４３４０において、アクティブ化に応答して、半永続的なチャネル状態情報構成パラメータに基づいて、アップリンクチャネルを介して、半永続的なチャネル状態情報レポートが伝送され得る。
【０３９１】
例示的な一実施形態によれば、アクティブ化コマンドは、ダウンリンク制御情報であってもよい。例示的な一実施形態によれば、アクティブ化コマンドは、半永続的なチャネル状態情報レポートの伝送のための１つ以上の伝送パラメータを示してもよい。例示的な一実施形態によれば、複数の半永続的なチャネル状態情報レポートのアクティブ化は、アクティブ化コマンドの要求フィールドに基づいてもよい。例示的な一実施形態によれば、アップリンクチャネルは、物理アップリンク共有チャネルであってもよい。例示的な一実施形態によれば、アップリンクチャネルは、物理アップリンク制御チャネルであってもよい。例示的な一実施形態によれば、アクティブ化コマンドは、半永続的なチャネル状態情報レポートの伝送のためのリソースを示してもよい。例示的な一実施形態によれば、半永続的なチャネル状態情報レポートは、スケジューリング決定を行うために基地局によって使用されてもよい。例示的な一実施形態によれば、半永続的なチャネル状態情報構成パラメータは、複数のチャネル状態情報基準信号リソースを示してもよい。例示的な一実施形態によれば、複数のチャネル状態情報基準信号リソースを介して受信された第１の基準信号が測定されてもよい。例示的な一実施形態によれば、半永続的なチャネル状態情報レポートの伝送は、測定にさらに基づいてもよい。例示的な一実施形態によれば、無線デバイスは、基地局から機能照会メッセージを受信してもよい。機能照会メッセージの受信に応答して、１つ以上の機能メッセージが伝送され得る。
【０３９２】
図４４は、本開示の一実施形態の一態様の流れ図である。４４１０において、基地局は、無線デバイスから１つ以上の機能メッセージを受信し得る。１つ以上の機能メッセージは、無線デバイスがアップリンクチャネルを介した半永続的なチャネル状態情報の報告をサポートすることを示し得る。４４２０において、無線デバイスが半永続的なチャネル状態情報の報告をサポートすることに基づいて、１つ以上の第２のメッセージが伝送され得る。１つ以上の第２のメッセージは、半永続的なチャネル状態情報構成パラメータを含んでもよい。４４３０において、アクティブ化コマンドが伝送され得る。アクティブ化コマンドは、アップリンクチャネルを介した半永続的なチャネル状態情報レポートのアクティブ化を示し得る。４４４０において、アクティブ化に応答して、半永続的チャネル状態情報構成パラメータに基づいて、アップリンクチャネルを介して、半永続的チャネル状態情報レポートが受信され得る。
【０３９３】
例示的な一実施形態によれば、アクティブ化コマンドは、ダウンリンク制御情報であってもよい。例示的な一実施形態によれば、アクティブ化コマンドは、半永続的なチャネル状態情報レポートの伝送のための１つ以上の伝送パラメータを示してもよい。例示的な一実施形態によれば、複数の半永続的なチャネル状態情報レポートのアクティブ化は、アクティブ化コマンドの要求フィールドに基づいてもよい。例示的な一実施形態によれば、アップリンクチャネルは、物理アップリンク共有チャネルであってもよい。例示的な一実施形態によれば、アップリンクチャネルは、物理アップリンク制御チャネルであってもよい。例示的な一実施形態によれば、アクティブ化コマンドは、半永続的なチャネル状態情報レポートの伝送のためのリソースを示してもよい。例示的な一実施形態によれば、半永続的なチャネル状態情報レポートは、スケジューリング決定を行うために基地局によって使用されてもよい。例示的な一実施形態によれば、半永続的なチャネル状態情報構成パラメータは、複数のチャネル状態情報基準信号リソースを示してもよい。例示的な一実施形態によれば、基地局は、機能照会メッセージを無線デバイスに伝送してもよい。機能照会メッセージの伝送に応答して、１つ以上の機能メッセージが受信され得る。
【０３９４】
図４５は、本開示の一実施形態の一態様の流れ図である。４５１０において、無線デバイスは１つ以上の機能メッセージを伝送し得る。１つ以上の機能メッセージは、無線デバイスがアップリンクチャネル（ＣＳＩ）を介した半永続的なチャネル状態情報の報告をサポートすることを示し得る。４５２０において、無線デバイスが半永続的なＣＳＩの報告をサポートすることに基づいて、半永続的なＣＳＩ構成パラメータが受信され得る。４５３０において、アップリンクチャネルを介して、半永続的なＣＳＩレポートのアクティブ化を示すアクティブ化コマンドに応答して、半永続的なＣＳＩレポートが伝送され得る。
【０３９５】
図４６は、本開示の一実施形態の一態様の流れ図である。４６１０において、基地局は、１つ以上の機能メッセージを受信し得る。１つ以上の機能メッセージは、無線デバイスがアップリンクチャネル（ＣＳＩ）を介した半永続的なチャネル状態情報の報告をサポートすることを示し得る。４６２０において、無線デバイスが半永続的ＣＳＩの報告をサポートすることに基づいて、半永続的ＣＳＩ構成パラメータが伝送され得る。４６３０において、アップリンクチャネルを介して、半永続的なＣＳＩレポートのアクティブ化を示すアクティブ化コマンドに応答して、半永続的なＣＳＩレポートが受信され得る。
【０３９６】
図４７は、本開示の一実施形態の一態様の流れ図である。４７１０において、無線デバイスは１つ以上の機能メッセージを伝送し得る。１つ以上の機能メッセージは、無線デバイスがセル上の複数のアクティブな帯域幅部分をサポートすることを示し得る。４７２０において、１つ以上の第２のメッセージが受信され得る。１つ以上の第２のメッセージは、セルの複数の帯域幅部分の構成パラメータを含み得る。４７３０において、無線デバイスが複数のアクティブな帯域幅部分をサポートすることに基づいて、第１の複数の帯域幅部分がアクティブ化され得る。４７４０において、第１の複数の帯域幅部分を介して複数のトランスポートブロックが伝送され得る。
【０３９７】
例示的な一実施形態によれば、１つ以上の機能メッセージは、セルのアクティブな帯域幅部分の第１の数をさらに示し得る。例示的な一実施形態によれば、第１の複数の帯域幅部分の第２の数は、第１の数以下であり得る。例示的な一実施形態によれば、第２の複数の帯域幅部分のアクティブ化を示す１つ以上のダウンリンク制御情報が受信され得る。第２の複数の帯域幅部分の第３の数は、第１の数より小さいことが可能である。例示的な一実施形態によれば、複数のトランスポートブロックの伝送を示す１つ以上のダウンリンク制御情報は、第１の複数の帯域幅部分を介して受信され得る。例示的な一実施形態によれば、複数のトランスポートブロックの伝送は、１つ以上のダウンリンク制御情報によって示される伝送パラメータに基づいてもよい。例示的な一実施形態によれば、１つ以上の機能メッセージは、無線デバイスが周波数領域で連続的である、セル上の複数のアクティブな帯域幅部分をサポートすることをさらに示し得る。例示的な一実施形態によれば、第１の複数の帯域幅部分は、周波数領域で連続的であってもよい。例示的な一実施形態によれば、１つ以上の機能メッセージは、無線デバイスが周波数領域において非連続的である、セル上の複数のアクティブな帯域幅部分をサポートすることをさらに示し得る。例示的な一実施形態によれば、第１の複数の帯域幅部分は、周波数領域において連続的または非連続的であってもよい。例示的な一実施形態によれば、アクティブ化は、制御要素の受信に応答してもよい。例示的な一実施形態によれば、アクティブ化は、ダウンリンク制御情報の受信に応答してもよい。例示的な一実施形態によれば、アクティブ化は、無線リソース構成メッセージの受信に応答してもよい。
【０３９８】
図４８は、本開示の一実施形態の一態様の流れ図である。４８１０において、基地局は、無線デバイスから１つ以上の機能メッセージを受信し得る。１つ以上の機能メッセージは、無線デバイスがセル上の複数のアクティブな帯域幅部分をサポートすることを示し得る。４８２０において、１つ以上の第２のメッセージが伝送され得る。１つ以上の第２のメッセージは、セルの複数の帯域幅部分の構成パラメータを含み得る。４８３０において、第１の複数の帯域幅部分を介して複数のトランスポートブロックが受信され得る。第１の複数の帯域幅部分は、無線デバイスが複数のアクティブな帯域幅部分をサポートすることに基づいてアクティブ化され得る。
【０３９９】
例示的な一実施形態によれば、１つ以上の機能メッセージは、セルのアクティブな帯域幅部分の第１の数をさらに示し得る。例示的な一実施形態によれば、第１の複数の帯域幅部分の第２の数は、第１の数以下であり得る。例示的な一実施形態によれば、第２の複数の帯域幅部分のアクティブ化を示す１つ以上のダウンリンク制御情報が伝送され得る。第２の複数の帯域幅部分の第３の数は、第１の数より小さいことが可能である。例示的な一実施形態によれば、第１の複数の帯域幅部分を介して、複数のトランスポートブロックの伝送を示す１つ以上のダウンリンク制御情報が伝送され得る。例示的な一実施形態によれば、複数のトランスポートブロックの受信は、１つ以上のダウンリンク制御情報によって示される伝送パラメータに基づいてもよい。例示的な一実施形態によれば、１つ以上の機能メッセージは、無線デバイスが周波数領域で連続的である、セル上の複数のアクティブな帯域幅部分をサポートすることをさらに示し得る。例示的な一実施形態によれば、第１の複数の帯域幅部分は、周波数領域で連続的であってもよい。例示的な一実施形態によれば、１つ以上の機能メッセージは、無線デバイスが周波数領域において非連続的である、セル上の複数のアクティブな帯域幅部分をサポートすることをさらに示し得る。例示的な一実施形態によれば、第１の複数の帯域幅部分は、周波数領域において連続的または非連続的であってもよい。例示的な一実施形態によれば、アクティブ化は、制御要素の受信に応答してもよい。例示的な一実施形態によれば、アクティブ化は、ダウンリンク制御情報の受信に応答してもよい。例示的な一実施形態によれば、アクティブ化は、無線リソース構成メッセージの受信に応答してもよい。
【０４００】
図４９は、本開示の一実施形態の一態様の流れ図である。４９１０において、無線デバイスは、１つ以上のメッセージを受信することができる。１つ以上のメッセージは、セル上の第１のアップリンク帯域幅部分の帯域幅部分構成パラメータを含んでもよい。１つ以上のメッセージは、セル上の第１のアップリンク帯域幅部分のランダムアクセスチャネルリソースのランダムアクセスチャネルパラメータを含んでもよい。４９２０において、第１のアップリンク帯域幅部分でランダムアクセスチャネルリソースを介してプリアンブルが伝送され得る。４９３０において、ランダムアクセス無線ネットワーク一時識別子（ＲＡ−ＲＮＴＩ）は、第１のアップリンク帯域幅部分の帯域幅部分構成パラメータと、ランダムアクセスチャネルパラメータのうちの１つ以上と、に基づいて決定され得る。４９４０において、決定に応答して、ＲＡ−ＲＮＴＩに対応するダウンリンク制御情報に対するダウンリンク制御チャネルが監視され得る。４９５０において、ダウンリンク制御情報が受信され得る。ダウンリンク制御情報は、ランダムアクセス応答のダウンリンク無線リソースを示してもよい。４９６０において、ランダムアクセス応答は、ダウンリンク無線リソースを介して受信され得る。
【０４０１】
例示的な一実施形態によれば、第１のセルは、複数のセルのうちのプライマリセルであってもよい。例示的な一実施形態によれば、第２のセルは、複数のセルのうちのセカンダリセルであってもよい。例示的な一実施形態によれば、帯域幅部分構成パラメータは、第１のアップリンク帯域幅部分の帯域幅部分インデックスを含んでもよい。例示的な一実施形態によれば、帯域幅部分構成パラメータは、第１のアップリンク帯域幅部分の帯域幅値を含んでもよい。例示的な一実施形態によれば、第１のアップリンク帯域幅部分でランダムアクセスプロシージャが開始されてもよい。例示的な一実施形態によれば、ランダムアクセスチャネルパラメータのうちの１つ以上は、時間リソースパラメータおよび周波数リソースパラメータを含んでもよい。例示的な一実施形態によれば、ランダムアクセスチャネルリソースのランダムアクセスチャネルパラメータは、プリアンブルのプリアンブルインデックスを含んでもよい。例示的な一実施形態によれば、ランダムアクセスチャネルリソースのランダムアクセスチャネルパラメータは、プリアンブルフォーマットを含んでもよい。例示的な一実施形態によれば、ランダムアクセスチャネルリソースのランダムアクセスチャネルパラメータは、プリアンブル伝送ニューメロロジーを含んでもよい。例示的な一実施形態によれば、ランダムアクセスチャネルリソースのランダムアクセスチャネルパラメータは、時間および無線リソースパラメータを含んでもよい。例示的な一実施形態によれば、ランダムアクセスチャネルリソースのランダムアクセスチャネルパラメータは、周波数無線リソースパラメータを含んでもよい。例示的な一実施形態によれば、ランダムアクセスチャネルリソースのランダムアクセスチャネルパラメータは、電力設定のパラメータを含んでもよい。
【０４０２】
例示的な一実施形態によれば、プリアンブルの伝送は、プリアンブルを識別するプリアンブルインデックスを含む第１のダウンリンク制御情報の受信に応答してもよい。例示的な一実施形態によれば、プリアンブルの伝送は、ランダムアクセスチャネルリソースを識別するランダムアクセスチャネルリソースインデックスを含む第１のダウンリンク制御情報の受信に応答してもよい。例示的な一実施形態によれば、無線デバイスがＲＡ−ＲＡＮＴＩを決定することは、セルのセル識別子にさらに基づいてもよい。例示的な一実施形態によれば、ランダムアクセス応答は、プリアンブルを識別するプリアンブルインデックスを含んでもよい。例示的な一実施形態によれば、ランダムアクセス応答は、第１のアップリンク帯域幅部分でのアップリンク許可を含んでもよい。例示的な一実施形態によれば、セルは、第１のアップリンク帯域幅部分および第２のアップリンク帯域幅部分を含む複数のアップリンク帯域幅部分を含んでもよい。例示的な一実施形態によれば、複数のアップリンク帯域幅部分の第２のアップリンク帯域幅部分は、第１のランダムアクセスチャネルリソースの第１の帯域幅部分構成パラメータおよび第１のランダムアクセスチャネルパラメータを用いて構成されてもよい。例示的な一実施形態によれば、帯域幅部分構成パラメータは、第１のアップリンク帯域幅部分の周波数位置パラメータを含んでもよい。例示的な一実施形態によれば、周波数位置パラメータは、第１のアップリンク帯域幅部分のリソースブロック開始位置パラメータを含んでもよい。例示的な一実施形態によれば、リソースブロック開始位置パラメータは、セルの周波数基準点と第１のアップリンク帯域幅部分の第１の使用可能なサブキャリアとの間の物理リソースブロック数のオフセット値を含んでもよい。例示的な一実施形態によれば、プリアンブルの伝送は、競合ベースのランダムアクセスプロシージャを開始することに応答してもよい。例示的な一実施形態によれば、第１のアップリンク帯域幅部分は、複数のアップリンク帯域幅部分のうちの第１のアップリンク帯域幅部分および第２のアップリンク帯域幅部分から選択されてもよい。例示的な一実施形態によれば、プリアンブルおよびランダムアクセスチャネルリソースは、第１のアップリンク帯域幅部分に関連付けられてもよい。
【０４０３】
図５０は、本開示の一実施形態の一態様の流れ図である。５０１０において、基地局は、１つ以上のメッセージを伝送し得る。１つ以上のメッセージは、セル上の第１のアップリンク帯域幅部分の帯域幅部分構成パラメータを含んでもよい。１つ以上のメッセージは、セル上の第１のアップリンク帯域幅部分のランダムアクセスチャネルリソースのランダムアクセスチャネルパラメータを含んでもよい。５０２０において、第１のアップリンク帯域幅部分でランダムアクセスチャネルリソースを介してプリアンブルが受信され得る。５０３０において、ランダムアクセス無線ネットワーク一時識別子（ＲＡ−ＲＮＴＩ）は、第１のアップリンク帯域幅部分の帯域幅部分構成パラメータと、ランダムアクセスチャネルパラメータのうちの１つ以上と、に基づいて決定され得る。５０４０において、決定に応じて、ＲＡ−ＲＮＴＩ宛てのダウンリンク制御情報が伝送され得る。５０５０において、ダウンリンク制御情報に基づいて、ランダムアクセス応答が伝送され得る。
【０４０４】
例示的な一実施形態によれば、第１のセルは、複数のセルのうちのプライマリセルであってもよい。例示的な一実施形態によれば、第２のセルは、複数のセルのうちのセカンダリセルであってもよい。例示的な一実施形態によれば、帯域幅部分構成パラメータは、第１のアップリンク帯域幅部分の帯域幅部分インデックスを含んでもよい。例示的な一実施形態によれば、帯域幅部分構成パラメータは、第１のアップリンク帯域幅部分の帯域幅値を含んでもよい。
【０４０５】
例示的な一実施形態によれば、第１のアップリンク帯域幅部分でランダムアクセスプロシージャが開始されてもよい。例示的な一実施形態によれば、ランダムアクセスチャネルパラメータのうちの１つ以上は、時間リソースパラメータおよび周波数リソースパラメータを含んでもよい。例示的な一実施形態によれば、ランダムアクセスチャネルリソースのランダムアクセスチャネルパラメータは、プリアンブルのプリアンブルインデックスを含んでもよい。例示的な一実施形態によれば、ランダムアクセスチャネルリソースのランダムアクセスチャネルパラメータは、プリアンブルフォーマットを含んでもよい。例示的な一実施形態によれば、ランダムアクセスチャネルリソースのランダムアクセスチャネルパラメータは、プリアンブル伝送ニューメロロジーを含んでもよい。例示的な一実施形態によれば、ランダムアクセスチャネルリソースのランダムアクセスチャネルパラメータは、時間および無線リソースパラメータを含んでもよい。例示的な一実施形態によれば、ランダムアクセスチャネルリソースのランダムアクセスチャネルパラメータは、周波数無線リソースパラメータを含んでもよい。例示的な一実施形態によれば、ランダムアクセスチャネルリソースのランダムアクセスチャネルパラメータは、電力設定のパラメータを含んでもよい。
【０４０６】
例示的な一実施形態によれば、プリアンブルの受信は、プリアンブルを識別するプリアンブルインデックスを含む第１のダウンリンク制御情報の伝送に応答してもよい。例示的な一実施形態によれば、プリアンブルの受信は、ランダムアクセスチャネルリソースを識別するランダムアクセスチャネルリソースインデックスを含む第１のダウンリンク制御情報の伝送に応答してもよい。例示的な一実施形態によれば、プリアンブルの受信は、基地局がセルのセル識別子にさらに基づいてＲＡ−ＲＡＮＴＩを決定することを含む第１のダウンリンク制御情報の伝送に応答してもよい。例示的な一実施形態によれば、プリアンブルの受信は、ランダムアクセス応答がプリアンブルを識別するプリアンブルインデックスを含むことを含む第１のダウンリンク制御情報の伝送に応答してもよい。例示的な一実施形態によれば、プリアンブルの受信は、ランダムアクセス応答が第１のアップリンク帯域幅部分でのアップリンク許可を含むことを含む第１のダウンリンク制御情報の伝送に応答してもよい。例示的な一実施形態によれば、セルは、第１のアップリンク帯域幅部分および第２のアップリンク帯域幅部分を含む複数のアップリンク帯域幅部分を含んでもよい。例示的な一実施形態によれば、複数のアップリンク帯域幅部分の第２のアップリンク帯域幅部分は、第１のランダムアクセスチャネルリソースの第１の帯域幅部分構成パラメータおよび第１のランダムアクセスチャネルパラメータを用いて構成されてもよい。例示的な一実施形態によれば、帯域幅部分構成パラメータは、第１のアップリンク帯域幅部分の周波数位置パラメータを含んでもよい。例示的な一実施形態によれば、周波数位置パラメータは、第１のアップリンク帯域幅部分のリソースブロック開始位置パラメータであってもよい。例示的な一実施形態によれば、リソースブロック開始位置パラメータは、セルの周波数基準点と第１のアップリンク帯域幅部分の第１の使用可能なサブキャリアとの間の物理リソースブロック数のオフセット値を含んでもよい。例示的な一実施形態によれば、プリアンブルの受信は、競合ベースのランダムアクセスプロシージャを開始することに応答してもよい。
【０４０７】
図５１は、本開示の一実施形態の一態様の流れ図である。５１１０において、無線デバイスは、セルのアップリンク帯域幅部分のランダムアクセスチャネルリソースを介してプリアンブルを伝送し得る。５１２０において、アップリンク帯域幅部分の少なくとも１つの帯域幅部分構成パラメータに基づいて、伝送に応答して、ランダムアクセス無線ネットワーク一時識別子が決定され得る。５１３０において、ランダムアクセス無線ネットワーク一時識別子によって識別されるランダムアクセス応答について、ダウンリンク制御チャネルが監視され得る。５１４０において、プリアンブルの伝送に対するランダムアクセス応答が受信され得る。例示的な一実施形態によれば、少なくとも１つの帯域幅部分構成パラメータは、アップリンク帯域幅部分の帯域幅部分インデックスを含んでもよい。例示的な一実施形態によれば、少なくとも１つの帯域幅部分構成パラメータは、アップリンク帯域幅部分の周波数位置パラメータを含んでもよい。
【０４０８】
図５２は、本開示の一実施形態の一態様の流れ図である。５２１０において、無線デバイスは、セルのアップリンク帯域幅部分でランダムアクセスチャネルリソースを介して、プリアンブルを伝送し得る。５２２０において、伝送に応答して、ランダムアクセス無線ネットワーク一時識別子が決定され得る。この決定は、アップリンク帯域幅部分の周波数位置パラメータに基づいてもよい。この決定は、ランダムアクセスチャネルリソースの時間リソース位置に基づいてもよい。この決定は、ランダムアクセスチャネルリソースの周波数リソース位置に基づいてもよい。５２３０において、ランダムアクセス無線ネットワーク一時識別子に対応するランダムアクセス応答について、ダウンリンク制御チャネルが監視され得る。５２４０において、プリアンブルの伝送に対するランダムアクセス応答が受信され得る。
【０４０９】
図５３は、本開示の一実施形態の一態様の流れ図である。５３１０において、無線デバイスは、セルのアップリンク帯域幅部分でランダムアクセスチャネルリソースを介して、プリアンブルを伝送し得る。５３２０において、伝送に応答して、ランダムアクセス無線ネットワーク一時識別子が決定され得る。この決定は、アップリンク帯域幅部分の帯域幅部分識別子に基づいてもよい。この決定は、ランダムアクセスチャネルリソースの時間リソース位置に基づいてもよい。この決定は、ランダムアクセスチャネルリソースの周波数リソース位置に基づいてもよい。５３３０において、ランダムアクセス無線ネットワーク一時識別子に対応するランダムアクセス応答について、ダウンリンク制御チャネルが監視され得る。５３４０において、プリアンブルの伝送に対するランダムアクセス応答が受信され得る。
【０４１０】
本開示において、「ａ」および「ａｎ」ならびに同様の成句は、「少なくとも１つ」または「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続く成句が、様々な実施形態のうちの１つ以上に用いられるかもしれない、または用いられないかもしれないという多数の好適な可能性のうちの１つの例であることを暗示している。ＡおよびＢが集合であり、Ａの各要素もまた、Ｂの要素である場合、Ａは、Ｂの部分集合と呼ばれる。本明細書では、空でない集合および部分集合のみが考慮されている。例えば、Ｂ＝｛セル１、セル２｝の可能な部分集合は、｛セル１｝、｛セル２｝、および｛セル１、セル２｝である。成句「に基づいて」は、用語「に基づいて」の後に続く成句が、様々な実施形態のうちの１つ以上に使用されるかもしれない、または、されないかもしれないという多数の好適な可能性のうちの１つの例であることを暗示している。成句「に応じて」は、成句「に応じて」の後に続く成句が、様々な実施形態のうちの１つ以上に使用されるかもしれない、または、されないかもしれないという多数の好適な可能性のうちの１つの例であることを暗示している。「含む（ｉｎｃｌｕｄｉｎｇ）」および「含む（ｃｏｍｐｒｉｓｉｎｇ）」という用語は、「含むが、それに限定されない」という意味として解釈されるべきである。
【０４１１】
本開示および特許請求の範囲において、「第１」、「第２」、「第３」などの区別用語は、要素の順序または要素の機能性を意味することなく別個の要素を識別する。区別する用語は、実施形態を記載するときに、他の区別する用語で置き換えられる場合がある。
【０４１２】
本開示において、様々な実施形態が開示されている。開示された例示的な実施形態からの制限、特徴、および／または要素を組み合わせて、本開示の範囲内で、さらなる実施形態を作り出すことができる。
【０４１３】
本開示では、パラメータ（情報要素：ＩＥ）は、１つ以上のオブジェクトを含んでもよく、それらのオブジェクトの各々は、１つ以上の他のオブジェクトを含んでもよい。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的実施形態においては、１つ以上のメッセージが複数のパラメータを含むとき、それは、複数のパラメータのうちのパラメータが１つ以上のメッセージのうちの少なくとも１つに含まれるが、１つ以上のメッセージの各々に含まれる必要はないことを意味する。
【０４１４】
さらに、上記で提示された多くの特徴は、「ｍａｙ」の使用または括弧の使用を通じて任意選択であると説明されている。簡潔さおよび読みやすさのために、本開示は、１組の任意選択の特徴から選択することによって得ることができるありとあらゆる順列組み合わせを明示的に列挙していない。しかしながら、本開示は、そのような順列組み合わせをすべて明示的に開示していると解釈されるべきである。例えば、３つの任意の特徴を有するものとして記載されたシステムは、７つの異なる方法で、すなわち３つの可能な特徴のうちの１つだけ、３つの可能な特徴のうちの任意の２つ、または３つの可能な特徴のうちの３つすべてで具現化することができる。
【０４１５】
開示された実施形態に記載された要素の多くは、モジュールとして具現化されてもよい。モジュールは、ここでは、定義された機能を実行し、他の要素への定義されたインターフェースを有する分離可能な要素として定義されている。本開示に記載されるモジュールは、ハードウェア、ハードウェアと組み合わせたソフトウェア、ファームウェア、ウェットウェア（すなわち、生物学的要素を有するハードウェア）、またはそれらの組み合わせにおいて実装され得、それらは全て挙動的に等価である。例えば、モジュールは、ハードウェアマシンによって実行されるように構成されたコンピュータ言語（Ｃ、Ｃ＋＋、Ｆｏｒｔｒａｎ、Ｊａｖａ（登録商標）、Ｂａｓｉｃ、Ｍａｔｌａｂ、もしくは同等物など）で書かれたソフトウェアルーチン、またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔなどのモデリング／シミュレーションプログラムとして実装され得る。さらに、個別の、またはプログラム可能なアナログ、デジタル、および／もしくは量子ハードウェアを組み込む物理的ハードウェアを使用して、モジュールを具現化することが可能であり得る。プログラム可能なハードウェアの例としては、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、およびＣＰＬＤは、プログラマブルデバイスの機能がより少ない内部ハードウェアモジュール間の接続を構成する、ＶＨＳＩＣハードウェア記述言語（ＶＨＤＬ）またはＶｅｒｉｌｏｇなどのハードウェア記述言語（ＨＤＬ）を使用してプログラムされることが多い。最後に、上記の技術はしばしば機能モジュールの結果を達成するために組み合わせて使用されることを強調しておく必要がある。
【０４１６】
この特許文書の開示は、著作権保護の対象となる資料を組み込んでいる。著作権所有者は、特許商標庁の特許ファイルまたは記録に記載されているように、法律によって要求される限られた目的のために、誰かによる特許文書または特許開示の複製に反対しないが、それ以外の場合は、すべての著作権を留保する。
【０４１７】
種々の実施形態を上述したが、それらは限定ではなく例として提示されたことを理解されたい。当業者には、趣旨および範囲を逸脱することなく形態および詳細の種々の変更をなし得ることが明らかであろう。実際、上記の説明を読んだ後、代替実施形態をどのように具現化するかは、当業者には明らかであろう。したがって、本実施形態は、上述の例示的な実施形態のいずれによっても限定されるべきではない。
【０４１８】
さらに、機能性および利点を強調する図は、いずれも例示目的のみのために提示されていることを理解されたい。開示されたアーキテクチャは、示されたもの以外の方法で利用され得るように、十分に柔軟性があり、かつ構成可能である。例えば、いくつかの実施形態においては、任意のフローチャートに列挙された動作は、並べ替えられてもよく、または単に任意選択で使用されてもよい。
【０４１９】
さらに、開示の要約の目的は、米国特許商標庁および一般大衆、特に特許または法的用語または表現に精通していない当該分野の科学者、技術者および実務家が、一瞥して出願の技術的な開示の性質と本質を迅速に判断できるようにすることである。開示の要約は、いかなる意味においても範囲を限定することを意図するものではない。
【０４２０】
最後に、「する手段」または「するステップ」という明示的な用語を含む請求項のみが、３５Ｕ．Ｓ．Ｃ．１１２の下で解釈されることが出願人の意図である。「する手段」または「するステップ」という語句を明示的に含まない請求項は、３５Ｕ．Ｓ．Ｃ．１１２に基づいて解釈されるべきではない。
【図１】
0006910621.tif 000008
【図２】
0006910621.tif 000009
【図３】
0006910621.tif 000010
【図４】
0006910621.tif 000011
【図５Ａ】
0006910621.tif 000012
【図５Ｂ】
0006910621.tif 000013
【図５Ｃ】
0006910621.tif 000014
【図５Ｄ】
0006910621.tif 000015
【図６】
0006910621.tif 000016
【図７】
0006910621.tif 000017
【図８】
0006910621.tif 000018
【図９】
0006910621.tif 000019
【図１０Ａ】
0006910621.tif 000020
【図１０Ｂ】
0006910621.tif 000021
【図１１Ａ】
0006910621.tif 000022
【図１１Ｂ】
0006910621.tif 000023
【図１１Ｃ】
0006910621.tif 000024
【図１１Ｄ】
0006910621.tif 000025
【図１１Ｅ】
0006910621.tif 000026
【図１１Ｆ】
0006910621.tif 000027
【図１２Ａ】
0006910621.tif 000028
【図１２Ｂ】
0006910621.tif 000029
【図１２Ｃ】
0006910621.tif 000030
【図１３Ａ】
0006910621.tif 000031
【図１３Ｂ】
0006910621.tif 000032
【図１４】
0006910621.tif 000033
【図１５】
0006910621.tif 000034
【図１６Ａ】
0006910621.tif 000035
【図１６Ｂ】
0006910621.tif 000036
【図１７】
0006910621.tif 000037
【図１８Ａ】
0006910621.tif 000038
【図１８Ｂ】
0006910621.tif 000039
【図１８Ｃ】
0006910621.tif 000040
【図１９】
0006910621.tif 000041
【図２０】
0006910621.tif 000042
【図２１】
0006910621.tif 000043
【図２２】
0006910621.tif 000044
【図２３Ａ】
0006910621.tif 000045
【図２３Ｂ】
0006910621.tif 000046
【図２４Ａ】
0006910621.tif 000047
【図２４Ｂ】
0006910621.tif 000048
【図２５Ａ】
0006910621.tif 000049
【図２５Ｂ】
0006910621.tif 000050
【図２６】
0006910621.tif 000051
【図２７】
0006910621.tif 000052
【図２８】
0006910621.tif 000053
【図２９】
0006910621.tif 000054
【図３０】
0006910621.tif 000055
【図３１】
0006910621.tif 000056
【図３２】
0006910621.tif 000057
【図３３Ａ】
0006910621.tif 000058
【図３３Ｂ】
0006910621.tif 000059
【図３４】
0006910621.tif 000060
【図３５】
0006910621.tif 000061
【図３６】
0006910621.tif 000062
【図３７】
0006910621.tif 000063
【図３８】
0006910621.tif 000064
【図３９】
0006910621.tif 000065
【図４０】
0006910621.tif 000066
【図４１】
0006910621.tif 000067
【図４２】
0006910621.tif 000068
【図４３】
0006910621.tif 000069
【図４４】
0006910621.tif 000070
【図４５】
0006910621.tif 000071
【図４６】
0006910621.tif 000072
【図４７】
0006910621.tif 000073
【図４８】
0006910621.tif 000074
【図４９】
0006910621.tif 000075
【図５０】
0006910621.tif 000076
【図５１】
0006910621.tif 000077
【図５２】
0006910621.tif 000078
【図５３】
0006910621.tif 000079